(57)【特許請求の範囲】
【請求項１】
遊技機に対応して設けられ、
当該遊技機での遊技により遊技者が獲得した獲得遊技媒体数を計数する計数手段と、
遊技者から該計数した遊技媒体の返却操作を受け付けたことに基づいて、前記獲得遊技媒体数の範囲内で所定数を減算して該所定数の遊技媒体を返却するための遊技媒体返却処理を行う遊技媒体返却処理手段と、
前記獲得遊技媒体数を含み前記遊技者が所有する所有遊技媒体数により交換可能な複数の景品を表示する表示手段と、
前記所有遊技媒体数が予約を希望する景品の交換遊技媒体数に達しているか否かに拘わらず、前記表示手段に表示される景品の中から予約を希望する景品の選択を前記遊技者から受け付ける予約受付手段と、
前記所有遊技媒体数が前記予約受付手段にて選択された景品の交換遊技媒体数に達しているか否かを判定する到達判定手段と、
該到達判定手段により所有遊技媒体数が交換遊技媒体数に達していると判定されたことを条件として、該交換遊技媒体数に達している景品の予約を確定する予約確定操作を前記遊技者から受付可能とする予約確定操作受付手段と、
前記予約確定操作を受け付けたことを条件として、該予約確定操作を受け付けた景品の交換遊技媒体数を前記所有遊技媒体数から減算するための処理を行う減算処理手段と、
前記予約確定操作を受け付けたことを条件として、該予約確定操作を受け付けた景品を前記遊技者に提供するための景品提供処理を行う景品提供処理手段と、
を有する景品交換装置であって、
該景品交換装置に表示される前記複数の景品に関する情報を管理し、該複数の景品の各々について、各景品を分類するための分類区分を設定する分類区分設定手段と、所定数の景品が含まれる景品パッケージを複数設定する景品パッケージ設定手段と、該景品パッケージ設定手段により設定された前記複数の景品パッケージのうち、当該景品交換装置を備える店舗が希望する景品パッケージの選択を受け付ける景品パッケージ選択受付手段と、を有する景品管理装置と通信可能であり、
前記景品の分類区分の各々に対応する区分メニューを表示する区分メニュー表示処理と、該区分メニューのいずれかが選択されたことに基づいて、前記景品パッケージ選択受付手段にて選択された景品パッケージに含まれる景品のうち、前記選択された区分メニューに対応する分類区分が設定されている景品を表示する区分景品表示処理とを行い、
前記景品交換装置又は前記景品管理装置は、前記景品パッケージ選択受付手段にて複数の景品パッケージが選択されたことに基づき、該選択された複数の景品パッケージに重複して含まれる景品を前記区分景品表示処理において１つのみ表示させるための処理を行う重複表示排除手段をさらに有することを特徴とする景品交換装置。
【請求項２】
複数の遊技機の各々に対応して設けられ、
当該遊技機での遊技により遊技者が獲得した獲得遊技媒体数を計数する計数手段と、
前記獲得遊技媒体数を含み前記遊技者が所有する所有遊技媒体数により交換可能な複数の景品を表示する表示手段と、
前記所有遊技媒体数が予約を希望する景品の交換遊技媒体数に達しているか否かに拘わらず、前記表示手段に表示される景品の中から予約を希望する景品の選択を前記遊技者から受け付ける予約受付手段と、
該予約受付手段にて選択された景品を、前記遊技者を個々に識別可能な遊技者識別情報から特定可能とするための処理を行う選択景品特定処理手段と、
前記遊技者識別情報を前記遊技者から受け付ける遊技者識別情報受付手段と、
前記所有遊技媒体数が該遊技者識別情報受付手段により受け付けた遊技者識別情報から特定される景品の交換遊技媒体数に達しているか否かを判定する到達判定手段と、
該到達判定手段により所有遊技媒体数が交換遊技媒体数に達していると判定されたことを条件として、該交換遊技媒体数に達している景品の予約を確定する予約確定操作を前記遊技者から受付可能とする予約確定操作受付手段と、
前記予約確定操作を受け付けたことを条件として、該予約確定操作を受け付けた景品の交換遊技媒体数を前記所有遊技媒体数から減算するための処理を行う減算処理手段と、
前記予約確定操作を受け付けたことを条件として、該予約確定操作を受け付けた景品を前記遊技者に提供するための景品提供処理を行う景品提供処理手段と、
を有する景品交換装置であって、
該景品交換装置に表示される前記複数の景品に関する情報を管理し、該複数の景品の各々について、各景品を分類するための分類区分を設定する分類区分設定手段と、所定数の景品が含まれる景品パッケージを複数設定する景品パッケージ設定手段と、該景品パッケージ設定手段により設定された前記複数の景品パッケージのうち、当該景品交換装置を備える店舗が希望する景品パッケージの選択を受け付ける景品パッケージ選択受付手段と、を有する景品管理装置と通信可能であり、
前記景品の分類区分の各々に対応する区分メニューを表示する区分メニュー表示処理と、該区分メニューのいずれかが選択されたことに基づいて、前記景品パッケージ選択受付手段にて選択された景品パッケージに含まれる景品のうち、前記選択された区分メニューに対応する分類区分が設定されている景品を表示する区分景品表示処理とを行い、
前記景品交換装置又は前記景品管理装置は、前記景品パッケージ選択受付手段にて複数の景品パッケージが選択されたことに基づき、該選択された複数の景品パッケージに重複して含まれる景品を前記区分景品表示処理において１つのみ表示させるための処理を行う重複表示排除手段をさらに有することを特徴とする景品交換装置。
【発明の詳細な説明】
【技術分野】
【０００１】
本発明は、遊技機に対応して設けられ、当該遊技機での遊技により獲得した獲得遊技媒体数を含み遊技者が所有する所有遊技媒体数と、該遊技者が希望する景品とを交換するための処理を行う景品交換装置に関する。
【背景技術】
【０００２】
従来より、特許文献１に示すように、遊技機に対応して設けられ、当該遊技機での遊技により遊技者が獲得した獲得遊技媒体数（持玉）を使用して、該遊技者が希望する景品と交換するための処理を行う景品交換装置（情報開示装置１０）が知られている。また、特許文献２に示すように、遊技機に対応して設けられ、遊技者が予約を希望する景品の選択を受け付け、該遊技者の貯玉数が該選択された景品の交換玉数に達した時点で、自動的に、貯玉数から交換玉数を減算して景品を発注する処理を行う景品交換装置が知られている。
【０００３】
【特許文献１】特開平９−２５３３０７号公報（図３９〜図５８）
【特許文献２】特開平１０−１５２０４号公報（図６）
【発明の開示】
【発明が解決しようとする課題】
【０００４】
しかしながら、上記の特許文献１に示す景品交換装置のように、獲得遊技媒体数が希望する景品の交換遊技媒体数に達した後でなければ該景品を選択できないのでは、遊技者の利便性が低いという問題があった。一方、上記の特許文献１に示す景品交換装置において、上記の特許文献２に示す景品交換装置のように、予め予約を希望する景品の選択を受け付け、遊技者の獲得遊技媒体数が該選択された景品の交換遊技媒体数に達した時点で、自動的に獲得遊技媒体数から交換遊技媒体数を減算して景品を発注する処理を行うようにすると、遊技者が獲得遊技媒体数による遊技を継続することができなくなってしまうという問題があった。
【０００５】
本発明は、このような背景のもとになされたものであり、その目的は、予め予約を希望する景品の選択を受付可能として、遊技者の利便性を向上することができると共に、該予約を受け付けた景品の景品交換処理を行っても、遊技者が獲得遊技媒体数による遊技を継続することができなくなってしまうという問題が生じないような、景品交換装置を提供することにある。
【課題を解決するための手段】
【０００６】
本発明は、前記課題を解決するために、次のような手段を採る。なお後述する発明を実施するための最良の形態の説明及び図面で使用した符号を参考のために括弧書きで付記するが、本発明の構成要素は該付記したものには限定されない。
【０００７】
まず請求項１に係る発明は、遊技機（パチンコ機１０）に対応して設けられ、当該遊技機での遊技により遊技者が獲得した獲得遊技媒体数（持玉数）を計数する計数手段（各台計数機１９）と、遊技者から該計数した遊技媒体の返却操作（「持玉返却」ボタンの操作）を受け付けたことに基づいて、前記獲得遊技媒体数の範囲内で所定数を減算して該所定数の遊技媒体を返却するための遊技媒体返却処理を行う遊技媒体返却処理手段（制御部２２）と、前記獲得遊技媒体数を含み前記遊技者が所有する所有遊技媒体数（所有玉数）により交換可能な複数の景品を表示する表示手段（ディスプレイ２４）と、前記所有遊技媒体数が予約を希望する景品の交換遊技媒体数（交換玉数）に達しているか否かに拘わらず、前記表示手段に表示される景品の中から予約を希望する景品の選択を前記遊技者から受け付ける予約受付手段（ディスプレイ２４）と、前記所有遊技媒体数が前記予約受付手段にて選択された景品の交換遊技媒体数に達しているか否かを判定する到達判定手段（制御部２２）と、該到達判定手段により所有遊技媒体数が交換遊技媒体数に達していると判定されたことを条件として、該交換遊技媒体数に達している景品の予約を確定する予約確定操作を前記遊技者から受付可能とする予約確定操作受付手段（ディスプレイ２４）と、前記予約確定操作を受け付けたことを条件として、該予約確定操作を受け付けた景品の交換遊技媒体数を前記所有遊技媒体数から減算するための処理を行う減算処理手段（制御部２２）と、前記予約確定操作を受け付けたことを条件として、該予約確定操作を受け付けた景品を前記遊技者に提供するための景品提供処理（予約確定要求の送信）を行う景品提供処理手段（場内通信部２１ｂ，場外通信部２１ｃ）と、を有する景品交換装置（カードユニット２０）であって、該景品交換装置に表示される前記複数の景品に関する情報を管理し、該複数の景品の各々について、各景品を分類するための分類区分を設定する分類区分設定手段と、所定数の景品が含まれる景品パッケージを複数設定する景品パッケージ設定手段と、該景品パッケージ設定手段により設定された前記複数の景品パッケージのうち、当該景品交換装置を備える店舗が希望する景品パッケージの選択を受け付ける景品パッケージ選択受付手段と、を有する景品管理装置と通信可能であり、前記景品の分類区分の各々に対応する区分メニューを表示する区分メニュー表示処理と、該区分メニューのいずれかが選択されたことに基づいて、前記景品パッケージ選択受付手段にて選択された景品パッケージに含まれる景品のうち、前記選択された区分メニューに対応する分類区分が設定されている景品を表示する区分景品表示処理とを行い、前記景品交換装置又は前記景品管理装置は、前記景品パッケージ選択受付手段にて複数の景品パッケージが選択されたことに基づき、該選択された複数の景品パッケージに重複して含まれる景品を前記区分景品表示処理において１つのみ表示させるための処理を行う重複表示排除手段をさらに有することを特徴とする景品交換装置である。
【０００８】
また請求項２に係る発明は、複数の遊技機（パチンコ機１０）の各々に対応して設けられ、当該遊技機での遊技により遊技者が獲得した獲得遊技媒体数（持玉数）を計数する計数手段（各台計数機１９）と、前記獲得遊技媒体数を含み前記遊技者が所有する所有遊技媒体数（所有玉数）により交換可能な複数の景品を表示する表示手段（ディスプレイ２４）と、前記所有遊技媒体数が予約を希望する景品の交換遊技媒体数（交換玉数）に達しているか否かに拘わらず、前記表示手段に表示される景品の中から予約を希望する景品の選択を前記遊技者から受け付ける予約受付手段（ディスプレイ２４）と、該予約受付手段にて選択された景品を、前記遊技者を個々に識別可能な遊技者識別情報から特定可能とするための処理を行う選択景品特定処理手段（制御部２２）と、前記遊技者識別情報を前記遊技者から受け付ける遊技者識別情報受付手段（カードＲ／Ｗ２３）と、前記所有遊技媒体数が該遊技者識別情報受付手段により受け付けた遊技者識別情報から特定される景品の交換遊技媒体数に達しているか否かを判定する到達判定手段（制御部２２）と、該到達判定手段により所有遊技媒体数が交換遊技媒体数に達していると判定されたことを条件として、該交換遊技媒体数に達している景品の予約を確定する予約確定操作を前記遊技者から受付可能とする予約確定操作受付手段（ディスプレイ２４）と、前記予約確定操作を受け付けたことを条件として、該予約確定操作を受け付けた景品の交換遊技媒体数を前記所有遊技媒体数から減算するための処理を行う減算処理手段（制御部２２）と、前記予約確定操作を受け付けたことを条件として、該予約確定操作を受け付けた景品を前記遊技者に提供するための景品提供処理（予約確定要求の送信）を行う景品提供処理手段（場内通信部２１ｂ，場外通信部２１ｃ）と、を有する景品交換装置（カードユニット２０）であって、該景品交換装置に表示される前記複数の景品に関する情報を管理し、該複数の景品の各々について、各景品を分類するための分類区分を設定する分類区分設定手段と、所定数の景品が含まれる景品パッケージを複数設定する景品パッケージ設定手段と、該景品パッケージ設定手段により設定された前記複数の景品パッケージのうち、当該景品交換装置を備える店舗が希望する景品パッケージの選択を受け付ける景品パッケージ選択受付手段と、を有する景品管理装置と通信可能であり、前記景品の分類区分の各々に対応する区分メニューを表示する区分メニュー表示処理と、該区分メニューのいずれかが選択されたことに基づいて、前記景品パッケージ選択受付手段にて選択された景品パッケージに含まれる景品のうち、前記選択された区分メニューに対応する分類区分が設定されている景品を表示する区分景品表示処理とを行い、前記景品交換装置又は前記景品管理装置は、前記景品パッケージ選択受付手段にて複数の景品パッケージが選択されたことに基づき、該選択された複数の景品パッケージに重複して含まれる景品を前記区分景品表示処理において１つのみ表示させるための処理を行う重複表示排除手段をさらに有することを特徴とする景品交換装置である。
【発明の効果】
【００１３】
まず請求項１に係る景品交換装置によれば、遊技者の所有遊技媒体数が予約を希望する景品の交換遊技媒体数に達しているか否かに拘わらず、該景品の予約を受付可能なので、遊技者の利便性を向上することができると共に、獲得遊技媒体数の範囲内で所定数の遊技媒体を返却する遊技媒体返却処理が行われ、獲得遊技媒体数を含む所有遊技媒体数が交換遊技媒体数に達した後に、遊技者の意思により予約確定操作を受け付けると、交換遊技媒体数が所有遊技媒体数から減算されるので、遊技者が獲得遊技媒体数による遊技を継続することができなくなってしまうという問題が生じない。
また、景品管理装置において、予め設定された複数の景品パッケージのうち、店舗が希望する景品パッケージの選択を受け付け、当該店舗に設けられる景品交換装置において、各景品の分類区分に対応する区分メニューが選択されると、前記選択された景品パッケージに含まれる景品のうち、該選択された区分メニューに対応する分類区分が設定されている景品が表示されるので、店舗の客層や土地柄や季節に応じて、該店舗が希望する景品を提供でき、ユーザに対して景品交換を促進することができると共に、店舗が希望する複数の景品パッケージに同一の景品が重複して含まれている場合であっても、該景品が１つのみ表示されるので、該景品が重複して表示されることがない。
【００１４】
また請求項２に係る景品交換装置によれば、遊技者の所有遊技媒体数が予約を希望する景品の交換遊技媒体数に達しているか否かに拘わらず、該景品の予約を受付可能なので、遊技者の利便性を向上することができると共に、獲得遊技媒体数を含む所有遊技媒体数が交換遊技媒体数に達した後に、遊技者の意思により予約確定操作を受け付けると、交換遊技媒体数が所有遊技媒体数から減算されるので、遊技者が獲得遊技媒体数による遊技を継続することができなくなってしまうという問題が生じない。また景品交換装置は、複数の遊技機の各々に対応して設けられ、一の景品交換装置において遊技者識別情報を受け付けると、他の景品交換装置において予約され当該遊技者識別情報から特定可能とされた景品の予約を確定することができることにより、一の景品交換装置に対応する遊技機から他の景品交換装置に対応する遊技機に移動しても景品の予約を再び行う必要がないので、遊技者の利便性を向上することができる。
また、景品管理装置において、予め設定された複数の景品パッケージのうち、店舗が希望する景品パッケージの選択を受け付け、当該店舗に設けられる景品交換装置において、各景品の分類区分に対応する区分メニューが選択されると、前記選択された景品パッケージに含まれる景品のうち、該選択された区分メニューに対応する分類区分が設定されている景品が表示されるので、店舗の客層や土地柄や季節に応じて、該店舗が希望する景品を提供でき、ユーザに対して景品交換を促進することができると共に、店舗が希望する複数の景品パッケージに同一の景品が重複して含まれている場合であっても、該景品が１つのみ表示されるので、該景品が重複して表示されることがない。
【発明を実施するための最良の形態】
【００１９】
以下、本発明の実施の形態を、図面を参照して説明する。本発明に係る景品交換装置であるカードユニット２０及び各台計数機１９は、図１に示すように、遊技機（パチンコ機１０）に対応して設けられ、当該遊技機での遊技により獲得した獲得遊技媒体数（持玉数）を含み遊技者が所有する所有遊技媒体数（所有玉数＝持玉数＋貯玉数）と、該遊技者が希望する景品とを交換するための処理を行うものであり、特に所有遊技媒体数が予約を希望する景品の交換遊技媒体数（交換玉数）に達しているか否かに拘わらず、該予約を希望する景品の選択を受け付け、所有遊技媒体数が該選択された景品の交換遊技媒体数に達したことを条件として、当該景品の予約を確定する予約確定操作を受け付け、該予約確定操作を受け付けたことを条件として、予約確定操作を受け付けた景品の交換遊技媒体数を所有遊技媒体数から減算する減算処理と、予約確定操作を受け付けた景品を遊技者に提供するための景品提供処理とを行うことを特徴とするものである。
【００２０】
ここで説明の便宜上、この景品交換装置を含む景品交換システム１で主に行われる処理について、図３５を参照して説明する。この景品交換システム１では、まず遊技場に設けられるカードユニット２０において、所有遊技媒体数により交換可能な複数の景品として、遊技場において遊技者に提供される景品である場内景品（即ち遊技場が仕入れて景品交換カウンタに陳列されている景品）と、配送により遊技者に提供される景品である配送景品とが表示され、該表示される景品の中から予約を希望する景品の選択を遊技者から受け付けると、配送景品が選択された場合には、当該配送景品を特定可能な景品特定情報（景品ＩＤ）を含む予約要求をセンタ景品管理装置７０に送信し、場内景品が選択された場合には、当該場内景品を特定可能な景品特定情報を含む予約要求を場内景品管理装置６３に送信する、景品予約処理（Ｓ３１）が行われる。次にセンタ景品管理装置７０又は場内景品管理装置６３において、該予約要求に対応する予約を識別可能な予約識別情報（予約ＩＤ）に対応付けて該予約要求に含まれる景品特定情報を登録する予約内容登録処理（Ｓ３２，Ｓ３２ａ）が行われる。
【００２１】
次にカードユニット２０において、前記予約確定操作を遊技者から受け付けると、該予約確定操作を受け付けた景品の交換遊技媒体数を当該遊技者の所有遊技媒体数から減算すると共に、配送景品の予約確定操作を受け付けた場合には、当該配送景品の景品特定情報に対応する予約識別情報を含む予約確定要求をセンタ景品管理装置７０に送信し、場内景品の予約確定操作を受け付けた場合には、当該場内景品の景品特定情報に対応する予約識別情報を含む予約確定要求を場内景品管理装置６３に送信する、予約確定処理（Ｓ３３）が行われる。そしてセンタ景品管理装置７０において、該予約確定要求に含まれる予約識別情報に対応付けて登録された景品特定情報から特定される配送景品を遊技者に配送するための配送情報を登録する配送情報登録処理（Ｓ３４）が行われ、また場内景品管理装置６３において、該予約確定要求に含まれる予約識別情報に対応付けて登録された景品特定情報から特定される場内景品を遊技者に提供するための確定フラグ登録処理（Ｓ３４ａ）が行われる。
【００２２】
また減算処理端末であるＰＯＳ端末４０において、予約確定操作を行う景品の交換遊技媒体数を当該遊技者の所有遊技媒体数から減算する減算処理（Ｓ４１）を行った後に、予約確定端末５０において、当該景品について予約確定操作を受け付けると、配送景品の予約確定操作を受け付けた場合には、当該配送景品の景品特定情報に対応する予約識別情報を含む予約確定要求をセンタ景品管理装置７０に送信し、場内景品の予約確定操作を受け付けた場合には、当該場内景品の景品特定情報に対応する予約識別情報を含む予約確定要求を場内景品管理装置６３に送信する、予約確定処理（Ｓ４２）が行われる。そしてセンタ景品管理装置７０において、該予約確定要求に含まれる予約識別情報に対応付けて登録された景品特定情報から特定される配送景品を遊技者に配送するための配送情報を登録する配送情報登録処理（Ｓ４３）が行われ、また場内景品管理装置６３において、該予約確定要求に含まれる予約識別情報に対応付けて登録された景品特定情報から特定される場内景品を遊技者に提供するための確定フラグ登録処理及び提供済フラグ登録処理（Ｓ４３ａ）が行われる。
【００２３】
以下においては、遊技機が、パチンコ玉を遊技媒体とするパチンコ機１０である例について説明する。ここで該遊技機を備える遊技場は、パチンコ玉を貸与する貸与単価とパチンコ玉を景品と交換する交換単価とが同一（いわゆる等価交換）の営業を行うと共に、該貸与単価及び交換単価が２種類の営業（即ち貸与単価及び交換単価が４円である営業と、貸与単価及び交換単価が１円である営業）を行うものとする。
【００２４】
即ち各遊技場には、図示しないが、貸与単価及び交換単価が４円の営業を行う４円営業フロアと、貸与単価及び交換単価が１円の営業を行う１円営業フロアとが設けられている。この４円営業フロアには、パチンコ玉１個あたり４円で貸与する共に交換単価が４円であるとして景品を表示する４円用カードユニット２０が設けられている。また１円営業フロアには、パチンコ玉１個あたり１円で貸与する共に交換単価が１円であるとして景品を表示する１円用カードユニット２０が設けられている。これら４円用カードユニット２０及び１円用カードユニット２０は、自己の貸与単価及び交換単価（以下、単に「交換単価」と称する。）を記憶している。
【００２５】
このように、各営業フロア毎に異なるカードユニット２０を設けているのは、仮に各営業フロアで共通のカードユニット２０とすると、後述する図２９のＤ１２９に示すように、交換玉数から景品を検索する際に分かりづらくなる（即ち４円営業フロアで交換単価を１円とする交換玉数に基づく検索画面が表示されると、遊技者が混乱する）からである。ただし４円用カードユニット２０と１円用カードユニット２０とを区別しない場合には、単にカードユニット２０と称する。
【００２６】
なおＰＯＳ端末４０，予約確定端末５０，後述する残額管理装置６０，会員管理装置６１，計数値管理装置６２，及び場内景品管理装置６３は、４円営業と１円営業に共通である。また、複数の遊技場の各々に設けられている構成要素は同じであるため、以下においては、遊技場Ａに設けられている構成要素について説明する。また、以下においては、データベースを「ＤＢ」，リーダ／ライタを「Ｒ／Ｗ」，ステップＳを「Ｓ」と略記する。さらに各フローチャートにおいて、待機状態で予め設定された所定時間が経過した場合には、該待機状態を解除して、当該フローチャートに示す処理を終了するものとする。
【００２７】
また景品交換システム１には、（１）いたずらの予約を排除するために設定する上限値の設定方法及び該上限値に基づく上限値判定処理の方法と、（２）センタ景品管理装置７０からカードユニット２０に対する景品情報の送信及び該カードユニット２０における重複景品排除処理の方法と、（３）カードユニット２０における予約停止景品の表示方法と、（４）減算処理端末及び予約確定端末の構成並びに作用と、（５）センタ景品管理装置７０における在庫数の管理方法及び判定方法とがそれぞれ異なる、第１実施形態と第２実施形態とが含まれる。以下においては、まず第１実施形態について説明し、次に第２実施形態について第１実施形態と異なる点についてのみ説明し、最後に変形例について説明する。
【００２８】
［１．第１実施形態に係る景品交換システム１］
まず、図１〜図３４を参照して、第１実施形態に係る景品交換システム１の構成について説明する。この景品交換システム１は、図１に示すように、複数の遊技場（ここでは遊技場Ａ，Ｂ，Ｃ）の各々において、パチンコ機１０に対応して設けられるカードユニット２０及び各台計数機１９からなる景品交換装置を少なくとも備えている。このカードユニット２０は、各遊技場に設けられている残額管理装置６０，会員管理装置６１，計数値管理装置６２，及び場内景品管理装置６３と通信可能であると共に、後述する会員カード２，景品交換カード３，及びビジタカード４を発行するカード会社が運営する機関である景品センタに設けられているセンタ景品管理装置７０とルータ６４及び図示しないインターネットを介して通信可能である。また各遊技場には、会員管理装置６１，計数値管理装置６２，及び場内景品管理装置６３と通信可能なＰＯＳ端末４０が設けられていると共に、センタ景品管理装置７０とルータ６４及び図示しないインターネットを介して通信可能な予約確定端末５０が設けられている。
【００２９】
センタ景品管理装置７０は、前記景品センタと提携している複数の景品提供業者（ここでは景品提供業者Ｘ，Ｙ）の各々に設けられている配送管理装置８０と通信可能である。ここで各景品提供業者は、景品を配送する配送元を一又は複数備えており、本例では景品提供業者Ｘが秋田倉庫及び埼玉倉庫，景品提供業者Ｙが東京倉庫を、景品の配送元として備えている。なお、以下においては、配送元を表記する際に、「倉庫」の文字を省略する場合がある。また各景品提供業者に設けられている配送管理装置８０は同じであるため、以下においては、景品提供業者Ｘに設けられている配送管理装置８０について説明する。
【００３０】
この景品交換システム１では、図１８（ｂ）に示すように、会員カード２，景品交換カード３，及びビジタカード４が使用され、また計数レシート５，配送レシート６，及び提供レシート７が発行される。
【００３１】
会員カード２は、遊技場において会員登録を行った遊技者である会員遊技者に対して発行（例えば遊技場の景品交換カウンタで遊技者に手渡し）される記録媒体であり、当該会員カード２を個々に識別可能であると共に当該会員遊技者を個々に識別可能な情報である会員ＩＤが、内蔵されたＩＣチップ及び表示されたバーコードに予め記録されている。この会員カード２がカードユニット２０のカードＲ／Ｗ２３で受け付けられると、図１に示すように、ＩＣチップに記録されている会員ＩＤに対応付けて残額管理装置６０で管理されている残額を使用した玉貸処理が可能となり、また該会員ＩＤに対応付けて会員管理装置６１で管理されている貯玉額に相当する貯玉数を使用した貯玉再プレイ処理が可能となる。
【００３２】
景品交換カード３は、遊技場において自己の配送先情報（氏名，郵便番号，住所，及び電話番号）を登録しようとする遊技者である景品会員遊技者に対して発行（例えば遊技場の景品交換カウンタで遊技者に手渡し）される記録媒体であり、当該景品交換カード３を個々に識別可能であると共に当該景品会員遊技者を個々に識別可能な情報である景品会員ＩＤが、内蔵されたＩＣチップに予め記録されている。この景品交換カード３がカードユニット２０のカードＲ／Ｗ２３で受け付けられると、図１に示すように、ＩＣチップに記録されている景品会員ＩＤに対応付けて残額管理装置６０で管理されている残額を使用した玉貸処理が可能となる。
【００３３】
これら会員カード２及び景品交換カード３のＩＣチップには、カードユニット２０において前記景品予約処理（図３５のＳ３１）が行われると、予約内容として、当該予約の予約ＩＤと、予約景品の景品ＩＤ，優先順位，景品名，交換単価，交換玉数，及び予約個数とが記録される（図２２のＳ１２５）。ここで優先順位は、遊技者が予約の確定を希望する順位であり、本例では景品が選択された順に、自動的に高い優先順位とされる。なお優先順位は、図２８のＤ１２３に示す画面に表示される「優先順位変更」ボタンを操作することにより、変更可能である。
【００３４】
このようにして、あるカードユニット２０において一又は複数の予約内容が記録された会員カード２又は景品交換カード３が、他のカードユニット２０において受け付けられると、図３１のＤ１４１に示すように、該会員カード２又は景品交換カード３に記録されている予約内容に基づいて、各予約景品の優先順位，景品名，交換玉数，及び予約個数が表示され、所有玉数が各予約景品の交換玉数に達したことを条件として、当該予約景品に対応する「確定」ボタンが表示されて、該「確定」ボタンの操作により、当該予約景品についての予約確定操作を、遊技者から受付可能となる。即ち会員遊技者及び景品会員遊技者については、景品の予約状態を引き継ぐことができて、あるカードユニット２０において行った予約を、他のカードユニット２０において確定することができる。
【００３５】
また、あるカードユニット２０において一又は複数の予約内容が記録された会員カード２又は景品交換カード３が、予約確定端末５０において受け付けられると、図３４のＤ１５７に示すように、該会員カード２又は景品交換カード３に記録されている予約内容に基づいて、各予約景品の優先順位，景品名，交換玉数，及び予約個数と、各予約景品に対応する「確定」ボタンが表示されて、該「確定」ボタンの操作により、当該予約景品についての予約確定操作を、遊技場の店員から受付可能となる。即ち会員遊技者及び景品会員遊技者については、景品の予約状態を引き継ぐことができて、あるカードユニット２０において行った予約を、予約確定端末５０において確定することができる。
【００３６】
ビジタカード４は、遊技場において前記会員遊技者又は前記景品会員遊技者以外の遊技者であるビジタ遊技者に対して発行（本例ではカードユニット２０から発行）される記録媒体であり、該記録媒体を個々に識別可能な情報であるカードＩＤが、内蔵されたＩＣチップに予め記録されている。このビジタカード４は、ビジタ遊技者が、カードユニット２０に紙幣を挿入した後に、後述するカード返却ボタン１６又は遊技終了ボタンの操作を行ったときに、前記挿入した紙幣額である残額が零でないこと条件として、該カードユニット２０から発行される（図２０のＳ６４）。このビジタカード４がカードユニット２０のカードＲ／Ｗ２３で受け付けられると、図１に示すように、ＩＣチップに記録されているカードＩＤに対応付けて残額管理装置６０で管理されている残額を使用した玉貸処理が可能となる。なおビジタカード４のＩＣチップには、カードユニット２０において前記景品予約処理（図３５のＳ３１）が行われても、予約内容は記録されない。即ちビジタ遊技者については、景品の予約状態を引き継ぐことができない。
【００３７】
これら会員カード２，景品交換カード３，及びビジタカード４（以下、単に「カード」と総称する。）は、長方形状を呈するプラスチック製の薄板における所定の部位に、記録領域が形成されてなるものであり、会員カード２は、不揮発性のＥＥＰＲＯＭを備える非接触式のＩＣチップと、バーコードとを記録領域として備えており、景品交換カード３及びビジタカード４は、不揮発性のＥＥＰＲＯＭを備える非接触式のＩＣチップを記録領域として備えている。また、これらカードは、各カードが発行された遊技場でのみ使用可能である。
【００３８】
計数レシート５は、図１８（ｂ）に示すように、パチンコ機１０での遊技により遊技者が獲得した獲得玉数である持玉数を計数した各台計数機１９に対応するカードユニット２０のレシートプリンタ２５により、紙に印刷されて遊技者に対して発行される記録媒体であり、図２に示すように、遊技場名と、当該計数レシート５を個々に識別可能な計数ＩＤと、当該計数レシート５が発行された計数日時と、カードユニット２０について予め設定されている交換単価（４円又は１円）と、当該計数レシート５の発行時にカードユニット２０の制御部２２のＲＡＭで記憶している持玉数である計数値と、少なくとも計数ＩＤ及び計数値を示す計数バーコード５ａとが記録されている。ここで計数ＩＤは、カードユニット２０において生成され、当該カードユニット２０の台番号を示す記号及び数字（例えばＰ００１）と、該カードユニット２０から計数レシート５が発行される毎にカウントアップされる４桁の数字とからなる。
【００３９】
配送レシート６は、図１８（ｂ）に示すように、前記配送景品について前記予約確定処理（図３５のＳ３３）を行ったカードユニット２０のレシートプリンタ２５，及び図３３に示すように、前記配送景品について予約確定処理（図３５のＳ４２）を行った予約確定端末５０の配送レシートプリンタ５６により、紙に印刷されて遊技者に対して発行される記録媒体であり、図３（ａ）に示すように、遊技場名と、当該予約確定処理に対応する前記配送情報登録処理（図３５のＳ３４，Ｓ４３）を識別可能であると共に景品の配送元，配送先，及び配送希望日時が同一である景品の分類を識別可能な分類識別情報である予約確定ＩＤと、当該配送情報登録処理の対象となった一又は複数の予約の各々についての予約ＩＤ，景品ＩＤ，景品名，交換単価，交換玉数，及び配送個数（即ち当該分類識別情報に対応する景品の景品情報）と、景品を自宅に配送するか遊技場に配送するかを示す配送区分と、景品を自宅に配送する場合の配送先情報である当該遊技者の氏名，郵便番号，住所，及び電話番号と、配送希望日時と、景品の配送状況を問い合わせるための問い合わせ先（ここでは景品センタと、当該景品を提供する景品提供業者である景品提供業者Ｘ）の電話番号とが記録される。本例では、景品の配送元，配送先，及び配送希望日時が同一である景品の分類について、１つの予約確定ＩＤ（分類識別情報）が割り当てられ、該割り当てられた予約確定ＩＤに対応付けて当該予約確定ＩＤに対応する景品の景品情報が視認可能に記録された（即ち配送元，配送先，及び配送希望日時が同一である複数種類の景品に対して１枚の）配送レシート６が発行される。
【００４０】
提供レシート７は、図１８（ｂ）に示すように、前記場内景品について前記予約確定処理（図３５のＳ３３）を行ったカードユニット２０のレシートプリンタ２５により、紙に印刷されて遊技者に対して発行される記録媒体であり、図３（ｂ）に示すように、遊技場名と、当該予約確定処理の対象となった一又は複数の予約の各々についての予約ＩＤ，景品ＩＤ，景品名，交換単価，交換玉数，予約個数，及び予約ＩＤを示す予約ＩＤバーコード７ａとが記録される。
【００４１】
この提供レシート７の発行を受けた遊技者は、該提供レシート７を景品交換カウンタに持参し、該景品交換カウンタに設けられるＰＯＳ端末４０のバーコードリーダ４５により該提供レシート７の予約ＩＤバーコード７ａが読み取られ（図３５のＳ４５）、場内景品管理装置６３の予約・確定情報ＤＢ（図１７（ｃ））において、該読み取った予約ＩＤバーコード７ａが示す予約ＩＤに対応付けて提供済フラグ１が登録されると（図３５のＳ４６ａ）、当該予約ＩＤに対応付けて管理している景品ＩＤの場内景品の提供を受けることができる。
【００４２】
なお前記場内景品について予約確定端末５０で予約確定処理（図３５のＳ４２）が行われた場合には、その場で場内景品を提供するため、遊技者に対して提供レシート７は発行されず、この場合の遊技者は、場内景品管理装置６３の予約・確定情報ＤＢ（図１７（ｃ））において、当該予約確定処理の対象となった予約ＩＤに対応付けて確定フラグ１及び提供済フラグ１が登録されると（図３５のＳ４３ａ）、当該予約ＩＤに対応付けて管理している景品ＩＤの場内景品の提供を受けることができる。
【００４３】
以下、図１に示す各構成要素について説明する。まず配送管理装置８０について説明する。配送管理装置８０は、図示しないが、通信部，制御部，ディスプレイ，入力装置，及びハードディスク等を有するコンピュータ（サーバ）であり、当該配送管理装置８０が設けられる景品提供業者が配送により遊技者に提供する配送景品に関する情報を管理するものである。ここで記憶手段であるハードディスクでは、図５に示す景品情報ＤＢ，及び景品パッケージＤＢと、図６に示す配送情報ＤＢ，及び請求情報ＤＢとを記憶している。
【００４４】
図５（ａ）に示す景品情報ＤＢでは、当該景品提供業者が提供する複数の配送景品の各々について、各景品に関する景品情報として、各景品を特定可能な景品特定情報である景品ＩＤに対応付けて、各景品の種別を示す大区分及び小区分と、各景品の景品名と、各景品の詳細情報と、各景品の価格と、各景品の在庫数と、各景品の配送元を示す配送元情報とが記憶される。ここで大区分及び小区分は、各景品を分類するための分類区分の一例であって、景品交換システム１において予め定められているものである。また配送元情報は、配送元を示す情報であって、ここでは配送元の倉庫の名称が記憶される。
【００４５】
この配送管理装置８０では、オペレータの操作により、各景品について、景品ＩＤが付与されると共に、当該景品が種別毎に振り分けられると、景品情報ＤＢにおいて、該付与された景品ＩＤと、振り分けられた種別を示す大区分及び小区分と、景品名，詳細情報，価格，在庫数，及び配送元とが、景品情報として登録される。
【００４６】
また配送管理装置８０では、遊技場の営業終了後において、景品が追加されると、オペレータの操作により、該追加された個数が景品情報ＤＢにおける当該景品の在庫数に加算され、また景品が配送されると、自動的に、該配送された個数が景品情報ＤＢにおける当該景品の在庫数から減算される。なお在庫数が十分に多い景品については、当該景品の在庫数がＮＵＬＬと登録されて、景品の追加や配送が行われても、在庫数の加算や減算は行われない。
【００４７】
この景品情報ＤＢで記憶されている景品情報は、センタ景品管理装置７０に送信されて（図３５のＳ０１）、該センタ景品管理装置７０の図１０に示す景品情報ＤＢで記憶される（同Ｓ０２）。
【００４８】
また景品情報ＤＢで記憶されている景品情報は、在庫数情報としてセンタ景品管理装置７０に送信されて（図３５のＳ１１）、該センタ景品管理装置７０の景品情報ＤＢが更新される（同Ｓ１２）。この在庫数情報は、所定期間毎に送信され、ここでは遊技場の営業開始前に１日１回（即ち２４時間毎に）送信される。また在庫数情報は、新たに追加された景品と在庫数が変更された景品の景品情報についてのみ送信され、これにより、在庫数情報を送信する配送管理装置８０の負荷，及び在庫数情報を受信するセンタ景品管理装置７０の負荷が軽減されるようになっている。
【００４９】
また配送管理装置８０では、遊技場の営業中において、ある景品の在庫数に不測の変動（例えば当該景品の破損や入荷停止による在庫数の減少）が生じたときに、オペレータの操作により、景品情報ＤＢにおける当該景品の在庫数を変更することができる。具体的には、配送管理装置８０において、オペレータの操作により、在庫数変更モードが起動されると、図４（ａ）に示すように、まずＤ０１の画面がディスプレイに表示される。このＤ０１では、在庫数を変更する景品の景品ＩＤ又は景品名の入力欄が表示されると共に、該景品を大区分及び小区分から検索するための「区分検索」ボタンが表示される。
【００５０】
このＤ０１で、オペレータが入力装置を操作して、在庫数を変更する景品の景品ＩＤ又は景品名を入力して、図示しない決定ボタンを操作すると、景品情報ＤＢで記憶している景品情報の中から、該入力された景品ＩＤ又は景品名に合致する景品の景品情報が抽出されて、Ｄ０２の画面がディスプレイに表示される。またＤ０１で、オペレータが入力装置を操作して、「区分検索」ボタンを操作すると、大区分及び小区分の入力欄がディスプレイに表示され、在庫数を変更する景品の大区分及び小区分を入力して決定ボタンを操作すると、景品情報ＤＢで記憶している景品情報の中から、該入力された大区分及び小区分に合致する景品の景品情報が抽出されて、該抽出された景品情報が景品リストとしてディスプレイに表示され、該景品リストから在庫数を変更する景品を選択すると、Ｄ０２に示す画面がディスプレイに表示される。このＤ０２では、景品情報ＤＢで記憶している景品情報の中から抽出された、在庫数を変更する景品の景品ＩＤ，景品名，及び在庫数が表示されると共に、変更後の在庫数の入力欄が表示される。なお変更後の在庫数は、設定されている在庫数よりも減少した数であっても増加した数であっても良い。
【００５１】
このＤ０２で、オペレータが入力装置を操作して、変更後の在庫数を入力して、図示しない決定ボタンを操作することにより、在庫数の変更を受け付けると（図３５のＳ６１）、景品情報ＤＢにおいて、当該景品ＩＤに対応付けて記憶されている在庫数（即ち設定されている在庫数）が、該入力された変更後の在庫数に変更され（同Ｓ６２）、該景品ＩＤと変更後の在庫数とを含む在庫数変更情報がセンタ景品管理装置７０に送信されて（同Ｓ６３）、該センタ景品管理装置７０において在庫数変更処理が行われる（同Ｓ６４）。
【００５２】
図５（ｂ）に示す景品パッケージＤＢでは、当該景品提供業者が提供する所定数の景品を含み、該景品提供業者が設定した景品パッケージの各々について、各景品パッケージに関する景品パッケージ情報として、各景品パッケージを個々に識別可能な景品パッケージＩＤに対応付けて、各景品パッケージについて設定された大区分，小区分，及び景品パッケージ名と、各景品パッケージに含まれる景品の景品ＩＤと、当該景品パッケージがパッケージ景品表示処理の対象となる景品パッケージであるか否かを示すパッケージ景品表示フラグとが記憶される。ここで「パッケージ景品表示処理」とは、カードユニット２０において、図２８のＤ１２４に示すように、景品パッケージの各々に対応するパッケージメニュー（ここでは「アイスクリームフェア」）が選択されたことに基づいて、図２９のＤ１３０又はＤ１３０’に示すように、該選択されたパッケージメニューに対応する景品パッケージに含まれる景品を表示する処理である。このパッケージ景品表示フラグが１であれば、当該景品パッケージがパッケージ景品表示処理の対象となる景品パッケージとして設定されている旨を示し、パッケージ景品表示フラグが０であれば、当該景品パッケージがパッケージ景品表示処理の対象となる景品パッケージとして設定されていない旨を示す。
【００５３】
この配送管理装置８０では、オペレータの操作により、景品パッケージが設定されて、景品パッケージＤＢにおいて、該設定された景品パッケージの景品パッケージ情報が登録される。具体的には、配送管理装置８０において、オペレータの操作により、景品パッケージ設定モードが起動されると、図４（ｂ）に示すように、Ｄ０３の画面がディスプレイに表示される。このＤ０３では、予め設定されている大区分及び小区分のプルダウンメニューが表示されると共に、設定する景品パッケージ名の入力欄と、パッケージ景品表示処理の対象となる景品パッケージである旨を設定するためのチェックボックスとが設けられている。このＤ０３において、景品パッケージ名は必須の設定項目であるが、大区分及び小区分は任意の設定項目である。
【００５４】
このＤ０３で、オペレータが入力装置を操作して、景品パッケージに含める景品の大区分及び小区分の両方を設定するか（Ｄ０３を参照）、大区分のみを設定するか、あるいは両方を設定しないで（Ｄ０３’を参照）、景品パッケージ名を入力し、かつチェックボックスにチェックをするか（Ｄ０３を参照）、あるいはチェックをしないで（Ｄ０３’を参照）、図示しない決定ボタンを操作すると、Ｄ０４（又はＤ０４’）の画面がディスプレイに表示される。このＤ０４（又はＤ０４’）では、図５（ａ）に示す景品情報ＤＢで記憶している景品情報の中から、大区分及び小区分の両方が設定された場合には、該大区分及び小区分に合致する景品の景品情報が抽出され（Ｄ０４を参照）、大区分のみが設定された場合には、該大区分に合致する景品の景品情報が抽出され、両方が設定されなかった場合には、すべての景品の景品情報が抽出され（Ｄ０４’を参照）、該抽出された景品情報のうち、景品ＩＤ，景品名，詳細情報，及び価格が、景品リストとして表示される。
【００５５】
このＤ０４（又はＤ０４’）で、オペレータが入力装置を操作して、景品パッケージに含める複数の景品をクリックして選択し、図示しない決定ボタンを操作すると、該選択された複数の景品を含む景品パッケージが設定され、該景品パッケージを個々に識別可能な景品パッケージＩＤが生成されて、図５（ｂ）に示す景品パッケージＤＢで登録される。従って、景品パッケージとしては、該景品パッケージに含まれる景品が同一の大区分及び小区分に属するもの（ここでは景品パッケージＩＤがＰＸ−００１の水産物Ａ，ＰＸ−１０１のタバコＡ，及びＰＸ−５０１のアイスクリームフェア）や、該景品パッケージに含まれる景品が同一の大区分に属するが小区分は異なるもの（ここでは景品パッケージＩＤがＰＸ−０１１のオススメ食品Ａ）や、該景品パッケージに含まれる景品が異なる大区分に属するもの（ここでは景品パッケージＩＤがＰＸ−２０１の得々景品Ａ，及びＰＸ−５０２の夏期限定フェア）のいずれかが、設定されて登録される。なお各景品パッケージに含まれる景品の数は任意であり、景品パッケージ毎に異なっていても良い。
【００５６】
また景品パッケージＤＢにおいて、前記Ｄ０３（又はＤ０３’）でチェックボックスがチェックされた場合には、パッケージ景品表示フラグ１（即ち当該景品パッケージがパッケージ景品表示処理の対象となる景品パッケージである旨）が登録され、チェックされなかった場合には、パッケージ景品表示フラグ０（即ち当該景品パッケージがパッケージ景品表示処理の対象となる景品パッケージでない旨）が登録される。
【００５７】
この景品パッケージＤＢで記憶されている景品パッケージ情報も、センタ景品管理装置７０に送信されて（図３５のＳ０１）、該センタ景品管理装置７０の図１１に示す景品パッケージＤＢで記憶される（同Ｓ０２）。
【００５８】
図６（ａ）に示す配送情報ＤＢでは、各遊技場毎のデータテーブルが設けられており、各データテーブルでは、前記予約確定処理（図３５のＳ３３，Ｓ４２）に対応する前記配送情報登録処理（同Ｓ３４，Ｓ４３）を識別可能であると共に景品の配送元，配送先，及び配送希望日時が同一である景品の分類を識別可能な前記分類識別情報である予約確定ＩＤに対応付けて、該配送情報登録処理に関する配送情報として、後述する図１６に示す配送情報ＤＢと略同様の情報（即ち予約ＩＤ，景品ＩＤ，景品名，交換単価，交換玉数，配送個数，配送元，配送区分，配送先情報，及び配送希望日時）が記憶されると共に、それに加えて、配送開始日時，配送完了日時，及び当該配送情報を図６（ｂ）に示す請求情報ＤＢで記録したか否かを示す請求済フラグが記憶される。ここで請求済フラグが１であれば、当該配送情報を請求情報ＤＢで記憶した旨を示し、請求済フラグが０であれば、当該配送情報を請求情報ＤＢで記憶していない旨を示す。この配送情報ＤＢでは、遊技場の営業終了後においてセンタ景品管理装置７０から送信されてくる配送情報（図３５のＳ７１）を受信すると、該配送情報が登録され（同Ｓ７３）、景品の配送が行われると配送開始日時が登録され、景品の配送が完了すると配送完了日時が登録される。
【００５９】
図６（ｂ）に示す請求情報ＤＢでは、各遊技場毎のデータテーブルが設けられており、各データテーブルでは、配送が完了した景品について、前記予約確定ＩＤに対応付けて、請求情報として、予約ＩＤ，景品ＩＤ，景品名，交換単価，交換玉数，配送個数，配送元，配送区分，配送先情報，配送完了日時，及び請求額が記憶される。ここで各予約ＩＤに対応する請求額は、各予約ＩＤに対応する交換単価と交換玉数と配送個数とを乗じて算出される。この請求情報ＤＢで記憶している所定期間（例えば１ヶ月）分の請求情報を取り纏めて、景品提供業者から各遊技場に対して、合計請求額の請求が行われる。
【００６０】
次にセンタ景品管理装置７０について説明する。センタ景品管理装置７０は、図１に示すように接続される通信部７１，制御部７２，ディスプレイ７３，入力装置７４，及びハードディスク７５等を有するコンピュータ（サーバ）であり、複数の景品提供業者から提供され、カードユニット２０に表示される複数の配送景品に関する情報を管理するものであると共に、配送景品を遊技者に配送するための配送処理である配送情報登録処理を行うものである。
【００６１】
通信部７１は、配送管理装置８０と通信可能に接続され、センタ景品管理装置７０と配送管理装置８０との間における通信を司るものである。また通信部７１は、インターネット（図示外）及びルータ６４を介して、カードユニット２０の後述する場外通信部２１ｃ，及び予約確定端末５０の後述する通信部５１と通信可能に接続され、センタ景品管理装置７０と、個々のＩＰアドレスにより特定される各カードユニット２０及び予約確定端末５０との間における通信を司るものである。
【００６２】
制御部７２は、ＣＰＵ，ＲＡＭ，ＲＯＭ等を備えており、ＲＯＭ及びハードディスク７５に記憶されている処理プログラムがＲＡＭを作業領域としてＣＰＵで実行されることにより、センタ景品管理装置７０に備えられる各構成要素の動作を制御して各種の処理を行うものである。
【００６３】
ここで図３５に示すように、通信部７１は、配送管理装置８０から送信されてくる前記景品情報を受信し（Ｓ０１）、制御部７２は、該受信した景品情報を図１０に示す景品情報ＤＢに登録する処理を行う（Ｓ０２）。即ち、この制御部７２及び景品情報ＤＢは、各景品の在庫数を登録する在庫数登録手段として機能するものである。
【００６４】
この景品情報ＤＢでは、図１０に示すように、各景品提供業者毎のデータテーブルが設けられており、各データテーブルでは、当該景品提供業者が提供する複数の配送景品の各々について、各景品に関する景品情報として、図５（ａ）に示す景品情報ＤＢと同様に、景品ＩＤに対応付けて、大区分，小区分，景品名，詳細情報，価格，在庫数，及び配送元が記憶されると共に、それに加えて、当該景品が後述する予約停止景品受付手段（ディスプレイ７３及び入力装置７４）にて指定を受け付けた予約停止景品であるか否かを示す予約停止フラグと、当該景品が表示手段（カードユニット２０のディスプレイ２４）にて優先的に表示する景品である優先表示景品であるか否かを示す優先表示フラグと、当該景品の価格に相当する交換遊技媒体数である交換玉数と、当該景品がカードユニット２０に表示される表示景品（即ち選択された景品パッケージに含まれる景品）であるか否かを各遊技場毎に示す表示フラグと、当該景品がカードユニット２０で選択不能な選択不能景品であるか否かを各遊技場毎に示す選択不能フラグとが記憶される。
【００６５】
ここで配送元情報は、図５（ａ）に示す景品情報ＤＢと同様に、配送元を示す情報であって、ここでは配送元の倉庫の名称が記憶される。即ち、この制御部７２及び景品情報ＤＢは、複数の景品の各々について配送元を示す配送元情報を管理する配送元管理手段として機能するものである。また交換玉数は、後述する景品変更手段（通信部７１，ディスプレイ７３及び入力装置７４）における変更の受付前にカードユニット２０に表示されていた景品の交換玉数を特定可能な既表示景品価値情報の一例である。即ちセンタ景品管理装置７０は、該既表示景品価値情報を管理するものである。また交換玉数は、大区分及び小区分と同様に、各景品を分類するための分類区分の一例である。即ち、この制御部７２及び景品情報ＤＢは、複数の景品の各々について、各景品を分類するための分類区分（大区分，小区分，交換玉数）を設定する分類区分設定手段として機能するものである。この交換玉数としては、交換単価が４円である場合の交換玉数（即ち価格を交換単価４円で除した値）と、交換単価が１円である場合の交換玉数（即ち価格を交換単価１円で除した値）とが記憶される。
【００６６】
また景品情報ＤＢにおいて、予約停止フラグが１であれば、当該景品が予約停止景品である旨を示し、予約停止フラグが０であれば、当該景品が予約停止景品でない旨を示す。また優先表示フラグが１であれば、当該景品が優先表示景品である旨を示し、優先表示フラグが０であれば、当該景品が優先表示フラグでない旨を示す。また表示フラグが１であれば、当該景品が表示景品である旨を示し、表示フラグが０であれば、当該景品が表示景品でない旨を示す。また選択不能フラグが１であれば、当該景品が選択不能景品である旨を示し、選択不能フラグが０であれば、当該景品が選択不能景品でない旨を示す。
【００６７】
また通信部７１は、配送管理装置８０から送信されてくる前記景品パッケージ情報を受信し（Ｓ０１）、制御部７２は、該受信した景品パッケージ情報を図１１に示す景品パッケージＤＢに登録する処理を行う（Ｓ０２）。即ち、この制御部７２及び景品パッケージＤＢは、所定数の景品が含まれる景品パッケージを複数設定する景品パッケージ設定手段として機能するものであり、ここでは前記複数の景品提供業者のうちの少なくとも一部の景品提供業者について、各景品提供業者毎に景品パッケージを設定する。
【００６８】
この景品パッケージＤＢでは、図１１に示すように、各景品提供業者毎のデータテーブルが設けられており、各データテーブルでは、当該景品提供業者が提供する所定数の景品を含む景品パッケージの各々について、景品パッケージ情報として、図５（ｂ）に示す景品パッケージＤＢと同様に、景品パッケージＩＤに対応付けて、大区分，小区分，景品パッケージ名，景品ＩＤ，及びパッケージ景品表示フラグが記憶されると共に、それに加えて、当該景品パッケージが選択されているか否かを各遊技場毎に示す景品パッケージ選択フラグとが記憶される。この景品パッケージ選択フラグが１であれば、当該景品パッケージが当該遊技場で選択されている旨を示し、景品パッケージ選択フラグが０であれば、当該景品パッケージが当該遊技場で選択されていない旨を示す。
【００６９】
ディスプレイ７３は、各種の情報を表示する表示デバイスであって、例えば液晶ディスプレイであり、入力装置７４は、各種の情報の入力を受け付ける入力デバイスであって、例えばキーボードやマウスである。
【００７０】
このディスプレイ７３及び入力装置７４も前記景品パッケージ設定手段として機能するものである。即ち、本実施形態では、配送管理装置８０及びセンタ景品管理装置７０のいずれにおいても、景品パッケージを設定することができる。このセンタ景品管理装置７０においては、オペレータの操作により、景品パッケージ設定モードが起動されると、図７（ａ）に示すように、まずＤ１１ａの画面がディスプレイ７３に表示される。このＤ１１ａでは、図１０に示す景品情報ＤＢで記憶している景品提供業者のプルダウンメニューと、予め設定されている大区分及び小区分のプルダウンメニューが表示されると共に、設定する景品パッケージ名の入力欄と、パッケージ景品表示処理の対象となる景品パッケージである旨を設定するためのチェックボックスとが設けられている。このＤ１１ａにおいて、景品提供業者及び景品パッケージ名は必須の設定項目であるが、大区分及び小区分は任意の設定項目である。
【００７１】
このＤ１１ａで、オペレータが入力装置７４を操作して、景品パッケージに含める景品を提供する景品提供業者を設定し、景品パッケージに含める景品の大区分及び小区分の両方を設定するか、大区分のみを設定するか、あるいは両方を設定しないで、景品パッケージ名を入力し、かつチェックボックスにチェックをするか、あるいはチェックをしないで、図示しない決定ボタンを操作すると、Ｄ１１ｂの画面がディスプレイ７３に表示される。このＤ１１ｂでは、図１０に示す景品情報ＤＢで記憶している景品情報の中から、大区分及び小区分の両方が設定された場合には、該大区分及び小区分に合致する景品の景品情報が抽出され、大区分のみが設定された場合には、該大区分に合致する景品の景品情報が抽出され、両方が設定されなかった場合には、すべての景品の景品情報が抽出され、該抽出された景品情報のうち、景品ＩＤ，景品名，詳細情報，及び価格が、景品リストとして表示される。
【００７２】
このＤ１１ｂで、オペレータが入力装置７４を操作して、景品パッケージに含める複数の景品をクリックして選択し、図示しない決定ボタンを操作すると、該選択された複数の景品を含む景品パッケージが設定され、該景品パッケージを個々に識別可能な景品パッケージＩＤが生成されて、図１１に示す景品パッケージＤＢで登録される。なお各景品パッケージに含まれる景品の数は任意であり、景品パッケージ毎に異なっていても良い。
【００７３】
ここで通信部７１は景品パッケージ選択受付手段の一例であって、景品パッケージ設定手段（制御部７２，ディスプレイ７３及び入力装置７４）により設定された複数の景品パッケージのうち、遊技場が希望する景品パッケージの選択を受け付けるものであり、ここでは後述する図３４のＤ１５３〜Ｄ１５５に示すように、景品パッケージの選択が行われた予約確定端末５０から送信されてくる、該選択された景品パッケージの景品パッケージＩＤを含む景品パッケージ登録要求を受信する（図３５のＳ０５）。この景品パッケージ登録要求を受信したセンタ景品管理装置７０では、図１１に示す景品パッケージＤＢにおいて、該景品パッケージ登録要求に含まれる景品パッケージＩＤに対応付けて、当該景品パッケージ登録要求の送信元である予約確定端末５０が設けられている遊技場について、景品パッケージ選択フラグ１（即ち当該景品パッケージが選択されている旨）が登録されると共に、図１０に示す景品情報ＤＢにおいて、該景品パッケージＩＤの景品パッケージに含まれる各景品の景品ＩＤに対応付けて、当該景品パッケージ登録要求の送信元である予約確定端末５０が設けられている遊技場について、表示フラグ１（即ち当該景品が表示景品である旨）が登録される（図３５のＳ０６）。
【００７４】
この景品パッケージ選択受付手段として機能する通信部７１により、遊技場が希望する景品パッケージの選択を受け付けると、該選択された景品パッケージに含まれる景品が、景品情報ＤＢにおいて表示景品として登録されることにより、カードユニット２０に表示される景品が変更されるので、当該通信部７１は、カードユニット２０に表示される景品の変更を受け付ける景品変更手段としても機能するものである。
【００７５】
またディスプレイ７３及び入力装置７４は景品更新手段の一例であって、前記景品パッケージ設定手段（制御部７２，ディスプレイ７３及び入力装置７４）により設定された景品パッケージに含まれる景品を更新するものである。
【００７６】
具体的には、センタ景品管理装置７０において、オペレータの操作により、景品パッケージ更新モードが起動されると、図７（ｂ）に示すように、まずＤ１２ａの画面がディスプレイ７３に表示される。このＤ１２ａでは、図１１に示す景品パッケージＤＢで記憶されている各データテーブルに対応する景品提供業者を示す景品提供業者ボタンが表示される。このＤ１２ａで、オペレータが入力装置７４を操作して、いずれかの景品提供業者ボタン（ここではＸ社）を操作すると、Ｄ１２ｂの画面がディスプレイ７３に表示される。このＤ１２ｂでは、景品パッケージＤＢにおいて、該操作された景品提供業者ボタンに対応する景品提供業者のデータテーブルで記憶（設定）されている各景品パッケージの景品パッケージ名を示す景品パッケージボタンが、景品パッケージリストとして表示される。
【００７７】
このＤ１２ｂで、オペレータが入力装置７４を操作して、景品を更新する景品パッケージ（ここでは水産物Ａ）に対応する景品パッケージボタンをクリックして選択すると、Ｄ１２ｃの画面が表示される。このＤ１２ｃでは、図１０に示す景品情報ＤＢで記憶している景品情報の中から、前記操作された景品パッケージボタンに対応する景品パッケージに含まれる景品の景品情報が抽出され、該抽出された景品情報のうち、景品ＩＤ，景品名，詳細情報，及び価格が、景品リストとして表示される。
【００７８】
このＤ１２ｃで、オペレータが入力装置７４を操作して、景品パッケージから削除する景品をクリックして選択し、図示しない決定ボタンを操作すると、該選択された景品の景品ＩＤが一時的に記憶されて、前記Ｄ１１ａと略同様の景品選択画面がディスプレイ７３に表示される。この景品選択画面では、図１０に示す景品情報ＤＢにおいて、Ｄ１２ａで操作された景品提供業者ボタンに対応する景品提供業者のデータテーブルで記憶している大区分及び小区分のプルダウンメニューが表示される（ここでは景品提供業者のプルダウンメニュー，及び景品パッケージ名の入力欄は表示されない）。
【００７９】
この景品選択画面で、オペレータが入力装置７４を操作して、景品パッケージに含める景品の大区分及び小区分の両方を設定するか、大区分のみを設定するか、あるいは両方を設定しないで、図示しない決定ボタンを操作すると、前記Ｄ１１ｂと同様の画面（便宜上、「Ｄ１１ｂ’」と称する。）がディスプレイ７３に表示される。このＤ１１ｂ’では、図１０に示す景品情報ＤＢにおいて、Ｄ１２ａで操作された景品提供業者ボタンに対応する景品提供業者のデータテーブルで記憶している景品情報の中から、大区分及び小区分の両方が設定された場合には、該大区分及び小区分に合致する景品の景品情報が抽出され、大区分のみが設定された場合には、該大区分に合致する景品の景品情報が抽出され、両方が設定されなかった場合には、すべての景品の景品情報が抽出され、該抽出された景品情報のうち、景品ＩＤ，景品名，詳細情報，及び価格が、景品リストとして表示される。
【００８０】
このＤ１１ｂ’で、オペレータが入力装置７４を操作して、景品パッケージに含める景品をクリックして選択し、図示しない決定ボタンを操作すると、該選択された景品の景品ＩＤが一時的に記憶されて、図１１に示す景品パッケージＤＢにおいて、Ｄ１２ｂで操作された景品パッケージボタンに対応する景品パッケージの景品パッケージＩＤに対応付けられている景品ＩＤから、Ｄ１２ｃで選択されて記憶されている景品ＩＤが削除されると共に、Ｄ１１ｂ’で選択されて記憶されている景品ＩＤが追加されて、景品パッケージＤＢの登録内容が更新される。また図１０に示す景品情報ＤＢにおいて、削除された景品の景品ＩＤに対応付けて、当該景品パッケージが選択されている遊技場について、表示フラグ０（即ち当該景品が表示景品でない旨）が登録されると共に、追加された景品の景品ＩＤに対応付けて、当該景品パッケージが選択されている遊技場について、表示フラグ１（即ち当該景品が表示景品である旨）が登録される（図３５のＳ０３）。
【００８１】
なお、景品パッケージからの景品削除のみの場合には、前記景品選択画面に表示される図示しない終了ボタンを操作すると、処理が終了し、図１１に示す景品パッケージＤＢにおいて、Ｄ１２ｂで操作された景品パッケージボタンに対応する景品パッケージの景品パッケージＩＤに対応付けられている景品ＩＤから、Ｄ１２ｃで選択されて記憶されている景品ＩＤが削除されて、景品パッケージＤＢの登録内容が更新される。また景品パッケージへの景品追加のみの場合には、景品パッケージ更新モードの起動時に景品追加のみのメニューを設け、該メニューが選択されると、Ｄ１２ａ→Ｄ１２ｂ→景品選択画面→Ｄ１１ｂ’と進み、該Ｄ１１ｂ’で、オペレータが入力装置７４を操作して、景品パッケージに含める景品をクリックして選択し、図示しない決定ボタンを操作すると、図１１に示す景品パッケージＤＢにおいて、Ｄ１２ｂで操作された景品パッケージボタンに対応する景品パッケージの景品パッケージＩＤに対応付けられている景品ＩＤに、Ｄ１１ｂ’で選択されて記憶されている景品ＩＤが追加されて、景品パッケージＤＢの登録内容が更新される。
【００８２】
この景品更新手段として機能するディスプレイ７３及び入力装置７４により、景品パッケージに含まれる景品が変更されると、該パッケージ景品から削除された景品が、図１０に示す景品情報ＤＢにおいて表示景品でなくなると共に、該景品パッケージに追加された景品が、図１０に示す景品情報ＤＢにおいて表示景品として登録されることにより、カードユニット２０に表示される景品が変更されるので、当該ディスプレイ７３及び入力装置７４は、カードユニット２０に表示される景品の変更を受け付ける景品変更手段としても機能するものである。
【００８３】
またディスプレイ７３及び入力装置７４は予約停止景品受付手段の一例であって、カードユニット２０で表示される複数の景品（即ち図１０に示す景品情報ＤＢで表示フラグ１を記憶している複数の景品）のうち、予約を停止する予約停止景品の指定を受け付けるものである。この予約停止景品の指定を受け付けるのは、例えば遊技場の営業中において、景品提供業者から不良品が発覚した旨の連絡を受けた場合であり、オペレータの操作により、該不良品を予約停止景品として指定する。
【００８４】
具体的には、センタ景品管理装置７０において、オペレータの操作により、予約停止景品指定モードが起動されると、図７（ｃ）に示すように、まずＤ１３ａの画面がディスプレイ７３に表示される。このＤ１３ａでは、図１０に示す景品情報ＤＢで記憶している景品提供業者，大区分，及び小区分がプルダウンメニューで表示可能である。
【００８５】
このＤ１３ａで、オペレータが入力装置７４を操作して、予約を停止する景品の景品提供業者（ここではＸ）と、該景品が属する分類の大区分（ここでは食料品）及び小区分（ここでは水産物）とを選択して、図示しない決定ボタンを操作すると、Ｄ１３ｂに示す画面が表示される。このＤ１３ｂでは、図１０に示す景品情報ＤＢで記憶している景品情報の中から、前記選択された景品提供業者，大区分，及び小区分に合致する景品（ここでは景品ＩＤがＫＸ−００００１とＫＸ−００００２の景品）の景品情報が抽出され、該抽出された景品情報のうち、景品ＩＤ，景品名，詳細情報，及び価格が、景品リストとして表示される。
【００８６】
このＤ１３ｂで、オペレータが入力装置７４を操作して、予約を停止する景品をクリックして指定し、図示しない決定ボタンを操作すると、図１０に示す景品情報ＤＢにおいて、該指定された景品の景品ＩＤに対応する予約停止フラグ１（即ち予約停止景品である旨）が登録される等の予約停止景品指定処理が行われるが、これについては図４０を参照して後述する。また図１０に示す景品情報ＤＢにおいて、予約停止景品の景品ＩＤに対応付けて、当該景品パッケージが選択されている遊技場について、表示フラグ０（即ち当該景品が表示景品でない旨）が登録される。
【００８７】
この予約停止景品受付手段として機能するディスプレイ７３及び入力装置７４により、予約停止景品の指定が受け付けられると、該予約停止景品が、図１０に示す景品情報ＤＢにおいて表示景品でなくなることにより、カードユニット２０に表示される景品が変更されるので、当該ディスプレイ７３及び入力装置７４は、カードユニット２０に表示される景品の変更を受け付ける景品変更手段としても機能するものである。
【００８８】
またディスプレイ７３及び入力装置７４は選択不能景品受付手段の一例であって、前記景品パッケージ選択受付手段（通信部７１）にて選択された景品パッケージに含まれる複数の景品（即ち図１０に示す景品情報ＤＢで表示フラグ１を記憶している複数の景品）のうち、カードユニット２０で選択不能とする選択不能景品の指定を受け付けるものである。この選択不能景品の指定を受け付けるのは、例えば遊技場の営業開始前において、遊技場から選択不能景品を指定する旨の連絡を受けた場合であり、オペレータの操作により、該連絡を受けた景品（以下、「連絡景品」と称する。）を選択不能景品を指定する。ここで遊技場が選択不能景品を指定する場合としては、例えば遊技場が選択した景品パッケージに含まれる配送景品（図１０）と、遊技場が仕入れて提供する場内景品（図１７（ａ））とが重複している場合において、場内景品の提供を継続する一方で配送景品の提供は行わない場合に、該配送景品を選択不能とする場合がある。
【００８９】
具体的には、センタ景品管理装置７０において、オペレータの操作により、選択不能景品指定モードが起動されると、図８（ａ）に示すように、まずＤ１４ａの画面がディスプレイ７３に表示される。このＤ１４ａでは、前記連絡景品の連絡を受けた遊技場を選択するためのプルダウンメニューが表示される。このＤ１４ａで、オペレータが入力装置７４を操作して、遊技場（ここでは遊技場Ａ）を選択し、図示しない決定ボタンを操作すると、Ｄ１４ｂに示す画面が表示される。このＤ１４ｂでは、Ｄ１４ａで選択した遊技場について図１１に示す景品パッケージＤＢで景品パッケージ選択フラグ１が記憶されている（即ち当該遊技場が選択した）各景品パッケージの景品パッケージ名を示す景品パッケージボタンが、景品パッケージリストとして表示される。
【００９０】
このＤ１４ｂで、オペレータが入力装置７４を操作して、前記連絡景品が含まれる景品パッケージ（ここでは水産物Ａ）に対応する景品パッケージボタンをクリックして選択すると、Ｄ１４ｃの画面が表示される。このＤ１４ｃでは、図１０に示す景品情報ＤＢで記憶している景品情報の中から、前記操作された景品パッケージボタンに対応する景品パッケージに含まれる景品の景品情報が抽出され、該抽出された景品情報のうち、景品ＩＤ，景品名，詳細情報，及び価格が、景品リストとして表示される。
【００９１】
このＤ１４ｃで、オペレータが入力装置７４を操作して、前記連絡景品をクリックして指定し、図示しない決定ボタンを操作すると、図１０に示す景品情報ＤＢにおいて、該指定された景品の景品ＩＤに対応付けて、前記Ｄ１４ａで選択した遊技場について、選択不能フラグ１（即ち当該景品が選択不能景品である旨）が登録されると共に、表示フラグ０（即ち当該景品が表示景品でない旨）が登録される。
【００９２】
この選択不能景品受付手段として機能するディスプレイ７３及び入力装置７４により、選択不能景品の指定が受け付けられると、該選択不能景品が、図１０に示す景品情報ＤＢにおいて表示景品でなくなることにより、カードユニット２０に表示されなくなって選択不能となるので、この景品情報ＤＢの更新を行う制御部７２は、選択不能景品受付手段にて指定を受け付けた選択不能景品をカードユニット２０で選択不能とするための処理を行う選択不能処理手段として機能するものである。
【００９３】
またディスプレイ７３及び入力装置７４は解除受付手段の一例であって、選択不能景品の指定の解除を受け付けるものである。この選択不能景品の指定の解除を受け付けるのも、例えば遊技場の営業開始前において、遊技場から選択不能景品を指定を解除する旨の連絡を受けた場合であり、オペレータの操作により、該選択不能景品の指定を解除する。ここで遊技場が選択不能景品の指定を解除する場合としては、例えば遊技場が選択不能景品と同一の前記場内景品の提供を取りやめて、該選択不能景品である配送景品の提供を行う場合に、該選択不能景品を選択可能とする場合がある。
【００９４】
具体的には、センタ景品管理装置７０において、オペレータの操作により、選択不能解除受付モードが起動されると、図８（ｂ）に示すように、まずＤ１５ａの画面がディスプレイ７３に表示される。このＤ１５ａでは、前記選択不能景品の解除の連絡を受けた遊技場を選択するためのプルダウンメニューが表示される。このＤ１５ａで、オペレータが入力装置７４を操作して、遊技場（ここでは遊技場Ａ）を選択し、図示しない決定ボタンを操作すると、Ｄ１５ｂに示す画面が表示される。このＤ１５ｂでは、図１０に示す景品情報ＤＢで記憶している景品情報の中から、Ｄ１５ａで選択した遊技場について選択不能フラグ１が記憶されている選択不能景品の景品情報が抽出され、該抽出された景品情報のうち、景品ＩＤ，景品名，詳細情報，及び価格が、選択不能景品リストとして表示される。
【００９５】
このＤ１５ｂで、オペレータが入力装置７４を操作して、指定を解除する選択不能景品をクリックして指定し、図示しない決定ボタンを操作すると、図１０に示す景品情報ＤＢにおいて、該指定された景品の景品ＩＤに対応付けて、前記Ｄ１４ａで選択した遊技場について、選択不能フラグ０（即ち当該景品が選択不能景品でない旨）が登録されると共に、表示フラグ１（即ち当該景品が表示景品である旨）が登録される。
【００９６】
この解除受付手段として機能するディスプレイ７３及び入力装置７４により、選択不能景品の指定の解除が受け付けられると、該景品が、図１０に示す景品情報ＤＢにおいて表示景品となることにより、カードユニット２０に表示されて選択可能となる。
【００９７】
さらにディスプレイ７３及び入力装置７４は上限値指定受付手段の一例であって、いたずらの予約を排除するために設定する上限値の指定を受け付けるものである。ここで上限値は、遊技者１人あたりが予約可能な景品の個数又は遊技者１人あたりが予約に供することが可能な有価価値（価格）に対する上限値であり、ここでは該上限値として、図９のＤ１７ａ，Ｄ１７ｂに示すように、遊技者が予約する景品の全個数又は遊技者が予約する全景品に対応する有価価値に対する全体上限値と、該全体上限値よりも低い値であって遊技者が予約する１種類の景品の個数又は遊技者が予約する１種類の景品に対応する有価価値に対する個別上限値とを指定し、また該個別上限値として、在庫数に基づく個別上限値及び／又は有価価値に基づく個別上限値を指定し、さらに最少上限値を指定する。
【００９８】
具体的には、センタ景品管理装置７０において、オペレータの操作により、上限値指定モードが起動されると、図９に示すように、まずＤ１６の上限値判定基準指定画面がディスプレイ７３に表示される。このＤ１６では、後述する上限値判定手段（制御部７２）が行う上限値判定処理における判定基準（上限値判定基準）として、景品の「個数」又は「価格」のいずれかを指定するためのラジオボタンが表示されると共に、該上限値判定処理において予約が可能でないと判定された回数である上限値超え回数に対する報知基準回数（上限値超え報知基準）を指定するための入力欄が表示される。
【００９９】
このＤ１６で、オペレータが入力装置７４を操作して、上限値判定基準として「個数」又は「価格」のいずれかを指定し、上限値超え報知基準として任意の回数（ここでは３回）を入力して、図示しない決定ボタンを操作すると、「個数」が指定された場合には、Ｄ１７ａに示す上限値指定画面がディスプレイ７３に表示され、「価格」が指定された場合には、Ｄ１７ｂに示す上限値指定画面がディスプレイ７３に表示される。ここで第１実施形態では、判定基準として「個数」が指定され、後述する第２実施形態では、判定基準として「価格」が指定されるので、ここではＤ１７ａについて説明し、Ｄ１７ｂについては第２実施形態の説明で後述する。
【０１００】
このＤ１７ａでは、遊技者が予約する景品の全個数に対する全体上限値，在庫数に基づく個別上限値，価格に基づく個別上限値，及び各景品に対する最少上限値を指定するための入力欄が表示される。ここで全体上限値は、景品の種類によらずに予約を許容する個数（即ち全景品の予約個数）であり、本例では３０個が指定される。
【０１０１】
また個別上限値は、１種類の景品について予約を許容する個数（即ち各景品の種類毎の予約個数）であり。ここで在庫数に基づく個別上限値としては、悪質な遊技者がいたずらで当該景品のみを多数予約したときに、在庫数に多大な影響を及ぼさない値が指定され、本例では在庫数の４０％であるが、そのような値であれば該４０％には限定されない。また価格に基づく個別上限値としては、正規な遊技者が当該景品のみを多数予約したときに、いたずらではなく正規の予約として考えられる値が指定され、本例では８００００円であるが、そのような値であれば該８００００円には限定されない。ここで在庫数に基づく個別上限値及び価格に基づく個別上限値については、少なくとも一方が指定されるものでも良いが、本例では両方が指定されている。
【０１０２】
また最少上限値としては、１個以上かつ全体上限値未満の任意の景品個数が指定される。このように最少上限値を１個以上の景品個数とするのは、該最少上限値を０個としてしまうと、後述する図３７（ａ）に示す上限値判定処理において、個別上限値に基づく上限値判定（Ｓ１１５４）で常に予約が可能でないと判定されて、いたずらではない正規の遊技者による予約もできなくなってしまうからである。
【０１０３】
このＤ１７ａで、オペレータが入力装置７４を操作して、各入力欄に指定値を入力して、図示しない決定ボタンを操作すると、図１２に示す上限値ＤＢにおいて、各入力欄に入力された指定値が登録される。
【０１０４】
記憶手段であるハードディスクでは、図１０に示す前記景品情報ＤＢと、図１１に示す前記景品パッケージＤＢと、図１２に示す上限値ＤＢと、図１３に示す配送先ＤＢ，予約・確定累計数ＤＢと、図１４に示す予約情報ＤＢと、図１５に示す未提供予約個数・価格ＤＢと、図１６に示す配送情報ＤＢとを記憶している。
【０１０５】
前記図９に示すようにして、ディスプレイ７３及び入力装置７４により、上限値の指定が行われると、制御部７２は、該指定された値に基づいて設定した上限値を図１２に示す上限値ＤＢに登録する処理を行う。即ち、この制御部７２及び上限値ＤＢは、遊技者１人あたりが予約可能な景品の個数又は遊技者１人あたりが予約に供することが可能な有価価値（価格）に対する上限値を設定する上限値設定手段として機能するものであり、ここでは該上限値として前記全体上限値と前記個別上限値とを設定し、また各景品の種類毎に上限値を設定し、さらに在庫数登録手段（景品情報ＤＢ）に登録された各景品の在庫数及び／又は各景品に対応する有価価値（価格）に基づいて上限値を設定する。
【０１０６】
この上限値ＤＢでは、図１２に示すように、上限値指定受付手段（ディスプレイ７３及び入力装置７４）により図９のＤ１６で指定された上限値判定基準（ここでは個数），及び上限値超え報知基準と、同Ｄ１７ａで指定された全体上限値，在庫数に基づく個別上限値，価格に基づく個別上限値，及び最少上限値の各指定値が記憶される。ここで記憶される各指定値のうち、全体上限値及び最少上限値の指定値は、そのまま全体上限値及び最少上限値として設定される。
【０１０７】
また上限値ＤＢでは、各景品提供業者毎のデータテーブルが設けられており、各データテーブルでは、景品情報ＤＢで記憶されている各景品の景品ＩＤに対応付けて、当該景品の在庫数と価格，該在庫数×価格の式で演算される総価格，在庫数に基づく個別上限値の演算値（以下、単に「在庫数演算値」と称する。），価格に基づく個別上限値の演算値（以下、単に「価格演算値」と称する。），補正パターン，及び個別上限値の補正値が記憶される。
【０１０８】
ここで在庫数演算値は、在庫数に基づく個別上限値の指定値（ここでは４０％）×各景品の在庫数の式で演算される値の整数部分である。また価格演算値は、価格に基づく個別上限値の指定値（ここでは８００００円）÷各景品の価格の式で演算される値の整数部分である。
【０１０９】
また補正パターンは、前記設定された全体上限値と、前記演算された在庫数演算値と、前記演算された価格演算値と、前記設定された最少上限値とに基づいて、個別上限値の補正値を特定する各パターンを示す符号（Ａ〜Ｃ）であり、制御部７２により、以下の第１ステップ〜第３ステップで決定されて記憶され、該補正パターンにしたがって特定された値が、個別上限値の補正値として記憶され、該記憶された補正値が、個別上限値として設定される。
【０１１０】
まず第１ステップとして、在庫数演算値と価格演算値とを比較して、少ない方の演算値を採用演算値として決定する。次に第２ステップとして、該決定された採用演算値が、全体上限値を超えているか否かを判定する。この第２ステップで全体上限値を超えていると判定された場合には、第３ステップとして、当該全体上限値を補正値（即ち個別上限値）とする補正パターンＢと決定する。一方、第２ステップで全体上限値以下であると判定された場合には、第４ステップとして、前記決定された採用演算値が、最少上限値に満たないか否かを判定する。この第４ステップで最少上限値に満たないと判定された場合には、第５ステップとして、当該最少上限値又は在庫数を補正値（即ち個別上限値）とする補正パターンＣと決定する。一方、第５ステップで最少上限値以上である（即ち最少上限値≦採用演算値≦全体上限値）と判定された場合には、第６ステップとして、採用演算値を補正値（即ち個別上限値）とする補正パターンＡと決定する。
【０１１１】
具体的には、景品ＩＤがＫＸ−０００００２やＫＸ−０００１０２の景品のように、最少上限値≦在庫数演算値と価格演算値の少ない方≦全体上限値であるものについては、補正パターンＡと決定されて記憶され、該少ない方の演算値が補正値として記憶されて、個別上限値として設定される。このような場合に、在庫数演算値と価格演算値の少ない方の演算値を個別上限値として設定するのは、以下の理由による。つまり在庫数演算値や価格演算値は、各景品の在庫数や価格に応じて算出されるため、在庫数や総価格が比較的少ない景品（例えば景品ＩＤがＫＸ−０００００２やＫＸ−０００１０２の景品）の場合には、多い方の演算値（２７個又は２６個）を個別上限値として設定すると、該個別上限値が在庫数を超えていたり、該個別上限値が在庫数に多大な影響を及ぼす値となってしまう。一方、在庫数や総価格が比較的少ない景品（例えば景品ＩＤがＫＸ−０２０４７５の景品）の場合には、多い方の演算値（４０個）を個別上限値として設定しても、在庫数に多大な影響は及ぼさないが、該個別上限値に近い予約はいたずらの可能性がある。従って、個別上限値が在庫数を超えたり、在庫数に多大な影響を及ぼすことが無く、またいたずらの予約を排除できるように、在庫数演算値と価格演算値の少ない方の演算値を個別上限値として設定しているのである。
【０１１２】
また景品ＩＤがＫＸ−０００３０５やＫＸ−０００５０１の景品のように、在庫数演算値と価格演算値の少ない方＞全体上限値（ここでは３０個）であるものについては、補正パターンＢと決定されて記憶され、該全体上限値が補正値として記憶されて、個別上限値として設定される。このような場合に、全体上限値を個別上限値として設定するのは、仮に全体上限値を超える個別上限値を設定しても、後述する図３７（ａ）に示す上限値判定処理において、全体上限値に基づく上限値判定（Ｓ１１５２）で常に予約が可能でないと判定されるので、無意味だからである。
【０１１３】
さらに景品ＩＤがＫＸ−０００００１やＫＸ−０００１０３の景品のように、在庫数演算値と価格演算値の少ない方＜最少上限値（ここでは５個）であるものについては、補正パターンＣと決定されて記憶され、該最少上限値が補正値として記憶されて、個別上限値として設定される。このような場合に、最少上限値を個別上限値として設定するのは、在庫数演算値と価格演算値の少ない方の演算値があまりにも小さい場合（例えば２個の場合）において、該少ない方の値を個別上限値として設定すると、該２個を超える数（例えば３個）の当該景品の予約については、後述する図３７（ａ）に示す上限値判定処理において、個別上限値に基づく上限値判定（Ｓ１１５４）で予約が可能でないと判定されるので、いたずらではない正規の遊技者による予約もできなくなってしまうからである。
【０１１４】
なお景品ＩＤがＫＸ−０００１０１の景品については、在庫数演算値と価格演算値の少ない方＜最少上限値（ここでは５個）であるので、補正パターンＣと決定されて記憶されるが、当該景品の在庫数（ここでは３個）＜最少上限値である場合には、当該景品の在庫数が補正値として記憶されて、個別上限値として設定される。このような場合（つまり在庫数演算値と価格演算値の少ない方が最少上限値に満たなく、かつ当該景品の在庫数が最少上限値に満たない場合）に、在庫数を個別上限値として設定するのは、仮に在庫数を超える個別上限値を設定しても、該在庫数を超える数の当該景品の予約については、後述する図３６に示す予約可否判定処理において、在庫数に基づく判定（Ｓ１１０９）で予約が可能でないと判定されてしまうからである。
【０１１５】
この上限値ＤＢでは、遊技場の営業開始前において、通信部７１により、配送管理装置８０から送信されてくる在庫数情報を受信し（Ｓ１１）、制御部７２により、景品情報ＤＢの在庫数が更新されると（Ｓ１２）、該更新された在庫数に基づいて、当該上限値ＤＢで記憶している在庫数が更新されると共に該在庫数に基づいて演算される総価格が更新され、該更新された在庫数に基づいて演算される在庫数演算値と該更新された総価格に基づいて演算される価格演算値が更新され、該更新された在庫数演算値と価格演算値とに基づいて決定される補正パターンと補正値（即ち個別上限値）が更新される（同Ｓ１２）。
【０１１６】
このように、上限値ＤＢにおいて、各景品の種類毎に上限値を設定することができるので、例えば各景品の在庫数に応じた上限値を設定することで、いたずらの予約により在庫数が減少して正規の遊技者が予約できないといった事態をより効果的に防止できる。また上限値ＤＢにおいて、各景品の在庫数及び／又は各景品に対応する価格に基づいて上限値が自動的に設定されるので、該上限値を設定する手間が省ける。なお上限値ＤＢにおいて、該自動的に設定された上限値を、事後的に手入力で変更することも可能であり、また上限値が自動的に設定される前に、該上限値を手入力で設定することも可能である。
【０１１７】
図１３（ａ）に示す配送先ＤＢでは、各遊技場毎のデータテーブルが設けられており、各データテーブルでは、会員ＩＤ又は景品会員ＩＤに対応付けて、配送先情報として、遊技者の氏名，郵便番号，住所，及び電話番号が記憶される。この配送先ＤＢでは、後述する配送先登録処理（図３５のＳ２１）が行われたカードユニット２０から送信されてくる、会員ＩＤ又は景品会員ＩＤと、配送先情報とを含む配送先登録要求を受信すると、該配送先登録要求に含まれる会員ＩＤ又は景品会員ＩＤに対応付けて、配送先情報が登録される（同Ｓ２２）。
【０１１８】
図１３（ｂ）に示す予約・確定累計数ＤＢでは、各景品提供業者毎のデータテーブルが設けられており、各データテーブルでは、当該景品提供業者が提供する複数の配送景品の各々について、当該景品の景品ＩＤに対応付けて、前記予約内容登録処理（図３５のＳ３２）に供された予約個数の集計値である予約累計数と、前記配送情報登録処理（同Ｓ３４，Ｓ４３）に供された配送個数の集計値である確定累計数とが記憶される。
【０１１９】
この予約・確定累計数ＤＢでは、制御部７２により、予約内容登録処理において、予約累計数に予約個数が加算され（図３６のＳ１１１１）、配送情報登録処理において、確定累計数に配送個数が加算される（図３８のＳ１２１２）。即ち、この制御部７２及び予約・確定累計数ＤＢは、各景品について、予約処理（予約内容登録処理）に供された予約個数を集計する予約個数集計手段として機能するものであり、また各景品について、提供処理（配送情報登録処理）に供された提供個数（配送個数）を集計する提供個数集計手段（配送個数集計手段）として機能するものである。
【０１２０】
図１４に示す予約情報ＤＢでは、各遊技場及び各景品提供業者毎のデータテーブル（即ち景品の選択が行われた遊技場と該選択された景品を提供する景品提供業者とが対応付けられているデータテーブル）が設けられており、各データテーブルでは、予約に関する予約情報として、予約を識別可能な予約識別情報である予約ＩＤに対応付けて、予約された配送景品を特定可能な景品特定情報である景品ＩＤと、該景品の景品名と、交換単価と、該景品の価格に相当する交換遊技媒体数である交換玉数（即ち価格を交換単価で除した値）と、該景品の予約個数と、該景品の配送元情報と、配送区分と、遊技者を特定可能な遊技者特定情報である会員ＩＤ又は景品会員ＩＤ及び配送先情報（氏名，郵便番号，住所，及び電話番号）と、配送希望日時とが記憶される。本例では、予約された複数の景品の各々について、１つの予約ＩＤが割り当てられるので、予約情報ＤＢで登録される予約個数は、各予約ＩＤに対して常に１個である。
【０１２１】
この予約情報ＤＢでは、前記景品予約処理（図３５のＳ３１）が行われ、会員カード２又は景品交換カード３を受付中であるカードユニット２０から送信されてくる、景品ＩＤ，交換単価，予約個数，配送区分，会員ＩＤ又は景品会員ＩＤ，配送先情報，及び配送希望日時を含む予約要求（以下、「会員予約要求」と称する。）を受信すると、前記予約内容登録処理（同Ｓ３２）において、後述する予約処理手段及び予約内容登録手段として機能する制御部７２により、該予約要求に含まれる景品ＩＤから特定される景品の各々について、予約ＩＤが生成されて割り当てられ（図３６のＳ１１１２）、該割り当てられた各予約ＩＤに対応付けて、当該予約ＩＤに対応する景品について前記予約要求に含まれる景品ＩＤ，交換単価，予約個数，配送区分，会員ＩＤ又は景品会員ＩＤ，配送先情報，及び配送希望日時と、該景品ＩＤに対応付けて図１０に示す景品情報ＤＢで登録されている景品名，前記交換単価に対応する交換玉数，及び配送元とが、予約情報として登録されることにより、予約内容登録処理が行われる（同Ｓ１１１３）。なお会員カード２又は景品交換カード３を受付中でないカードユニット２０から送信されてくる予約要求（以下、「ビジタ予約要求」と称する。）には、会員ＩＤ又は景品会員ＩＤは含まれないので、予約情報ＤＢにおいて、該会員ＩＤ又は景品会員ＩＤは登録されない。また予約情報ＤＢでは、前記配送情報登録処理（図３５のＳ３４，Ｓ４３）に伴って、該配送情報登録処理の対象となった予約情報が消去される（図３８のＳ１２２０）。
【０１２２】
前記図１４に示す予約情報ＤＢにおいて、予約内容登録処理による予約情報の登録（図３６のＳ１１１３）が行われると、制御部７２は、予約内容登録処理に供されたが提供処理に供されていない景品である未提供予約景品の個数である未提供予約個数又は当該未提供予約景品に対応する有価価値（価格）である未提供予約価値（未提供予約価格）を図１５に示す未提供予約個数・価格ＤＢに登録する未提供予約個数・価格登録処理を行う（同Ｓ１１１４）。また予約情報ＤＢにおいて、配送情報登録処理による予約情報の消去（図３８のＳ１２２０）が行われると、制御部７２は、未提供予約個数又は未提供予約価値を図１５に示す未提供予約個数・価格ＤＢから減算する未提供予約個数・価格減算処理を行う（同Ｓ１２２１）。このようにして、未提供予約個数・価格ＤＢにおいて、未提供予約個数又は未提供予約価値の登録及び減算が行われることにより、該未提供予約個数又は未提供予約価値が特定される。即ち、この制御部７２及び未提供予約個数・価格ＤＢは、予約を行う遊技者について、前記未提供予約個数又は前記未提供予約価値を特定する未提供予約特定手段として機能するものであり、ここでは未提供予約景品の全個数である全体未提供予約個数又は全未提供予約景品に対応する有価価値である全体未提供予約価値（全体未提供予約価格）と、未提供予約景品の各種類毎の個数である個別未提供予約個数又は各種類毎の未提供予約景品に対応する有価価値である個別未提供予約価値（個別未提供予約価格）とを特定する。
【０１２３】
この未提供予約個数・価格ＤＢでは、図１５に示すように、各遊技場毎のデータテーブルが設けられており、各データテーブルでは、遊技者を特定可能な遊技者特定情報である会員ＩＤ若しくは景品会員ＩＤ，又は配送先情報（氏名，郵便番号，住所，及び電話番号）に対応付けて、全体未提供予約個数，及び全体未提供予約価格と、未提供予約景品の景品ＩＤに対応する個別未提供予約個数，及び個別未提供予約価格と、当日報知フラグと、上限値超え回数とが記憶される。
【０１２４】
ここで遊技者特定情報は、カードユニット２０から予約要求を受信したときに（図３６のＳ１１０１）、未提供予約個数・価格ＤＢにおいて当該予約要求に含まれる遊技者特定情報の登録が無い（図３７（ｂ）のＳ１１８１でＹＥＳ）ことを条件として登録されるが（同Ｓ１１８２）、前記会員予約要求には遊技者特定情報として会員ＩＤ又は景品会員ＩＤ及び配送先情報が含まれているので、未提供予約個数・価格ＤＢにおいては、該会員ＩＤ又は景品会員ＩＤが遊技者特定情報として登録され、前記ビジタ予約要求には遊技者特定情報として配送先情報のみが含まれているので、未提供予約個数・価格ＤＢにおいては、当該配送先情報が遊技者特定情報として登録される。
【０１２５】
また当日報知フラグは、後述する図３７（ａ）に示す上限値判定処理において、当日に、予約が可能でないと判定されているか否かを示すフラグであり、この当日報知フラグが１であれば、当日に予約が可能でないと判定されている旨を示し、当日報知フラグが０であれば、当日に予約が可能でないと判定されていない旨を示す。また上限値超え回数は、後述する図３７（ａ）に示す上限値判定処理において、当日報知フラグが０である状態で、予約が可能でないと判定された回数（即ち予約が可能でないと判定された日数）である。
【０１２６】
この未提供予約個数・価格ＤＢでは、遊技場の営業中に、予約情報ＤＢにおいて、予約内容登録処理による予約情報の登録（図３６のＳ１１１３）が行われると、制御部７２により、未提供予約個数・価格登録処理が行われる（同Ｓ１１１４）。即ち制御部７２は、図３７（ｂ）に示すように、当該未提供予約個数・価格ＤＢにおいて、前記予約情報に含まれる遊技者特定情報である会員ＩＤ又は景品会員ＩＤ及び配送先情報（氏名，郵便番号，住所，及び電話番号）の登録が有るか否かを判定する（Ｓ１１８１）。具体的には、前記会員予約要求を受信した場合には、未提供予約個数・価格ＤＢにおいて当該会員予約要求に含まれている会員ＩＤ又は景品会員ＩＤの登録が有るか否かを判定し、前記ビジタ予約要求を受信した場合には、未提供予約個数・価格ＤＢにおいて当該ビジタ予約要求に含まれている配送先情報の登録が有るか否かを判定する。
【０１２７】
このＳ１１８１で遊技者特定情報の登録が無い（ＮＯ）、即ち当該遊技者特定情報から特定される遊技者について当日に初めて予約内容登録処理が行われたと判定された場合には、当該未提供予約個数・価格ＤＢにおいて、該遊技者特定情報（即ち会員予約要求に含まれる景品ＩＤ若しくは景品会員ＩＤ，又はビジタ予約要求に含まれる配送先情報）を登録し（Ｓ１１８２）、該遊技者特定情報に対応付けて、前記予約情報に含まれる景品ＩＤを登録し（Ｓ１１８３）、該景品ＩＤに対応付けて、前記予約情報に含まれる予約個数を個別未提供予約個数として登録すると共に、該予約個数分の価格を個別未提供予約価格として登録し（Ｓ１１８４）、前記遊技者特定情報に対応付けて、前記予約情報に含まれる予約個数を全体未提供予約個数として登録すると共に、該予約個数分の価格を全体未提供予約価格として登録して（Ｓ１１８５）、図３６のＳ１１１５に進む。
【０１２８】
一方、Ｓ１１８１で遊技者特定情報の登録が有る（ＹＥＳ）、即ち当該遊技者特定情報から特定される遊技者について当日に既に予約内容登録処理が行われていると判定された場合には、当該未提供予約個数・価格ＤＢにおいて、該遊技者特定情報に対応付けて、前記予約情報に含まれる景品ＩＤの登録が有るか否かを判定する（Ｓ１１８６）。このＳ１１８６で景品ＩＤの登録が無い（ＮＯ）、即ち当該景品ＩＤの景品について当日に初めて予約内容登録処理が行われたと判定された場合には、Ｓ１１８３に進む。一方、Ｓ１１８６で景品ＩＤの登録が有る（ＹＥＳ）、即ち当該景品ＩＤの景品について当日に既に予約内容登録処理が行われていると判定された場合には、該景品ＩＤに対応付けて登録されている個別未提供予約個数に対して、前記予約情報に含まれる予約個数を加算すると共に、該景品ＩＤに対応付けて登録されている個別未提供予約価格に対して、該予約個数分の価格を加算し（Ｓ１１８７）、前記遊技者特定情報に対応付けて登録されている全体未提供予約個数に対して、前記予約情報に含まれる予約個数を加算すると共に、該景品ＩＤに対応付けて登録されている全体未提供予約価格に対して、該予約個数分の価格を加算して（Ｓ１１８８）、図３６のＳ１１１５に進む。
【０１２９】
また未提供予約個数・価格ＤＢでは、遊技場の営業中に、予約情報ＤＢにおいて、配送情報登録処理による予約情報の消去（図３８のＳ１２２０）が行われると、制御部７２により、未提供予約個数・価格減算処理が行われる（同Ｓ１２２１）。具体的には、当該未提供予約個数・価格ＤＢにおいて、前記予約情報に含まれる遊技者特定情報に対応付けて登録されている全体未提供予約個数及び個別未提供予約個数から、該予約情報に含まれる予約個数を減算すると共に、当該遊技者特定情報に対応付けて登録されている全体未提供予約価格及び個別未提供予約価格から、該予約個数分の価格を減算する。
【０１３０】
さらに未提供予約個数・価格ＤＢでは、遊技場の営業終了後に、予約情報ＤＢにおいて、記憶している全ての予約情報が消去されると、制御部７２により、当該未提供予約個数・価格ＤＢで記憶している全体未提供予約個数，全体未提供予約価格，景品ＩＤ，個別未提供予約個数，個別未提供予約価格，及び当日報知フラグを消去する処理が行われる。
【０１３１】
図１６に示す配送情報ＤＢでは、各遊技場及び各景品提供業者毎のデータテーブル（即ち景品の選択が行われた遊技場と該選択された景品を提供する景品提供業者とが対応付けられているデータテーブル）が設けられており、各データテーブルでは、配送情報登録処理（図３５のＳ３４，Ｓ４３）に関する配送情報として、該配送情報登録処理に対応する前記予約確定処理（同Ｓ３３，Ｓ４２）を識別可能であると共に景品の配送元，配送先，及び配送希望日時が同一である景品の分類を識別可能な前記分類識別情報である予約確定ＩＤに対応付けて、該配送情報登録処理が行われた日時である確定日時と、該配送情報登録処理の対象となった予約の予約ＩＤと、該予約ＩＤに対応付けられている景品ＩＤ，景品名，交換単価，交換玉数，予約個数である配送個数，配送元情報，配送区分，遊技者特定情報である会員ＩＤ又は景品会員ＩＤと配送先情報（氏名，郵便番号，住所，及び電話番号），及び配送希望日時とが記憶されると共に、当該配送情報を配送管理装置８０に送信したか否かを示す配送指示済フラグが記憶される。ここで配送指示済フラグが１であれば、当該配送情報を配送管理装置８０に送信した旨を示し、配送指示済フラグが０であれば、当該配送情報を配送管理装置８０に送信していない旨を示す。
【０１３２】
この配送情報ＤＢでは、前記予約確定処理（図３５のＳ３３，Ｓ４２）が行われたカードユニット２０又は予約確定端末５０から送信されてくる予約確定要求を受信すると、前記配送情報登録処理（同Ｓ３４，Ｓ４３）において、後述する景品分類手段として機能する制御部７２により、該予約確定要求から特定される景品（即ち該予約確定要求に含まれる予約ＩＤに対応付けて図１４に示す予約情報ＤＢで登録されている景品ＩＤから特定される景品，又は後述する第２の予約確定要求に含まれる景品ＩＤから特定される景品）が、配送元情報，配送先，及び配送希望日時が同一である景品毎に分類されることにより、景品分類処理が行われ（図３８のＳ１２１３）、後述する配送情報登録手段として機能する制御部７２により、前記分類された各分類について、前記分類識別情報である予約確定ＩＤが生成されて割り当てられ（同Ｓ１２１５）、該割り当てられた各予約確定ＩＤに対応付けて、当該予約確定ＩＤに対応する景品について前記予約確定要求に含まれる予約ＩＤと、該予約ＩＤに対応付けて図１４に示す予約情報ＤＢで登録されている景品ＩＤ，景品名，交換単価，交換玉数，予約個数である配送個数，配送元，配送区分，会員ＩＤ又は景品会員ＩＤ，配送先情報，及び配送希望日時とが、配送情報として登録されることにより、配送情報登録処理が行われる（同Ｓ１２１６）。そして後述する配送情報通知送信手段として機能する通信部７１により、各予約確定ＩＤと各予約確定ＩＤに対応する景品を特定可能な情報（ここでは一又は複数の該景品の予約ＩＤ，景品ＩＤ，景品名，交換単価，交換玉数，及び配送個数と、同一の配送区分，配送先情報，及び配送希望日時）とを含む配送情報通知である提供登録完了通知をカードユニット２０又は予約確定端末５０に対して送信する（同Ｓ１２１９）。
【０１３３】
ここで通信部７１は在庫数受付手段の一例であって、各景品の在庫数を示す在庫数情報を受け付けるものであり、また制御部７２は在庫数登録手段及び在庫数管理手段の一例であって、各景品の在庫数を登録して管理するものであり、ここでは在庫数情報受付手段により受け付けた在庫数情報が示す各景品の在庫数を登録するものである。
【０１３４】
具体的には、図３５のＳ１１に示すように、通信部７１により、配送管理装置８０から遊技場の営業開始前に１日１回送信されてくる前記在庫数情報を受信すると、制御部７２により、図１０に示す景品情報ＤＢの記憶内容を更新する処理を行う。ここで受信した在庫数情報に含まれる景品情報のうち、新たに追加された景品については、景品情報ＤＢにおいて、当該景品に関する全ての景品情報（即ち景品ＩＤ，大区分，小区分，景品名，詳細情報，価格，及び在庫数）を登録すると共に、該景品の価格に相当する有価価値である交換玉数を登録し、かつ予約停止フラグ０（即ち予約停止景品でない旨）を登録する。また受信した在庫数情報に含まれる景品情報のうち、在庫数が変更された景品については、景品情報ＤＢにおいて、該変更された在庫数を登録する。なお在庫数が変更されていない景品については、記憶内容の更新は行われず、また在庫数がＮＵＬＬである景品についても、記憶内容の更新は行われない。
【０１３５】
また制御部７２は在庫数変更手段の一例であって、在庫数管理手段（景品情報ＤＢ）で管理している在庫数の変更を受け付けるものである。具体的には、図３５のＳ６３に示すように、通信部７１により、配送管理装置８０から遊技場の営業中に送信されてくる前記在庫数変更情報を受信すると、制御部７２により、景品情報ＤＢにおいて、該受信した在庫数変更情報に含まれる景品ＩＤに対応付けて管理している在庫数を、該受信した在庫数変更情報に含まれる変更後の在庫数に変更する。
【０１３６】
また制御部７２は景品表示処理手段の一例であって、前記景品パッケージ選択受付手段（通信部７１）にて選択された景品パッケージに含まれる景品を当該遊技場に設けられるカードユニット２０で表示するための処理と、前記景品更新手段（ディスプレイ７３及び入力装置７４）により更新された景品をカードユニット２０で表示するための処理を行うものであり、ここでは景品情報送信手段として機能する通信部７１により、カードユニット２０に景品を表示するための景品情報を所定期間毎に該カードユニット２０に送信するものである。また景品情報送信手段として機能する通信部７１は、前記予約停止景品受付手段（ディスプレイ７３及び入力装置７４）にて指定を受け付けた予約停止景品（即ち予約停止フラグ１の景品）の景品情報を除いた景品情報を送信するものである。さらに通信部７１は選択不能処理手段の一部を構成するものであって、前記選択不能景品受付手段（ディスプレイ７３及び入力装置７４）にて指定を受け付けた選択不能景品（即ち選択不能フラグ１の景品）をカードユニット２０で選択不能とするための処理を行うものであり、ここでは該選択不能景品の景品情報を除いた景品情報を送信するものである。
【０１３７】
即ち、センタ景品管理装置７０の景品表示処理手段として機能する制御部７２は、景品情報送信手段及び選択不能処理手段として機能する通信部７１により、図３５のＳ１３に示すように、景品パッケージＤＢで記憶している当該遊技場について選択されている景品パッケージの景品パッケージ情報（ここでは景品パッケージＩＤ，大区分，小区分，景品パッケージ名，パッケージ景品表示フラグ，及び景品ＩＤ）と、該景品パッケージに含まれる景品から予約停止景品及び選択不能景品を除いた配送景品（即ち表示フラグ１が登録されている表示景品）の景品情報（ここでは景品ＩＤ，大区分，小区分，景品名，詳細情報，及び交換単価４円と１円の交換玉数）とを、当該遊技場に設けられるカードユニット２０で表示する配送景品の景品情報（後述する図１９（ａ）に示す表示景品情報）として、各遊技場の各カードユニット２０に対して、遊技場の営業開始前に１日１回送信する処理を行う。
【０１３８】
次に図１に戻り、残額管理装置６０，会員管理装置６１，計数値管理装置６２，及び場内景品管理装置６３について説明する。
【０１３９】
残額管理装置６０は、図１に示すように、会員カード２の会員ＩＤ，景品交換カード３の景品会員ＩＤ，又はビジタカード４のカードＩＤ（以下、単に「ＩＤ」と総称する。）に対応付けて、遊技媒体であるパチンコ玉の貸与（玉貸処理）に使用される管理残額を管理するコンピュータである。
【０１４０】
この残額管理装置６０は、以下のようにして、管理残額を加算又は減算する。まず残額加算処理（図２０のＳ４４，Ｓ７１）が行われたカードユニット２０やチャージ機（図示外）からＩＤと該残額加算処理に供された入金額とを含む入金要求を受信すると、該ＩＤに対応付けて管理している管理残額に該入金額を加算する。また玉貸処理（図２０のＳ７２）が行われたカードユニット２０からＩＤと該玉貸処理で使用された玉貸使用額とを含む残額減算要求を受信すると、該ＩＤに対応付けて管理している管理残額から該玉貸使用額を減算する。
【０１４１】
会員管理装置６１は、図１に示すように、会員カード２の会員ＩＤに対応付けて、会員が獲得した獲得遊技媒体数である持玉数が貯蓄されてなる貯玉数に相当する貯玉額（即ち獲得玉数に交換単価を乗じた値）を管理するコンピュータである。ここで貯玉額に相当する貯玉数は、貯蓄が行われた当日及び翌日以降において、貯玉再プレイ処理及び景品交換に使用可能である。また貯玉額に相当する貯玉数は、遊技者が直接に所有しているものではないが、遊技者が所有する会員カード２の会員ＩＤに対応付けて管理されている貯玉額に相当するものであるため、遊技者が所有する所有遊技媒体数（所有玉数）に該当する。
【０１４２】
この会員管理装置６１は、以下のようにして、管理している貯玉額を加算又は減算する。まず貯玉処理が行われたＰＯＳ端末４０から、会員ＩＤと該貯玉処理に供された持玉数とを含む貯玉数加算要求を受信すると、該会員ＩＤに対応付けて管理している貯玉額に、該貯玉処理に供された持玉数に相当する額を加算する。また貯玉再プレイ処理（図２０のＳ７４）が行われたカードユニット２０から、会員ＩＤを含む貯玉再プレイ情報を受信すると、該会員ＩＤに対応付けて管理している貯玉額から、貯玉再プレイ処理に使用された玉数＋手数料分の玉数に相当する額を減算する。即ち貯玉再プレイ処理においては、手数料が徴収される。また景品交換が行われて減算処理（図２３のＳ２０３）が行われたカードユニット２０から、会員ＩＤと該景品交換に使用された貯玉数とを含む貯玉額減算要求を受信すると、該会員ＩＤに対応付けて管理している貯玉額から該景品交換に供された貯玉数に相当する額を減算する。さらに景品交換が行われて減算処理が行われたＰＯＳ端末４０から、会員ＩＤと該景品交換に使用された貯玉数とを含む貯玉額減算要求を受信すると、該会員ＩＤに対応付けて管理している貯玉額から該景品交換に供された貯玉数に相当する額を減算する。なお会員管理装置６１は、図示しないが、会員ＩＤに対応付けて、会員登録の際に登録された当該会員遊技者の個人情報（氏名，郵便番号，住所，及び電話番号等）も管理している。
【０１４３】
計数値管理装置６２は、図１に示すように、カードユニット２０から発行される計数レシート５に記録される計数ＩＤ，計数日時（図示外），交換単価，及び計数値を対応付けて管理するコンピュータである。ここで計数値は、計数が行われた当日のみ景品交換に使用可能であり、当日の営業が終了すると無効となる。
【０１４４】
この計数値管理装置６２は、以下のようにして、情報を管理又は消去する。まず計数レシート５を発行したカードユニット２０から、該計数レシート５に記録される計数ＩＤ，計数日時，交換単価，及び計数値を含む計数値記録要求を受信すると、該計数値記録要求に含まれる計数ＩＤ，計数日時，交換単価，及び計数値を対応付けて管理する。また景品交換が行われて減算処理が行われたＰＯＳ端末４０又は貯玉処理が行われたＰＯＳ端末４０から、計数ＩＤを含む計数値消去要求を受信すると、該計数値消去要求に含まれる計数ＩＤに対応付けて管理している計数日時，交換単価，及び計数値を消去する。
【０１４５】
場内景品管理装置６３は、図示しないが、通信部，制御部，ディスプレイ，入力装置，及びハードディスク等を有するコンピュータ（サーバ）であり、当該場内景品管理装置６３が設けられる遊技場が予め仕入れており当該遊技場において遊技者に提供する場内景品に関する情報を管理するものである。ここで記憶手段であるハードディスクでは、図１７に示す景品情報ＤＢ，予約・確定累計数ＤＢ，及び予約・確定情報ＤＢを記憶している。
【０１４６】
図１７（ａ）に示す景品情報ＤＢでは、当該遊技場が提供する複数の場内景品の各々について、各景品に関する景品情報として、図１０に示す景品情報ＤＢと同様に、景品ＩＤに対応付けて、大区分，小区分，景品名，詳細情報，価格，予約停止フラグ，優先表示フラグ，及び交換玉数（交換単価が４円である場合の交換玉数と、交換単価が１円である場合の交換玉数）が記憶されると共に、それに加えて、当該景品の在庫数と、当該景品に付されているバーコードに内在されているＪＡＮコードとが記憶される。この景品情報ＤＢで記憶されている景品情報のうちの、景品ＩＤ，大区分，小区分，景品名，詳細情報，価格，優先表示フラグ，及び交換玉数は、図３５のＳ１３ａに示すように、当該遊技場に設けられる各カードユニット２０で表示する場内景品の景品情報として、各カードユニット２０に対して、遊技場の営業開始前に１日１回送信される。また景品情報ＤＢで記憶されている景品情報のうちの、景品ＩＤ，交換玉数，及びＪＡＮコードは、図示しないが、ＰＯＳ端末４０に対して、遊技場の営業開始前に１日１回送信される。
【０１４７】
ここで在庫数には、カードユニット２０における前記景品予約処理（図３５のＳ３１）により予約可能な在庫数と、該景品予約処理により予約不能な在庫数とが含まれる。ここで在庫数を予約可能な在庫数と予約不能な在庫数とに振り分けない場合には、景品予約処理による予約累計数（図１７（ｂ））が在庫数に達してしまうと、景品交換カウンタに陳列されている場内景品であっても交換ができなくなってしまうという問題が生ずるため、在庫数を予約可能な在庫数と予約不能な在庫数とに振り分けることにより、景品予約処理による予約累計数が予約可能な在庫数に達しても、予約不能な在庫数を使用して場内景品の交換ができるようにしたものである。
【０１４８】
このように、景品予約処理による予約累計数が予約可能な在庫数に達しても、予約不能な在庫数を使用して場内景品の交換ができるので、場内景品管理装置６３では、センタ景品管理装置７０と異なり、図１２に示す上限値ＤＢ，及び図１５に示す未提供予約個数・価格ＤＢは記憶されず、また前記予約内容登録処理（図３５のＳ３２ａ）において、図３７（ａ）に示す上限値判定処理，及び図３７（ｂ）に示す未提供予約個数・価格登録処理は行われない。
【０１４９】
なお場内景品管理装置６３では、前記図４（ａ）で説明したのと同様にして、遊技場の営業中において、ある景品の在庫数に不測の変動（例えば当該景品の破損や入荷停止による在庫数の減少）が生じたときに、オペレータの操作により、景品情報ＤＢにおける当該景品の在庫数を変更することができる。また場内景品管理装置６３では、前記図７（ｃ）で説明したのと同様にして、遊技場の営業中において、ある景品が不良品である旨が発覚した場合に、オペレータの操作により、当該不良品について予約停止景品の指定を受け付けると、景品情報ＤＢにおいて、当該指定を受け付けた景品について予約停止フラグ１を登録する。
【０１５０】
図１７（ｂ）に示す予約・確定累計数ＤＢでは、遊技場が提供する複数の場内景品の各々について、当該景品の景品ＩＤに対応付けて、前記予約内容登録処理（図３５のＳ３２ａ）に供された予約個数の集計値である予約累計数と、前記確定フラグ登録処理（同Ｓ３４ａ，Ｓ４３ａ）に供された予約個数の集計値である確定累計数とが記憶される。この予約・確定累計数ＤＢでは、制御部７２により、予約内容登録処理において、予約累計数に予約個数が加算され、確定フラグ登録処理において、確定累計数に予約個数が加算される。
【０１５１】
図１７（ｃ）に示す予約・確定情報ＤＢでは、予約に関する予約情報として、図１４に示す予約情報ＤＢと同様に、予約を識別可能な予約識別情報である予約ＩＤに対応付けて、予約された場内景品を特定可能な景品特定情報である景品ＩＤと、該景品の景品名と、交換単価と、該景品の価格に相当する交換遊技媒体数である交換玉数（即ち価格を交換単価で除した値）と、該景品の予約個数とが記憶されると共に、それに加えて、該景品について予約確定操作が行われたか否かを示す確定フラグと、該景品の提供が行われたか否かを示す提供済フラグとが記憶される。ここで確定フラグが１であれば、予約確定操作が行われた旨を示し、確定フラグが０であれば、予約確定操作が行われていない旨を示す。また提供済フラグが１であれば、景品の提供が行われた旨を示し、提供済フラグが０であれば、景品の提供が行われていない旨を示す。本例では、予約された複数の景品の各々について、１つの予約ＩＤが割り当てられるので、予約・確定情報ＤＢで登録される予約個数は、各予約ＩＤに対して常に１個である。
【０１５２】
この予約情報ＤＢでは、前記景品予約処理（図３５のＳ３１）が行われたカードユニット２０から送信されてくる前記予約要求（会員予約要求又はビジタ予約要求）を受信すると、前記予約内容登録処理（同Ｓ３２ａ）において、該予約要求に含まれる景品ＩＤから特定される景品の各々について、予約ＩＤが生成されて割り当てられ、該割り当てられた各予約ＩＤに対応付けて、当該予約ＩＤに対応する景品について前記予約要求に含まれる景品ＩＤ，交換単価，及び予約個数と、該景品ＩＤに対応付けて図１７（ａ）に示す景品情報ＤＢで登録されている景品名，及び前記交換単価に対応する交換玉数とが、予約情報として登録されると共に、確定フラグ０，及び提供済フラグ０が登録されることにより、予約内容登録処理が行われる。また予約情報ＤＢでは、前記確定フラグ登録処理（図３５のＳ３４ａ，Ｓ４３ａ）に伴って、前記予約確定操作が行われた予約情報に対応付けて確定フラグ１が登録され、前記提供済フラグ登録処理（同Ｓ４３ａ，Ｓ４６ａ）に伴って、景品の提供が行われた予約情報に対応付けて提供済フラグ１が登録される。
【０１５３】
次にパチンコ機１０について説明する。このパチンコ機１０は遊技機の一例であって、遊技媒体であるパチンコ玉を遊技領域に打ち込むことにより遊技を行うものであり、ここでは対応するカードユニット２０との間でパチンコ玉の貸与に関する信号のやり取りが行われて玉貸処理が行われる、いわゆるＣＲ式のパチンコ機である。このパチンコ機１０は、遊技場内に配置された遊技島（図示外）において該パチンコ機１０の機種等に従って設置されている。
【０１５４】
このパチンコ機１０は、図１８（ａ）に示すように、その前面に遊技領域，残度数表示器１４，玉貸ボタン１５，カード返却ボタン１６，上皿１７，下皿１８，及び発射ハンドル等を備えると共に、図１に示すように、その内部に遊技制御基板１１，払出制御基板１２，及び玉払出装置１３等を備えており、これらの各構成要素は図１に示すように接続されている。またパチンコ機１０の下側には、各台計数機１９が設けられている。
【０１５５】
遊技制御基板１１は、パチンコ機１０における遊技状態を制御するものである。払出制御基板１２は、カードユニット２０の後述する玉貸通信部２１ａと通信可能に接続され、パチンコ機１０とカードユニット２０との間における通信を司るものである。これにより、玉貸処理が行われる場合に、パチンコ機１０とカードユニット２０との間でパチンコ玉の貸出に関する信号のやり取りが行われる。また払出制御基板１２は、玉払出装置１３と接続され、該玉払出装置１３を制御するものである。さらに払出制御基板１２は、残度数表示器１４，玉貸ボタン１５，及びカード返却ボタン１６とも接続されている。玉払出装置１３は、玉貸処理が行われて遊技者に貸し出されたパチンコ玉や、遊技の結果として遊技者に付与されるパチンコ玉（いわゆる賞球）を払い出すものである。
【０１５６】
残度数表示器１４は、カードユニット２０のカードＲ／Ｗ２３にて受け付けているカード（会員カード２，景品交換カード３，又はビジタカード４）のＩＤ（会員ＩＤ，景品会員ＩＤ，又はカードＩＤ）に対応付けて残額管理装置６０で管理されている管理残額に相当する残度数を表示するための表示器である。ここで残度数は、管理残額が所定の比率で変換されたもの（例えば１００円＝１度数）である。この残度数表示器１４では、玉貸通信部２１ａから残度数を示す度数表示信号が入力されることにより、残度数が表示される。
【０１５７】
玉貸ボタン１５は、管理残額を玉貸処理に使用させるための玉貸操作を受け付けるボタンである。この玉貸ボタン１５が操作されたことにより、玉貸通信部２１ａに貸出入力信号が入力され、該入力の検出によってカードユニット２０の制御部２２が、玉貸ボタン１５が操作された旨を認識する。
【０１５８】
カード返却ボタン１６は、カードユニット２０のカードＲ／Ｗ２３にて受け付けているカード（会員カード２，景品交換カード３，又はビジタカード４）を該カードユニット２０の外部に排出するための排出操作を受け付けるものである。このカード返却ボタン１６が操作されたことにより、玉貸通信部２１ａに返却入力信号が入力され、該入力の検出によってカードユニット２０の制御部２２が、カード返却ボタン１６が操作された旨を認識して、カードＲ／Ｗ２３にて受け付けているカードの排出制御が行われ、該カードがカード挿入口２３ａから排出されて遊技者に返却される。
【０１５９】
上皿１７及び下皿１８は、玉払出装置１３から払い出されたパチンコ玉を貯留するものである。なお上皿１７に貯留されているパチンコ玉は、上皿レバー（図示外）を操作することにより、下皿１８に供給され、該下皿１８に貯留されているパチンコ玉は、下皿レバー（図示外）を操作することにより、各台計数機１９に供給される。
【０１６０】
各台計数機１９は、パチンコ機１０に対応して設けられる景品交換装置の一部を構成するものであり、計数手段の一例であって、対応するパチンコ機１０での遊技により遊技者が獲得した獲得遊技媒体数である持玉数を計数するものであり、ここでは計数ボタン（図示外）の操作に基づいて、下皿１８から供給されたパチンコ玉を計数するものである。この各台計数機１９は、対応するカードユニット２０の後述する計数機通信部２１ｄと通信可能に接続されており、パチンコ玉が計数されたことにより、該計数値を示す計数値情報が計数機通信部２１ｂに入力され、該計数値情報が示す計数値が制御部２２のＲＡＭで記憶している持玉数に加算される。なお各台計数機１９により計数されたパチンコ玉は、遊技島に設けられた打込玉回収樋（図示外）に導かれて回収される。
【０１６１】
このパチンコ機１０において、玉払出装置１３から払い出されたパチンコ玉は、上皿１７に供給され、発射ハンドルの操作により遊技領域の内部に打ち込まれて、遊技が行われる。そして該打ち込まれたパチンコ玉が、遊技領域に形成された入賞口に入賞すると、払出制御基板１２から発せられる払出信号に基づいて、賞球として玉払出装置１３からパチンコ玉が払い出され、上皿１７又は下皿１８に供給される。なお打ち込まれたパチンコ玉は、遊技島内の打込玉回収樋（図示外）に導かれて回収される。またパチンコ機１０からは、打ち込まれたパチンコ玉が始動入賞口に入賞した旨を示すスタート信号や、大当りが発生した旨を示す大当り信号等の遊技情報が出力され、該遊技情報は、遊技場内に設けられる遊技データ管理装置（図示外）に入力されて、遊技データとして管理される。
【０１６２】
次にカードユニット２０について説明する。カードユニット２０は、パチンコ機１０に対応して設けられる景品交換装置の一部を構成するものであり、図１８に示すように、縦長の箱型の形状を呈するものであり、図１８（ａ）に示すように、その前面に紙幣挿入口２６ａ，突出部２０ａ，ノズル２７ａ，及びカード挿入口２３ａ等を備え、図１８（ｂ）に示すように、その内部に玉貸通信部２１ａ，場内通信部２１ｂ，場外通信部２１ｃ，計数機通信部２１ｄ，制御部２２，カードＲ／Ｗ２３，ビジタカードストッカ２３ｂ，紙幣識別機２６，及び玉払出装置２７等を備え、突出部２０ａの右側面（即ち遊技者に向く側）にタッチパネル式のディスプレイ２４を備え、突出部２０ａの内部にレシートプリンタ２５を備え、突出部２０ａの下面にレシート排出口２５ａを備えており、これらの各構成要素は図１に示すように接続されている。このカードユニット２０は、対応するパチンコ機１０と共に、台番号により個々に識別可能とされている。
【０１６３】
玉貸通信部２１ａは、図１に示すように、対応するパチンコ機１０の払出制御基板１２と通信可能に接続され、玉貸処理が行われる場合に、パチンコ機１０とカードユニット２０との間でパチンコ玉の貸与に関する信号のやり取りを行うものである。場内通信部２１ｂは、残額管理装置６０，会員管理装置６１，計数値管理装置６２，及び場内景品管理装置６３と通信可能に接続され、カードユニット２０と、残額管理装置６０，会員管理装置６１，計数値管理装置６２，及び場内景品管理装置６３との間における通信を司るものである。場外通信部２１ｃは、ルータ６４及びインターネットを介して、センタ景品管理装置７０の通信部７１と通信可能に接続されている。計数機通信部２１ｄは、前述の如く、対応するパチンコ機１０の各台計数機１９と通信可能に接続され、パチンコ玉の計数が行われた各台計数機１９から、該パチンコ玉の計数値を示す計数値情報を受信するものである。カードユニット２０は、この計数値情報を受信すると、該計数値情報が示す計数値を持玉数として制御部２２のＲＡＭで記憶する。
【０１６４】
制御部２２は、ＣＰＵ，ＲＡＭ，ＲＯＭ，ＥＥＰＲＯＭ等を備えており、ＲＯＭあるいはＥＥＰＲＯＭに記憶されている処理プログラムがＲＡＭを作業領域としてＣＰＵで実行されることにより、カードユニット２０に備えられる各構成要素の動作を制御して各種の処理を行うものである。このＥＥＰＲＯＭでは、前記台番号を記憶している。
【０１６５】
またＥＥＰＲＯＭでは、図１９（ａ）に示す表示景品情報ＤＢを記憶しており、該表示景品情報ＤＢでは、センタ景品管理装置７０の通信部７１から遊技場の営業開始前に１日１回送信されてくる、当該遊技場について選択されている景品パッケージの景品パッケージ情報（ここでは景品パッケージＩＤ，大区分，小区分，景品パッケージ名，パッケージ景品表示フラグ，及び景品ＩＤ）と、該景品パッケージに含まれる景品から予約停止景品及び選択不能景品を除いた配送景品の景品情報（ここでは景品ＩＤ，大区分，小区分，景品名，詳細情報，優先表示フラグ，及び交換単価４円と１円の交換玉数）とに基づいて作成される表示景品情報として、景品パッケージＩＤに対応付けて、当該景品パッケージの大区分，小区分，景品パッケージ名，パッケージ景品表示フラグ，及び景品ＩＤと、各景品ＩＤの大区分，小区分，景品名，詳細情報，優先表示フラグ，及び交換玉数とを記憶している。ここで交換玉数としては、センタ景品管理装置７０から送信されてくる交換単価４円と１円の交換玉数のうち、４円用カードユニット２０では、交換単価４円の交換玉数のみが記憶され、１円用カードユニット２０では、交換単価１円の交換玉数のみが記憶される。
【０１６６】
この制御部２２は表示処理手段の一例であって、配送景品について、前記景品の分類区分（大区分，小区分，交換玉数）の各々に対応する区分メニューを表示する区分メニュー表示処理（図２８のＤ１２５，Ｄ１２６，図２９のＤ１２９ａ，Ｄ１２９ａ’）と、該区分メニューのいずれかが選択されたことに基づいて、前記景品パッケージ選択受付手段（通信部７１）にて選択された景品パッケージに含まれる配送景品のうち、前記選択された区分メニューに対応する分類区分が設定されている景品を表示する区分景品表示処理（図２８のＤ１２７，図２９のＤ１２９ｂ，Ｄ１２９ｂ’）と、前記景品パッケージ選択受付手段（通信部７１）にて選択された景品パッケージの各々に対応するパッケージメニューを表示するパッケージメニュー表示処理（図２８のＤ１２４）と、該パッケージメニューのいずれかが選択されたことに基づいて、該選択されたパッケージメニューに対応する景品パッケージに含まれる景品を表示するパッケージ景品表示処理（図２９のＤ１３０，Ｄ１３０’）とを行うものである。
【０１６７】
また表示処理手段として機能する制御部２２は、場内景品についても、前記景品の分類区分（大区分，小区分，交換玉数）の各々に対応する区分メニューを表示する区分メニュー表示処理（図２８のＤ１２５，Ｄ１２６，図２９のＤ１２９ａ，Ｄ１２９ａ’）と、該区分メニューのいずれかが選択されたことに基づいて、前記選択された区分メニューに対応する分類区分が設定されている景品を表示する区分景品表示処理（図２８のＤ１２７，図２９のＤ１２９ｂ，Ｄ１２９ｂ’）とを行うものである。これら各表示処理の詳細については、図２８〜図２９を参照して後述する。
【０１６８】
また制御部２２は重複表示排除手段の一例であって、配送景品について、前記景品パッケージ選択受付手段（通信部７１）にて複数の景品パッケージが選択されたことに基づき、該選択された複数の景品パッケージに重複して含まれる景品を、前記区分景品表示処理において１つのみ表示させるための重複表示排除処理（図３５のＳ１４）を行うものである。
【０１６９】
ここでは該重複表示排除処理として、センタ景品管理装置７０から受信した景品パッケージ情報と配送景品の景品情報とを表示景品情報（即ち図１９（ａ）に示す表示景品情報ＤＢの表示景品情報）としてＥＥＰＲＯＭで記憶し、各区分メニューに対応する分類区分が設定されている景品を該記憶した表示景品情報から抽出し、各区分メニューについて抽出した景品のうち重複する景品を特定して、該特定した景品のうち１つを除いて削除し、前記抽出した景品から該削除した景品を除いた景品の景品情報と各区分メニューとを関連付けて図１９（ｂ）に示す区分メニューＤＢで記憶する処理を行う。
【０１７０】
具体的には、前記分類区分である小区分に対応する区分メニュー（例えば「水産物」）については、図１９（ａ）に示す表示景品情報ＤＢで記憶されている景品情報から、該小区分が設定されている景品の景品ＩＤとして、景品パッケージＩＤがＰＸ−００１である景品パッケージ「水産物Ａ」に含まれるＫＸ−０００００１及びＫＸ−０００００２と、景品パッケージＩＤがＰＸ−０１１である景品パッケージ「オススメ食品Ａ」に含まれるＫＸ−０００００１とが抽出され、該抽出した景品ＩＤのうちＫＸ−０００００１が重複する景品の景品ＩＤとして特定されて、該特定された景品ＩＤのうち１つ（ここでは景品パッケージＩＤがＰＸ−００１である景品パッケージから抽出されたＫＸ−０００００１）を除いて削除され、前記抽出した景品ＩＤから該削除した景品ＩＤを除いた景品ＩＤ（即ち１つのＫＸ−０００００１，及びＫＸ−０００００２）の景品情報と、当該区分メニューである小区分「水産物」とが関連付けられて、図１９（ｂ）に示す区分メニューＤＢで記憶される。
【０１７１】
また前記分類区分である交換玉数に対応する区分メニュー（例えば４円用カードユニット２０における「１５０１〜２０００玉」）については、図１９（ａ）に示す表示景品情報ＤＢで記憶されている景品情報から、該交換玉数が設定されている景品の景品ＩＤとして、景品パッケージＩＤがＰＸ−００１である景品パッケージ「水産物Ａ」に含まれるＫＸ−０００００１と、景品パッケージＩＤがＰＸ−０１１である景品パッケージ「オススメ食品Ａ」に含まれるＫＸ−０００００１と、景品パッケージＩＤがＰＸ−５０２である景品パッケージ「夏期限定フェア」に含まれるＫＸ−０２０４７５とが抽出され、該抽出した景品ＩＤのうちＫＸ−０００００１が重複する景品の景品ＩＤとして特定されて、該特定された景品ＩＤのうち１つ（ここでは景品パッケージＩＤがＰＸ−００１である景品パッケージから抽出されたＫＸ−０００００１）を除いて削除され、前記抽出した景品ＩＤから該削除した景品ＩＤを除いた景品ＩＤ（即ち１つのＫＸ−０００００１，及びＫＸ−０２０４７５）の景品情報と、当該区分メニューである交換玉数「１５０１〜２０００玉」とが関連付けられて、図１９（ｂ）に示す区分メニューＤＢで記憶される。なお交換玉数に対応する区分メニューは、図２９のＤ１２９ａ及びＤ１２９ａ’に示すように、４円用カードユニット２０と１円用カードユニット２０とで異なり、例えば４円用カードユニット２０における「１５０１〜２０００玉」は、１円用カードユニット２０における「６００１〜８０００玉」となる。
【０１７２】
これにより、後述する区分景品表示処理においては、区分メニューのいずれかが選択されると、当該区分メニューＤＢにおいて該選択された区分メニューに関連付けられている景品が表示されるので、遊技場が希望する複数の景品パッケージに同一の景品が重複して含まれている場合であっても、該景品が１つのみ表示され、該景品が重複して表示されることがない。
【０１７３】
なお場内景品については、場内景品管理装置６３から受信する場内景品の景品情報（即ち図１７（ａ）に示す景品情報ＤＢの記憶内容）において、該場内景品が重複して含まれることがないので、重複表示排除処理に代えて、場内景品表示処理（図３５のＳ１４ａ）を行う。ここでは該場内景品表示処理として、場内景品管理装置６３から受信した場内景品の景品情報を表示景品情報としてＥＥＰＲＯＭで記憶し、各区分メニューに対応する分類区分が設定されている景品を該記憶した表示景品情報から抽出し、前記抽出した景品の景品情報と各区分メニューとを関連付けて区分メニューＤＢで記憶する処理を行う。
【０１７４】
カードＲ／Ｗ２３は遊技者識別情報受付手段の一例であって、遊技者識別情報（会員ＩＤ，景品会員ＩＤ）を遊技者から受け付けるものであり、具体的には、図１８（ｂ）に示すように、カード挿入口２３ａから会員カード２の挿入を受け付けて、該会員カード２のＩＣチップから会員ＩＤ及び予約内容を読み取り、またカード挿入口２３ａから景品交換カード３の挿入を受け付けて、該景品交換カード３のＩＣチップから景品会員ＩＤ及び予約内容を読み取るものである。またカードＲ／Ｗ２３は、カード挿入口２３ｂからビジタカード４の挿入を受け付けて、該ビジタカード４のＩＣチップからカードＩＤを読み取るものである。このカードＲ／Ｗ２３により受け付けられた各カードは、パチンコ機１０に設けられたカード返却ボタン１６が操作されると、排出されて返却される。
【０１７５】
ビジタカードストッカ２３ｂは、カードＲ／Ｗ２３の背後において該カードＲ／Ｗ２３に連通して設けられ、複数枚のビジタカード４をストックしておくものである。ここでカードＲ／Ｗ２３が受け付けているビジタカード４のカードＩＤに対応付けられている（即ち制御部２２のＲＡＭで記憶している）残額が零になると、該ビジタカード４はカードＲ／Ｗ２３に留保され、カード返却ボタン１６の操作を受け付けても返却されない。またカードＲ／Ｗ２３がビジタカード４を留保していない状態で紙幣識別機２６により紙幣を受け付けると、ビジタカードストッカ２３ｂでストックしている複数枚のビジタカード４のうちの１枚がカードＲ／Ｗ２３に搬送され、カードＲ／Ｗ２３は、該搬送されたビジタカード４を受け付ける。
【０１７６】
タッチパネル式のディスプレイ２４は、各種の情報を表示する表示デバイスであると共に、各種の情報の入力を受け付ける入力デバイスである。このディスプレイ２４は、各種の情報を表示すると共に画面に表示されるボタンに触れることにより各種の情報の入力を受け付けるメッセージ表示領域２４ａと、画面に表示される操作キーを操作することにより各種の情報の入力を受け付ける操作キー表示領域２４ｂとを備えている。以下においては、各種の情報をメッセージ表示領域２４ａに表示することを、単に「ディスプレイ２４に表示する」と称し、操作キー表示領域２４ｂに表示される操作キーを操作することを、単に「操作キーを操作する」と称する。なお図示しないが、操作キー表示領域２４ｂには「メニュー」ボタンが設けられており、カードの受付中に該「メニュー」ボタンが操作されると、図２７のＤ１１２ａ，Ｄ１１２ｂ，又はＤ１１２ｃに示すメニュー画面に戻る。また操作キー表示領域２４ｂには「戻る」ボタンが設けられており、該「戻る」ボタンが操作されると、一つ前の画面に戻る。さらに操作キー表示領域２４ｂには「決定」ボタン，及び「遊技終了」ボタンが設けられている。
【０１７７】
レシートプリンタ２５は、図２に示す計数レシート５，図３（ａ）に示す配送レシート６，及び図３（ｂ）に示す提供レシート７を印刷し、レシート排出口２５ａから排出して発行するものである。
【０１７８】
紙幣識別機２６は、紙幣（１０００円紙幣，２０００円紙幣，５０００円紙幣，又は１００００円紙幣）を紙幣挿入口２６ａから受け付けて、該受け付けた紙幣を識別するものである。この識別により、受け付けた紙幣が正規の紙幣でなければ、該紙幣を紙幣挿入口２６ａから排出して返却し、受け付けた紙幣が正規の紙幣であれば、該紙幣をカードユニット２０の背面から排出して、識別された紙幣の額である入金額を制御部２２に出力する。なおカードユニット２０の背面から排出された紙幣は、遊技島に設けられた紙幣搬送機構（図示外）に導かれて搬送され、遊技島に設けられた金庫（図示外）に回収される。
【０１７９】
玉払出装置２７は、遊技島に設けられた補給樋（図示外）からパチンコ玉の供給を受けて、該パチンコ玉をノズル２７ａを介してパチンコ機１０の上皿１７に払い出すものである。この玉払出装置２７からは、貯玉再プレイ処理又は持玉返却処理が行われると、予め定められた個数（例えば１２５個）のパチンコ玉が払い出される。
【０１８０】
ここでカードユニット２０が行う処理を、図２０〜図２６に示すフローチャートに基づき、図２７〜図３１に示す画面図を参照しながら説明する。
【０１８１】
まずカードユニット２０が行うメイン処理を、図２０に示すフローチャートに基づき、図２７に示す画面図を参照しながら説明する。カードユニット２０は、図２０に示すように、図２７のＤ１１１に示す初期画面をディスプレイ２４に表示する（Ｓ００）。このＤ１１１では、カード（会員カード２，景品交換カード３，又はビジタカード４）の挿入，又は紙幣の挿入を促す旨が表示されると共に、「遊技データ」ボタンが表示される。カードユニット２０は、このＤ１１が表示されているＳ００の状態で、カードＲ／Ｗ２３による会員カード２の受付（Ｓ０１），カードＲ／Ｗ２３による景品交換カード３の受付（Ｓ０２），カードＲ／Ｗ２３によるビジタカード４の受付（Ｓ０３），紙幣識別機２６による紙幣の受付（Ｓ０４），又は「遊技データ」ボタンの操作（図示外）を待機する。なおＳ００の状態では、計数ボタン（図示外）の操作，玉貸ボタン１５の操作，及びカード返却ボタン１６の操作は、無効とされる。
【０１８２】
ここで「遊技データ」ボタンの操作が有ると、遊技データ表示処理（図示外）を行う。この遊技データ表示処理では、遊技データ管理装置（図示外）で管理している当該カードユニット２０に対応するパチンコ機１０の遊技データを該遊技データ管理装置から取得してディスプレイ２４に表示し、該遊技データを表示してから所定時間が経過すると、遊技データ表示処理を終了し、前記Ｄ１１１をディスプレイ２４に表示して、Ｓ０１に戻る。
【０１８３】
前記Ｓ０１でカードＲ／Ｗ２３による会員カード２の受付が有ると（ＹＥＳ）、該受け付けた会員カード２のＩＣチップに記録されている会員ＩＤと予約内容を読み取り、該読み取った会員ＩＤと予約内容を制御部２２のＲＡＭで記憶して（Ｓ１１）、配送先情報取得処理（Ｓ１２），貯玉額取得処理（Ｓ１３），及び残額取得処理（Ｓ１４）を行う。この配送先情報取得処理，貯玉額取得処理，及び残額取得処理は、いずれが先に行われても良く、同時並行で行われても良い。
【０１８４】
Ｓ１２の配送先情報取得処理では、会員ＩＤを含む配送先情報取得要求を、場外通信部２１ｃからセンタ景品管理装置７０に対して送信して、該配送先情報取得要求に含まれる会員ＩＤに対応付けて図１３（ａ）に示す配送先ＤＢで管理されている配送先情報（氏名，郵便番号，住所，及び電話番号）がセンタ景品管理装置７０から送信されてくるのを待機し、該配送先情報を受信すると、当該配送先情報を制御部２２のＲＡＭで記憶する。なお会員ＩＤに対応付けて配送先ＤＢで配送先情報が登録されていない場合には、未登録情報がセンタ景品管理装置７０から送信されてきて、制御部２２のＲＡＭでは配送先情報を記憶しない。
【０１８５】
Ｓ１３の貯玉額取得処理では、会員ＩＤを含む貯玉額取得要求を、場内通信部２１ｂから会員管理装置６１に対して送信して、該貯玉額取得要求に含まれる会員ＩＤに対応付けて図１に示す貯玉ＤＢで管理されている貯玉額を含む貯玉額情報が会員管理装置６１から送信されてくるのを待機し、該貯玉額情報を受信すると、該貯玉額情報に含まれる貯玉額に相当する貯玉数（即ち貯玉額を当該カードユニット２０について予め設定されている交換単価（４円又は１円）で除算した値）を制御部２２のＲＡＭで記憶する。
【０１８６】
Ｓ１４の残額取得処理では、会員ＩＤを含む残額取得要求を、場内通信部２１ｂから残額管理装置６０に対して送信して、該残額取得要求に含まれる会員ＩＤに対応付けて図１に示す残額ＤＢで管理されている管理残額を含む残額情報が残額管理装置６０から送信されてくるのを待機し、該残額情報を受信すると、当該残額情報に含まれる管理残額を記憶残額として制御部２２のＲＡＭで記憶すると共に、該記憶残額に相当する残度数を示す度数表示信号を玉貸通信部２１ａから払出制御基板１２に対して送信する。
【０１８７】
Ｓ１２〜Ｓ１４の処理を行ったカードユニット２０は、図２７のＤ１１２ａに示すメニュー画面をディスプレイ２４に表示する（Ｓ１５）。このＤ１１２ａでは、制御部２２のＲＡＭで記憶している会員ＩＤ，貯玉数，及び持玉数（会員カード２の受付直後は０）が表示されると共に、「貯玉再プレイ」ボタン，「持玉返却」ボタン，「遊技データ」ボタン，「配送先登録」ボタン，「景品予約」ボタン，「予約確定」ボタン，及び「確定取消」ボタンが表示される。
【０１８８】
前記Ｓ０２でカードＲ／Ｗ２３による景品交換カード３の受付が有ると（ＹＥＳ）、該受け付けた景品交換カード３のＩＣチップに記録されている景品会員ＩＤと予約内容を読み取り、該読み取った景品会員ＩＤと予約内容を制御部２２のＲＡＭで記憶して（Ｓ２１）、配送先情報取得処理（Ｓ２２），及び残額取得処理（Ｓ２４）を行う。この配送先情報取得処理，及び残額取得処理は、いずれが先に行われても良く、同時並行で行われても良い。またＳ２２の配送先情報取得処理は、「会員ＩＤ」を「景品会員ＩＤ」と読み替える点を除き、前記Ｓ１２の配送先情報取得処理と同様である。またＳ２４の残額取得処理は、「会員ＩＤ」を「景品会員ＩＤ」と読み替える点を除き、前記Ｓ１４の残額取得処理と同様である。
【０１８９】
Ｓ２２及びＳ２４の処理を行ったカードユニット２０は、図２７のＤ１１２ｂに示すメニュー画面をディスプレイ２４に表示する（Ｓ２５）。このＤ１１２ｂでは、制御部２２のＲＡＭで記憶している景品会員ＩＤ，及び持玉数（景品交換カード３の受付直後は０）が表示されると共に、「持玉返却」ボタン，「遊技データ」ボタン，「配送先登録」ボタン，「景品予約」ボタン，「予約確定」ボタン，及び「確定取消」ボタンが表示される。
【０１９０】
前記Ｓ０３でカードＲ／Ｗ２３によるビジタカード４の受付が有ると（ＹＥＳ）、該受け付けたビジタカード４のＩＣチップに記録されているカードＩＤを読み取って（Ｓ３１）、残額取得処理を行う（Ｓ３４）。このＳ３４の残額取得処理は、「会員ＩＤ」を「カードＩＤ」と読み替える点を除き、前記Ｓ１４の残額取得処理と同様である。
【０１９１】
Ｓ３４の処理を行ったカードユニット２０は、図２７のＤ１１２ｃに示すメニュー画面をディスプレイ２４に表示する（Ｓ３５）。このＤ１１２ｃでは、制御部２２のＲＡＭで記憶している持玉数（ビジタカード４の受付直後は０）が表示されると共に、「持玉返却」ボタン，「遊技データ」ボタン，「景品予約」ボタン，「予約確定」ボタン，及び「確定取消」ボタンが表示されるが、Ｄ１１２ａやＤ１１２ｂとは異なり、「配送先登録」ボタンは表示されない。
【０１９２】
前記Ｓ０４で紙幣識別機２６による紙幣の受付が有ると（ＹＥＳ）、該受け付けた紙幣を紙幣識別機２６で識別し、正規の紙幣であれば、カードＲ／Ｗ２３で留保しているビジタカード４が有るか否かを判定する（Ｓ４１）。このＳ４１で留保しているビジタカード４が無い（ＮＯ）と判定された場合には、ビジタカードストッカ２３ｂがストックしている複数枚のビジタカード４のうちの１枚をカードＲ／Ｗ２３に搬送して受け付け（Ｓ４２）、該受け付けたビジタカード４のＩＣチップに記録されているカードＩＤを読み取って（Ｓ４３）、残額加算処理を行い（Ｓ４４）、前記Ｓ３５に進む。一方、Ｓ４１で留保しているビジタカード４が有る（ＹＥＳ）、即ちビジタカード４を受付中であると判定された場合には、該受け付けているビジタカード４のＩＣチップに記録されているカードＩＤを読み取って（Ｓ４３）、残額加算処理を行い（Ｓ４４）、前記Ｓ３５に進む。
【０１９３】
Ｓ４４の残額加算処理では、カードＩＤと前記識別した紙幣の額である入金額とを含む入金要求を、場内通信部２１ｂから残額管理装置６０に対して送信して、該入金要求に含まれるカードＩＤに対応付けて管理されている管理残額に対して該入金要求に含まれる入金額を加算した後の管理残額を含む残額加算完了通知が残額管理装置６０から送信されてくるのを待機し、該残額加算完了通知を受信すると、当該残額加算完了通知に含まれる加算後の管理残額を記憶残額として制御部２２のＲＡＭで記憶すると共に、該記憶残額に相当する残度数を示す度数表示信号を玉貸通信部２１ａから払出制御基板１２に対して送信する。
【０１９４】
カードユニット２０は、Ｄ１１２ａ，Ｄ１１２ｂ，又はＤ１１２ｃのメニュー画面が表示されているＳ１５，Ｓ２５，又はＳ３５の状態で、紙幣識別機２６による紙幣の受付（Ｓ５１），玉貸ボタン１５の操作（Ｓ５２），「貯玉再プレイ」ボタンの操作（Ｓ５３），各台計数機１９から送信されてくる計数値情報の受信（Ｓ５４），「持玉返却」ボタンの操作（Ｓ５５），「配送先登録」ボタンの操作（Ｓ５６），「景品予約」ボタンの操作（Ｓ５７），「予約確定」ボタンの操作（Ｓ５８），「確定取消」ボタンの操作（Ｓ５９），カード返却ボタン１６又は図示しない「遊技終了」ボタンの操作（Ｓ６０），又は「遊技データ」ボタンの操作（図示外）を待機する。
【０１９５】
これらＳ５１〜Ｓ６０に示す操作，受付，又は受信の待機のうち、「貯玉再プレイ」ボタンの操作は、Ｄ１１２ａのメニュー画面でのみ受け付けられる操作であり、「配送先登録」ボタンの操作は、Ｄ１１２ａ又はＤ１１２ｂのメニュー画面でのみ受け付けられる操作であり、その他は、Ｄ１１２ａ，Ｄ１１２ｂ，又はＤ１１２ｃのいずれのメニュー画面が表示されている状態でも受け付けられるものである。ここで「遊技データ」ボタンの操作が有ると、前述したのと同様に、遊技データ表示処理（図示外）を行う。
【０１９６】
前記Ｓ５１で紙幣識別機２６による紙幣の受付が有ると（ＹＥＳ）、該受け付けた紙幣を紙幣識別機２６で識別し、正規の紙幣であれば、残額加算処理を行う（Ｓ７１）。このＳ７１の残額加算処理は、「カードＩＤ」を「ＩＤ（会員ＩＤ，景品会員ＩＤ，カードＩＤ）」と読み替える点を除き、前記Ｓ４４の残額加算処理と同様である。この残額加算処理を終了すると、Ｓ５１に戻る。
【０１９７】
前記Ｓ５２で玉貸ボタン１５の操作が有ると（ＹＥＳ）、玉貸処理及び残額減算処理を行う（Ｓ７２）。これら玉貸処理及び残額減算処理は、いずれが先に行われても良く、また同時並行で行われても良い。まず玉貸処理では、制御部２２のＲＡＭで記憶している記憶残額（即ち管理残額）が０であるか否かを判定し、該記憶残額が０でなければ、該記憶残額が予め設定された玉貸設定額（例えば５００円）以上であるか否かを判定し、該記憶残額が玉貸設定額以上であれば、該玉貸設定額を玉貸使用額として特定し、該記憶残額が玉貸設定額未満であれば、該記憶残額を玉貸使用額として特定して、該特定した玉貸使用額に相当する数のパチンコ玉の払出を、玉貸通信部２１ａからパチンコ機１０の払出制御基板１２に対して指令する。なお記憶残額が０であれば、玉貸処理及び残額減算処理は行われない。
【０１９８】
次に残額減算処理では、受付中のカード（会員カード２，景品交換カード３，又はビジタカード４）のＩＤ（会員ＩＤ，景品会員ＩＤ，又はカードＩＤ）と玉貸処理に使用された玉貸使用額とを含む残額減算要求を、場内通信部２１ｂから残額管理装置６０に対して送信して、該残額減算要求に含まれるＩＤに対応付けて図１に示す残額ＤＢで管理されている管理残額から該残額減算要求に含まれる玉貸使用額を減算した後の管理残額を含む残額減算完了通知が残額管理装置６０から送信されてくるのを待機し、該残額減算完了通知を受信すると、当該残額減算完了通知に含まれる減算後の管理残額を記憶残額として制御部２２のＲＡＭで記憶すると共に、該記憶残額に相当する残度数を示す度数表示信号を玉貸通信部２１ａから払出制御基板１２に対して送信する。これら玉貸処理及び残額減算処理を終了すると、Ｓ５１に戻る。
【０１９９】
前記Ｓ５３で「貯玉再プレイ」ボタンの操作が有ると（ＹＥＳ）、貯玉再プレイ処理及び貯玉数減算処理（Ｓ７３）を行う。これら貯玉再プレイ処理及び貯玉数減算処理は、いずれが先に行われても良く、また同時並行で行われても良い。まず貯玉再プレイ処理では、制御部２２のＲＡＭで記憶している貯玉数が当該貯玉再プレイ処理で返却される所定玉数（例えば１２５個）＋手数料に相当する手数料玉数（例えば２５個）以上であるか否かを判定し、貯玉数が所定玉数＋手数料玉数以上であれば、該所定玉数のパチンコ玉を玉払出装置２７から払い出す。なお貯玉数が所定玉数＋手数料玉数未満であれば、貯玉再プレイ処理及び貯玉数減算処理は行われない。
【０２００】
次に貯玉数減算処理では、受付中の会員カードの会員ＩＤを含む貯玉額減算要求を、場内通信部２１ｂから会員管理装置６１に対して送信して、該貯玉額減算要求に含まれる会員ＩＤに対応付けて図１に示す貯玉ＤＢで管理されている貯玉額から前記所定玉数＋手数料玉数に相当する額を減算した後の貯玉額を含む貯玉額減算完了通知が会員管理装置６１から送信されてくるのを待機し、該貯玉額減算完了通知を受信すると、当該貯玉額減算完了通知に含まれる減算後の貯玉額に相当する貯玉数（即ち貯玉額を当該カードユニット２０について予め設定されている交換単価（４円又は１円）で除算した値）を制御部２２のＲＡＭで記憶する。これら貯玉再プレイ処理及び貯玉数減算処理を終了すると、これらの処理が行われる前に表示していたＤ１１２ａのメニュー画面で、制御部２２のＲＡＭで記憶している貯玉数を表示して、Ｓ５１に戻る。
【０２０１】
前記Ｓ５４で各台計数機１９から計数値情報の受信が有ると（ＹＥＳ）、持玉数加算処理（Ｓ７４ａ），確定可能報知処理（Ｓ７４ｂ），及び優先表示景品表示処理（Ｓ７４ｃ）を行う。まず持玉数加算処理では、前記受信した計数値情報が示す計数値を制御部２２のＲＡＭで記憶している持玉数に加算する。この持玉数加算処理を終了すると、図２５に示す確定可能報知処理と、図２６に示す優先表示景品表示処理とを行うが、これについては後述する。そして、これら持玉数加算処理，確定可能報知処理，及び優先表示景品表示処理を終了すると、これらの処理が行われる前に表示していたＤ１１２ａ，Ｄ１１２ｂ，又はＤ１１２ｃのメニュー画面で、制御部２２のＲＡＭで記憶している持玉数を表示して、Ｓ５１に戻る。
【０２０２】
前記Ｓ５５で「持玉返却」ボタンの操作が有ると（ＹＥＳ）、持玉返却処理及び持玉数減算処理を行う（Ｓ７５）。これら持玉返却処理及び持玉数減算処理は、いずれが先に行われても良く、また同時並行で行われても良い。まず持玉返却処理では、制御部２２のＲＡＭで記憶している持玉数が当該持玉返却処理で返却される所定玉数（例えば１２５個）以上であるか否かを判定し、持玉数が所定玉数以上であれば、該所定玉数を返却玉数として特定し、持玉数が所定玉数未満であれば、該持玉数を返却玉数として特定して、該特定した返却玉数のパチンコ玉を玉払出装置２７から払い出す。この持玉返却処理においては、前記貯玉再プレイ処理と異なり、手数料は徴収されない。次に持玉数減算処理では、前記特定した返却玉数を制御部２２のＲＡＭで記憶している持玉数から減算する。これら持玉返却処理及び持玉数減算処理を終了すると、これらの処理が行われる前に表示していたＤ１１２ａ，Ｄ１１２ｂ，又はＤ１１２ｃのメニュー画面で、制御部２２のＲＡＭで記憶している持玉数を表示して、Ｓ５１に戻る。
【０２０３】
前記Ｓ５６で「配送先登録」ボタンの操作が有ると（ＹＥＳ）、図２１に示す配送先登録処理を行い（Ｓ７６）、前記Ｓ５７で「景品予約」ボタンの操作が有ると（ＹＥＳ）、図２２に示す景品予約処理を行い（Ｓ７７）、前記Ｓ５８で「予約確定」ボタンの操作が有ると（ＹＥＳ）、Ｓ７８ａ〜Ｓ７８ｄの処理を行った後に、図２３に示す予約確定処理を行い（Ｓ７８ｅ）、前記Ｓ５９で「確定取消」ボタンの操作が有ると（ＹＥＳ）、図２４に示す確定取消処理を行うが（Ｓ７９）、これらの各処理については後述する。
【０２０４】
前記Ｓ６０でカード返却ボタン１６又は「遊技終了」ボタンの操作が有ると（ＹＥＳ）、制御部２２のＲＡＭで記憶している持玉数が０であるか否かを判定する（Ｓ６１）。このＳ６１で持玉数が０でない（ＮＯ）と判定された場合には、レシートプリンタ２５により図２に示す計数レシート５を発行し（Ｓ６２）、制御部２２のＲＡＭの記憶内容（ＩＤ，残額，持玉数，貯玉数，予約内容，確定内容，取消済フラグ）を消去し（Ｓ６３）、受付中のカード（会員カード２，景品交換カード３，又はビジタカード４）をカードＲ／Ｗ２３から排出して返却して（Ｓ６４）、メイン処理を終了する。一方、Ｓ６１で持玉数が０である（ＹＥＳ）と判定された場合にも、Ｓ６３及びＳ６４の処理を行って、メイン処理を終了する。ただしカードＲ／Ｗ２３でビジタカード４を受付中である場合には、制御部２２のＲＡＭで記憶している残額が０であれば、Ｓ６４で該ビジタカード４を返却せずに留保したままの状態で、メイン処理を終了する。これにより、前記Ｓ００の状態となるので、該留保しているビジタカード４は、カード返却ボタン１６が操作されても返却されない。
【０２０５】
次にカードユニット２０が行う配送先登録処理を、図２１に示すフローチャートに基づき、図２７に示す画面図を参照しながら説明する。カードユニット２０は、図２０に示すように、図２７のＤ１１２ａ又はＤ１１２ｂに示すメニュー画面で「配送先登録」ボタンの操作が有ると（Ｓ５６でＹＥＳ）、図２１に示す配送先登録処理を行う。
【０２０６】
まずカードユニット２０は、制御部２２のＲＡＭで配送先情報の記憶が有るか否か、即ち図２０のＳ１２又はＳ２２に示す配送先情報取得処理で配送先情報を制御部２２のＲＡＭに記憶したか否かを判定する（Ｓ８１）。
【０２０７】
このＳ８１で配送先情報の記憶が無い（ＮＯ）と判定された場合には、図２７のＤ１１３に示す画面をディスプレイ２４に表示する（Ｓ８２）。このＤ１１３では、配送先情報の入力を促す旨が表示されると共に、配送先情報である氏名，郵便番号，住所，及び電話番号の入力欄が表示される。このＤ１１３を表示するディスプレイ２４は配送先情報受付手段の一例であって、景品の配送先を示す配送先情報の入力を受け付けるものである。
【０２０８】
Ｓ８２の処理を行ったカードユニット２０は、Ｄ１１３における配送先情報の入力を待機し（Ｓ８３）、該Ｓ８３で配送先情報の入力及び「決定」ボタンの操作が有ると（ＹＥＳ）、該入力された配送先情報と、受付中の会員カード２又は景品交換カード３に記録されている配送先特定情報である会員ＩＤ又は景品会員ＩＤとを含む配送先登録要求を、場外通信部２１ｃからセンタ景品管理装置７０に対して送信する（Ｓ８４）。
【０２０９】
このＳ８４の処理を行う場外通信部２１ｃは配送先特定処理手段の一例であって、配送先情報受付手段により入力を受け付けた配送先情報を、当該カードユニット２０が設けられている遊技場において遊技者に対して発行される配送先記録媒体（会員カード２又は景品交換カード３）に記録される配送先特定情報（会員ＩＤ又は景品会員ＩＤ）から特定可能とするための処理を行うものであり、ここでは該処理として、配送先登録要求をセンタ景品管理装置７０に対して送信する。これによれば、カードユニット２０において、配送先情報を入力して、該配送先情報を配送先記録媒体から特定可能としておくことにより、該配送先記録媒体から特定される配送先情報の配送先に景品が配送される（ここでは該配送先に景品が配送されるように予約が行われる）ので、何度も配送先情報を入力する必要がなくなり、遊技者の利便性が向上する。Ｓ８４の処理を行ったカードユニット２０は、当該配送先登録処理が行われる前に表示していたＤ１１２ａ又はＤ１１２ｂのメニュー画面をディスプレイ２４に表示して、配送先登録処理を終了する。
【０２１０】
前記Ｓ８１で配送先情報の記憶が有る（ＹＥＳ）と判定された場合には、配送先情報が登録済である旨，及び配送先を変更するか否かを問う旨と、配送先の変更操作を受け付けるための「変更」ボタンとをディスプレイ２４に表示して（Ｓ８６）、該「変更」ボタンの操作を待機する（Ｓ８７）。このＳ８７で所定時間内に「変更」ボタンの操作が有ると（ＹＥＳ）、前記Ｓ８２に進む。一方、Ｓ８７で所定時間内に「変更」ボタンの操作が無ければ（ＮＯ）、前記Ｓ８５に進む。
【０２１１】
次にカードユニット２０が行う景品予約処理を、図２２に示すフローチャートに基づき、図２７〜図３０に示す画面図を参照しながら説明する。カードユニット２０は、図２０に示すように、図２７のＤ１１２ａ，Ｄ１１２ｂ，又はＤ１１２ｃに示すメニュー画面で「景品予約」ボタンの操作が有ると（Ｓ５７でＹＥＳ）、図２２に示す景品予約処理を行う。
【０２１２】
まずカードユニット２０は、図２８のＤ１２１に示す画面をディスプレイ２４に表示する（Ｓ１０１）。このＤ１２１では、配送景品の予約を受け付けるための「配送景品」ボタンと、場内景品の予約を受け付けるための「場内景品」ボタンとが表示される。このＤ１２１を表示するディスプレイ２４は予約受付手段の一例であって、遊技場において遊技者に提供される景品である場内景品の予約と、配送（自宅への配送又は遊技場への配送）により遊技者に提供される景品である配送景品の予約とを受け付けるものである。Ｓ１０１の処理を行ったカードユニット２０は、Ｄ１２１における「配送景品」ボタンの操作（Ｓ１０２），又は「場内景品」ボタンの操作（Ｓ１０３）を待機する。
【０２１３】
このＳ１０２で「配送景品」ボタンの操作が有ると（ＹＥＳ）、制御部２２のＲＡＭで予約内容の記憶が無ければ、図２８のＤ１２２に示す画面をディスプレイ２４に表示し、制御部２２のＲＡＭで予約内容の記憶が有れば、図２８のＤ１２３に示す画面をディスプレイ２４に表示する（Ｓ１１１）。このＤ１２２では、予約を希望する景品を検索するための「検索」ボタンが表示される。
【０２１４】
またＤ１２３では、記憶している予約内容（各予約の予約ＩＤ，景品ＩＤ，優先順位，景品名，交換単価，交換玉数，及び予約個数）に基づいて、優先順位が高い順に、各予約の景品名，交換玉数，及び予約個数が表示されると共に、前記「検索」ボタンと、優先順位を変更するための「優先順位変更」ボタンが表示される。
【０２１５】
このＤ１２３で表示される交換玉数は、記憶している交換単価×交換玉数を当該カードユニット２０について設定されている交換単価で除算した値であり、例えば交換単価が１円のカードユニット２０で、交換玉数が８０００玉の景品が予約されて、会員カード２又は景品交換カード３に該予約内容が記録された場合に、該会員カード２又は景品交換カード３が、交換単価が１円のカードユニット２０で受け付けられると、当該景品の交換玉数は８０００玉と表示される一方、交換単価が４円のカードユニット２０で受け付けられると、当該景品の交換玉数は２０００玉と表示される。
【０２１６】
またＤ１２３で、「優先順位変更」ボタンの操作が有ると、優先順位変更画面をディスプレイ２４に表示して、新たな優先順位を受付可能となり、該優先順位変更画面で新たな優先順位の受付が有ると、制御部２２のＲＡＭで記憶している優先順位を、該受け付けた新たな優先順位に変更すると共に、会員カード２又は景品交換カード３を受付中であれば、該会員カード２又は景品交換カード３に記録されている優先順位も、前記受け付けた新たな優先順位に変更する。
【０２１７】
Ｓ１１１の処理を行ったカードユニット２０は、Ｄ１２２又はＤ１２３における「検索」ボタンの操作を待機し（Ｓ１１２）、該Ｓ１１２で「検索」ボタンの操作が有ると（ＹＥＳ）、図２８のＤ１２４〜図３０のＤ１３５に示す画面をディスプレイ２４に表示する（Ｓ１１３）。
【０２１８】
具体的には、まずＤ１２４で、景品の選択方法を選択するためのボタンとして、「種別から選択」ボタン，「交換玉数から選択」ボタン，及び「キーワード検索」ボタンを表示すると共に、制御部２２のＥＥＰＲＯＭが記憶している景品パッケージ情報に基づいて、パッケージ景品表示処理の対象となる景品パッケージ（即ちパッケージ景品表示フラグが１である景品パッケージ）を示す景品パッケージボタン（ここでは「アイスクリームフェア」ボタン，及び「夏期限定フェア」ボタン）を表示する。このＤ１２４において前記パッケージメニューである景品パッケージボタンを表示する処理が、前記パッケージメニュー表示処理である。
【０２１９】
このＤ１２４で、「種別から選択」ボタンの操作が有ると、Ｄ１２５で、景品交換システム１において予め定められている大区分を示す大区分ボタンを表示する。このＤ１２５で、いずれかの大区分ボタン（ここでは「食料品」ボタン）の操作が有ると、Ｄ１２６で、該操作された大区分ボタンに対応する大区分に属し、景品交換システム１において予め定められている小区分を示す小区分ボタンを表示する。このＤ１２５及びＤ１２６において前記区分メニューである大区分ボタン及び小区分ボタンを表示する処理が、前記区分メニュー表示処理である。
【０２２０】
このＤ１２６で、いずれかの小区分ボタン（ここでは「水産物」ボタン）の操作が有ると、制御部２２のＥＥＰＲＯＭが記憶している区分メニューＤＢから、該操作された小区分ボタン（即ち区分メニュー）に関連付けられている景品情報を抽出して、Ｄ１２７で、該抽出した景品情報の景品について、景品名と交換玉数を示す景品ボタンを表示する。この景品ボタンで表示される交換玉数は、４円用カードユニット２０においては交換単価４円の交換玉数であり、１円用カードユニット２０においては交換単価１円の交換玉数である。なお景品ボタンが一画面に入りきらない場合には、画面右上のスクロールボタンを操作することにより、当該画面に入りきらない景品ボタンがスクロール表示される。
【０２２１】
このＤ１２７を表示するディスプレイ２４は表示手段の一例であって、遊技者が所有する所有遊技媒体数（所有玉数＝持玉数＋貯玉数）により交換可能な複数の景品を表示するものである。またＤ１２７において景品ボタンを表示する処理が、前記区分景品表示処理であり、遊技場が希望する複数の景品パッケージに同一の景品が重複して含まれている場合であっても、該重複が排除されている区分メニューＤＢの記憶に基づいて、当該景品が１つのみが表示されので、該景品が重複して表示されることがない。
【０２２２】
このＤ１２７で、いずれかの景品ボタン（ここでは「ずわいがに」ボタン）の操作が有ると、制御部２２のＥＥＰＲＯＭが記憶している景品情報のうち、該操作された景品ボタンに対応する景品の詳細情報を抽出して、Ｄ１２８で、該抽出した詳細情報を表示すると共に、予約個数を入力するためのプルダウンメニューを表示する。
【０２２３】
このＤ１２８を表示するディスプレイ２４は予約受付手段の一例であって、所有遊技媒体数（所有玉数＝持玉数＋貯玉数）が予約を希望する景品の交換遊技媒体数（交換玉数）に達しているか否かに拘わらず、表示手段に表示される景品の中から予約を希望する景品の選択を受け付けるものである。これによれば、遊技者の所有玉数が予約を希望する景品の交換玉数に達しているか否かに拘わらず、該景品の予約を受付可能なので、遊技者の利便性を向上することができる。また該予約受付手段として機能するディスプレイ２４は、予約を希望する景品と該景品の予約の確定の希望優先順位とを受け付けるものであり、本例では景品が選択された順に、自動的に高い優先順位とされる。このＤ１２８で、予約個数の入力及び「決定」ボタンの操作が有ると、図３０のＤ１３１に進む。
【０２２４】
図２８のＤ１２４で「交換玉数から選択」ボタンの操作が有ると、４円用カードユニット２０においては、図２９のＤ１２９ａで、景品交換システム１において予め定められている交換玉数の区分（ここでは「〜５００玉」，「５０１〜１０００玉」，「１００１〜１５００玉」，「１５０１〜２０００玉」，及び「２００１〜２５００玉」）を示す交換玉数ボタンを表示する。このＤ１２９ａにおいて前記区分メニューである交換玉数ボタンを表示する処理が、前記区分メニュー表示処理である。
【０２２５】
このＤ１２９ａで、いずれかの交換玉数ボタン（ここでは「１５０１〜２０００玉」ボタン）の操作が有ると、制御部２２のＥＥＰＲＯＭが記憶している区分メニューＤＢから、該操作された交換玉数ボタン（即ち区分メニュー）に関連付けられている景品情報を抽出して、Ｄ１２９ｂで、該抽出した景品情報の景品について、景品名と交換玉数を示す景品ボタンが表示される。この景品ボタンで表示される交換玉数は、交換単価４円の交換玉数である。なお景品ボタンが一画面に入りきらない場合には、画面右上のスクロールボタンを操作することにより、当該画面に入りきらない景品ボタンがスクロール表示される。このＤ１２９ｂも、前記表示手段としての機能により表示される画面である。またＤ１２９ｂにおいて景品ボタンを表示する処理が、前記区分景品表示処理であり、遊技場が希望する複数の景品パッケージに同一の景品が重複して含まれている場合であっても、該重複が排除されている区分メニューＤＢの記憶に基づいて、当該景品が１つのみが表示されので、該景品が重複して表示されることがない。このＤ１２９ｂで、いずれかの景品ボタンの操作が有ると、前記Ｄ１２８に進む。
【０２２６】
また図２８のＤ１２４で「交換玉数から選択」ボタンの操作が有ると、図２９のＤ１２９ａ’で、１円用カードユニット２０においては、景品交換システム１において予め定められている交換玉数の区分（ここでは「〜２０００玉」，「２００１〜４０００玉」，「４００１〜６０００玉」，「６００１〜８０００玉」，及び「８００１〜１００００玉」）を示す交換玉数ボタンを表示する。このＤ１２９ａ’において前記区分メニューである交換玉数ボタンを表示する処理が、前記区分メニュー表示処理である。
【０２２７】
このＤ１２９ａ’で、いずれかの交換玉数ボタン（ここでは「６００１〜８０００玉」ボタン）の操作が有ると、制御部２２のＥＥＰＲＯＭが記憶している区分メニューＤＢから、該操作された交換玉数ボタン（即ち区分メニュー）に関連付けられている景品情報を抽出して、Ｄ１２９ｂ’で、該抽出した景品情報の景品について、景品名と交換玉数を示す景品ボタンを表示する。この景品ボタンで表示される交換玉数は、交換単価１円の交換玉数である。なお景品ボタンが一画面に入りきらない場合には、画面右上のスクロールボタンを操作することにより、当該画面に入りきらない景品ボタンがスクロール表示される。このＤ１２９ｂ’も、前記表示手段としての機能により表示される画面である。またＤ１２９ｂ’において景品ボタンを表示する処理が、前記区分景品表示処理であり、遊技場が希望する複数の景品パッケージに同一の景品が重複して含まれている場合であっても、該重複が排除されている区分メニューＤＢの記憶に基づいて、当該景品が１つのみが表示されので、該景品が重複して表示されることがない。このＤ１２９ｂ’で、いずれかの景品ボタンの操作が有ると、前記Ｄ１２８に進む。
【０２２８】
なお図２８のＤ１２４で「キーワード検索」ボタンの操作が有ると、図示しないが、キーワード入力画面を表示し、該画面でキーワードの入力が有ると、制御部２２のＥＥＰＲＯＭが記憶している表示景品情報ＤＢから、該入力されたキーワードに合致する景品情報を抽出して、Ｄ１２７やＤ１２９ｂやＤ１２９ｂ’と同様に、該抽出した景品情報の景品について、景品名と交換玉数を示す景品ボタンを表示する。
【０２２９】
また図２８のＤ１２４で、いずれかの景品パッケージボタン（ここでは「アイスクリームフェア」ボタン）の操作が有ると、４円用カードユニット２０においては、制御部２２のＥＥＰＲＯＭが記憶している表示景品情報ＤＢから、該操作された景品パッケージボタンに対応する景品パッケージの景品パッケージＩＤに対応付けられている景品ＩＤの景品情報を抽出して、図２９のＤ１３０で、Ｄ１２７やＤ１２９ｂと同様に、該抽出した景品情報の景品について、景品名と交換玉数を示す景品ボタンを表示する。この景品ボタンで表示される交換玉数は、交換単価４円の交換玉数である。このＤ１３０において景品ボタンを表示する処理が、前記パッケージ景品表示処理である。これによれば、カードユニット２０において、遊技場が希望する景品パッケージに対応するパッケージメニューが選択されると、該選択されたパッケージメニューに対応する景品パッケージに含まれる景品が表示されるので、景品を選択する方法が増えて、遊技者の利便性が向上する。このＤ１３０で、いずれかの景品ボタンの操作が有ると、前記Ｄ１２８に進む。
【０２３０】
また図２８のＤ１２４で、いずれかの景品パッケージボタン（ここでは「アイスクリームフェア」ボタン）の操作が有るると、１円用カードユニット２０においては、制御部２２のＥＥＰＲＯＭが記憶している表示景品情報ＤＢから、該操作された景品パッケージボタンに対応する景品パッケージの景品パッケージＩＤに対応付けられている景品ＩＤの景品情報を抽出して、図２９のＤ１３０’で、Ｄ１２７やＤ１２９ｂ’と同様に、該抽出した景品情報の景品について、景品名と交換玉数を示す景品ボタンを表示する。この景品ボタンで表示される交換玉数は、交換単価１円の交換玉数である。このＤ１３０’において景品ボタンを表示する処理が、前記パッケージ景品表示処理である。これによれば、カードユニット２０において、遊技場が希望する景品パッケージに対応するパッケージメニューが選択されると、該選択されたパッケージメニューに対応する景品パッケージに含まれる景品が表示されるので、景品を選択する方法が増えて、遊技者の利便性が向上する。このＤ１３０’で、いずれかの景品ボタンの操作が有ると、前記Ｄ１２８に進む。
【０２３１】
図３０のＤ１３１では、景品が選択された順に、各景品の優先順位，景品名，交換玉数，及び予約個数と、各景品の予約を取り消すための「取消」ボタンを表示すると共に、景品の追加選択を受け付けるための「追加選択」ボタン，及び配送先（遊技場又は自宅）の指定を受け付けるための「配送先指定」ボタンが表示される。このＤ１３１で、いずれかの「取消」ボタンの操作が有ると、該操作された「取消」ボタンに対応する景品の選択を取り消して、該取り消した景品よりも優先順位が低い各景品の優先順位を繰り上げる。例えば優先順位が１位の予約景品について選択の取消が行われると、優先順位が２位以下の各予約景品の優先順位を１つずつ繰り上げる。またＤ１３１で、「追加選択」ボタンの操作が有ると、前記Ｄ１２４に戻り、景品の追加選択ができる。
【０２３２】
一方、Ｄ１３１で、「配送先指定」ボタンの操作が有ると、Ｄ１３２で、配送先を指定するためのボタンとして、「遊技場」ボタン，及び「自宅」ボタンを表示する。このＤ１３２を表示するディスプレイ２４は配送先受付手段の一例であって、予約受付手段にて選択された配送景品の配送先（配送区分）の指定を受け付けるものである。なおＤ１３１で、複数の景品が選択されて表示されている場合であっても、本例のＤ１３２では、前述の如く、これら複数の景品を一括して予約する１回の予約において、同一の配送先（即ち遊技場又は自宅の何れか）の指定しか受け付けないが、当該予約の後に行う別の予約においては、先の予約における配送先と異なる配送先の指定を受付可能なので、この配送先受付手段として機能するディスプレイ２４は、予約受付手段にて選択された複数の景品について異なる配送先の指定を受付可能なものである。
【０２３３】
このＤ１３２で、「遊技場」ボタン又は「自宅」ボタンの操作が有ったときに、会員カード２又は景品交換カード３を受付中であり、かつ図２０のＳ１２又はＳ２２に示す配送先情報取得処理で配送先情報を制御部２２のＲＡＭに記憶している場合には、Ｄ１３３で、該記憶している配送先情報（氏名，郵便番号，住所，及び電話番号）を表示し、「決定」ボタンの操作が有ると、Ｄ１３４で、配送希望日時（配送希望日及び配送希望時間帯）の入力欄を表示すると共に、予約実行操作を受け付けるための「予約実行」ボタンを表示する。このＤ１３４では、配送希望日の入力欄に対応する「日」ボタンを操作すると、カレンダーが表示されて、配送希望日の入力が可能となり、配送希望時間帯の入力欄に対応する「時間帯」ボタンを操作すると、予め定められた複数の時間帯が表示されて、配送希望時間帯の入力が可能となる。
【０２３４】
このＤ１３４を表示するディスプレイ２４は配送時期受付手段の一例であって、予約受付手段にて選択された配送景品の配送時期（配送希望日時）の指定を受け付けるものである。なおＤ１３１で、複数の景品が選択されて表示されている場合であっても、本例のＤ１３２では、前述の如く、これら複数の景品を一括して予約する１回の予約において、同一の配送時期の指定しか受け付けないが、当該予約の後に行う別の予約においては、先の予約における配送時期と異なる配送時期の指定を受付可能なので、この配送時期受付手段として機能するディスプレイ２４は、予約受付手段にて選択された複数の景品について異なる配送時期の指定を受付可能なものである。このＤ１３４で、配送希望日時の入力及び「予約実行」ボタンの操作が有ると、図２２のＳ１１４に進む。
【０２３５】
前記Ｄ１３２で、「遊技場」ボタン又は「自宅」ボタンの操作が有ったときに、会員カード２又は景品交換カード３を受付中であり、かつ図２０のＳ１２又はＳ２２に示す配送先情報取得処理で配送先情報を制御部２２のＲＡＭに記憶していない場合か、又はビジタカード４を受付中である場合には、Ｄ１３５で、配送先情報である氏名，郵便番号，住所，及び電話番号の入力欄を表示し、配送先情報の入力及び「決定」ボタンの操作が有ると、前記Ｄ１３４に進むと共に、会員カード２又は景品交換カード３を受付中である場合には、該入力された配送先情報と、受付中の会員カード２又は景品交換カード３に記録されている配送先特定情報である会員ＩＤ又は景品会員ＩＤとを含む配送先登録要求を、前記配送先特定処理手段として機能する場外通信部２１ｃからセンタ景品管理装置７０に対して送信する。
【０２３６】
図２２に戻り、Ｓ１１３の処理を行ったカードユニット２０は、会員カード２又は景品交換カード３を受付中であれば、Ｄ１３１で表示された景品の景品ＩＤ及び予約個数と、Ｄ１３２で選択された配送区分（遊技場又は自宅）を示す情報と、遊技者特定情報である会員ＩＤ又は景品会員ＩＤと、Ｄ１３４で入力された配送希望日時を示す情報とを含む予約要求（前記会員予約要求）を、場外通信部２１ｃからセンタ景品管理装置７０に対して送信し、会員カード２又は景品交換カード３を受付中でなければ、Ｄ１３１で表示された景品の景品ＩＤ及び予約個数と、Ｄ１３２で選択された配送区分（遊技場又は自宅）を示す情報と、Ｄ１３５で入力された遊技者特定情報である配送先情報と、Ｄ１３４で入力された配送希望日時を示す情報とを含む予約要求（前記ビジタ予約要求）を、場外通信部２１ｃからセンタ景品管理装置７０に対して送信する（Ｓ１１４）。
【０２３７】
このＳ１１４の処理を行う場外通信部２１ｃは予約要求送信手段の一例であって、予約受付手段にて選択された景品を特定可能な景品ＩＤを含む予約要求をセンタ景品管理装置７０に対して送信するものであり、ここでは遊技者特定情報と、配送先受付手段にて指定を受け付けた配送先（配送区分）を示す情報と、配送時期受付手段にて指定を受け付けた配送時期（配送希望日時）を示す情報とを含む予約要求を送信する。
【０２３８】
前記Ｓ１０３で「場内景品」ボタンの操作が有ると（ＹＥＳ）、前記Ｓ１１１と同様のＳ１１６の処理を行い、前記Ｓ１１２と同様のＳ１１７で「検索」ボタンの操作が有ると（ＹＥＳ）、図２８のＤ１２４〜図３０のＤ１３１に示す画面をディスプレイ２４に表示する（Ｓ１１８）。ただし場内景品については、景品パッケージが設定されていないことから、パッケージメニュー表示処理を行わないので、Ｄ１２４ではパッケージメニューを表示せず、またＤ１３０及びＤ１３０’は表示しない。また場内景品については、遊技場において提供されることから、配送先情報の指定を受け付けないので、Ｄ１３２〜Ｄ１３５は表示せず、Ｄ１３１では「配送先指定」ボタンに代えて「予約実行」ボタンを表示する。このＤ１３１で、「予約実行」ボタンの操作が有ると、図２２のＳ１１９に進む。
【０２３９】
Ｓ１１８の処理を行ったカードユニット２０は、会員カード２又は景品交換カード３を受付中であるか否かに拘わらず、Ｄ１３１で表示された景品の景品ＩＤ及び予約個数を含む予約要求を、場内通信部２１ｂから場内景品管理装置６３に対して送信する（Ｓ１１９）。
【０２４０】
Ｓ１１４又はＳ１１９の処理を行ったカードユニット２０は、センタ景品管理装置７０又は場内景品管理装置６３から送信されてくる上限値超え通知の受信（Ｓ１２０），予約登録完了通知の受信（Ｓ１２１），予約停止情報の受信（Ｓ１２２），又は在庫零通知の受信（Ｓ１２３）を待機する。
【０２４１】
このＳ１２０で上限値超え通知の受信が有ると（ＹＥＳ）、予約可能な上限値を超えている旨をディスプレイに表示し（Ｓ１２４）、該表示をしてから所定時間が経過すると、景品予約処理を終了して、メイン処理に戻る。
【０２４２】
またＳ１２１で予約登録完了通知の受信が有ると（ＹＥＳ）、該予約登録完了通知に含まれる予約ＩＤ，景品ＩＤ，景品名，交換単価，交換玉数，及び予約個数と、当該景品ＩＤの予約景品について図３０のＤ１３１で設定された優先順位とを、予約内容として制御部２２のＲＡＭで記憶すると共に、会員カード２又は景品交換カード３を受付中である場合には、カードＲ／Ｗ２３により当該予約内容を会員カード２又は景品交換カード３に記録し、かつ予約ができた旨をディスプレイ２４に表示する（Ｓ１２５）。このＳ１２５の処理を行うカードＲ／Ｗ２３は選択景品特定処理手段の一例であって、予約受付手段にて選択された景品を、遊技者を個々に識別可能な遊技者識別情報（会員ＩＤ又は景品会員ＩＤ）から特定可能とするための処理を行うものであり、ここでは予約内容を会員カード２又は景品交換カード３に記録する処理を行う。なお予約内容の記憶は、カード返却ボタン１６又は遊技終了ボタン（図示外）の操作が有ると（図２０のＳ６０でＹＥＳ）、消去される（同Ｓ６３）。
【０２４３】
またＳ１２２で予約停止情報の受信が有ると（ＹＥＳ）、該予約停止情報に含まれる景品ＩＤの景品が予約停止景品である旨をディスプレイに表示する（Ｓ１２６）。またＳ１２３で在庫零通知の受信が有ると（ＹＥＳ）、該在庫零通知に含まれる景品ＩＤの景品の在庫が無い旨をディスプレイに表示する（Ｓ１２７）。
【０２４４】
Ｓ１２５，Ｓ１２６，又はＳ１２７の処理を行ったカードユニット２０は、予約要求に含まれる全ての景品ＩＤについての予約登録完了通知，予約停止情報，又は在庫零通知の受信を待機し（Ｓ１２８）、該Ｓ１２８で全ての景品ＩＤについての予約登録完了通知，予約停止情報，又は在庫零通知の受信が有ると（ＹＥＳ）、景品予約処理を終了して、メイン処理に戻る。
【０２４５】
次にカードユニット２０が行う予約確定処理を、図２０及び図２３に示すフローチャートに基づき、図３１に示す画面図を参照しながら説明する。カードユニット２０は、図２０に示すように、図２７のＤ１１２ａ，Ｄ１１２ｂ，又はＤ１１２ｃに示すメニュー画面で「予約確定」ボタンの操作が有ると（Ｓ５８でＹＥＳ）、制御部２２のＲＡＭで予約内容の記憶が有るか否かを判定する（Ｓ７８ａ）。ここで制御部２２のＲＡＭで予約内容の記憶が有る場合としては、当該カードユニット２０で景品予約処理が行われて予約内容が記憶された場合（図２２のＳ１２５）、及び／又は、他のカードユニット２０で景品予約処理が行われて予約内容が記録された会員カード２又は景品交換カード３が当該カードユニット２０で受け付けられて予約内容が記憶された場合（Ｓ１１，Ｓ２１）がある。このＳ７８ａで予約内容の記憶が無い（ＮＯ）と判定された場合には、予約が無い旨をディスプレイ２４に表示し（Ｓ７８ｆ）、該表示をしてから所定時間が経過すると、前記Ｓ５１に戻る。
【０２４６】
一方、Ｓ７８ａで予約内容の記憶が有る（ＹＥＳ）と判定された場合には、制御部２２のＲＡＭで記憶している持玉数と貯玉数の合算値である所有玉数が、該記憶している予約内容のうちのいずれかの予約景品の交換玉数に達しているか否かを判定する（Ｓ７８ｂ）。なお貯玉数は、会員カード２を受付中の場合にのみ、所有玉数に含まれる。
【０２４７】
このＳ７８ｂで所有玉数がいずれの予約景品の交換玉数にも達していない（ＮＯ）と判定された場合には、図３１のＤ１４０に示す画面をディスプレイ２４に表示し（Ｓ７８ｇ）、該Ｄ１４０を表示してから所定時間が経過すると、前記Ｓ５１に戻る。このＤ１４０では、所有玉数と、所有玉数が不足しているので予約確定ができない旨とが表示されると共に、前記Ｄ１２３と同様に、記憶している予約内容（各予約景品の予約ＩＤ，景品ＩＤ，優先順位，景品名，交換単価，交換玉数，及び予約個数）に基づいて、優先順位が高い順に、各予約景品の景品名，交換玉数，及び予約個数が表示される。本例では、所有玉数が５００玉であり、各予約景品の交換玉数が２０００玉，７５０玉，及び１０００玉なので、いずれの予約景品についても、予約確定をすることができない。
【０２４８】
一方、Ｓ７８ｂで所有玉数がいずれかの予約景品の交換玉数に達している（ＹＥＳ）と判定された場合には、図３１のＤ１４１に示す画面をディスプレイ２４に表示する（Ｓ７８ｃ）。このＤ１４１では、所有玉数が表示されると共に、前記Ｄ１２３と同様に、記憶している予約内容（各予約景品の予約ＩＤ，景品ＩＤ，優先順位，景品名，交換単価，交換玉数，及び予約個数）に基づいて、優先順位が高い順に、各予約景品の景品名，交換玉数，及び予約個数が表示され、かつ交換玉数が所有玉数以下である（即ち予約確定が可能な）各予約景品について、当該予約景品の予約を確定する予約確定操作を受け付けるための「確定」ボタンと、該「確定」ボタンが操作された予約景品の予約確定を実行するための「確定実行」ボタンとが表示される。本例では、所有玉数が１０００玉であり、各予約景品の交換玉数が２０００玉，７５０玉，及び１０００玉なので、交換玉数が７５０玉の景品（いくら５００ｇ）と１０００玉の景品（マスクメロン）について、「確定」ボタンが表示される。
【０２４９】
このＤ１４１の画面を表示するディスプレイ２４は予約確定操作受付手段の一例であって、所有遊技媒体数（所有玉数＝持玉数＋貯玉数）が予約受付手段にて選択された景品（予約景品）の交換遊技媒体数（交換玉数）に達したことを条件として、当該景品の予約を確定する予約確定操作を遊技者から受付可能とするものである。これによれば、持玉数を含む所有玉数が交換玉数に達した後に、遊技者の意思により予約確定操作を受け付けると、予約確定処理（Ｓ７８ｅ）において、交換玉数が所有玉数から減算されるので（図２３のＳ２０３）、遊技者が持玉数による遊技を継続することができなくなってしまうという問題が生じない。即ち持玉数が１０００玉であり、予約景品の交換玉数が１０００玉である状態で、遊技を終了する意思がある場合には、予約確定操作を行って持玉数が０になり、持玉数を遊技に使用できなくなっても、遊技者の意思に沿うので問題は生じず、遊技を継続する意思がある場合には、予約確定操作を行わなければ、持玉数を遊技に使用でき、遊技者の意思に沿うので、問題は生じない。
【０２５０】
また予約確定操作受付手段として機能するディスプレイ２４は、カードＲ／Ｗ２３により遊技者識別情報（会員ＩＤが記録された会員カード２又は景品会員ＩＤが記録された景品交換カード３）を受け付けたことを条件として、当該遊技者識別情報から特定される景品（本例では当該会員ＩＤの会員カード２又は当該景品会員ＩＤの景品交換カード３に記録されている予約景品）について予約確定操作を受付可能とするものである。これによれば、一のカードユニット２０において遊技者識別情報を受け付けると、他のカードユニット２０において予約され当該遊技者識別情報から特定可能とされた景品の予約を確定することができる（即ち景品の予約状態を引き継ぐことができる）ことにより、一のカードユニット２０に対応するパチンコ機１０から他のカードユニット２０に対応するパチンコ機１０に台移動しても景品の予約を再び行う必要がないので、遊技者の利便性を向上することができる。
【０２５１】
Ｓ７８ｃの処理を行ったカードユニット２０は、Ｄ１４１における一以上の「確定」ボタンの操作及び「確定実行」ボタンの操作を待機し（Ｓ７８ｄ）、該Ｓ７８ｄで一以上の「確定」ボタンの操作及び「確定実行」ボタンの操作が有ると（ＹＥＳ）、図２３に示す予約確定処理を行う（Ｓ７８ｅ）。
【０２５２】
まずカードユニット２０は、制御部２２のＲＡＭで記憶している持玉数と貯玉数の合算値である所有玉数が、Ｄ１４１で「確定」ボタンが操作された全ての予約景品の交換玉数の合算値以上であるか否かを判定する（Ｓ２０１）。このＳ２０１で所有玉数が当該全ての予約景品の交換玉数の合算値未満である（ＮＯ）と判定された場合には、所有玉数が不足しているので予約確定ができない旨をディスプレイ２４に表示し（Ｓ２０２）、該表示をしてから所定時間が経過すると、前記Ｓ７８ｃに戻る。例えばＤ１４１で、交換玉数が７５０玉の景品（いくら５００ｇ）と１０００玉の景品（マスクメロン）について「確定」ボタンが操作された場合には、所有玉数１０００玉が全予約景品の交換玉数の合算値１７５０玉未満なので、Ｓ２０２に進む。
【０２５３】
一方、Ｓ２０１で所有玉数が当該全ての予約景品の交換玉数の合算値以上である（ＹＥＳ）と判定された場合には、減算処理を行う（Ｓ２０３）。例えばＤ１４１で、交換玉数が７５０玉の景品（いくら５００ｇ）又は１０００玉の景品（マスクメロン）のいずれかについて「確定」ボタンが操作された場合には、所有玉数１０００玉が全予約景品の交換玉数の合算値７５０玉又は１０００玉未満なので、Ｓ２０３に進む。
【０２５４】
Ｓ２０３の減算処理では、制御部２２のＲＡＭで記憶している持玉数と貯玉数の合算値である所有玉数から、Ｄ１４１で「確定」ボタンが操作された全ての予約景品の交換玉数の合算値を減算する。このＳ２０３の処理を行う制御部２２は減算処理手段の一例であって、予約確定操作を受け付けたことを条件として、該予約確定操作を受け付けた景品の交換遊技媒体数（交換玉数）を所有遊技媒体数（所有玉数＝持玉数＋貯玉数）から減算するための減算処理を行うものである。
【０２５５】
この減算処理において、会員カード２を受付中で、所有玉数に貯玉数が含まれる場合には、持玉数よりも優先して貯玉数から減算する。この場合には、受付中の会員カードの会員ＩＤと減算する貯玉数とを含む貯玉額減算要求を、場内通信部２１ｂから会員管理装置６１に対して送信して、該貯玉額減算要求に含まれる会員ＩＤに対応付けて図１に示す貯玉ＤＢで管理されている貯玉額から該貯玉額減算要求に含まれる貯玉数に相当する額を減算した後の貯玉額を含む貯玉額減算完了通知が会員管理装置６１から送信されてくるのを待機し、該貯玉額減算完了通知を受信すると、当該貯玉額減算完了通知に含まれる減算後の貯玉額に相当する貯玉数（即ち貯玉額を当該カードユニット２０について予め設定されている交換単価（４円又は１円）で除算した値）を制御部２２のＲＡＭで記憶すると共に、交換玉数−貯玉数を制御部２２のＲＡＭで記憶している持玉数から減算する。例えば持玉数が５００玉，貯玉数が５００玉で、交換玉数の合算値が７５０玉である場合には、貯玉数から５００玉，持玉数から２５０玉を減算して、持玉数２５０玉が残るようにする。ここで持玉数よりも優先して貯玉数から減算するのは、前記Ｓ７３の貯玉再プレイ処理では手数料が徴収される一方、前記Ｓ７５の持玉返却処理では手数料が徴収されないので、遊技者に不利にならないようにするためである。
【０２５６】
Ｓ２０３の処理を行ったカードユニット２０は、予約確定操作を受け付けた予約景品（即ち確定対象）が配送景品であるか否かを判定する（Ｓ２０４）。このＳ２０４で、確定対象が配送景品である（ＹＥＳ）と判定されたものについては、当該配送景品の予約ＩＤを含む予約確定要求を、場外通信部２１ｃからセンタ景品管理装置７０に対して送信する一方（Ｓ２０５）、確定対象が配送景品でない（ＮＯ）、即ち場内景品であると判定されたものについては、当該場内景品の予約ＩＤを含む予約確定要求を、場内通信部２１ｂから場内景品管理装置６３に対して送信する（Ｓ２０６）。
【０２５７】
このＳ２０５の処理を行う場外通信部２１ｃ及びＳ２０６の処理を行う場内通信部２１ｂは景品提供処理手段の一例であって、予約確定操作を受け付けたことを条件として、予約確定操作を受け付けた景品を遊技者に提供するための景品提供処理を行うものであり、ここでは場内景品の予約確定操作を受け付けたことを条件として、当該場内景品を遊技者に提供するための処理（即ち予約確定要求を場内景品管理装置６３に送信する処理）を景品提供処理として行うと共に、配送景品の予約確定操作を受け付けたことを条件として、当該配送景品を遊技者に配送するための配送処理（配送情報登録処理）を行うセンタ景品管理装置７０に対して該配送処理を行うための配送情報（予約確定要求）を送信する処理を景品提供処理として行う。これによれば、場内景品と配送景品の両方に対応することができるので、場内景品を遊技場において遊技者に提供するという従来のスタイルの景品交換と共に、配送景品を配送することにより遊技者に提供するという新しいスタイルの景品交換も行うことができる。
【０２５８】
Ｓ２０５及び／又はＳ２０６の処理を行ったカードユニット２０は、センタ景品管理装置７０及び／又は場内景品管理装置６３から送信されてくる提供登録完了通知の受信（Ｓ２１１），予約停止情報の受信（Ｓ２１２），提供処理済通知の受信（Ｓ２１３），又は在庫零通知の受信（Ｓ２１４）を待機する。
【０２５９】
このＳ２１１で、センタ景品管理装置７０から送信されてくる提供登録完了通知の受信が有ると（ＹＥＳ）、該提供登録完了通知に含まれる予約確定ＩＤの各々について、当該予約確定ＩＤと、当該予約確定ＩＤに対応する一又は複数の予約景品である確定景品の予約ＩＤ，景品ＩＤ，景品名，交換単価，交換玉数，及び配送個数と、同一の配送区分，配送先情報，配送希望日時，及び問い合わせ先とを記録した配送レシート６（図３（ａ））を発行し、また場内景品管理装置６３から送信されてくる提供登録完了通知の受信が有ると（ＹＥＳ）、該提供登録完了通知に含まれる一又は複数の予約景品である確定景品の予約ＩＤ，景品ＩＤ，景品名，交換単価，交換玉数，及び予約個数と、予約ＩＤを示す予約ＩＤバーコード７ａとを記録した提供レシート７（図３（ｂ））を発行すると共に、各確定景品の予約ＩＤ，景品名，交換玉数，及び配送個数を、確定内容として制御部２２のＲＡＭで記憶し、かつ各確定景品の予約内容を制御部２２のＲＡＭから消去して、該消去した確定景品よりも優先順位が低い各予約景品の優先順位を繰り上げる（Ｓ２１５）。例えば優先順位が１位の予約景品について予約確定が行われると、優先順位が２位以下の各予約景品の優先順位を１つずつ繰り上げる。なお確定内容の記憶は、カード返却ボタン１６又は遊技終了ボタン（図示外）の操作が有ると（図２０のＳ６０でＹＥＳ）、消去される（同Ｓ６３）。
【０２６０】
またＳ２１２で予約停止情報の受信が有ると（ＹＥＳ）、該予約停止情報に含まれる景品ＩＤの景品が予約停止景品である旨をディスプレイ２４に表示する（Ｓ２１６）。またＳ２１３で提供処理済通知の受信が有ると（ＹＥＳ）、該提供処理済通知に含まれる景品ＩＤの景品が提供処理済である旨をディスプレイ２４に表示する（Ｓ２１７）。さらにＳ２１４で在庫零通知の受信が有ると（ＹＥＳ）、該在庫零通知に含まれる景品ＩＤの景品の在庫が無い旨をディスプレイ２４に表示する（Ｓ２１８）。
【０２６１】
Ｓ２１５，Ｓ２１６，Ｓ２１７，及びＳ２１８の処理を行ったカードユニット２０は、予約確定要求に含まれる全ての予約ＩＤに対応する景品ＩＤについての提供登録完了通知，予約停止情報，提供処理済通知，又は在庫零通知の受信を待機し（Ｓ２１９）、該Ｓ２１９で全ての景品ＩＤについての提供登録完了通知，予約停止情報，提供処理済通知，又は在庫零通知の受信が有ると（ＹＥＳ）、予約確定処理を終了して、メイン処理に戻る。
【０２６２】
次にカードユニット２０が行う確定取消処理を、図２４に示すフローチャートに基づき、図３１に示す画面図を参照しながら説明する。カードユニット２０は、図２０に示すように、図２７のＤ１１２ａ，Ｄ１１２ｂ，又はＤ１１２ｃに示すメニュー画面で「確定取消」ボタンの操作が有ると（Ｓ５９でＹＥＳ）、図２４に示す確定取消処理を行う（Ｓ７９）。
【０２６３】
まずカードユニット２０は、制御部２２のＲＡＭで確定内容の記憶が有るか否かを判定する（Ｓ３０１）。ここで制御部２２のＲＡＭで確定内容の記憶が有る場合とは、当該カードユニット２０で予約確定処理が行われて確定内容が記憶された場合（図２３のＳ２１５）である。このＳ３０１で確定内容の記憶が無い（ＮＯ）と判定された場合には、確定しているものが無い旨をディスプレイ２４に表示し（Ｓ３０２）、該表示をしてから所定時間が経過すると、確定取消処理を終了して、メイン処理に戻る。
【０２６４】
一方、Ｓ３０１で確定内容の記憶が有る（ＹＥＳ）と判定された場合には、取消済フラグの記憶が有るか否かを判定する（Ｓ３０３）。この取消済フラグは、当該カードユニット２０において当該遊技者により行われた予約確定の取消操作を１回に限って認めるために、後述するＳ３１３で制御部２２のＲＡＭに記憶されるものである。このように予約確定の取消操作を１回に限って認めるのは、例えば提供を受ける意思のない多数の景品について予約確定操作と取消操作とが行われると、景品交換システム１の処理負荷が過大になると共に、提供を受ける意思のない景品について予約確定操作が行われた結果、図１３（ｂ）の予約・確定累計数ＤＢに示す確定累計数が加算されて在庫数に達すると、当該景品の提供を受ける意思のある遊技者が予約確定を行うことができなくなってしまうという問題が生ずるからである。なお取消済フラグの記憶は、カード返却ボタン１６又は遊技終了ボタン（図示外）の操作が有ると（図２０のＳ６０でＹＥＳ）、消去される（同Ｓ６３）。このＳ３０３で取消済フラグの記憶が有る（ＹＥＳ）と判定された場合には、２回以上の取消はできない旨をディスプレイ２４に表示し（Ｓ３０２）、該表示をしてから所定時間が経過すると、確定取消処理を終了して、メイン処理に戻る。
【０２６５】
一方、Ｓ３０３で取消済フラグの記憶が無い（ＮＯ）と判定された場合には、図３１のＤ１４２に示す画面をディスプレイ２４に表示する（Ｓ３０５）。このＤ１４２では、所有玉数と、いずれか１つの予約確定を取り消すことができる旨とが表示されると共に、記憶している確定内容に基づいて、当該カードユニット２０で予約確定された各確定景品の景品名，交換玉数，及び個数が表示され、かつ各確定景品について、当該確定景品の予約確定の取消操作を受け付けるための「取消」ボタンが表示される。このＤ１４２の画面を表示するディスプレイ２４は取消操作受付手段の一例であって、景品提供処理（Ｓ２０５，Ｓ２０６）による景品の提供を取りやめるための取消操作を遊技者から受け付けるものである。
【０２６６】
Ｓ３０５の処理を行ったカードユニット２０は、Ｄ１４２におけるいずれかの「取消」ボタンの操作を待機し（Ｓ３０６）、該Ｓ３０６でいずれかの「取消」ボタンの操作が有ると（ＹＥＳ）、取消操作を受け付けた確定景品（即ち取消対象）が配送景品であるか否かを判定する（Ｓ３０７）。このＳ３０７で、取消対象が配送景品である（ＹＥＳ）と判定された場合には、当該配送景品の予約ＩＤを含む確定取消要求を、場外通信部２１ｃからセンタ景品管理装置７０に対して送信する一方（Ｓ３０８）、取消対象が配送景品でない（ＮＯ）、即ち場内景品であると判定された場合には、当該場内景品の予約ＩＤを含む確定取消要求を、場内通信部２１ｂから場内景品管理装置６３に対して送信する（Ｓ３０９）。
【０２６７】
Ｓ３０８又はＳ３０９の処理を行ったカードユニット２０は、センタ景品管理装置７０又は場内景品管理装置６３から送信されてくる取消完了通知の受信を待機し（Ｓ３１０）、該Ｓ３１０で取消完了通知の受信が有ると（ＹＥＳ）、加算処理を行う（Ｓ３１１）。Ｓ３１１の加算処理では、Ｄ１４２で「取消」ボタンが操作された確定景品の交換玉数を、制御部２２のＲＡＭで記憶している持玉数又は貯玉数に加算する。
【０２６８】
このＳ３１１の処理を行う制御部２２は加算処理手段の一例であって、取消操作を受け付けたことを条件として、当該取消操作の対象である景品の交換遊技媒体数（交換玉数）を所有遊技媒体数（所有玉数＝持玉数＋貯玉数）に加算するための処理を行うものである。これによれば、例えば予約確定操作を行った後に、残存する所有玉数を使い切ってしまったような場合に、該予約確定操作に基づく景品提供処理による景品の提供を取りやめるための取消操作を受け付けると、当該取消操作の対象である景品の交換玉数が所有玉数に加算されることにより、予約確定操作に使用した交換玉数を再び遊技に使用できるようになるので、遊技者の利便性を向上することができる。
【０２６９】
この加算処理において、取消操作の対象である確定景品の交換玉数のうち、持玉数から減算された分については持玉数に加算し、貯玉数から減算された分については貯玉数に加算する。このようにするのは、仮に貯玉数から減算された分を持玉数に加算すると、該加算分について持玉返却処理が行われた場合に、該加算分について貯玉再プレイ処理が行われた場合の手数料を徴収できなくなり、これの悪用（例えば提供の受ける意思のない景品について、貯玉数を使用して予約確定を行い、該予約確定を取り消して、交換玉数に相当する貯玉数を持玉数に加算する）が行われると、遊技場にとって著しく不利益になるからである。
【０２７０】
Ｓ３１１の処理を行ったカードユニット２０は、交換玉数を所有玉数に加算した旨をディスプレイ２４に表示して（Ｓ３１２）、前記取消済フラグを制御部２２のＲＡＭで記憶し（Ｓ３１３）、確定取消処理を終了して、メイン処理に戻る。
【０２７１】
次にカードユニット２０が行う確定可能報知処理を、図２５に示すフローチャートに基づき、図３１に示す画面図を参照しながら説明する。カードユニット２０は、図２０に示すように、持玉数加算処理が終了すると（Ｓ７４ａ）、図２５に示す確定可能報知処理を行う（Ｓ７４ｂ）。
【０２７２】
まずカードユニット２０は、制御部２２のＲＡＭで予約内容の記憶が有るか否かを判定する（Ｓ４０１）。このＳ４０１で予約内容の記憶が無い（ＮＯ）と判定された場合には、確定可能報知処理を終了して、メイン処理に戻る。一方、Ｓ４０１で予約内容の記憶が有る（ＹＥＳ）と判定された場合には、制御部２２のＲＡＭで記憶している順位カウンタｎを１つ加算し（Ｓ４０２）、前記記憶している予約内容に基づいて、該順位カウンタｎが示す優先順位までの予約景品を抽出して（Ｓ４０３）、制御部２２のＲＡＭで記憶している持玉数と貯玉数の合算値である所有玉数が、該抽出された全ての予約景品が交換可能な交換玉数も達したか否か（即ち所有玉数が抽出した全ての予約景品の交換玉数の合算値以上であるか否か）を判定する（Ｓ４０４）。このＳ４０４で所有玉数が当該全ての予約景品の交換玉数の合算値以上である（ＹＥＳ）と判定された場合には、Ｓ４０２に戻る。
【０２７３】
一方、Ｓ４０４で所有玉数が当該全ての予約景品の交換玉数の合算値未満である（ＮＯ）と判定された場合には、図３１のＤ１４３に示す画面をディスプレイ２４に表示する（Ｓ４０５）。このＤ１４３では、所有玉数と、前記順位カウンタｎが示す優先順位までの予約景品の予約確定が可能になった旨とが表示されると共に、記憶している予約内容（各予約景品の予約ＩＤ，景品ＩＤ，優先順位，景品名，交換単価，交換玉数，及び予約個数）に基づいて、前記順位カウンタｎが示す優先順位までの各予約景品の景品名，交換玉数，及び予約個数が表示され、かつ各予約景品について予約確定操作を受け付けるための「確定」ボタンと、該「確定」ボタンが操作された予約景品の予約確定を実行するための「確定実行」ボタンと、予約確定を実行しないための「ＳＫＩＰ」ボタンとが表示される。本例では、所有玉数が３０００玉であり、優先順位が１位の予約景品（ずわいがに）の交換玉数が２０００玉，優先順位が２位の予約景品（いくら５００ｇ）の交換玉数が７５０玉，優先順位が３位の予約景品（マスクメロン）の交換玉数が１０００玉なので、１位と２位の景品について「確定」ボタンが表示される。
【０２７４】
このＤ１４３を表示するディスプレイ２４は確定可能報知手段の一例であって、所有遊技媒体数（所有玉数＝持玉数＋貯玉数）が所定の優先順位（順位カウンタｎが示す優先順位）までの全景品が交換可能な交換遊技媒体数（交換玉数）に達したことを条件として、当該優先順位までの全景品の予約が確定可能になった旨を報知するものであると共に、該報知された全景品について予約確定操作を受付可能とする前記予約確定操作受付手段として機能するものである。
【０２７５】
Ｓ４０５の処理を行ったカードユニット２０は、前記順位カウンタｎをリセットして（Ｓ４０６）、Ｄ１４３における一以上の「確定」ボタンの操作及び「確定実行」ボタンの操作（Ｓ４０７），又は「ＳＫＩＰ」ボタンの操作（Ｓ４０８）を待機する。このＳ４０８で「ＳＫＩＰ」ボタンの操作が有ると（ＹＥＳ）、確定可能報知処理を終了して、メイン処理に戻る。
【０２７６】
一方、Ｓ４０７で一以上の「確定」ボタンの操作及び「確定実行」ボタンの操作が有ると（ＹＥＳ）、図２３に示す予約確定処理を行い（Ｓ４０９）、該予約確定処理が終了すると、確定可能報知処理を終了して、メイン処理に戻る。これによれば、所有玉数が所定の優先順位までの全景品が交換可能な交換玉数に達すると、当該優先順位までの全景品の予約が確定可能になった旨が報知されるので、遊技者が予約の確定を希望する優先順位の高い景品から予約を確定することができる。なおＤ１４３で全予約景品について予約確定操作が行われても、当該全予約景品の交換玉数の合算値は必ず所有玉数以下であるため、図２３に示す予約確定処理において、Ｓ２０１では必ずＹＥＳと判定される。
【０２７７】
次にカードユニット２０が行う優先表示景品表示処理を、図２６に示すフローチャートに基づき、図３１に示す画面図を参照しながら説明する。カードユニット２０は、図２０に示すように、確定可能報知処理が終了すると（Ｓ７４ｂ）、図２６に示す優先表示景品表示処理を行う（Ｓ７４ｃ）。
【０２７８】
まずカードユニット２０は、制御部２２のＲＡＭで記憶している表示景品のうち優先表示景品と設定されているもの（即ち優先表示フラグ１の表示景品）が有るか否かを判定する（Ｓ５０１）。このＳ５０１で優先表示景品と設定されているものが無い（ＮＯ）と判定された場合には、優先表示景品表示処理を終了して、メイン処理に戻る。一方、Ｓ５０１で優先表示景品と設定されているものが有る（ＹＥＳ）と判定された場合には、該優先表示景品を１つ抽出して（Ｓ５０２）、制御部２２のＲＡＭで記憶している持玉数と貯玉数の合算値である所有玉数が、該抽出された優先表示景品の交換玉数以上であるか否かを判定する（Ｓ５０３）。
【０２７９】
このＳ５０３で所有玉数が当該優先表示景品の交換玉数以上である（ＹＥＳ）と判定された場合には、当該優先表示景品を表示手段で表示する景品としてセットして（Ｓ５０４）、Ｓ５０５に進む。一方、Ｓ５０３で所有玉数が当該優先表示景品の交換玉数未満である（ＮＯ）と判定された場合にも、Ｓ５０５に進む。Ｓ５０５では、全ての優先表示景品の抽出を終了したか否かを判定する。このＳ５０５で全ての優先表示景品の抽出を終了していない（ＮＯ）と判定された場合には、Ｓ５０２に戻って次の優先表示景品を抽出する。
【０２８０】
一方、Ｓ５０５で全ての優先表示景品の抽出を終了した（ＹＥＳ）と判定された場合には、図３１のＤ１４４に示す画面をディスプレイ２４に表示する（Ｓ５０６）。このＤ１４４では、所有玉数と、おすすめ景品（優先表示景品）について予約確定が可能になった旨とが表示されると共に、記憶している景品情報に基づいて、Ｓ５０４でセットされた各優先表示景品の景品名，及び交換玉数が表示され、かつ各優先表示景品について予約確定操作を受け付けるための「確定」ボタンと、該「確定」ボタンが操作された予約景品の予約確定を実行するための「確定実行」ボタンと、予約確定を実行しないための「ＳＫＩＰ」ボタンとが表示される。
【０２８１】
このＤ１４４を表示するディスプレイ２４は、所有遊技媒体数（所有玉数＝持玉数＋貯玉数）が優先表示景品の交換遊技媒体数（交換玉数）に達したことを条件として、当該優先表示景品を表示する前記表示手段として機能するものであると共に、該優先表示景品が表示されたことを条件として、当該優先表示景品について予約確定操作を受付可能とする前記予約確定操作受付手段として機能するものである。
【０２８２】
Ｓ５０６の処理を行ったカードユニット２０は、Ｄ１４４における一以上の「確定」ボタンの操作及び「確定実行」ボタンの操作（Ｓ５０７），又は「ＳＫＩＰ」ボタンの操作（Ｓ５０８）を待機する。このＳ５０８で「ＳＫＩＰ」ボタンの操作が有ると（ＹＥＳ）、優先表示景品表示処理を終了して、メイン処理に戻る。
【０２８３】
一方、Ｓ５０７で一以上の「確定」ボタンの操作及び「確定実行」ボタンの操作が有ると（ＹＥＳ）、前記図３０のＤ１３２〜Ｄ１３５に示す画面をディスプレイ２４に表示して（Ｓ５０９）、Ｄ１３２で配送区分（遊技場又は自宅）の選択，Ｄ１３３で配送先情報の確認，Ｄ１３４で配送希望日時の入力，及びＤ１３５で配送先情報の入力を受け付ける。ただしＤ１３４では、「予約実行」ボタンに代えて「確定実行」ボタンを表示する。このＤ１３４で、「確定実行」ボタンの操作が有ると、図２３に示す予約確定処理を行い（Ｓ５１０）、該予約確定処理が終了すると、優先表示景品表示処理を終了して、メイン処理に戻る。これによれば、所有玉数が優先表示景品の交換玉数に達すると、該優先表示景品が表示されるので、効果的に景品交換を促すことができる。なおＤ１４４で複数の優先表示景品について予約確定操作が行われた結果、当該優先表示景品の交換玉数の合算値が所有玉数を超える場合には、図２３に示す予約確定処理において、Ｓ２０１でＮＯと判定され、Ｓ２０２の処理を行った後、Ｓ５０６に進む。
【０２８４】
また予約確定処理において、Ｓ２０５では、会員カード２又は景品交換カード３を受付中であれば、Ｄ１４１で選択された景品の景品ＩＤ及び予約個数（ここでは１個）と、Ｄ１３２で選択された配送区分（遊技場又は自宅）を示す情報と、遊技者特定情報である会員ＩＤ又は景品会員ＩＤと、Ｄ１３４で入力された配送希望日時を示す情報とを含む予約確定要求を、場外通信部２１ｃからセンタ景品管理装置７０に対して送信し、会員カード２又は景品交換カード３を受付中でなければ、Ｄ１４１で選択された景品の景品ＩＤ及び予約個数（ここでは１個）と、Ｄ１３２で選択された配送区分（遊技場又は自宅）を示す情報と、Ｄ１３５で入力された遊技者特定情報である配送先情報と、Ｄ１３４で入力された配送希望日時を示す情報とを含む予約確定要求を、場外通信部２１ｃからセンタ景品管理装置７０に対して送信する。さらに予約確定処理において、Ｓ２０６では、会員カード２又は景品交換カード３を受付中であるか否かに拘わらず、Ｄ１４１で選択された景品の景品ＩＤ及び予約個数（ここでは１個）を含む予約確定要求を、場内通信部２１ｂから場内景品管理装置６３に対して送信する。これらＳ２０５又はＳ２０６で送信する予約確定要求は、既に行われている予約の確定を要求するものではなく、新たに選択された景品の提供を要求するものであって、以下においては「第２の予約確定要求」と称する。
【０２８５】
次にＰＯＳ端末４０について説明する。ＰＯＳ端末４０は、遊技場内における景品交換カウンタに設けられ、図１に示すように接続される通信部４１，制御部４２，ディスプレイ４３，入力装置４４，及びバーコードリーダ４５等を有するコンピュータであり、図３２に示すような外観を呈する。
【０２８６】
通信部４１は、会員管理装置６１，計数値管理装置６２，及び場内景品管理装置６３と通信可能に接続されている。制御部４２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、ＰＯＳ端末４０に備えられる各構成要素の動作を制御して各種の処理を行うものである。
【０２８７】
ディスプレイ４３は、各種の情報を表示する表示デバイスであって、例えば液晶ディスプレイであり、入力装置４４は、各種の情報の入力を受け付ける入力デバイスであって、例えばキーボードやマウスである。バーコードリーダ４５は、計数レシート５に記録されている計数バーコード５ａ，会員カード２に記録されているバーコード，提供レシート７に記録されている予約ＩＤバーコード７ａ，及び場内景品に付されているバーコードを読み取るものである。
【０２８８】
このＰＯＳ端末４０が行う減算処理，提供レシート受付処理，及び予約不能景品提供処理については、図３５を参照して後述する。
【０２８９】
次に予約確定端末５０について説明する。予約確定端末５０は、遊技場内における景品交換カウンタに設けられ、図１に示すように接続される通信部５１，制御部５２，ディスプレイ５３，入力装置５４，配送レシートプリンタ５６，及びカードＲ／Ｗ５７等を有するコンピュータであり、図３３に示すような外観を呈する。
【０２９０】
この予約確定端末５０は、前記減算処理を行うＰＯＳ端末４０と別個に設けられ、該減算処理が行われたか否かに拘わらず、後述する予約確定処理において、予約確定要求を送信する（つまりＰＯＳ端末４０と予約確定端末５０とが連動していない）ものである。このように、予約確定端末５０がＰＯＳ端末４０と別個に設けられ、該ＰＯＳ端末４０と連動していないのは、現状において、ＰＯＳ端末４０はほぼ全ての遊技場に既に設けられており、後付の予約確定端末５０と連動させようとした場合には、ＰＯＳ端末４０側のインターフェイスを改造しなければならないが、複数存在する全てのＰＯＳ端末４０のメーカがインターフェイスの改造に対応するとは限らないし、予約確定端末５０としても各メーカのＰＯＳ端末４０に対応して連動するものを製造するとコストが高くなってしまうからである。
【０２９１】
通信部５１は、前述の如く、ルータ６４及び図示しないインターネットを介して、センタ景品管理装置７０の通信部７１と通信可能に接続されている。制御部５２は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、予約確定端末５０に備えられる各構成要素の動作を制御して各種の処理を行うものである。このＥＥＰＲＯＭでは、店員を個々に識別可能な店員識別情報である店員ＩＤと、当該店員の暗証番号とが、対応付けて記憶されている。
【０２９２】
ディスプレイ５３は、各種の情報を表示する表示デバイスであって、例えば液晶ディスプレイであり、入力装置５４は、各種の情報の入力を受け付ける入力デバイスであって、例えばキーボードやマウスである。配送レシートプリンタ５６は、図３（ａ）に示す配送レシート６を印刷し、配送レシート排出口５６ａから排出して発行するものである。カードＲ／Ｗ５７は、カード挿入口５７ａから会員カード２の挿入を受け付けて、該会員カード２のＩＣチップから会員ＩＤ及び予約内容を読み取り、またカード挿入口５７ａから景品交換カード３の挿入を受け付けて、該景品交換カード３のＩＣチップから景品会員ＩＤ及び予約内容を読み取るものである。
【０２９３】
ここで図３４を参照して、ディスプレイ５３に表示される画面について説明する。この予約確定端末５０は、遊技場の店員が操作するものである。まず初期状態では、Ｄ１５１に示すログイン画面が表示される。このＤ１５１では、当該予約確定端末５０を操作する店員の店員ＩＤと暗証番号の入力欄が表示されており、該店員が入力装置５４を操作して、店員ＩＤと暗証番号を入力してログインボタン（図示外）を操作すると、該入力された店員ＩＤ及び暗証番号と、制御部５２のＥＥＰＲＯＭで記憶している店員ＩＤ及び暗証番号とが照合され、照合ＯＫであれば、Ｄ１５２に示すメニュー画面が表示される。このＤ１５２では、メニューを選択するためのボタンとして、「景品パッケージ選択」ボタン，「景品配送（予約確定）」ボタン，及び「配送取消」ボタンが表示される。
【０２９４】
このＤ１５２で、「景品パッケージ選択」ボタンを操作すると、センタ景品管理装置７０に対して、図１１に示す景品パッケージＤＢで記憶（設定）されている景品パッケージ情報の送信が要求され、該センタ景品管理装置７０から、景品パッケージＤＢで記憶（設定）されているすべての景品パッケージについて、景品提供業者，景品パッケージＩＤ，及び景品パッケージ名とを受信すると、それらが一時的に記憶されて、Ｄ１５３に示す画面が表示される。このＤ１５３では、前記記憶している景品提供業者を示す景品提供業者ボタンが表示される。このＤ１５３で、遊技場が希望する景品提供業者に対応する景品提供業者ボタン（ここではＸ社）を操作すると、Ｄ１５４で、前記記憶している景品パッケージのうち、該操作された景品提供業者ボタンに対応する景品提供業者が提供する景品パッケージの景品パッケージ名を示す景品パッケージボタンが表示される。
【０２９５】
このＤ１５４で、遊技場が希望する景品パッケージに対応する景品パッケージボタンを操作すると、センタ景品管理装置７０に対して、該操作された景品パッケージボタンに対応する景品パッケージの景品パッケージＩＤが送信され、該センタ景品管理装置７０から、当該景品パッケージＩＤに対応付けて図１１に示す景品パッケージＤＢで登録されている景品ＩＤの全景品（即ち景品パッケージに含まれる全景品）について、図１０に示す景品情報ＤＢから抽出した景品名，詳細情報，及び価格を示す景品リストを受信すると、Ｄ１５５に示す画面で、該受信した景品リストが表示される。
【０２９６】
このＤ１５５で、入力装置に設けられている決定ボタンを操作すると、Ｄ１５３で操作されたボタンに対応する景品提供業者及びＤ１５３で操作されたボタンに対応する景品パッケージ（即ち遊技場が希望する景品提供業者及び景品パッケージ）の景品パッケージＩＤを含み、当該景品パッケージを選択する旨の景品パッケージ登録要求が、センタ景品管理装置７０に対して送信される。このように、遊技場は、景品の種別や交換玉数から検索可能な景品を含む景品パッケージ（例えば「水産物Ａ」，「オススメ食品Ａ」，「タバコＡ」，「得々景品Ａ」等）と、パッケージ景品表示処理の対象となる景品パッケージ（例えば「アイスクリームフェア」，「夏期限定フェア」等）の両方から、希望する景品パッケージを選択することができる。
【０２９７】
前記Ｄ１５２で、「景品配送（予約確定）」ボタンを操作すると、Ｄ１５６に示す画面が表示される。このＤ１５６では、会員カード２又は景品交換カード３の挿入を促す旨が表示され、カードＲ／Ｗ５７による会員カード２又は景品交換カード３の受付が有ると、Ｄ１５７に示す画面が表示される。このＤ１５７では、受け付けた会員カード２又は景品交換カード３から読み取った予約内容（各予約景品の予約ＩＤ，景品ＩＤ，優先順位，景品名，交換単価，交換玉数，及び予約個数）に基づいて、優先順位が高い順に、各予約景品の景品名，交換玉数，及び予約個数が表示され、かつ各予約景品について、当該予約景品の予約を確定する予約確定操作を受け付けるための「確定」ボタンと、該「確定」ボタンが操作された予約景品の予約確定を実行するための「確定実行」ボタンとが表示される。なお前述の如く、ＰＯＳ端末４０と予約確定端末５０とは連動していないので、各予約景品の交換玉数が遊技者の所有玉数以下であるか否か（即ち予約確定が可能で有るか否か）に拘わらず、全ての予約景品について「確定」ボタンが表示される。このＤ１５７で、一以上の「確定」ボタンの操作及び「確定実行」ボタンの操作が有ると、予約確定処理（図３５のＳ４２）を行うが、これについては後述する。
【０２９８】
前記Ｄ１５２で、「配送取消」ボタンを操作すると、センタ景品管理装置７０に対して、図１６に示す配送情報ＤＢで当該遊技場のデータテーブルに記憶されている配送情報の送信が要求され、該センタ景品管理装置７０から、該配送情報（予約確定ＩＤ，確定日時，予約ＩＤ，景品ＩＤ，景品名，交換単価，交換玉数，配送個数，配送区分，配送先情報，及び配送希望日時）を受信すると、Ｄ１５８に示す画面で、該受信した配送情報が表示される。このＤ１５８で、取消を希望する配送情報をクリックして選択すると、該配送情報の予約確定ＩＤを含む配送取消要求が、通信部５１からセンタ景品管理装置７０に対して送信される。
【０２９９】
なお、図示しないが、遊技場に設けられ、センタ景品管理装置７０と通信可能なパソコンにおいても、予約確定端末５０と同様に、景品パッケージの選択を受け付けることが可能であると共に、取消を希望する提供情報（配送情報）の指定を受け付けることが可能である。
【０３００】
具体的には、該パソコンにおいて、図３４のＤ１５１に示すのと同様のログイン画面が表示されている状態で、店員が入力装置を操作して、店員ＩＤと暗証番号を入力してログインボタン（図示外）を操作すると、該入力された店員ＩＤ及び暗証番号と、パソコンの制御部のＥＥＰＲＯＭで記憶している店員ＩＤ及び暗証番号とが照合され、照合ＯＫであれば、Ｄ１５２に示すのと略同様のメニュー画面（以下、説明の便宜上、「Ｄ１５２ａ」と称する。）が表示される。このＤ１５２ａでは、メニューを選択するためのボタンとして、「景品パッケージ選択」ボタン，及び「配送取消」ボタン（つまりＤ１５２から「景品配送（予約確定）」ボタンを除いたもの）が表示される。
【０３０１】
このＤ１５２ａで「景品パッケージ選択」ボタンを操作すると、予約確定端末５０において前記Ｄ１５２で「景品パッケージ選択」ボタンを操作したのと同様の処理（Ｄ１５３〜Ｄ１５５）が、当該パソコンにおいて行われて、Ｄ１５３で操作されたボタンに対応する景品提供業者及びＤ１５３で操作されたボタンに対応する景品パッケージ（即ち遊技場が希望する景品提供業者及び景品パッケージ）の景品パッケージＩＤを含み、当該景品パッケージを選択する旨の景品パッケージ登録要求が、センタ景品管理装置７０に対して送信される。またＤ１５２ａで「配送取消」ボタンを操作すると、予約確定端末５０において前記Ｄ１５２で「配送取消」ボタンを操作したのと同様の処理（Ｄ１５８）が、当該パソコンにおいて行われて、Ｄ１５８で選択された配送情報の予約確定ＩＤを含む配送取消要求が、センタ景品管理装置７０に対して送信される。
【０３０２】
次に、図３５〜図４１を参照して、第１実施形態に係る景品交換システム１の作用について説明する。以下においては、図３５をメインにして、各装置が行うサブルーチンを織り交ぜながら、景品交換システム１の作用について説明する。
【０３０３】
まず景品交換システム１は、前提として、図３５に示すＳ０１〜Ｓ０６の処理を行う。具体的には、配送管理装置８０は、図５（ａ）に示す景品情報ＤＢで記憶している景品情報，及び図５（ｂ）に示す景品パッケージＤＢで記憶している景品パッケージ情報を、センタ景品管理装置７０に対して送信し（Ｓ０１）、該センタ景品管理装置７０は、受信した景品情報を図１０に示す景品情報ＤＢで記憶すると共に、前記景品パッケージ設定手段である制御部７２により、受信した景品パッケージ情報を図１１に示す景品パッケージＤＢで記憶する（Ｓ０２）。
【０３０４】
またセンタ景品管理装置７０は、図７（ａ）に示すように、前記景品パッケージ設定手段であるディスプレイ７３及び入力装置７４により、景品パッケージが設定されると、該設定された景品パッケージの景品パッケージ情報を、図１１に示す景品パッケージＤＢで記憶すると共に、図７（ｂ）に示すように、前記景品パッケージ更新手段であるディスプレイ７３及び入力装置７４により、設定された景品パッケージに含まれる景品が更新されると、該更新された景品を、図１１に示す景品パッケージＤＢで記憶する（Ｓ０３）。これによれば、センタ景品管理装置７０において、景品の交換状況等に応じて、景品パッケージに含まれる景品を更新することができるので、景品交換をより促進することができる。なおＳ０３では、景品情報ＤＢにおいて、更新された景品のうち、削除された景品の景品ＩＤに対応付けて、前記景品パッケージが選択されている遊技場について、表示フラグ０（即ち当該景品が表示景品でない旨）を登録する。
【０３０５】
また予約確定端末５０は、図３４のＤ１５３〜Ｄ１５５に示すように、遊技場が希望する景品提供業者及び景品パッケージの選択を受け付けると（Ｓ０４）、該選択された景品パッケージの景品パッケージＩＤを含む景品パッケージ登録要求を、センタ景品管理装置７０に対して送信し（Ｓ０５）、該センタ景品管理装置７０は、前記景品パッケージ選択受付手段である通信部７１により、該景品パッケージ登録要求を受信して、図１１に示す景品パッケージＤＢにおいて、該景品パッケージ登録要求に含まれる景品パッケージＩＤに対応する当該遊技場の景品パッケージ選択フラグ１を登録する（Ｓ０６）。これによれば、センタ景品管理装置７０において、遊技場が希望する景品提供業者の景品パッケージの選択を受け付けることができるので、景品交換をより促進することができる。
【０３０６】
次に景品交換システム１は、遊技場の営業開始前に、図３５に示すＳ１０〜Ｓ１４の処理を行う。具体的には、センタ景品管理装置７０は、選択不能景品受付手段であるディスプレイ７３及び入力装置７４により、選択不能景品の指定を受け付けると、選択不能処理手段である制御部７２により、図１０に示す景品情報ＤＢにおいて、該指定された景品の景品ＩＤに対応付けて、前記Ｄ１４ａで選択した遊技場について、選択不能フラグ１（即ち当該景品が選択不能景品である旨）を登録すると共に、表示フラグ０（即ち当該景品が表示景品でない旨）を登録することにより、当該選択不能景品をカードユニット２０で選択不能とするための選択不能景品指定処理を行う（Ｓ１０）。またセンタ景品管理装置７０は、解除受付手段であるディスプレイ７３及び入力装置７４により、選択不能景品の解除の指定を受け付けると、制御部７２により、図１０に示す景品情報ＤＢにおいて、該指定された景品の景品ＩＤに対応付けて、前記Ｄ１４ａで選択した遊技場について、選択不能フラグ０（即ち当該景品が選択不能景品でない旨）を登録すると共に、表示フラグ１（即ち当該景品が表示景品である旨）を登録することにより、当該景品をカードユニット２０で選択可能とするための選択不能景品解除処理を行う（Ｓ１０）。
【０３０７】
そしてセンタ景品管理装置７０は、選択不能処理手段である通信部７１により、当該遊技場について選択された景品パッケージの景品パッケージ情報（ここでは景品パッケージＩＤ，大区分，小区分，景品パッケージ名，パッケージ景品表示フラグ，及び景品ＩＤ）と、該景品パッケージに含まれる景品から選択不能景品（即ち選択不能フラグ１が登録されている景品）を除いた景品の景品情報（ここでは景品ＩＤ，大区分，小区分，景品名，詳細情報，及び交換玉数）とを、当該遊技場に設けられるカードユニット２０で表示する景品の景品情報として、カードユニット２０に対して送信し（Ｓ１３）、該カードユニット２０は、当該選択不能景品を除いた景品を選択可能とするための処理を行う（Ｓ１４）。
【０３０８】
これによれば、センタ景品管理装置７０において、予め設定された複数の景品パッケージのうち、遊技場が希望する景品パッケージの選択を受け付け、該選択された景品パッケージに含まれる景品が当該遊技場に設けられるカードユニット２０で表示するための処理が行われるので、遊技場の客層や土地柄や季節に応じて、該遊技場が希望する景品を提供でき、遊技者に対して景品交換を促進することができると共に、前記選択された景品パッケージに含まれる景品のうち指定を受け付けた選択不能景品をカードユニット２０で選択不能とするための処理が行われるので、遊技場が希望しない景品は提供しないようにすることができ、遊技場側の利便性を向上することができる。例えば遊技場が選択した景品パッケージに含まれる前記配送景品と、遊技場が仕入れて提供している前記場内景品とが重複している場合において、場内景品の提供を継続する一方で配送景品の提供は行わない場合に、該配送景品を選択不能とすることができる。特に配送景品の価格と場内景品の価格とが異なる場合において、両景品をそのまま提供すると、同一景品について異なる価格で景品交換が行われるという不都合が生ずるが、本発明によれば、配送景品を選択不能景品とすることにより、かかる不都合を回避することができる。
【０３０９】
また選択不能景品の指定を解除することにより、該景品をカードユニット２０で選択可能とすることができるので、遊技場側の利便性をさらに向上することができる。例えば遊技場が選択不能景品と同一の前記場内景品の提供を取りやめる場合には、該選択不能景品の指定を解除することにより、該選択不能景品である配送景品を選択可能とすることができる。
【０３１０】
また配送管理装置８０は、図５（ａ）に示す景品情報ＤＢで記憶している景品情報のうち、新たに追加された景品と在庫数が変更された景品の景品情報を、在庫数情報として、センタ景品管理装置７０に対して送信し（Ｓ１１）、該センタ景品管理装置７０は、前記在庫数情報受付手段である通信部７１により、該在庫数情報を受信して、前記在庫数登録手段である制御部７２により、図１０に示す景品情報ＤＢにおいて、該在庫数情報が示す在庫数を登録して更新する（Ｓ１２）。これによれば、センタ景品管理装置７０において、受け付けた在庫数情報に基づいて在庫数の登録が行われるので、該登録作業の負担が軽減される。なお、在庫数がＮＵＬＬである景品については、在庫数を登録する必要がないので、登録作業の負担がさらに軽減される。またセンタ景品管理装置７０は、景品情報ＤＢで在庫数を登録して更新すると、前述の如く、図１５に示す上限値ＤＢにおいて、個別上限値を更新する（同Ｓ１２）。
【０３１１】
またセンタ景品管理装置７０は、前記景品表示処理手段である制御部７２及び前記景品情報送信手段である通信部７１により、当該遊技場について選択された景品パッケージの景品パッケージ情報（ここでは景品パッケージＩＤ，大区分，小区分，景品パッケージ名，パッケージ景品表示フラグ，及び景品ＩＤ）と、該景品パッケージに含まれる景品から予約停止景品（即ち予約停止フラグ１が登録されている景品）を除いた景品の景品情報（ここでは景品ＩＤ，大区分，小区分，景品名，詳細情報，及び交換単価４円と１円の交換玉数）とを、当該遊技場に設けられるカードユニット２０で表示する景品の景品情報として、カードユニット２０に対して送信し（Ｓ１３）、該カードユニット２０は、前記重複景品排除処理を行う（Ｓ１４）。
【０３１２】
これによれば、センタ景品管理装置７０において、予め設定された複数の景品パッケージのうち、遊技場が希望する景品パッケージの選択を受け付け、該選択された景品パッケージに含まれる景品が当該遊技場に設けられるカードユニット２０で表示するための処理が行われるので、遊技場の客層や土地柄や季節に応じて、該遊技場が希望する景品を提供でき、遊技者に対して景品交換を促進することができると共に、遊技場が希望する複数の景品パッケージに同一の景品が重複して含まれている場合であっても、該景品が１つのみ表示されるので、該景品が重複して表示されることがない。またセンタ景品管理装置７０からカードユニット２０に送信される景品情報から、予約停止景品の景品情報が除かれ、カードユニット２０において、該景品情報を受信した後は、予約停止景品を選択できなくなるので、遊技者による無駄な操作が無くなり、遊技者の利便性を向上できる。
【０３１３】
さらに場内景品管理装置６３は、図１７（ａ）に示す景品情報ＤＢで記憶している景品情報を、カードユニット２０に対して送信し（Ｓ１３ａ）、該カードユニット２０は、前記場内景品表示処理を行う（Ｓ１４ａ）
【０３１４】
次に景品交換システム１は、遊技場の営業中に、図３５に示すＳ２１〜Ｓ６４の処理を行う。まずカードユニット２０が、前記図２１に示す配送先登録処理を行い（Ｓ２１）、前記配送先登録要求を、センタ景品管理装置７０に対して送信すると（図２１のＳ８４）、該センタ景品管理装置７０は、図１３（ａ）に示す配送先ＤＢにおいて、受信した配送先登録要求に含まれる会員ＩＤ又は景品会員ＩＤに対応付けて配送先情報（氏名，郵便番号，住所，及び電話番号）を登録する（Ｓ２２）。
【０３１５】
またカードユニット２０が、前記図２２に示す景品予約処理を行い（Ｓ３１）、前記予約要求を、センタ景品管理装置７０に対して送信すると（図２２のＳ１１４）、該センタ景品管理装置７０は、図３６に示す予約内容登録処理を行う（Ｓ３２）。
【０３１６】
まずセンタ景品管理装置７０は、カードユニット２０から送信されてくる予約要求の受信を待機し（Ｓ１１０１）、該予約要求の受信が有ると（ＹＥＳ）、制御部７２により、上限値判定処理を行う（Ｓ１１０６）。この上限値判定処理を行う制御部７２は、前記未提供予約特定手段（制御部７２，未提供予約個数・価格ＤＢ）により特定された未提供予約個数又は未提供予約価値（未提供予約価格）と、前記上限値設定手段（制御部７２，上限値ＤＢ）により設定された上限値とに基づいて、当該予約を行う遊技者について予約が可能であるか否かを判定する上限値判定手段として機能するものである。
【０３１７】
この上限値判定処理を行う制御部７２は、図３７（ａ）に示すように、まずＳ１１５０で、上限値ＤＢにおいて上限値判定基準として個数が設定されているか否かを判定する。この第１実施形態では、図１２に示すように、上限値判定基準として個数が設定されているので、Ｓ１１５０でＹＥＳと判定されて、Ｓ１１５１に進む。なお第２実施形態では、図４４に示すように、上限値判定基準として価格が設定されているので、Ｓ１１５０でＮＯと判定されて、Ｓ１１７１に進むが、これについては後述する。
【０３１８】
Ｓ１１５１では、図１２に示す上限値ＤＢにおいて設定されている全体上限値である全体上限個数と、前記予約要求に含まれる遊技者特定情報に対応付けて図１５に示す未提供予約個数・価格ＤＢで記憶されている当該遊技者の全体未提供予約個数とが抽出される。具体的には、Ｓ１１０１で受信した予約要求が会員予約要求ならば、該会員予約要求に含まれる会員ＩＤ又は景品会員ＩＤに対応付けて未提供予約個数・価格ＤＢで記憶されている全体未提供予約個数が抽出され、Ｓ１１０１で受信した予約要求がビジタ予約要求ならば、該ビジタ予約要求に含まれる配送先情報に対応付けて未提供予約個数・価格ＤＢで記憶されている全体未提供予約個数が抽出される。なお未提供予約個数・価格ＤＢで当該遊技者特定情報が記憶されていない場合、即ち当該遊技者について当日に予約内容登録処理が行われていない場合には、当該遊技者の全体未提供予約個数として０が抽出される。
【０３１９】
次にＳ１１５２では、Ｓ１１５１で抽出された全体上限個数及び全体未提供予約個数と、前記予約要求に含まれる各景品の予約個数の合算値である全予約個数とに基づいて、全体上限個数−（全体未提供予約個数＋全予約個数）≧０の判定式ｐを満たすか否かで、当該遊技者について予約が可能であるか否かを判定する。このＳ１１５２の判定を行う制御部７２は、前記未提供予約特定手段（制御部７２，未提供予約個数・価格ＤＢ）により特定された全体未提供予約個数と、前記上限値設定手段（制御部７２，上限値ＤＢ）により設定された全体上限値とに基づいて、当該予約を行う遊技者について予約が可能であるか否かを判定する前記上限値判定手段として機能するものである。このＳ１１５２で、判定式ｐを満たす（ＹＥＳ）、即ち当該遊技者について予約が可能であると判定された場合には、Ｓ１１５３に進み、判定式ｐを満たさない（ＮＯ）、即ち当該遊技者について予約が可能でないと判定された場合には、Ｓ１１６１に進む。
【０３２０】
具体的には、図１２に示す上限値ＤＢにおいて、全体上限値として３０個が設定されている状態で、図１５に示す未提供予約個数・価格ＤＢにおいて、全体未提供予約個数として３個が特定されている、会員ＩＤがＡＭ−００００１である遊技者から、全予約個数が１個である予約要求が送信されてきた場合には、全体上限個数３０個−（全体未提供予約個数３個＋全予約個数１個）≧の判定式ｐを満たすので、Ｓ１１５３に進むが、全体未提供予約個数として３０個が特定されている、会員ＩＤがＡＭ−００００２である遊技者から、全予約個数が１個以上である予約要求が送信されてきた場合には、全体上限個数３０個−（全体未提供予約個数３０個＋全予約個数１個）≧の判定式ｐを満たさないので、Ｓ１１６１に進む。
【０３２１】
Ｓ１１５３では、前記予約要求に含まれる一又は複数の景品ＩＤのうちの一の景品ＩＤに対応付けて図１２に示す上限値ＤＢにおいて設定されている個別上限値である個別上限個数と、前記予約要求に含まれる遊技者特定情報に対応付けて図１５に示す未提供予約個数・価格ＤＢで記憶されている当該景品ＩＤの景品の個別未提供予約個数とが抽出される。具体的には、Ｓ１１０１で受信した予約要求が会員予約要求ならば、該会員予約要求に含まれる会員ＩＤ又は景品会員ＩＤに対応付けて未提供予約個数・価格ＤＢで記憶されている当該景品の個別未提供予約個数が抽出され、Ｓ１１０１で受信した予約要求がビジタ予約要求ならば、該ビジタ予約要求に含まれる配送先情報に対応付けて未提供予約個数・価格ＤＢで記憶されている当該景品の個別未提供予約個数が抽出される。なお未提供予約個数・価格ＤＢで当該景品ＩＤが記憶されていない場合、即ち当該景品ＩＤの景品について当日に予約内容登録処理が行われていない場合には、当該景品の個別未提供予約個数として０が抽出される。
【０３２２】
次にＳ１１５４では、Ｓ１１５３で抽出された当該景品の個別上限個数及び個別未提供予約個数と、前記予約要求に含まれる当該景品の予約個数とに基づいて、個別上限個数−（個別未提供予約個数＋予約個数）≧０の判定式ｑを満たすか否かで、当該遊技者について予約が可能であるか否かを判定する。このＳ１１５４の判定を行う制御部７２は、前記未提供予約特定手段（制御部７２，未提供予約個数・価格ＤＢ）により特定された個別未提供予約個数と、前記上限値設定手段（制御部７２，上限値ＤＢ）により設定された個別上限値とに基づいて、当該予約を行う遊技者について予約が可能であるか否かを判定する前記上限値判定手段として機能するものである。このＳ１１５４で、判定式ｑを満たす（ＹＥＳ）、即ち当該遊技者について予約が可能であると判定された場合には、Ｓ１１５５に進み、判定式ｑを満たさない（ＮＯ）、即ち当該遊技者について予約が可能でないと判定された場合には、Ｓ１１６１に進む。
【０３２３】
具体的には、図１２に示す上限値ＤＢにおいて、景品ＩＤがＫＸ−０００００２の景品の個別上限個数として１２個が設定されている状態で、図１５に示す未提供予約個数・価格ＤＢにおいて、当該景品の個別未提供予約個数として１０個が特定されている、会員ＩＤがＡＭ−００００３である遊技者から、当該景品の予約個数が２個以下（例えば２個）である予約要求が送信されてきた場合には、当該景品の個別上限個数１２個−（当該景品の未提供予約個数１０個＋当該景品の予約個数２個）≧０の判定式ｑを満たすので、Ｓ１１５３に進むが、当該遊技者から、当該景品の予約個数が３個以上（例えば３個）である予約要求が送信されてきた場合には、当該景品の個別上限個数１２個−（当該景品の未提供予約個数１０個＋当該景品の予約個数３個）≧の判定式ｑを満たさないので、Ｓ１１６１に進む。
【０３２４】
これによれば、未提供予約景品の各種類毎の個数と、個別上限値とに基づいて判定（Ｓ１１５４）が行われると共に、全未提供予約景品の個数と、全体上限値とに基づいて判定（Ｓ１１５２）が行われ、しかも個別上限値は全体上限値よりも低い値に設定されるので、悪質な遊技者が、複数種類の景品を多量に予約するいたずらや、１種類の景品を多量に予約するいたずらを、効果的に防止できる。ここで個別上限値を全体上限値よりも低い値に設定しているのは、通常、多種類の景品を予約する方が、１種類の景品を予約する方よりも、予約個数が多くなる点を考慮して、いたずらでない正規の遊技者による予約が正常に受け付けられるようにするためである。つまり、１種類の景品について多量に予約が行われると、いたずらの可能性が高いが、多種類の景品について多量に予約が行われても、いたずらでない場合（例えば１０種類の景品について各３個ずつ予約が行われる場合）もあるので、景品の種類によらない予約については、１種類の景品の予約よりも、比較的多くの予約を許容する一方で、１種類の景品の予約については、多くの予約を許容しないことにより、当該景品の在庫数が減少して正規の遊技者が予約できないといった事態を効果的に防止するためである。
【０３２５】
Ｓ１１５５では、予約要求に含まれる全ての景品ＩＤについてＳ１１５３の判定を行ったか否かを判定する。このＳ１１５５で全ての景品ＩＤについて判定を行っていない（ＮＯ）と判定された場合には、Ｓ１１５３に戻る。一方、Ｓ１１５５で全ての景品ＩＤについて判定を行った（ＹＥＳ）と判定された場合には、図３６に示す予約内容登録処理に戻って、Ｓ１１０７に進む。
【０３２６】
Ｓ１１６１では、上限値超え通知をカードユニット２０に対して返信して、Ｓ１１６２に進む。このＳ１１６１の処理は、上限値判定手段により予約が可能でないと判定されたことを条件として、該判定の対象となった遊技者について予約内容登録処理を不能化するための処理である。これによれば、予約を行う遊技者について特定される未提供予約景品の個数と、遊技者１人あたりについて設定された上限値とに基づいて、該遊技者について予約が可能であるか否かが判定され（Ｓ１１５２，Ｓ１１５４）、予約が可能でないと判定されると、予約内容登録処理が不能化されるので、悪質な遊技者が交換するつもりのない多量の景品を前記上限値を超えていたずらに予約することを防止でき、当該いたずらの予約により在庫数が減少して正規の遊技者が予約できないといった事態を防止できる。
【０３２７】
Ｓ１１６２では、Ｓ１１５２又はＳ１１５４で可能でないと判定された遊技者の遊技者特定情報を未提供予約個数・価格ＤＢから抽出して、当該遊技者特定情報に対応付けて未提供予約個数・価格ＤＢで記憶されている当日報知フラグが０であるか否かを判定する（Ｓ１１６３）。このＳ１１６３で当日報知フラグが０である（ＹＥＳ）と判定された場合には、当該遊技者特定情報に対応付けて未提供予約個数・価格ＤＢで記憶されている当日報知フラグを１に更新すると共に（Ｓ１１６４）、該記憶されている上限値超え回数に１を加算して（Ｓ１１６５）、該加算後の上限値超え回数が前記設定された（即ち未提供予約個数・価格ＤＢで記憶されている）上限値超え報知基準（ここでは３回）以上であるか否かを判定し（Ｓ１１６６）、このＳ１１６６で上限値超え回数が上限値超え報知基準以上である（ＹＥＳ）と判定された場合には、Ｓ１１６２で抽出した配送先情報と該上限値超え回数とをディスプレイ７３に表示して（Ｓ１１６７）、図３７（ａ）の上限値判定処理及び図３６の予約内容登録処理を終了する。なおＳ１１６６で上限値超え回数が上限値超え報知基準未満である（ＮＯ）と判定された場合には、図３７（ａ）の上限値判定処理及び図３６の予約内容登録処理を終了する。またＳ１１６３で当日報知フラグが１である（ＮＯ）、即ち当日に既にＳ１１６４，Ｓ１１６５の処理が行われていると判定された場合にも、Ｓ１１６４以下に進まずに、図３７（ａ）の上限値判定処理及び図３６の予約内容登録処理を終了する。
【０３２８】
ここでＳ１１６２の処理を行う制御部７２は、前記上限値判定手段（制御部７２，上限値ＤＢ）により予約が可能でないと判定された遊技者の遊技者特定情報を抽出する遊技者特定情報抽出手段として機能するものであり、ここでは予約が可能でないと判定されたことに基づいて、図１５に示す未提供予約個数・価格ＤＢで記憶している上限値超え回数を１日１回加算更新し、該上限値超え回数が上限値超え報知基準（ここでは３回）以上となったことを条件として、前記抽出した遊技者特定情報と該上限値超え回数をディスプレイ７３で表示する処理を行う。これによれば、いたずらの予約をした可能性がある遊技者の遊技者特定情報を抽出することができるので、該遊技者に対して適切な対処（例えば遊技場に連絡をして注意を促したり、該遊技者について予約を停止したり）をすることができる。
【０３２９】
図３７（ａ）に示す上限値判定処理（Ｓ１１０６）が終了して、図３６に示す予約内容登録処理に戻ると、前記予約要求に含まれる一又は複数の景品ＩＤの各々について、Ｓ１１０７及びＳ１１０９の判定を行う。具体的には、該予約要求に含まれる一の景品ＩＤから特定される景品が予約停止景品であるか否か、即ち図１０に示す景品情報ＤＢにおいて、該景品ＩＤに対応付けて予約停止フラグ１（即ち予約停止景品である旨）が登録されているか否かを判定する（Ｓ１１０７）。このＳ１１０７の判定を行う制御部７２は、Ｓ１１０６で受信した予約要求に含まれる景品ＩＤから特定される景品が前記予約停止景品受付手段にて指定を受け付けた予約停止景品であるか否かを判定する予約停止景品判定手段として機能するものである。
【０３３０】
このＳ１１０７で予約停止景品である（ＹＥＳ）と判定された場合には、該判定の対象となった景品ＩＤを含む予約停止情報をカードユニット２０に対して返信して（Ｓ１１０８）、Ｓ１１２２に進む。このＳ１１０７の処理を行う通信部７１は、前記予約停止景品受付手段にて指定を受け付けた景品の予約を停止するための予約停止情報をカードユニット２０に送信する予約停止情報送信手段として機能するものである。これによれば、不良品の発覚に応じて、センタ景品管理装置７０において、予約を停止する景品の指定を受け付けて、該景品の予約を迅速に停止することができるので、事後的な対処が必要となる予約の件数を低減でき、景品を提供する側の手間や遊技者の迷惑を低減できる。具体的には、景品の予約を停止することにより、該景品に相当する有価価値を返却する必要が無くなるので、遊技場の手間を低減でき、また該景品の代替品を提供する必要が無くなるので、景品提供業者の手間を低減できる。また予約要求を受信したことに基づいて、該予約要求に含まれる景品ＩＤから特定される景品が予約停止景品であれば、受動的に予約停止情報を返信するので、能動的に予約停止情報を送信する場合に比べて、処理の負荷が軽減される。
【０３３１】
一方、Ｓ１１０７で予約停止景品でない（ＮＯ）と判定された場合には、前記予約要求に含まれる一の景品ＩＤに対応付けて図１０に示す景品情報ＤＢで記憶している在庫数（以下、「在庫数ａ」と称する。）と、該景品ＩＤに対応付けて図１３（ｂ）に示す予約・確定累計数ＤＢで記憶している予約累計数（以下、「予約累計数ｂ」と称する。）と、該予約要求に含まれる予約個数（以下、「予約個数ｃ」と称する。）とに基づいて、在庫数ａ−（予約累計数ｂ＋予約個数ｃ）≧０の判定式ｘを満たすか否かで、景品の予約が可能であるか否かを判定する（Ｓ１１０９）。このＳ１１０９の判定を行う制御部７２は、在庫数登録手段に登録された在庫数ａと、予約個数集計手段により集計された予約個数（予約累計数ｂ）とに基づいて、景品の予約が可能であるか否かを判定すると共に、在庫数変更手段（通信部７１）にて在庫数の変更を受け付けたことを条件として、該変更を受け付けた後の在庫数ａと、予約個数集計手段により集計された予約個数（予約累計数ｂ）とに基づいて、景品の予約が可能であるか否かを判定する在庫数判定手段として機能するものである。
【０３３２】
このＳ１１０９で判定式ｘを満たさない（ＮＯ）、即ち景品の予約が可能でないと判定された場合には、該判定の対象となった景品ＩＤを含む在庫零通知をカードユニット２０に対して返信して（Ｓ１１１０）、Ｓ１１２２に進む。このＳ１１１０の処理は、在庫数判定手段により予約が可能でないと判定されたことを条件として、該判定の対象となった景品について予約内容登録処理を不能化するための処理である。これによれば、センタ景品管理装置７０において、予め登録された在庫数ａと、予約内容登録処理に供された予約個数の集計値である予約累計数ｂとに基づいて、景品の予約が可能であるか否かが判定され、予約が可能でないと判定されると、予約内容登録処理が不能化されるので、遊技者が予約をした景品を交換することができないという事態が生ずるおそれがない。
【０３３３】
またＳ１１１０の処理を行う通信部７１は、在庫数判定手段により予約が可能でないと判定されたことを条件として、該判定の対象となった景品の予約を停止するための予約停止情報である在庫零通知をカードユニット２０に送信する予約停止情報送信手段として機能するものであり、ここでは予約要求を受信したことに応じて、在庫零通知をカードユニット２０に送信するものである。これによれば、景品の在庫を管理する側において景品の在庫数に不測の変動が生じた場合であっても、センタ景品管理装置７０において、図３５の後述するＳ６３に示すように、当該景品の在庫数の変更を受け付けて、該変更を受け付けた後の在庫数ａと予約累計数ｂとに基づいて該景品の予約が可能でないと判定されると、該景品の予約を迅速に停止することができるので、事後的な対処が必要となる予約の件数を低減でき、景品を提供する側の手間や遊技者の迷惑を低減できる。具体的には、景品の予約を停止することにより、該景品に相当する有価価値を返却する必要が無くなるので、遊技場の手間を低減でき、また該景品の代替品を提供する必要が無くなるので、景品提供業者の手間を低減できる。また予約要求の受信に応じて、受動的に予約停止情報である在庫零通知を返信するので、能動的に予約停止情報を送信する場合に比べて、処理の負荷が軽減される。
【０３３４】
一方、Ｓ１１０９で判定式ｘを満たす（ＹＥＳ）、即ち景品の予約が可能であると判定された場合には、図１３（ｂ）に示す予約・確定累計数ＤＢにおいて、前記予約要求に含まれる景品ＩＤに対応付けて記憶している予約累計数ｂに、該予約要求に含まれる予約個数ｃを加算して（Ｓ１１１１）、Ｓ１１１２に進む。このＳ１１１１の処理を行う制御部７２は、各景品について、予約内容登録処理に供された予約個数（即ち予約・確定累計数ＤＢで記憶している予約累計数）を集計する予約個数集計手段として機能するものである。
【０３３５】
Ｓ１１１２では、予約ＩＤを生成し、図１４に示す予約情報ＤＢにおいて、該生成された予約ＩＤに対応付けて、予約情報として、前記予約要求に含まれる景品ＩＤと、該景品ＩＤに対応付けて図１０に示す景品情報ＤＢで記憶されている景品名，交換単価，及び交換玉数と、前記予約要求に含まれる予約個数，配送区分，遊技者特定情報である会員ＩＤ又は景品会員ＩＤと配送先情報，及び配送希望日時とを登録し（Ｓ１１１３）、図１５に示す未提供予約個数・価格ＤＢにおいて、前述した未提供予約個数・価格登録処理を行って（Ｓ１１１４）、Ｓ１１１５に進む。
【０３３６】
このＳ１１１３の処理を行う制御部７２は、予約要求送信手段（カードユニット２０の通信部）から送信されてきた予約要求に含まれる景品ＩＤから特定される景品を遊技者に提供（配送）するための予約処理を行う予約処理手段として機能すると共に、該予約要求に対応する予約を識別可能な予約ＩＤに対応付けて該予約要求に含まれる景品ＩＤを登録する予約内容登録処理を行う予約内容登録手段として機能するものであり、ここでは予約要求に含まれる景品ＩＤから特定される景品が複数であることに基づき、当該複数の景品の各々について予約ＩＤを割り当てて予約内容登録処理を行うものである。またＳ１１１３の処理を行う制御部７２は、遊技者を特定可能な遊技者特定情報（配送先情報）と予約内容登録処理に供された景品の景品ＩＤとを対応付けて登録する遊技者特定情報登録手段として機能するものである。さらにＳ１１１４の未提供予約個数・価格登録処理を行う制御部７２及び未提供予約個数・価格ＤＢは、前記未提供予約特定手段として機能するものである。
【０３３７】
Ｓ１１１５では、Ｓ１１１３において登録された予約ＩＤ，景品ＩＤ，景品名，交換単価，及び交換玉数を含む予約登録完了通知をカードユニット２０に対して返信し、Ｓ１１１６で、予約要求に含まれる全ての景品ＩＤについてＳ１１０７及びＳ１１０９の判定を行ったか否かを判定する。このＳ１１２２で全ての景品ＩＤについて判定を行っていない（ＮＯ）と判定された場合には、Ｓ１１０７に戻る。一方、Ｓ１１２２で全ての景品ＩＤについて判定を行った（ＹＥＳ）と判定された場合には、予約内容登録処理を終了する。
【０３３８】
図３５に戻り、カードユニット２０が、前記図２２に示す景品予約処理を行い（Ｓ３１）、前記予約要求を、場内景品管理装置６３に対して送信すると（図２２のＳ１１９）、該場内景品管理装置６３は、予約内容登録処理を行う（Ｓ３２ａ）。この予約内容登録処理は、前記図３６で説明したのと略同様の処理であるが、以下の各点が異なる。まずＳ１１０６の処理は行わない。またＳ１１０７では、図１７（ａ）に示す景品情報ＤＢにおいて、景品ＩＤに対応付けて予約停止フラグ１（即ち予約停止景品である旨）が登録されているか否かを判定する。またＳ１１０９では、予約要求に含まれる一の景品ＩＤに対応付けて図１７（ａ）に示す景品情報ＤＢで記憶している予約可能な在庫数（以下、「在庫数ａ」と称する。）と、該景品ＩＤに対応付けて図１７（ｂ）に示す予約・確定累計数ＤＢで記憶している予約累計数（以下、「予約累計数ｂ」と称する。）と、該予約要求に含まれる予約個数（以下、「予約個数ｃ」と称する。）とに基づいて、在庫数ａ−（予約累計数ｂ＋予約個数ｃ）≧０の判定式ｘを満たすか否かで、景品の予約が可能であるか否かを判定する。またＳ１１１１では、図１７（ｂ）に示す予約・確定累計数ＤＢにおいて、予約要求に含まれる景品ＩＤに対応付けて記憶している予約累計数ｂに、該予約要求に含まれる予約個数ｃを加算する。またＳ１１１３では、図１７（ｃ）に示す予約・確定情報ＤＢにおいて、Ｓ１１１２で生成された予約ＩＤに対応付けて、予約情報として、予約要求に含まれる景品ＩＤと、該景品ＩＤに対応付けて図１７（ａ）に示す景品情報ＤＢで記憶されている景品名，交換単価，及び交換玉数と、予約要求に含まれる予約個数と、確定フラグ０及び提供済フラグ０とを登録する。さらにＳ１１１４の処理は行わない。
【０３３９】
次にカードユニット２０が、前記図２３に示す予約確定処理を行い（Ｓ３３）、前記予約確定要求（又は第２の予約確定要求）を、センタ景品管理装置７０に対して送信すると（図２３のＳ２０５）、該センタ景品管理装置７０は、図３７に示す配送情報登録処理を行う（Ｓ３４）。
【０３４０】
まずセンタ景品管理装置７０は、カードユニット２０から送信されてくる予約確定要求（又は第２の予約確定要求）の受信を待機し（Ｓ１２０１）、該予約確定要求（又は第２の予約確定要求）の受信が有ると（ＹＥＳ）、該予約確定要求に含まれる一又は複数の予約ＩＤに対応付けて登録された景品ＩＤから特定される景品（又は第２の予約確定要求に含まれる景品ＩＤから特定される景品）の各々について、Ｓ１２０６，Ｓ１２０８，及びＳ１２１０の判定を行う。
【０３４１】
具体的には、該予約確定要求に含まれる一の予約ＩＤに対応付けて登録された景品ＩＤから特定される景品（又は第２の予約確定要求に含まれる景品ＩＤから特定される景品）が予約停止景品であるか否か、即ち図１０に示す景品情報ＤＢにおいて、該景品ＩＤに対応付けて予約停止フラグ１（即ち予約停止景品である旨）が登録されているか否かを判定する（Ｓ１２０６）。このＳ１２０６の判定を行う制御部７２は、予約確定要求に含まれる予約ＩＤに対応付けて登録された景品ＩＤ（又は第２の予約確定要求に含まれる景品ＩＤ）から特定される景品が前記予約停止景品受付手段（ディスプレイ７３及び入力装置７４）にて指定を受け付けた予約停止景品であるか否かを判定する提供判定手段として機能するものである。
【０３４２】
このＳ１２０６で予約停止景品である（ＹＥＳ）と判定された場合には、該判定の対象となった景品ＩＤを含む予約停止情報をカードユニット２０に対して返信して（Ｓ１２０７）、Ｓ１２１２ａに進む。これによれば、交換する景品の予約内容登録処理が行われた後に、該景品について予約が停止された場合であっても、該景品を遊技者に配送するための配送情報登録処理が行われないので、事後的な対処（有価価値の返却や代替品の提供等）が必要となる件数をさらに低減できる。つまり本実施形態によれば、予約停止景品については、前記Ｓ１１０７及びＳ１１０８で説明したように、予約要求を受信しても予約を受け付けないので、事後的な対処が必要となる件数を低減でき、また予約を受け付けていたとしても、Ｓ１２０６及びＳ１２０７で説明したように、予約確定要求を受信しても配送情報登録処理を行わないので、事後的な対処が必要となる件数をさらに低減できる。なお配送情報登録処理が行われている場合には、後述する図４０のＳ１４０３で配送先情報が抽出されるので、事後的な対処を行うことができる。
【０３４３】
一方、Ｓ１２０６で予約停止景品でない（ＮＯ）と判定された場合には、前記予約確定要求に含まれる予約ＩＤに対応付けて登録された景品ＩＤから特定される景品について配送情報登録処理が行われているか否か、即ち図１６に示す配送情報ＤＢにおいて、該予約確定要求に含まれる予約ＩＤが登録されているか否かを判定する（Ｓ１２０８）。このＳ１２０８の判定を行う制御部７２は、予約確定端末５０の通信部５１から送信されてきた予約確定要求を受信したことに基づいて、当該予約確定要求に含まれる予約ＩＤに対応付けて登録された景品ＩＤから特定される景品について配送情報登録処理が行われているか否かを判定する配送情報登録済判定手段として機能するものである。なお第２の予約確定要求を受信した場合には、当該第２の予約確定要求には予約ＩＤが含まれないので、Ｓ１２０８の判定は行わない。
【０３４４】
このＳ１２０８で予約ＩＤが配送情報ＤＢに登録されている（ＹＥＳ）と判定された場合には、該判定の対象となった予約ＩＤに対応付けて登録されている景品ＩＤを含む提供処理済通知を予約確定端末５０に対して返信して（Ｓ１２０９）、Ｓ１２１２ａに進む。これによれば、景品提供要求に含まれる予約識別情報に対応付けて登録された景品特定情報から特定される景品について、既に配送情報登録処理が行われていると、新たな配送情報登録処理は行われないので、１つの予約に対して複数回の配送情報登録処理が行われることがなく、遊技者に対して同じ景品が複数回提供されて遊技場が損をしてしまうおそれがない。
【０３４５】
一方、Ｓ１２０８で予約ＩＤが配送情報ＤＢに登録されていない（ＮＯ）と判定された場合には、前記予約確定要求に含まれる予約ＩＤに対応付けて登録された景品ＩＤ（又は第２の予約確定要求に含まれる景品ＩＤ）に対応付けて図１０に示す景品情報ＤＢで記憶している在庫数ａと、該景品ＩＤに対応付けて図１３（ｂ）に示す予約・確定累計数ＤＢで記憶している確定累計数（以下、「確定累計数ｂ’」と称する。）と、配送情報登録処理に供される配送個数ｃ’（即ち予約ＩＤ及び景品ＩＤに対応付けて図１４に示す予約情報ＤＢで記憶している予約個数（又は第２の予約確定要求に含まれる予約個数））とに基づいて、在庫数ａ−（確定累計数ｂ’＋配送個数ｃ’）≧０の判定式ｘ’を満たすか否かで、景品の予約確定が可能であるか否かを判定する（Ｓ１２１０）。このＳ１２１０の判定を行う制御部７２は、在庫数変更手段（通信部７１）にて変更を受け付けた後の在庫数ａと、提供個数集計手段（配送個数集計手段）にて集計された提供個数（配送個数）である確定累計数ｂ’とに基づいて、景品の提供（配送）が可能であるか否かを判定する提供可否判定手段（配送可否判定手段）として機能するものである。
【０３４６】
このＳ１２１０で判定式ｘ’を満たさない（ＮＯ）、即ち在庫数が変更されて減少した結果、景品の配送が可能でないと判定された場合には、該判定の対象となった景品ＩＤを含む在庫零通知をカードユニット２０に対して返信して（Ｓ１２１１）、Ｓ１２１２ａに進む。これによれば、交換する景品の予約内容登録処理が行われた後に、当該景品の在庫数の変更を受け付けた場合であっても、該変更を受け付けた後の在庫数ａと確定累計数ｂ’とに基づいて該景品の提供が可能でないと判定されると、該景品を遊技者に配送するための配送情報登録処理が行われないので、事後的な対処が必要となる件数をさらに低減できる。つまり本実施形態によれば、在庫数が変更されて減少した結果、予約や配送ができなくなった場合には、前記Ｓ１１０９及びＳ１１１０で説明したように、予約要求を受信しても予約を受け付けないので、事後的な対処が必要となる件数を低減でき、また予約を受け付けていたとしても、Ｓ１２１０及びＳ１２１１で説明したように、予約確定要求を受信しても配送情報登録処理を行わないので、事後的な対処が必要となる件数をさらに低減できる。なお配送情報登録処理が行われている場合には、後述する図４１のＳ１５０４で配送先情報が抽出されるので、事後的な対処を行うことができる。
【０３４７】
一方、Ｓ１２１０で判定式ｘ’を満たす（ＹＥＳ）、即ち景品の配送が可能であると判定された場合には、図１３（ｂ）に示す予約・確定累計数ＤＢにおいて、前記景品ＩＤに対応付けて記憶している確定累計数ｂ’に、前記配送個数ｃ’を加算して（Ｓ１２１２）、Ｓ１２１２ａに進む。本発明では、前記図３６のＳ１１０９で説明したように、在庫数を超えた予約は受け付けないので、在庫数が変更されていない場合には、Ｓ１２１０では常にＹＥＳと判定される。
【０３４８】
Ｓ１２１２ａでは、予約確定要求に含まれる全ての予約ＩＤ（又は第２の予約確定要求に含まれる全ての景品ＩＤ）についてＳ１２０６，Ｓ１２０８，及びＳ１２１０の判定を行ったか否かを判定する。このＳ１２１２ａで全ての予約ＩＤ（又は景品ＩＤ）について判定を行っていない（ＮＯ）と判定された場合には、Ｓ１２０６に戻る。一方、Ｓ１２１２ａで全ての予約ＩＤ（又は景品ＩＤ）について判定を行った（ＹＥＳ）と判定された場合には、Ｓ１２１３に進む。
【０３４９】
Ｓ１２１３では、Ｓ１２０６，Ｓ１２０８，及びＳ１２１０の判定でＹＥＳと判定された各予約ＩＤ（又は各景品ＩＤ）に対応する各景品を、配送元情報，配送先である配送区分及び配送先情報），及び配送時期である配送希望日時（以下、これらを「配送三条件」と称する。）が同一である景品毎の分類する景品分類処理を行って、Ｓ１２１４に進む。このＳ１２１３の景品分類処理を行う制御部７２は、配送元管理手段（図１０に示す景品情報ＤＢ）で管理している各景品の配送元情報に基づいて、予約確定要求から特定される複数の景品を、配送元情報が同一である景品毎に分類する景品分類手段として機能するものであり、ここでは当該複数の景品を、配送元情報及び配送先が同一である景品毎に分類し、かつ配送元情報及び配送時期が同一である景品毎に分類するものである。
【０３５０】
具体的には、図１４の予約情報ＤＢに示すように、１回目の予約操作で、配送先（自宅）及び配送時期（９月３日の２０〜２１時）が同一である３つの景品について予約が行われることにより、各景品に対してＹ−００００１，Ｙ−００００２，及びＹ−００００３の３つの予約ＩＤが割り当てられ、次に同一遊技者による２回目の予約操作で、１回目の予約操作とは配送先（遊技場）が異なる景品について予約が行われることにより、該景品に対してＹ−００００４の予約ＩＤが割り当てられ、さらに同一遊技者による３回目の予約操作で、１回目の予約操作とは配送時期（９月５日の１８〜２０時）が異なる景品について予約が行われることにより、該景品に対してＹ−００００５の予約ＩＤが割り当てられている状態で、カードユニット２０において、これら各予約ＩＤの予約景品について予約確定操作が受け付けられると、センタ景品管理装置７０は、Ｓ１２０１で、Ｙ−００００１，Ｙ−００００２，Ｙ−００００３，Ｙ−００００４，及びＹ−００００５の５つの予約ＩＤ（以下、それぞれを「予約１」，「予約２」，「予約３」，「予約４」，及び「予約５」と略記する。）を含む予約確定要求を受信する。
【０３５１】
ここでＳ１２０６，Ｓ１２０８，及びＳ１２１０の判定において、各予約ＩＤについてＹＥＳと判定された場合には、Ｓ１２１３で、例えば以下のようにして、景品分類処理を行う。まず予約１と配送三条件が同一のものを予約２〜予約５の中から検索し、ここでは予約３が同一であるので、該予約１の景品と予約３の景品とを分類１とする。次に予約２と配送三条件が同一のものを予約４又は予約５の中から検索し、ここでは同一のものがないので、該予約２を分類２とする。最後に残った予約４と予約５の配送三条件が同一であるか否かを判定し、ここでは同一ではないので、該予約４を分類３とし、該予約５を分類４とする。
【０３５２】
Ｓ１２１４では、前記予約確定要求を送信した遊技者の遊技者特定情報に対応付けて、Ｓ１２１３で分類された各分類の１つについて、当該分類の景品と配送三条件が同一である配送情報が図１６に示す配送情報ＤＢで既に登録されているか否かを判定する同一配送元判定を行う。このＳ１２１４の同一配送元判定を行う制御部７２は、予約確定要求送信手段から送信されてきた予約確定要求から特定される遊技者の遊技者特定情報に対応付けて、該予約確定要求から特定される景品と配送元情報が同一である配送情報が既に登録されているか否かを判定する同一配送元判定手段として機能するものであり、ここでは予約確定要求から特定される景品と配送元情報及び配送先が同一である配送情報が既に登録されているか否かを判定し、かつ予約確定要求から特定される景品と配送元情報及び配送時期が同一である配送情報が既に登録されているか否かを判定するものである。
【０３５３】
このＳ１２１４で登録されていない（ＮＯ）と判定された場合には、Ｓ１２１５で、当該分類について分類識別情報である予約確定ＩＤを生成して割り当て、Ｓ１２１６で、図１６に示す配送情報ＤＢにおいて、該割り当てた予約確定ＩＤに対応付けて、配送情報登録処理に関する配送情報として、該配送情報登録処理が行われた日時である確定日時と、予約確定要求に含まれる当該配送情報登録処理の対象となった一又は複数の予約ＩＤと、該予約ＩＤに対応付けて図１４に示す予約情報ＤＢで登録されている各景品の景品ＩＤ，景品名，交換単価，交換玉数，及び配送元と、同一の配送区分，遊技者特定情報である会員ＩＤ又は景品会員ＩＤと配送先情報（氏名，郵便番号，住所，及び電話番号），及び配送希望日時とを登録し、かつ配送指示済フラグ０（即ち当該配送情報を配送管理装置８０に送信していない旨）を登録して、Ｓ１２１８に進む。Ｓ１２１８では、Ｓ１２１３で分類された全ての分類についてＳ１２１６又は後述するＳ１２１７の登録が完了したか否かを判定する。このＳ１２１８で全ての分類について登録が完了していない（ＮＯ）と判定された場合には、Ｓ１２１４に戻る。
【０３５４】
このＳ１２１５，Ｓ１２１６，及びＳ１２１８の処理を行う制御部７２は、景品分類手段により分類された各分類について、当該分類を識別可能な分類識別情報（予約確定ＩＤ）を割り当て、該割り当てた分類識別情報に対応付けて該分類識別情報に対応する景品を遊技者に配送するための配送情報を登録するための配送情報登録処理を前記配送処理として行う配送情報登録手段として機能するものであり、ここでは予約確定要求に含まれる予約識別情報（予約ＩＤ）に対応付けて登録された景品特定情報（景品ＩＤ）から特定される景品を対象とした配送情報登録処理を行うものである。なお配送情報登録処理は、予約確定要求に含まれる予約ＩＤに対応付けて登録された景品ＩＤから特定される景品を遊技者に配送するための配送処理でもある。
【０３５５】
具体的には、前記Ｓ１２１３で分類１〜４に分類された場合には、Ｓ１２１５，Ｓ１２１６，及びＳ１２１８で、図１６に示す配送情報ＤＢにおいて、以下のようにして、配送情報登録処理を行う。まず分類１について、ＹＫ−００００１の予約確定ＩＤを生成して割り当て、配送情報ＤＢにおいて、該予約確定ＩＤを登録すると共に、該予約確定ＩＤに対応付けて、確定日時を登録し、分類１に含まれる予約１及び予約３の予約ＩＤ（Ｙ−００００１及びＹ−００００３）と、当該各予約ＩＤに対応付けて図１４に示す予約情報ＤＢで登録されている各景品の景品ＩＤ，景品名，交換単価，交換玉数，及び配送元と、同一の配送区分，遊技者特定情報である会員ＩＤ又は景品会員ＩＤと配送先情報（氏名，郵便番号，住所，及び電話番号），及び配送希望日時とを登録し、かつ配送指示済フラグ０を登録する。次に分類２について、ＹＫ−００００２の予約確定ＩＤを生成して割り当て、配送情報ＤＢにおいて、該予約確定ＩＤを登録すると共に、該予約確定ＩＤに対応付けて、確定日時を登録し、分類２に含まれる予約２の予約ＩＤ（Ｙ−００００２）と、当該予約ＩＤに対応付けて図１４に示す予約情報ＤＢで登録されている景品の景品ＩＤ，景品名，交換単価，交換玉数，及び配送元と、同一の配送区分，遊技者特定情報である会員ＩＤ又は景品会員ＩＤと配送先情報（氏名，郵便番号，住所，及び電話番号），及び配送希望日時とを登録し、かつ配送指示済フラグ０を登録する。次に分類３について、ＹＫ−００００３の予約確定ＩＤを生成して割り当て、配送情報ＤＢにおいて、分類２と同様に各項目を登録し、最後に分類４について、ＹＫ−００００４の予約確定ＩＤを生成して割り当て、配送情報ＤＢにおいて、分類２と同様に各項目を登録する。
【０３５６】
前記Ｓ１２１４で既に登録されている（ＹＥＳ）と判定された場合には、Ｓ１２１７で、当該既に登録されている配送情報に対応する予約確定ＩＤに対応付けて、Ｓ１２１４で判定の対象となった分類の景品の配送情報を登録する配送情報登録処理を行って、前記Ｓ１２１８に進む。このＳ１２１７の処理を行う制御部７２は、前記同一配送元判定手段により既に登録されていると判定されたことを条件として、当該既に登録されている配送情報に対応する分類識別情報（予約確定ＩＤ）に対応付けて、配送元情報が同一である景品の配送情報を登録する前記配送情報登録処理を行う配送情報登録手段として機能するものである。
【０３５７】
具体的には、例えば前記予約１について、ＹＫ−００００１の予約確定ＩＤが生成されて割り当てられ、配送情報ＤＢにおいて、各項目が既に登録されている状態で、Ｓ１２０１で、前記予約３を含む予約確定要求を受信した場合には、該予約３の景品と前記予約１の景品の配送三条件とが同一であることから、Ｓ１２１４でＹＥＳと判定されるので、Ｓ１２１７で、配送情報ＤＢにおいて、予約１に対応する予約確定ＩＤに対応付けて、予約３の予約ＩＤ（Ｙ−００００３）と、当該予約ＩＤに対応付けて図１４に示す予約情報ＤＢで登録されている各景品の景品ＩＤ，景品名，交換単価，交換玉数，及び配送元を登録する。
【０３５８】
前記Ｓ１２１８で全ての分類について登録が完了した（ＹＥＳ）と判定された場合には、Ｓ１２１９で、Ｓ１２１６で登録された各予約確定ＩＤ及びＳ１２１７で配送情報が新たに対応付けられた各予約確定ＩＤと、これら各予約確定ＩＤに対応する景品を特定可能な情報として、各予約確定ＩＤに対応付けて図１６に示す配送情報ＤＢで登録されている一又は複数の該景品の予約ＩＤ，景品ＩＤ，景品名，交換単価，交換玉数，及び配送個数と、同一の配送区分，配送先情報，及び配送希望日時とを含む提供登録完了通知を、カードユニット２０に対して送信して、Ｓ１２２０に進む。このＳ１２２０の処理を行う通信部７１は、各分類識別情報（予約確定ＩＤ）と各分類識別情報に対応する景品を特定可能な情報とを含む配送情報通知（提供登録完了通知）をカードユニット２０に対して送信する配送情報通知送信手段として機能するものである。この提供登録完了通知を受信したカードユニット２０では、前記図２３のＳ２１５で説明したように、該提供登録完了通知に含まれる予約確定ＩＤの各々について、当該予約確定ＩＤと、当該予約確定ＩＤに対応する一又は複数の景品の予約ＩＤ，景品ＩＤ，景品名，交換単価，交換玉数，及び配送個数と、同一の配送区分，配送先情報，配送希望日時，及び問い合わせ先とを記録した配送レシート６が発行される。
【０３５９】
以上に説明したように、遊技者により選択された各景品が配送元情報が同一である景品毎に分類され、該分類された各分類毎に割り当てられた各分類識別情報（予約確定ＩＤ）に対応付けて各予約確定ＩＤに対応する景品の景品情報が視認可能に記録された配送レシート６が発行されることにより、遊技者が交換を希望する景品の配送状況を確認する場合には、各予約確定ＩＤに対応する少なくとも１つの景品が到着したか否かを確認し（つまり予約確定ＩＤ単位で景品が到着したか否かを確認し）、到着していない景品に対応する予約確定ＩＤにより配送状況の問い合わせを行えば、当該予約確定ＩＤに対応する全ての景品の配送状況を確認することができる（つまり予約確定要求単位で確認を行うだけで良い）ので、遊技者の手間が軽減される。
【０３６０】
具体的には、図３（ａ）に示すように、１つの予約確定ＩＤに対応付けて２つの予約ＩＤ（２つの景品）が記録されている配送レシート６が発行されている場合には、遊技者が、当該予約確定ＩＤであるＹＫ−００００１により、問い合わせ先である景品センタに配送状況の問い合わせを行えば、該景品センタのオペレータが、当該予約確定ＩＤに対応付けて図１６に示す配送情報ＤＢで登録されている配送元に対して、当該予約確定ＩＤに対応する景品（即ち予約ＩＤがＹ−００００１である景品とＹ−００００３である景品）の配送状況の問い合わせを行い、該配送元のオペレータが、これらの景品の配送状況を確認して、景品センタのオペレータに連絡し、該連絡された配送状況が、前記遊技者に対して伝達されるので、当該予約確定ＩＤに対応する全ての景品の配送状況を確認することができる。また遊技者が、当該予約確定ＩＤであるＹＫ−００００１により、問い合わせ先である景品提供業者Ｘに配送状況の問い合わせを行えば、該景品提供業者Ｘのオペレータが、当該予約確定ＩＤに対応付けて図６（ａ）に示す配送情報ＤＢで登録されている配送元に対して、当該予約確定ＩＤに対応する景品（即ち予約ＩＤがＹ−００００１である景品とＹ−００００３である景品）の配送状況の問い合わせを行い、該配送元のオペレータが、これらの景品の配送状況を確認して、景品提供業者Ｘのオペレータに連絡し、該連絡された配送状況が、前記遊技者に対して伝達されるので、当該予約確定ＩＤに対応する全ての景品の配送状況を確認することができる。
【０３６１】
また予約確定要求から特定される複数の景品について異なる配送先（配送区分）が指定された場合であっても、配送元情報及び該配送先が同一である景品毎に分類され、該分類された各分類毎に予約確定ＩＤが割り当てられて配送レシート６が発行されるので、遊技者に同時に到着する景品の単位で容易に配送状況を確認することができる。
【０３６２】
また予約確定要求から特定される複数の景品について異なる配送時期（配送希望日時）が指定された場合であっても、配送元情報及び該配送時期が同一である景品毎に分類され、該分類された各分類毎に予約確定ＩＤが割り当てられて配送レシート６が発行されるので、遊技者に同時に到着する景品の単位で容易に配送状況を確認することができる。
【０３６３】
さらにＳ１２１７で説明したように、予約確定要求を複数回に分けて送信しても、予約確定要求から特定される景品と配送元情報が同一である配送情報が既に登録されている場合には、該既に登録されている配送情報に対応する予約確定ＩＤに対応付けて当該配送元情報が同一である景品の配送情報が登録されることにより、１つの予約確定ＩＤでより多くの景品の配送状況を確認することができるので、遊技者の手間がさらに軽減される。
【０３６４】
Ｓ１２２０では、図１４に示す予約情報ＤＢにおいて、該予約確定ＩＤが作成された予約ＩＤに対応する予約情報を消去し、Ｓ１２２１では、図１５に示す未提供予約個数・価格ＤＢにおいて、前述した未提供予約個数・価格減算処理を行って、配送情報登録処理を終了する。このＳ１２２１の未提供予約個数・価格減算処理を行う制御部７２及び未提供予約個数・価格ＤＢは、前記未提供予約特定手段として機能するものである。
【０３６５】
図３５に戻り、カードユニット２０が、前記図２３に示す予約確定処理を行い（Ｓ３３）、前記予約確定要求（又は第２の予約確定要求）を、場内景品管理装置６３に対して送信すると（図２３のＳ２０６）、該場内景品管理装置６３は、確定フラグ登録処理を行う（Ｓ３４ａ）。この確定フラグ登録処理は、予約確定要求を受信した場合には、図３８に示すＳ１２０６〜Ｓ１２１２ａと同様の処理（ただしＳ１２０８及びＳ１２０９の処理は除く）を行った後に、図１７（ｃ）に示す予約・確定情報ＤＢにおいて、該受信した予約確定要求に含まれる予約ＩＤに対応付けて確定フラグ１を登録する処理であり、また第２の予約確定要求を受信した場合には、図３８に示すＳ１２０６〜Ｓ１２１２ａと同様の処理（ただしＳ１２０８及びＳ１２０９の処理は除く）を行った後に、予約ＩＤを生成し、図１７（ｃ）に示す予約・確定情報ＤＢにおいて、該生成された予約ＩＤに対応付けて、予約確定要求に含まれる景品ＩＤと、該景品ＩＤに対応付けて図１７（ａ）に示す景品情報ＤＢで記憶されている景品名，交換単価，及び交換玉数と、予約要求に含まれる予約個数と、確定フラグ１及び提供済フラグ０とを登録する処理である。換言すれば、第２の予約確定要求を受した場合の確定フラグ登録処理は、予約内容登録処理（Ｓ３２ａ）に加えて、確定フラグ１を登録する処理である。
【０３６６】
次にカードユニット２０が、前記図２４に示す確定取消処理を行い（Ｓ３５）、前記確定取消要求を、センタ景品管理装置７０に対して送信すると（図２４のＳ３０８）、該センタ景品管理装置７０は、配送情報取消処理を行う（Ｓ３６）。この配送情報取消処理は、図１６に示す配送情報ＤＢにおいて、該受信した確定取消要求に含まれる予約ＩＤに対応する配送情報を取り消すと共に、当該予約ＩＤを含む取消完了通知をカードユニット２０に対して返信する処理である。
【０３６７】
またカードユニット２０が、前記図２４に示す確定取消処理を行い（Ｓ３５）、前記確定取消要求を、場内景品管理装置６３に対して送信すると（図２４のＳ３０９）、該場内景品管理装置６３は、確定フラグ取消処理を行う（Ｓ３６ａ）。この確定フラグ取消処理は、図１７（ｃ）に示す予約・確定情報ＤＢにおいて、該受信した確定取消要求に含まれる予約ＩＤに対応する確定フラグを１から０に変更する（即ち確定フラグ１を取り消す）と共に、当該予約ＩＤを含む取消完了通知をカードユニット２０に対して返信する処理である。
【０３６８】
またカードユニット２０は、前記図２５に示す確定可能報知処理を行い（Ｓ３６）、前記図２６に示す優先表示景品表示処理を行う（Ｓ３７）
【０３６９】
次にＰＯＳ端末４０が行う減算処理（Ｓ４１）と予約確定端末５０が行う予約確定処理（Ｓ４２）について説明する。予約確定端末５０において、前述の如く、カードＲ／Ｗ５７により会員カード２又は景品交換カード３を受け付けて、図３４のＤ１５７に示す画面が表示されている状態で、該表示されている一以上の予約景品の予約を確定する場合には、まずＰＯＳ端末４０により減算処理を行い、次に予約確定端末５０により予約確定処理を行う。
【０３７０】
まず減算処理では、ＰＯＳ端末４０は、予約を確定する予約景品の交換玉数の全部又は一部を計数値から減算することを遊技者が希望する場合において、バーコードリーダ４５により計数レシート５の計数バーコード５ａを読み取り、該計数バーコード５ａが示す計数ＩＤ及び計数値を含む計数値確認要求を計数値管理装置６２に対して送信して、該計数値確認要求に含まれる計数ＩＤに対応付けて図１に示す計数値ＤＢで管理されている計数値と該計数値確認要求に含まれる計数値とが一致するか否かの判定を行う計数値管理装置６２から計数値が一致する旨を示す計数値一致情報が送信されてくるのを待機し、該計数値一致情報を受信すると、前記計数バーコード５ａが示す計数値を制御部４２のＲＡＭで記憶する、計数値取得処理を行う。
【０３７１】
またＰＯＳ端末４０は、予約を確定する予約景品の交換玉数に相当する額の全部又は一部を貯玉額から減算することを会員遊技者が希望する場合において、バーコードリーダ４５により会員カード２のバーコードを読み取り、該バーコードが示す会員ＩＤを含む貯玉額取得要求を会員管理装置６１に対して送信して、該貯玉額取得要求に含まれる会員ＩＤに対応付けて図１に示す貯玉ＤＢで管理されている貯玉額を含む貯玉額情報が会員管理装置６１から送信されてくるのを待機し、該貯玉額情報を受信すると、該貯玉額情報に含まれる貯玉額に相当する貯玉数（即ち貯玉額を予約景品の交換単価（４円又は１円）で除算した値）を制御部４２のＲＡＭで記憶する、貯玉額取得処理を行う。
【０３７２】
次にＰＯＳ端末４０は、予約を確定する予約景品の交換玉数の全部又は一部を計数値から減算する場合において、該減算する交換玉数である減算玉数が入力されると、減算処理として、該減算玉数を制御部４２のＲＡＭで記憶している計数値から減算する。なお該減算を行った後に制御部４２のＲＡＭで記憶している残余の計数値は、後述する予約不能景品提供処理（Ｓ４７）において、予約不能な場内景品との交換に使用することができ、また会員遊技者が希望する場合には、該計数値に相当する額を貯玉額に加算することができる。
【０３７３】
またＰＯＳ端末４０は、予約を確定する予約景品の交換玉数に相当する額の全部又は一部を貯玉額から減算する場合において、減算する交換玉数である減算玉数が入力されると、減算処理として、バーコードリーダ４５により会員カード２から読み取ったバーコードが示す会員ＩＤと該減算玉数に相当する減算額とを含む貯玉額減算要求を会員管理装置６１に対して送信して、該貯玉額減算要求に含まれる会員ＩＤに対応付けて図１に示す貯玉ＤＢで管理されている貯玉額から該貯玉額減算要求に含まれる減算額を減算した後の貯玉額を含む貯玉額減算完了通知が会員管理装置６１から送信されてくるのを待機し、該貯玉額減算完了通知を受信すると、当該貯玉額減算完了通知に含まれる減算後の貯玉額に相当する貯玉数（即ち貯玉額を予約景品の交換単価（４円又は１円）で除算した値）を制御部４２のＲＡＭで記憶する。
【０３７４】
この減算処理が終了した後に、前記図３４のＤ１５７で、一以上の「確定」ボタンの操作及び「確定実行」ボタンの操作が有ると、予約確定処理（Ｓ４２）を行う。この予約確定処理では、予約確定端末５０は、前記図２３に示すＳ２０４以下の処理を行うが、Ｓ２１５では、提供レシート７の発行及び確定内容の記憶は行わない。ここで提供レシート７を発行しないのは、前述の如く、その場で場内景品が提供されるからである。また確定内容を記憶しないのは、予約確定端末５０では確定景品の予約確定の取消操作を受け付けないからである。
【０３７５】
以上に説明したように、この景品交換システム１では、遊技者が景品を選択して予約するカードユニット２０と、センタ景品管理装置７０又は場内景品管理装置６３において該予約を確定して景品を遊技者に提供するための予約確定要求を送信する予約確定端末５０とが別個に設けられていることにより、遊技者がパチンコ玉の獲得に拘わらず気軽に景品を予約しておくことができるので、景品交換を促進できる。また本実施形態では、該予約確定端末５０とＰＯＳ端末４０とが共に景品交換カウンタに設けられており、ＰＯＳ端末４０における減算処理（Ｓ４１）と予約確定端末５０における予約確定処理（Ｓ４２）とが略同時に行われることから、予約確定端末５０で景品の選択をさせると景品交換が滞って遊技者に迷惑がかかるが、カードユニット２０で先に景品を予約（選択）させておくことができるので、景品交換が滞ることもない。
【０３７６】
この予約確定端末５０が、予約確定処理を行い（Ｓ４２）、前記予約確定要求を、センタ景品管理装置７０に対して送信すると（図２３のＳ２０５）、該センタ景品管理装置７０は、配送情報登録処理を行う（Ｓ４３）。この配送情報登録処理は、前記Ｓ３４で説明した配送情報登録処理と同様の処理である。これにより、予約が確定された配送景品が、配送により遊技者に提供される。
【０３７７】
また予約確定端末５０が、予約確定処理を行い（Ｓ４２）、前記予約確定要求を、場内景品管理装置６３に対して送信すると（図２３のＳ２０６）、該場内景品管理装置６３は、確定フラグ登録処理及び提供済フラグ登録処理を行う（Ｓ４３ａ）。この確定フラグ登録処理は、前記Ｓ３６ａで説明した確定フラグ登録処理と同様の処理である。また提供済フラグ登録処理は、図１７（ｃ）に示す予約・確定情報ＤＢにおいて、予約が確定された予約景品の予約ＩＤに対応付けて、提供済フラグ１を登録する処理である。これにより、予約確定端末５０にて予約が確定された場内景品が、その場で遊技者に提供される。
【０３７８】
次にセンタ景品管理装置７０が行う配送停止処理（Ｓ４４）について、図３９を参照して説明する。センタ景品管理装置７０は、予約確定端末５０から送信されてくる配送取消要求（図３４のＤ１５８）の受信を待機している（Ｓ１３０１）。この配送取消要求を受信する通信部７１は、前記配送情報登録手段にて登録された配送情報のうち、取消を希望する配送情報の指定を遊技場から受け付ける取消指定受付手段として機能するものである。
【０３７９】
このＳ１３０１で配送取消要求の受信が有ると（ＹＥＳ）、該配送取消要求に含まれる予約確定ＩＤに対応付けて図１６に示す配送情報ＤＢで登録されている配送指示済フラグが１であるか否か（即ち当該予約確定ＩＤに対応する配送情報を配送管理装置８０に送信しているか否か）を判定する（Ｓ１３０２）。
【０３８０】
このＳ１３０２で配送指示済フラグが０である（ＮＯ）、即ち当該配送情報を配送管理装置８０に送信していないと判定された場合には、配送情報に対応する景品の配送を停止するための処理として、図１６に示す配送情報ＤＢにおいて、該配送情報を消去し（Ｓ１３０３）、配送停止完了通知を予約確定端末５０に対して返信して（Ｓ１３０４）、処理を終了する。
【０３８１】
一方、Ｓ１３０２で配送指示済フラグが１である（ＹＥＳ）、即ち当該配送情報を配送管理装置８０に送信したと判定された場合には、配送情報に対応する景品の配送を停止するための処理として、該配送情報の予約確定ＩＤを含む配送停止要求を配送管理装置８０に対して送信する（Ｓ１３０５）。
【０３８２】
この配送停止要求を受信した配送管理装置８０は、該配送停止要求に含まれる予約確定ＩＤに対応する景品の配送が行われているか否か、即ち図６（ａ）に示す配送情報ＤＢにおいて、当該予約確定ＩＤに対応付けて配送開始日時が登録されているか否かを判定する。ここで配送開始日時が登録されていない（即ち景品の配送が未だ行われていない）と判定された場合には、当該予約確定ＩＤに対応する配送情報を消去して、配送停止ＯＫ通知をセンタ景品管理装置７０に対して返信する。一方、配送開始日時が登録されている（即ち景品の配送が既に行われている）と判定された場合には、配送停止ＮＧ通知をセンタ景品管理装置７０に対して返信する。
【０３８３】
Ｓ１３０５の処理を行ったセンタ景品管理装置７０は、配送管理装置８０から送信されてくる配送停止ＯＫ通知（Ｓ１３０６）又は配送停止ＮＧ通知（Ｓ１３０７）の受信を待機する。このＳ１３０６で配送停止ＯＫ通知の受信が有ると（ＹＥＳ）、前記Ｓ１３０３に進む。またＳ１３０７で配送停止ＮＧ通知の受信が有ると（ＹＥＳ）、配送停止不可通知を予約確定端末５０に対して返信して（Ｓ１３０８）、処理を終了する。
【０３８４】
ここでＳ１３０３の処理を行う制御部７２，及びＳ１３０５の処理を行う通信部７１は、前記取消指定受付手段にて指定を受け付けた配送情報に対応する景品の遊技者への提供（配送）を停止するための処理を行う提供停止手段として機能するものである。これによれば、遊技者が所有する有価価値から、交換する景品に相当する有価価値を減算していないにも拘わらず、センタ景品管理装置７０において、景品を遊技者に提供するための配送情報を登録する配送情報登録処理が行われてしまっても、取消を希望する配送情報の指定を遊技場から受け付けると、該指定を受け付けた配送情報に対応する景品の配送を停止するための処理が行われて、景品の配送が行われないので、遊技場が損をしてしまうおそれがない。
【０３８５】
次にＰＯＳ端末４０が行う提供レシート受付処理（Ｓ４５）について説明する。この提供レシート受付処理は、バーコードリーダ４５により提供レシート７の予約ＩＤバーコード７ａを読み取り、該予約ＩＤバーコード７ａが示す予約ＩＤを含む場内景品提供要求を場内景品管理装置６３に対して送信する処理である。該場内景品管理装置６３は、提供済フラグ登録処理（Ｓ４６ａ）として、図１７（ｃ）に示す予約・確定情報ＤＢにおいて、受信した場内景品提供要求が示す予約ＩＤに対応付けて、提供済フラグ１を登録する処理を行う。これにより、カードユニット２０にて予約が確定された場内景品が、その場で遊技者に提供される。
【０３８６】
次にＰＯＳ端末４０が行う予約不能景品提供処理について説明する。予約不能な場内景品を提供する場合には、ＰＯＳ端末４０により予約不能景品提供処理を行う。まずＰＯＳ端末４０は、前記Ｓ４１で説明したのと同様にして、計数値取得処理，及び／又は貯玉額取得処理を行う。次にＰＯＳ端末４０は、提供する場内景品に付されているバーコードをバーコードリーダ４５により読み取り、該バーコードが内在するＪＡＮコードに対応する交換玉数（図１７（ａ））を特定する。そしてＰＯＳ端末４０は、前記Ｓ４１で説明したのと同様にして、提供する場内景品の交換玉数の全部又は一部を計数値から減算する減算処理，及び／又は提供する予約景品の交換玉数に相当する額の全部又は一部を貯玉額から減算する減算処理を行って、前記ＪＡＮコードを含む在庫数減算要求を場内景品管理装置６３に対して送信する。該場内景品管理装置６３は、予約不能景品在庫数減算処理（Ｓ４８ａ）として、図１７（ａ）に示す景品情報ＤＢにおいて、受信した在庫数減算要求が示すＪＡＮコードに対応付けられている予約不能な在庫数を１つ減算する処理を行う。これにより、カードユニット２０にて予約が行われていない場内景品が、その場で遊技者に提供される。
【０３８７】
次にセンタ景品管理装置７０が行う予約停止景品指定処理（Ｓ５１）について、図４０を参照して説明する。センタ景品管理装置７０は、予約停止景品の指定を待機しており（Ｓ１４０１）、図７（ｃ）のＤ１３ｂに示す画面で予約停止景品の指定が有ると（ＹＥＳ）、図１０に示す景品情報ＤＢにおいて、該指定された景品の景品ＩＤに対応する予約停止フラグ１（即ち予約停止景品である旨）を登録して（Ｓ１４０２）、図１６に示す配送情報ＤＢにおいて、該景品ＩＤが含まれる配送情報から配送先情報（氏名，郵便番号，住所，電話番号）を抽出し（Ｓ１４０３）、該抽出した配送先情報をディスプレイ７３に表示して（Ｓ１４０４）、処理を終了する。
【０３８８】
ここでＳ１４０３の処理を行う制御部７２は、前記予約停止景品受付手段（ディスプレイ７３及び入力装置７４）にて予約停止景品の指定を受け付けたことに基づいて、前記遊技者特定情報登録手段（制御部７２，配送情報ＤＢ）にて該景品の景品ＩＤと対応付けられている遊技者特定情報（配送先情報）を抽出する遊技者特定情報抽出手段として機能するものである。これによれば、予約を停止する景品の指定を受け付ける前に該景品の予約を行った遊技者を特定できるので、該遊技者に対して適切な対処（例えば電話連絡等）をすることができる。
【０３８９】
次に精算カード５蘇我行う在庫数変更処理（Ｓ６４）について、図３５及び図４１を参照して説明する。まず図３５に示すように、配送管理装置８０は、図４（ａ）に示すＤ０２において、ある景品について在庫数の変更を受け付けると（Ｓ６１）、図５（ａ）に示す景品情報ＤＢにおいて、該景品の景品ＩＤに対応付けて記憶している在庫数を、該受け付けた変更後の在庫数に変更し（Ｓ６２）、該景品ＩＤと変更後の在庫数とを含む在庫数変更情報を、センタ景品管理装置７０に対して送信する（Ｓ６３）。
【０３９０】
次に図４１に示すように、センタ景品管理装置７０は、在庫数変更情報の受信を待機しており（Ｓ１５０１）、該在庫数変更情報の受信が有ると（ＹＥＳ）、図１０に示す景品情報ＤＢにおいて、該在庫数変更情報に含まれる景品ＩＤに対応付けて記憶している在庫数を、該在庫数変更情報に含まれる変更後の在庫数に変更して（Ｓ１５０２）、該変更後の在庫数ａと、前記景品ＩＤに対応付けて図１３（ｂ）に示す予約・確定累計数ＤＢで記憶している確定累計数ｂ’とに基づいて、在庫数ａ−確定累計数ｂ’≧０の判定式ｘ”を満たすか否かで、景品の提供が可能であるか否かを判定する（Ｓ１５０３）。このＳ１５０３の判定を行う制御部７２は、在庫数変更手段（通信部７１）にて変更を受け付けた後の在庫数ａと、提供個数集計手段（配送個数集計手段）にて集計された提供個数（配送個数）である確定累計数ｂ’とに基づいて、景品の提供が可能であるか否かを判定する提供可否判定手段として機能するものである。
【０３９１】
このＳ１５０３で判定式ｘ”を満たす（ＹＥＳ）、即ち景品の提供が可能であると判定された場合には、処理を終了する。一方、Ｓ１５０３で判定式ｘ”を満たさない（ＮＯ）、即ち景品の提供が可能でないと判定された場合には、図１６に示す配送情報ＤＢにおいて、前記景品ＩＤが含まれる配送情報から配送先情報（氏名，郵便番号，住所，電話番号）を抽出し（Ｓ１５０４）、該抽出した配送先情報をディスプレイ７３に表示して（Ｓ１５０５）、処理を終了する。
【０３９２】
ここでＳ１５０４の処理を行う制御部７２は、在庫数変更手段により在庫数の変更を受け付けたことに基づいて、提供可否判定手段により提供が可能でないと判定された景品の景品ＩＤと対応付けられている遊技者特定情報（配送先情報）を抽出する遊技者特定情報抽出手段として機能するものである。これによれば、在庫数の変更を受け付ける前に行われた配送情報登録処理に供された景品を選択した遊技者を特定できるので、該遊技者に対して適切な対処（例えば電話連絡等）をすることができる。
【０３９３】
最後に景品交換システム１は、遊技場の営業終了後に、図３５に示すＳ７１〜Ｓ７３の処理を行う。まずセンタ景品管理装置７０は、図１６に示す配送情報ＤＢで記憶している配送情報のうち、配送指示済フラグ０が登録されている配送情報を、配送管理装置８０に対して送信して（Ｓ７１）、該送信した配送情報の配送指示済フラグ１を登録する。
【０３９４】
またセンタ景品管理装置７０は、図１０に示す景品情報ＤＢで記憶している各景品の在庫数から、図１３（ｂ）に示す予約・確定累計数ＤＢで記憶している各景品の確定累計数を減算することにより、該景品情報ＤＢを更新し、また予約・確定累計数ＤＢで記憶している各景品の予約累計数及び確定累計数をすべて消去することにより、該予約・確定累計数ＤＢを更新し、また図１４に示す予約情報ＤＢで記憶しているすべての予約情報を消去することにより、該予約情報ＤＢを更新し、さらに図１５に示す未提供予約個数・価格ＤＢで記憶している全体未提供予約個数，全体未提供予約価格，景品ＩＤ，個別未提供予約個数，個別未提供予約価格，及び当日報知フラグを消去することにより、該未提供予約個数・価格ＤＢを更新する（Ｓ７２）。ここで予約・確定累計数ＤＢ及び予約情報ＤＢの更新は、所定期間毎（ここでは１日毎）に配送情報登録処理が行われずに登録されている予約ＩＤ及び景品ＩＤを無効化（ここでは消去）する処理である。これによれば、センタ景品管理装置７０において、予約内容登録処理が行われても配送情報登録処理が行われていない景品に対応する予約ＩＤ及び景品ＩＤについては、所定期間毎に無効化されるので、該無効化された景品の分だけ新たに予約内容登録処理を行うことができ、無駄に多くの在庫を用意するという不都合が生じない。なお未提供予約個数・価格ＤＢにおいて、上限値超え回数は消去せずに、翌日以降に繰り越す。
【０３９５】
Ｓ７１の配送情報を受信した配送管理装置８０は、図６（ａ）に示す配送情報ＤＢで、該受信した配送情報を登録する（Ｓ７３）。そして景品提供業者は、該登録された配送情報に基づいて、登録された配送希望日時に景品が配送されるように、景品を配送する処理を行い、配送管理装置８０は、オペレータの操作により、配送情報ＤＢにおいて、景品の配送が行われると配送開始日時を登録し、景品の配送が完了すると配送完了日時を登録し、請求済フラグ１を登録して、当該配送情報を図６（ｂ）に示す請求情報ＤＢで登録する。そして景品提供業者は、請求情報ＤＢで記憶している所定期間（例えば１ヶ月）分の請求情報を取り纏めて、各遊技場に対して、合計請求額を請求する。
【０３９６】
なお場内景品管理装置６３も、図１７（ａ）に示す景品情報ＤＢで記憶している各景品の予約可能な在庫数から、図１７（ｂ）に示す予約・確定累計数ＤＢで記憶している各景品の確定累計数を減算することにより、該景品情報ＤＢを更新し、また予約・確定累計数ＤＢで記憶している各景品の予約累計数及び確定累計数をすべて消去することにより、該予約・確定累計数ＤＢを更新し、また図１７（ｃ）に示す予約・確定情報ＤＢで記憶している予約情報のうち、確定フラグが０の予約情報を消去することにより、該予約情報ＤＢを更新する（Ｓ７２ａ）。ここで予約・確定累計数ＤＢ及び予約・確定情報ＤＢの更新は、所定期間毎（ここでは１日毎）に確定フラグ登録処理が行われずに登録されている予約ＩＤ及び景品ＩＤを無効化（ここでは消去）する処理である。これによれば、場内景品管理装置６３において、予約内容登録処理が行われても確定フラグ登録処理が行われていない景品に対応する予約ＩＤ及び景品ＩＤについては、所定期間毎に無効化されるので、該無効化された景品の分だけ新たに予約内容登録処理を行うことができ、無駄に多くの在庫を用意するという不都合が生じない。
【０３９７】
［２．第２実施形態に係る景品交換システム１］
次に、第２実施形態に係る景品交換システム１について説明する。この第２実施形態に係る景品交換システム１の構成としては、図１に示す第１実施形態と比較して、図４２に示すように、ＰＯＳ端末４０及び予約確定端末５０に代えて、両者の機能を併せ持つＰＯＳ・予約確定端末５０’を備えている点が異なる。
【０３９８】
以下、第２実施形態に係る景品交換システム１について、第１実施形態と異なる点についてのみ説明する。この第２実施形態では、第１実施形態と比較して、（１）上限値の設定方法及び上限値判定処理の方法と、（２）センタ景品管理装置７０からカードユニット２０に対する景品情報の送信及び該カードユニット２０における重複景品排除処理の方法と、（３）カードユニット２０における予約停止景品の表示方法と、（４）減算処理端末及び予約確定端末の構成並びに作用と、（５）センタ景品管理装置７０における在庫数の判定方法とが、それぞれ異なる。
【０３９９】
まず（１）上限値の設定方法及び上限値判定処理の方法として、第１実施形態では、図９のＤ１６に示すように、上限値判定基準として景品の個数を指定し、同Ｄ１７ａに示すように、全体上限値，個別上限値，及び最少上限値を指定し、図１２に示すように、個別上限値を設定し、図３７（ａ）に示すように、上限値判定処理としてＳ１１５１〜Ｓ１１５５の処理を行うように構成している。
【０４００】
これに対し、第２実施形態では、まず図９のＤ１６で、上限値判定基準として景品の価格を指定し、図示しない決定ボタンを操作すると、Ｄ１７ｂに示す上限値指定画面がディスプレイ７３に表示される。このＤ１７ｂでは、遊技者が予約する全景品に対応する価格に対する全体上限値，価格に基づく個別上限値，在庫数に基づく個別上限値，及び各景品に対する最少上限値を指定するための入力欄が表示される。ここで全体上限値は、景品の種類によらずに予約を許容する価格（即ち全景品の予約個数分の価格）であり、本例では１２００００円が指定されている。
【０４０１】
また個別上限値は、１種類の景品について予約を許容する価格（即ち各景品の種類毎の予約個数分の価格）である。ここで価格に基づく個別上限値としては、悪質な遊技者がいたずらで当該景品のみを多数予約したときに、在庫数に多大な影響を及ぼさない値が指定され、本例では総価格の４０％であるが、そのような値であれば該４０％には限定されない。また在庫数に基づく個別上限値としては、正規な遊技者が当該景品のみを多数予約したときに、いたずらではなく正規の予約として考えられる値が指定され、本例では在庫数２０個であるが、そのような値であれば該２０個には限定されない。ここで価格に基づく個別上限値及び在庫数に基づく個別上限値については、少なくとも一方が指定されるものでも良いが、本例では両方が指定されている。
【０４０２】
また最少上限値としては、第１実施形態と同様の理由により、１個以上かつ全体上限値未満の任意の景品個数分の価格が指定される。このＤ１７ｂで、オペレータが入力装置７４を操作して、各入力欄に指定値を入力して、図示しない決定ボタンを操作すると、図１２に示す上限値ＤＢにおいて、各入力欄に入力された指定値が登録される。
【０４０３】
また第２実施形態では、図４４に示すように、個別上限値を設定する。まず前記図９に示すようにして、ディスプレイ７３及び入力装置７４により、上限値の指定が行われると、制御部７２は、該指定された値に基づいて設定した上限値を図４４に示す上限値ＤＢに登録する処理を行う。即ち、この制御部７２及び上限値ＤＢは、前記上限値設定手段として機能するものである。
【０４０４】
この上限値ＤＢでは、図４４に示すように、上限値指定受付手段（ディスプレイ７３及び入力装置７４）により図９のＤ１６で指定された上限値判定基準（ここでは個数）と、同Ｄ１７ｂで指定された全体上限値，価格に基づく個別上限値，在庫数に基づく個別上限値，及び最少上限値の各指定値が記憶される。ここで記憶される各指定値のうち、全体上限値及び最少上限値の指定値は、そのまま全体上限値及び最少上限値として設定される。
【０４０５】
また上限値ＤＢでは、各景品提供業者毎のデータテーブルが設けられており、各データテーブルでは、景品情報ＤＢで記憶されている各景品の景品ＩＤに対応付けて、当該景品の在庫数と価格，該在庫数×価格の式で演算される総価格，価格に基づく個別上限値の演算値である価格演算値，在庫数に基づく個別上限値の演算値である在庫数演算値，補正パターン，及び個別上限値の補正値が記憶される。
【０４０６】
ここで価格演算値は、価格に基づく個別上限値の指定値（ここでは４０％）×各景品の総価格の式で演算される値の整数部分である。また在庫数演算値は、在庫数に基づく個別上限値の指定値（ここでは２０個）×各景品の価格の式で演算される値である。また補正パターンは、前記設定された全体上限値と、前記演算された価格演算値と、前記演算された在庫数演算値と、前記設定された最少上限値とに基づいて、個別上限値の補正値を特定する各パターンを示す符号であり、該補正パターンにしたがって特定された値が、個別上限値の補正値として記憶され、該記憶された補正値が、個別上限値として設定される。
【０４０７】
具体的には、景品ＩＤがＫＸ−０００００２やＫＸ−０００１０２の景品のように、価格演算値と在庫数演算値の少ない方を個別上限値として設定する場合には、補正パターンとしてＡが記憶され、第１実施形態と同様の理由により、該少ない方の演算値が補正値として記憶されて、個別上限値として設定される。また景品ＩＤがＫＸ−０００１２３やＫＸ−０２０４７５の景品のように、価格演算値と在庫数演算値の少ない方が全体上限値（ここでは１２００００円）を超えている場合には、補正パターンとしてＢが記憶され、第１実施形態と同様の理由により、該全体上限値が補正値として記憶されて、個別上限値として設定される。
【０４０８】
さらに景品ＩＤがＫＸ−０００００１の景品ＩＤのように、在庫数演算値と価格演算値の少ない方が最少上限値（ここでは景品５個分の価格４００００円）に満たない場合には、補正パターンとしてＣが記憶され、第１実施形態と同様の理由により、該最少上限値が補正値として記憶されて、個別上限値として設定される。なお景品ＩＤがＫＸ−０００１０１の景品のように、在庫数演算値と価格演算値の少ない方が在庫数分の価格に満たない場合にも、補正パターンとしてＣが記憶され、第１実施形態と同様の理由により、該在庫数分の価格が補正値として記憶されて、個別上限値として設定される。
【０４０９】
この上限値ＤＢでは、遊技場の営業開始前において、通信部７１により、配送管理装置８０から送信されてくる在庫数情報を受信し（Ｓ１１）、制御部７２により、景品情報ＤＢの在庫数が更新されると（Ｓ１２）、該更新された在庫数に基づいて、当該上限値ＤＢで記憶している在庫数が更新されると共に該在庫数に基づいて演算される総価格が更新され、各景品の価格に基づいて演算される在庫数演算値は更新されず、該更新された在庫数演算値と更新されない価格演算値とに基づいて決定される補正パターンと補正値（即ち個別上限値）が更新される（同Ｓ１２）。
【０４１０】
このように、上限値ＤＢにおいて、各景品の種類毎に上限値を設定することができるので、例えば各景品に対応する価格に応じた上限値を設定することで、いたずらの予約により在庫数が減少して正規の遊技者が予約できないといった事態をより効果的に防止できる。また上限値ＤＢにおいて、各景品の在庫数及び／又は各景品に対応する価格に基づいて上限値が自動的に設定されるので、該上限値を設定する手間が省ける。なお上限値ＤＢにおいて、該自動的に設定された上限値を、事後的に手入力で変更することも可能であり、また上限値が自動的に設定される前に、該上限値を手入力で設定することも可能である。
【０４１１】
また第２実施形態では、図３７（ａ）に示すように、上限値判定処理としてＳ１１７１〜Ｓ１１７５の処理を行う。即ち、この第２実施形態でも、制御部７２が、前記上限値判定手段として機能するが、図４４に示すように、上限値判定基準として価格が設定されているので、Ｓ１１５０でＮＯと判定されて、Ｓ１１７１に進む。
【０４１２】
Ｓ１１７１では、図４４に示す上限値ＤＢにおいて設定されている全体上限値である全体上限価格と、前記予約要求に含まれる遊技者特定情報に対応付けて図１５に示す未提供予約個数・価格ＤＢで記憶されている当該遊技者の全体未提供予約価格とが抽出される。具体的には、Ｓ１１０１で受信した予約要求が会員予約要求ならば、該会員予約要求に含まれる会員ＩＤ又は景品会員ＩＤに対応付けて未提供予約個数・価格ＤＢで記憶されている全体未提供予約価格が抽出され、Ｓ１１０１で受信した予約要求がビジタ予約要求ならば、該ビジタ予約要求に含まれる配送先情報に対応付けて未提供予約個数・価格ＤＢで記憶されている全体未提供予約価格が抽出される。なお未提供予約個数・価格ＤＢで当該遊技者特定情報が記憶されていない場合、即ち当該遊技者について当日に予約内容登録処理が行われていない場合には、当該遊技者の全体未提供予約価格として０が抽出される。
【０４１３】
次にＳ１１７２では、Ｓ１１７１で抽出された全体上限価格及び全体未提供予約価格と、前記予約要求に含まれる各景品の予約個数分の価格の合算値である全予約価格とに基づいて、全体上限価格−（全体未提供予約価格＋全予約価格）≧０の判定式ｐ’を満たすか否かで、当該遊技者について予約が可能であるか否かを判定する。このＳ１１７２の判定を行う制御部７２は、前記未提供予約特定手段（制御部７２，未提供予約個数・価格ＤＢ）により特定された全体未提供予約価値（全体未提供予約価格）と、前記上限値設定手段（制御部７２，上限値ＤＢ）により設定された全体上限値とに基づいて、当該予約を行う遊技者について予約が可能であるか否かを判定する前記上限値判定手段として機能するものである。このＳ１１７２で、判定式ｐ’を満たす（ＹＥＳ）、即ち当該遊技者について予約が可能であると判定された場合には、Ｓ１１７３に進み、判定式ｐ’を満たさない（ＮＯ）、即ち当該遊技者について予約が可能でないと判定された場合には、前記Ｓ１１６１に進む。
【０４１４】
具体的には、図４４に示す上限値ＤＢにおいて、全体上限値として１２００００円が設定されている状態で、図１５に示す未提供予約個数・価格ＤＢにおいて、全体未提供予約価格として９００００円が特定されている、会員ＩＤがＡＭ−００００２である遊技者から、全予約価格が３００００円以下（例えば３００００円）である予約要求が送信されてきた場合には、全体上限価格１２００００円−（全体未提供予約価格９００００円＋全予約価格３００００円）≧の判定式ｐ’を満たすので、Ｓ１１７３に進むが、当該遊技者から、全予約価格が３００００円を超える（例えば３２０００円）である予約要求が送信されてきた場合には、全体上限価格１２００００円−（全体未提供予約価格９００００円＋全予約価格３２０００円）≧の判定式ｐ’を満たさないので、Ｓ１１６１に進む。
【０４１５】
Ｓ１１７３では、前記予約要求に含まれる一又は複数の景品ＩＤのうちの一の景品ＩＤに対応付けて図４４に示す上限値ＤＢにおいて設定されている個別上限値である個別上限価格と、前記予約要求に含まれる遊技者特定情報に対応付けて図１５に示す未提供予約個数・価格ＤＢで記憶されている当該景品ＩＤの景品の個別未提供予約価格とが抽出される。具体的には、Ｓ１１０１で受信した予約要求が会員予約要求ならば、該会員予約要求に含まれる会員ＩＤ又は景品会員ＩＤに対応付けて未提供予約個数・価格ＤＢで記憶されている当該景品の個別未提供予約価格が抽出され、Ｓ１１０１で受信した予約要求がビジタ予約要求ならば、該ビジタ予約要求に含まれる配送先情報に対応付けて未提供予約個数・価格ＤＢで記憶されている当該景品の個別未提供予約価格が抽出される。なお未提供予約個数・価格ＤＢで当該景品ＩＤが記憶されていない場合、即ち当該景品ＩＤの景品について当日に予約内容登録処理が行われていない場合には、当該景品の個別未提供予約価格として０が抽出される。
【０４１６】
次にＳ１１７４では、Ｓ１１７３で抽出された当該景品の個別上限価格及び個別未提供予約価格と、前記予約要求に含まれる当該景品の予約個数分の価格である予約価格とに基づいて、個別上限価格−（個別未提供予約価格＋予約価格）≧０の判定式ｑ’を満たすか否かで、当該遊技者について予約が可能であるか否かを判定する。このＳ１１７４の判定を行う制御部７２は、前記未提供予約特定手段（制御部７２，未提供予約個数・価格ＤＢ）により特定された個別未提供予約価値（個別未提供予約価格）と、前記上限値設定手段（制御部７２，上限値ＤＢ）により設定された個別上限値とに基づいて、当該予約を行う遊技者について予約が可能であるか否かを判定する前記上限値判定手段として機能するものである。このＳ１１７４で、判定式ｑ’を満たす（ＹＥＳ）、即ち当該遊技者について予約が可能であると判定された場合には、Ｓ１１７５に進み、判定式ｑ’を満たさない（ＮＯ）、即ち当該遊技者について予約が可能でないと判定された場合には、前記Ｓ１１６１に進む。
【０４１７】
具体的には、図４４に示す上限値ＤＢにおいて、景品ＩＤがＫＸ−０００００２の景品の個別上限価格として３６０００円が設定されている状態で、図１５に示す未提供予約個数・価格ＤＢにおいて、当該景品の個別未提供予約価格として３００００円が特定されている、会員ＩＤがＡＭ−００００３である遊技者から、当該景品の予約価格が６０００円以下（例えば６０００円）である予約要求が送信されてきた場合には、当該景品の個別上限価格３６０００円−（当該景品の未提供予約価格３００００円＋当該景品の予約価格６０００円）≧０の判定式ｑ’を満たすので、Ｓ１１７３に進むが、当該遊技者から、当該景品の予約個数が６０００円を超える（例えば１２０００円）である予約要求が送信されてきた場合には、当該景品の個別上限価格３６０００円−（当該景品の未提供予約価格３００００円＋当該景品の予約価格１２０００円）≧０の判定式ｑ’を満たさないので、Ｓ１１６１に進む。
【０４１８】
これによれば、各種類毎の未提供予約に対応する価格と、個別上限値とに基づいて判定（Ｓ１１７４）が行われると共に、全未提供予約景品に対応する価格と、全体上限値とに基づいて判定（Ｓ１１７２）が行われ、しかも個別上限値は全体上限値よりも低い値に設定されるので、第１実施形態と同様の理由により、悪質な遊技者が、複数種類の景品を多量に予約するいたずらや、１種類の景品を多量に予約するいたずらを、効果的に防止できる。
【０４１９】
Ｓ１１７５では、予約要求に含まれる全ての景品ＩＤについてＳ１１７３の判定を行ったか否かを判定する。このＳ１１７５で全ての景品ＩＤについて判定を行っていない（ＮＯ）と判定された場合には、Ｓ１１７３に戻る。一方、Ｓ１１７５で全ての景品ＩＤについて判定を行った（ＹＥＳ）と判定された場合には、図３６に示す予約内容登録処理に戻って、Ｓ１１０７に進む。
【０４２０】
Ｓ１１６１では、上限値超え通知をカードユニット２０に対して返信して、前記Ｓ１１６２に進む。このＳ１１６１の処理は、上限値判定手段により予約が可能でないと判定されたことを条件として、該判定の対象となった遊技者について予約内容登録処理を不能化するための処理である。これによれば、予約を行う遊技者について特定される未提供予約景品に対応する価格と、遊技者１人あたりについて設定された上限値とに基づいて、該遊技者について予約が可能であるか否かが判定され（Ｓ１１５２，Ｓ１１５４）、予約が可能でないと判定されると、予約内容登録処理が不能化されるので、悪質な遊技者が交換するつもりのない多量の景品を前記上限値を超えていたずらに予約することを防止でき、当該いたずらの予約により在庫数が減少して正規の遊技者が予約できないといった事態を防止できる。
【０４２１】
次に（２）センタ景品管理装置７０からカードユニット２０に対する景品情報の送信及び該カードユニット２０における重複景品排除処理の方法として、第１実施形態では、図３５に示すように、センタ景品管理装置７０から各遊技場のカードユニット２０に対して、当該遊技場で選択された景品パッケージの景品パッケージ情報と、該景品パッケージに含まれる景品から予約停止景品を除いた景品の景品情報とを送信し（Ｓ１３）、カードユニット２０において、重複表示排除処理（Ｓ１４）として、受信した景品パッケージ情報と景品情報とを表示景品情報として図１９（ａ）に示す表示景品情報ＤＢで記憶し、各区分メニューに対応する分類区分が設定されている景品を該記憶した表示景品情報から抽出し、各区分メニューについて抽出した景品のうち重複する景品を特定して、該特定した景品のうち１つを除いて削除し、前記抽出した景品から該削除した景品を除いた景品の景品情報と各区分メニューとを関連付けて図１９（ｂ）に示す区分メニューＤＢで記憶する処理を行うように構成している。
【０４２２】
これに対し、第２実施形態では、センタ景品管理装置７０の前記景品表示処理手段として機能する制御部７２は、前記景品情報送信手段として機能する通信部７１により、図４３のＳ１３’に示すように、各遊技場のカードユニット２０に対して、景品パッケージＤＢで記憶している当該遊技場について選択されている景品パッケージの景品パッケージ情報と、景品情報ＤＢで記憶している全景品から予約停止景品及び選択不能景品を除いた景品の景品情報とを、当該遊技場に設けられるカードユニット２０で表示する景品の景品情報として、遊技場の営業開始前に１日１回送信する処理を行う。
【０４２３】
そして、カードユニット２０の前記重複表示排除手段として機能する制御部２２，３２は、重複表示排除処理（図４３のＳ１４’）として、受信した景品パッケージ情報（即ち図１１に示す景品パッケージＤＢの景品パッケージ情報）をＥＥＰＲＯＭで記憶すると共に、受信した景品情報（即ち図１０に示す景品情報ＤＢの景品情報）を各景品情報が重複していない一覧形式でＥＥＰＲＯＭで記憶し、各景品パッケージに含まれる景品の景品情報を該記憶した景品情報から表示景品情報（即ち図１０に示す景品情報ＤＢにおける表示景品の景品情報）として抽出して記憶し、各区分メニューに対応する景品を該記憶した表示景品情報から抽出して、図１９（ａ）に示す表示景品情報ＤＢを作成し、該抽出した景品の景品情報と各区分メニューとを関連付けて図１９（ｂ）に示す区分メニューＤＢで記憶する処理を行う。
【０４２４】
具体的には、遊技場Ａに設けられるカードユニット２０は、景品提供業者Ｘが提供する水産物Ａ，オススメ食品Ａ，タバコＡ，アイスクリームフェア，及び夏期限定フェアの各景品パッケージについて、ＥＥＰＲＯＭで景品パッケージ情報を記憶しており、水産物Ａとオススメ食品Ａの両景品パッケージには、景品ＩＤがＫＸ−０００００１である景品「ずわいがに」が重複して含まれ、またアイスクリームフェアと夏期限定フェアの両景品パッケージには、景品ＩＤがＫＸ−０００５０１である景品「アイスＡ」が重複して含まれているが、ＥＥＰＲＯＭで記憶している景品情報（即ち各景品情報が重複していない一覧形式の景品情報）から、これら重複して含まれる景品の景品情報を抽出する際に、該景品の景品情報を１つのみ抽出する処理（例えば、まず水産物Ａの景品パッケージに含まれる景品ＩＤであるＫＸ−０００００１の景品情報を抽出すると抽出済フラグを立て、次にオススメ食品Ａの景品パッケージに含まれる景品ＩＤであるＫＸ−０００００１の景品情報を抽出するときには既に抽出済フラグが立っているので抽出しない）を行う。これにより、複数の景品パッケージに含まれている景品であっても、景品情報は１つのみ抽出される。
【０４２５】
そして該抽出された景品情報は、当該カードユニット２０で表示する表示景品情報として、図１９（ａ）に示す表示景品情報ＤＢで記憶されると共に、各区分メニューに対応する分類区分が設定されている景品が該表示景品情報から抽出されて（このときに重複する景品が抽出されることはない）、第１実施形態と同様に、該抽出された景品と各区分メニューとが関連付けられて図１９（ｂ）に示す区分メニューＤＢで記憶される。これにより、前記区分景品表示処理においては、区分メニューのいずれかが選択されると、当該区分メニューＤＢにおいて該選択された区分メニューに関連付けられている景品が表示されるので、遊技場が希望する複数の景品パッケージに同一の景品が重複して含まれている場合であっても、該景品が１つのみ表示され、該景品が重複して表示されることがない。
【０４２６】
次に（３）カードユニット２０における予約停止景品の表示方法として、第１実施形態では、遊技場の営業中に予約停止景品が指定されると、図１０に示す景品情報ＤＢにおいて、該予約停止景品に対応付けて予約停止フラグ１（即ち予約停止フラグである旨）が登録されるが、カードユニット２０においては、予約停止景品であっても選択可能に表示され続けるので、該予約停止景品が選択されて予約要求が有る毎に、予約停止情報を返信し（図３６のＳ１１０８）、翌日の営業開始前には、当該予約停止景品を除いた景品情報を送信することにより（図３５のＳ１３）、その日（つまり予約停止景品が指定された翌日）の営業からは、カードユニット２０において、予約停止景品が表示されないように構成している。
【０４２７】
これに対し、第２実施形態では、遊技場の営業中に予約停止景品が指定された後、該予約停止景品が選択された最初の予約要求に対しては、予約停止情報を返信するが（図３６のＳ１１０８）、該予約停止情報を受信したカードユニット２０においては、当該予約停止景品が表示されないように構成している。つまり第２実施形態におけるカードユニット２０は、予約停止情報を受信したことに基づいて、予約停止景品を表示手段（ディスプレイ２４）に表示しない処理を行うものである。なお該カードユニット２０は、予約停止情報を受信したことに基づいて、予約停止景品を選択不能に（例えば「選択できません」という文字を付して）表示手段に表示する処理を行うものであっても良い。
【０４２８】
次に（４）減算処理端末及び予約確定端末の構成並びに作用として、第１実施形態では、図１に示すように、減算処理端末であるＰＯＳ端末４０と、予約確定端末５０とが別個に設けられ、図３５に示すように、ＰＯＳ端末４０における減算処理（Ｓ４０）と、予約確定端末５０における予約確定処理（Ｓ４１）とが別個に行われて、ＰＯＳ端末４０における減算処理が行われたか否かに拘わらず、予約確定端末５０からセンタ景品管理装置７０に予約確定要求が送信されるように構成している。
【０４２９】
これに対し、第２実施形態では、図１に示すＰＯＳ端末４０及び予約確定端末５０に代えて、図４２に示すように、減算処理端末及び予約確定端末として機能するＰＯＳ・予約確定端末５０’が設けられ、図３５に示す減算処理及び予約確定処理に代えて、減算・予約確定処理が行われ、ＰＯＳ・予約確定端末５０’における減算処理に伴って、該ＰＯＳ・予約確定端末５０’からセンタ景品管理装置７０に対して予約確定要求が送信されるように構成している。
【０４３０】
まずＰＯＳ・予約確定端末５０’の構成について説明する。ＰＯＳ・予約確定端末５０’は、遊技場内における景品交換カウンタに設けられ、図４２に示すように接続される通信部５１’，制御部５２’，ディスプレイ５３’，入力装置５４’，バーコードリーダ５５’，配送レシートプリンタ５６’，及びカードＲ／Ｗ５７’等を有するコンピュータであり、図３３に示す予約確定端末５０にバーコードリーダ５５’を接続した外観を呈する。
【０４３１】
通信部５１’は、会員管理装置６１，計数値管理装置６２，及び場内景品管理装置６３と通信可能に接続されていると共に、ルータ６４を介して、センタ景品管理装置７０の通信部７１と通信可能に接続されている。制御部５２’は、ＣＰＵ，ＲＡＭ，ＲＯＭ，ＥＥＰＲＯＭ等を備えており、ＲＯＭに記憶されている処理プログラムがＲＡＭを作業領域としてＣＰＵで実行されることにより、ＰＯＳ・予約確定端末５０’に備えられる各構成要素の動作を制御して各種の処理を行うものである。
【０４３２】
ディスプレイ５３’は、各種の情報を表示する表示デバイスであって、例えば液晶ディスプレイであり、入力装置５４’は、各種の情報の入力を受け付ける入力デバイスであって、例えばキーボードやマウスである。バーコードリーダ５５’は、計数レシート５に記録されている計数バーコード５ａ，会員カード２に記録されているバーコード，一般景品に付されているバーコード，及び提供レシート７に記録されている予約ＩＤバーコード７ａを読み取るものである。また配送レシートプリンタ５６’は、図３（ａ）に示す配送レシート６を印刷し、配送レシート排出口から排出して発行するものである。
【０４３３】
このＰＯＳ・予約確定端末５０’が行う減算・予約確定処理（Ｓ４１’）について説明する。まずＰＯＳ・予約確定端末５０’は、前記Ｓ４１で説明したのと同様にして、計数値取得処理，及び／又は貯玉額取得処理を行う。次にＰＯＳ・予約確定端末５０’は、前記図３４のＤ１５７で、一以上の「確定」ボタンの操作及び「確定実行」ボタンの操作が有ると、前記Ｓ４１で説明したのと同様にして、予約を確定する予約景品の交換玉数の全部又は一部を計数値から減算する減算処理，及び／又は予約を確定する予約景品の交換玉数に相当する額の全部又は一部を貯玉額から減算する減算処理を行って、前記Ｓ４２で説明したのと同様にして、予約確定処理を行い、予約確定要求をセンタ景品管理装置７０又は場内景品管理装置６３に対して送信する。これにより、第２実施形態に係るＰＯＳ・予約確定端末５０’では、減算処理に伴って、センタ景品管理装置７０に対して予約確定要求が送信される。
【０４３４】
次に（５）センタ景品管理装置７０における在庫数の判定方法として、第１実施形態では、図１０に示す景品情報ＤＢで登録されている在庫数ａと、図１３（ｂ）に示す予約・確定累計数ＤＢで登録されている予約累計数ｂと、予約個数ｃとに基づいて、図３６のＳ１１０９に示すように、在庫数ａ−（予約累計数ｂ＋予約個数ｃ）≧０の判定式ｘを満たすか否かで、景品の予約が可能であるか否かを判定するように構成している。
【０４３５】
これに対し、第２実施形態では、センタ景品管理装置７０において、図１０に示す景品情報ＤＢにおける在庫数が、初期在庫数として管理される。ここで制御部７２及び景品情報ＤＢは、各景品の初期在庫数を管理する初期在庫数管理手段として機能するものである。
【０４３６】
また第２実施形態では、センタ景品管理装置７０において、図１３（ｂ）に示す予約・確定累計数ＤＢに代えて、図４５に示す在庫数ＤＢが記憶される。この在庫数ＤＢでは、各景品提供業者毎のデータテーブルが設けられており、各データテーブルでは、当該景品提供業者が提供する複数の景品の各々について、現在在庫数と、配送登録後在庫数とが記憶される。
【０４３７】
ここで制御部７２及び在庫数ＤＢは、初期在庫数から予約処理（予約内容登録処理）に供された予約個数を減算した現在在庫数を管理する現在在庫数管理手段として機能するものであり、具体的には、景品情報ＤＢに初期在庫数が登録されると、該初期在庫数が現在在庫数として在庫数ＤＢに登録され、図３６のＳ１１１３に示す予約内容登録処理に伴って、同Ｓ１１１１’に示すように、在庫数ＤＢに登録されている現在在庫数から予約個数が減算される。また制御部７２は、前記在庫数変更手段（通信部７１）にて初期在庫数（即ち図１０に示す景品情報ＤＢで管理している在庫数）の変更を受け付けたことを条件として、該初期在庫数の変動数に基づいて、現在在庫数管理手段（在庫数ＤＢ）で管理している現在在庫数を更新する現在在庫数更新手段として機能するものであり、具体的には、図４１のＳ１５０２で、景品情報ＤＢで管理している在庫数が変更されると、同Ｓ１５０３ａ’で、在庫数ＤＢで管理している現在在庫数から初期在庫数の変動数が減算される。例えば初期在庫数が１０個で、変更後の初期在庫数が７個である場合には、該初期在庫数の変動数は３個となり、該３個が現在在庫数から減算される。
【０４３８】
そして制御部７２’は、在庫数ＤＢで管理している現在在庫数に基づいて、景品の予約が可能であるか否かを判定すると共に、現在在庫数更新手段にて現在在庫数が更新されたことを条件として、該更新された後の現在在庫数（即ち在庫数ＤＢで管理している現在在庫数）に基づいて、景品の予約が可能であるか否かを判定する在庫数判定手段として機能するものであり、具体的には、図３６のＳ１１０９及びＳ１１１１の処理に代えて、Ｓ１１０９’及びＳ１１１１’の処理を行う。このＳ１１０９’の処理では、在庫数ＤＢで管理している現在在庫数−予約個数≧０の判定式ｙを満たすか否かで、景品の予約が可能であるか否かが判定され、該Ｓ１１０９’で判定式ｙを満たす（ＹＥＳ）、即ち景品の予約が可能であると判定されると、前記Ｓ１１１１’の処理が行われて、前記Ｓ１１１３で予約内容登録処理が行われる一方、該Ｓ１１０９’で判定式ｙを満たさない（ＮＯ）、即ち景品の予約が可能でないと判定されると、予約停止情報送信手段として機能する通信部７１により、前記Ｓ１１１０の処理が行われる。
【０４３９】
これによれば、センタ景品管理装置７０において、予め登録された在庫数ａから予約内容登録処理に伴って減算更新された後の現在在庫数に基づいて、景品の予約が可能であるか否かが判定され、予約が可能でないと判定されると、予約内容登録処理が不能化（在庫零通知が送信）されるので、遊技者が予約をした景品を交換することができないという事態が生ずるおそれがない。また、景品の在庫を管理する側において景品の在庫数に不測の変動が生じた場合であっても、センタ景品管理装置７０において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間や遊技者の迷惑を低減できる。
【０４４０】
また制御部７２及び在庫数ＤＢは、初期在庫数から提供処理（配送情報登録処理）に供された提供個数（配送個数）を減算した提供後在庫数（配送登録後在庫数）を管理する提供後在庫数管理手段として機能するものであり、具体的には、景品情報ＤＢに初期在庫数が登録されると、該初期在庫数が配送登録後在庫数として在庫数ＤＢに登録され、図３８のＳ１２１６及びＳ１２１７に示す配送情報登録処理に伴って、同Ｓ１２１０’に示すように、在庫数ＤＢに登録されている配送登録後在庫数から配送個数が減算される。また制御部７２は、前記在庫数変更手段（通信部７１）にて初期在庫数（即ち図１０に示す景品情報ＤＢで管理している在庫数）の変更を受け付けたことを条件として、該初期在庫数の変動数に基づいて、提供後在庫数管理手段（在庫数ＤＢ）で管理している提供後在庫数（配送登録後在庫数）を更新する提供後在庫数更新手段として機能するものであり、具体的には、図４１のＳ１５０２で、景品情報ＤＢで管理している在庫数が変更されると、同Ｓ１５０３ａ’で、在庫数ＤＢで管理している配送登録後在庫数から初期在庫数の変動数が減算される。
【０４４１】
そして制御部７２は、提供後在庫数更新手段にて更新された後の提供後在庫数（即ち在庫数ＤＢで管理している配送登録後在庫数）に基づいて、景品の提供（配送）が可能であるか否かを判定する提供可否判定手段として機能するものであり、具体的には、図３８のＳ１２１０及びＳ１２１２の処理に代えて、Ｓ１２１０’及びＳ１２１２’の処理を行う。このＳ１２１０’の処理では、在庫数ＤＢで管理している配送登録後在庫数−配送個数≧０の判定式ｙ’を満たすか否かで、景品の配送が可能であるか否かが判定され、該Ｓ１２１０’で判定式ｙ’を満たす（ＹＥＳ）、即ち景品の配送が可能であると判定されると、前記Ｓ１２１２’の処理が行われて、前記Ｓ１２１６又はＳ１２１７で配送情報登録処理が行われる一方、該Ｓ１２１０’で判定式ｙ’を満たさない（ＮＯ）、即ち景品の配送が可能でないと判定されると、前記Ｓ１２１１の処理が行われて、該判定の対象となった景品を遊技者に配送するための配送情報登録処理を行わない。
【０４４２】
これによれば、交換する景品の予約内容登録処理が行われた後に、当該景品の初期在庫数の変更を受け付けた場合であっても、該初期在庫数の変動数に基づいて更新される配送登録後在庫数に基づいて該景品の提供が可能でないと判定されると、該景品を遊技者に配送するための配送情報登録処理が行われないので、事後的な対処が必要となる件数をさらに低減できる。
【０４４３】
さらに制御部７２は、図４１のＳ１５０３の処理に代えて、Ｓ１５０３ｂ’の処理を行う。このＳ１５０３ｂ’では、前記Ｓ１５０３ａ’で減算された配送登録後在庫数に基づいて、該配送登録後在庫数≧０の判定式ｙ”を満たすか否かで、景品の提供が可能であるか否かを判定する。このＳ１５０３ｂ’の判定を行う制御部７２は、前記提供後在庫数更新手段（制御部７２）にて更新された後の提供後在庫数（配送登録後在庫数）に基づいて、景品の提供（配送）が可能であるか否かを判定する提供可否判定手段として機能するものである。このＳ１５０３ｂ’で判定式ｙ”を満たす（ＹＥＳ）、即ち景品の提供が可能であると判定された場合には、処理を終了する。一方、Ｓ１５０３ｂ’で判定式ｙ”を満たさない（ＮＯ）、即ち景品の提供が可能でないと判定された場合には、前記Ｓ１５０４に進む。
【０４４４】
［３．変形例］
次に、本発明の変形例について説明する。
【０４４５】
上記の実施形態では、図１に示すように、遊技機が、パチンコ玉を遊技媒体とするパチンコ機１０である例について説明したが、これに限らず、該遊技機は、メダルを遊技媒体とするスロットマシンであっても良く、この場合における所有遊技媒体数は、獲得メダルの計数値や貯メダル数である。また遊技機は、持点数を遊技媒体とするパチンコ機，スロットマシン，又はゲーム機であっても良く、この場合における所有遊技媒体数は、当該持点数である。
【０４４６】
上記の実施形態では、図１８（ｂ）に示すように、カードユニット２０から、計数値を記録した計数レシート５を発行する例について説明したが、これに限らず、該計数レシート５は発行せずに、計数値をカード（会員カード２，景品交換カード３，ビジタカード４）の記録情報から特定可能とする処理（例えば計数値をカードに記録する処理や、計数値をカードのＩＤから特定可能とする処理）を行って、該カードを返却又は発行するようにしても良い。
【０４４７】
上記の実施形態において、カードユニット２０で予約可能な場内景品には、景品交換カウンタに陳列される景品（いわゆる一般景品）と、金地金等の景品（いわゆる特殊景品）とが含まれる。
【０４４８】
上記の実施形態では、図２２のＳ１２５に示すように、カードユニット２０において、会員カード２又は景品交換カード３に予約内容を記録して返却することにより、会員遊技者又は景品会員遊技者については、予約状態を引き継ぐことができる例について説明したが、これに限らず、残額が０であるか否かに拘わらず、ビジタカード４に予約内容を記録して返却又は発行することにより、ビジタ遊技者についても、予約状態を引き継ぐことができるようにしても良い。
【０４４９】
上記の実施形態では、図２２のＳ１２５に示すように、選択景品特定処理として、会員カード２又は景品交換カード３に予約内容を記録するカード記録処理を行う例について説明したが、該カード記録処理は行わずに、配送景品については、選択景品特定処理として、遊技者識別情報（会員ＩＤ又は景品会員ＩＤ）と予約内容とを含む予約要求をセンタ景品管理装置７０に対して送信する処理を行い、該センタ景品管理装置７０において、図１４に示す予約情報ＤＢで、遊技者識別情報に対応付けて予約内容を登録することにより、予約内容（即ち予約受付手段にて選択された景品）を遊技者識別情報から特定可能となり、場内景品についても、選択景品特定処理として、遊技者識別情報と予約内容とを含む予約要求を場内景品管理装置６３に対して送信する処理を行い、該場内景品管理装置６３において、図１７（ｃ）に示す遊技関連情報ＤＢで、遊技者識別情報（図示外）に対応付けて予約内容を登録することにより、予約内容（即ち予約受付手段にて選択された景品）を遊技者識別情報から特定可能となる。
【０４５０】
上記の実施形態では、図２８のＤ１２１に示すように、予約をするのが配送景品であるか場内景品であるかの選択を予め遊技者から受け付ける例について説明したが、これに限らず、遊技者からは配送景品であるか場内景品であるかの選択を受け付けないで、全ての景品（配送景品及び場内景品）の中から予約を希望する景品の選択を受け付け、該選択された景品が配送景品であれば、予約要求をセンタ景品管理装置７０に対して送信し、選択された景品が場内景品であれば、予約要求を場内景品管理装置６３に対して送信するようにしても良く、これによれば、配送景品であるか場内景品であるかを意識することなく、予約を希望する景品を選択することができるので、遊技者の利便性を向上することができる。
【０４５１】
上記の実施形態では、図３０のＤ１３１に示すように、景品が選択された順に、自動的に高い優先順位とされる例について説明したが、これに限らず、複数の景品を選択した後に、各景品の優先順位の指定を受け付けるようにしても良く、この場合であっても、予約受付手段（ディスプレイ２４）は、優先順位と共に景品の選択を受け付けていることになる。
【０４５２】
上記の実施形態では、所有遊技媒体数（所有玉数）に貯玉数が含まれる例について説明したが、これに限らず、該所有遊技媒体数に貯玉数が含まれない（即ち貯玉数を景品交換に使用できない）ものであっても良い。また上記の実施形態では、所有遊技媒体数に他の各台計数機１９における計数値が含まれない例について説明したが、これに限らず、該所有遊技媒体数に他の各台計数機１９における計数値が含まれる（即ち当該計数値を景品交換に使用できる）ものであっても良く、この場合には、例えば前述の如く、計数値をカード（会員カード２，景品交換カード３，ビジタカード４）の記録情報から特定可能とし、該カードがカードユニット２０で受け付けられると、該カードの記録情報から特定される計数値を景品交換に使用できるようにすれば良い。
【０４５３】
上記の実施形態では、図３１のＤ１４２に示すように、カードユニット２０において、当該カードユニット２０における予約確定を１回限り取り消すことができる例について説明したが、これに限らず、当該カードユニット２０における予約確定を複数回取り消すことができるようにしても良い。またカードユニット２０において、他のカードユニット２０における予約確定を１回又は複数回取り消すことができるようにしても良い。
【０４５４】
上記の実施形態では、図３１のＤ１４３に示すように、確定可能報知手段であるディスプレイ２４により、所定の優先順位までの予約景品の予約確定が可能になった旨として、１位から順位カウンタｎが示す順位（Ｄ１４３では２位）までの各順位の予約景品の予約確定が可能である旨を示す（即ち「１位と２位の景品について予約確定が可能となりました」と表示する）例について説明したが、その後に行われる確定可能報知処理において、さらに下位（例えば３位）の予約景品の予約確定が可能になった場合には、当該確定可能報知処理により予約確定が可能になった優先順位の予約景品の予約確定も可能である旨を示す（即ち「３位の景品も予約確定が可能となりました」と表示する）ようにしても良い。即ち確定可能報知手段は、所定の優先順位までの全景品の予約が確定可能になった旨を報知するもので有れば良く、その報知態様は限定されない。
【０４５５】
上記の実施形態では、図３５又は図４３のＳ３２ａに示すように、場内景品管理装置６３が行う予約内容登録処理において、上限値判定処理（図３６のＳ１１０６）が行われない例について説明したが、センタ景品管理装置７０が行う予約内容登録処理と同様に、上限値判定処理が行われるようにしても良い。
【０４５６】
上記の第１実施形態では、図３５のＳ４２に示すように、予約確定端末５０において予約景品の予約確定ができ、上記の第２実施形態では、図４３のＳ４１’に示すように、ＰＯＳ・予約確定端末５０’において予約景品の予約確定ができる例について説明したが、これに限らず、これら予約確定端末５０やＰＯＳ・予約確定端末５０’では予約確定ができず（つまり予約確定端末５０やＰＯＳ・予約確定端末５０’を備えず）、カードユニット２０でのみ予約確定ができるものであっても良い。
【０４５７】
上記の実施形態では、図１に示すように、ＩＰアドレスにより個々に特定されるカードユニット２０から、ルータ６４及び図示しないインターネットを介して、センタ景品管理装置７０と直接通信が行われる例について説明したが、これに限らず、残額管理装置６０とセンタ景品管理装置７０とがルータ６４及びインターネットを介して通信可能に接続され、カードユニット２０からは、該残額管理装置６０，ルータ６４，及びインターネットを介して、センタ景品管理装置７０と通信が行われるようにしても良く、これによれば、各カードユニット２０にＩＰアドレス及びインターネット接続機能を持たせる必要が無くなる。
【０４５８】
上記の実施形態では、予約識別情報が、センタ景品管理装置７０において生成される予約ＩＤである例について説明したが、これに限らず、該予約識別情報を、会員カード２の会員ＩＤや、景品交換カード３の景品会員ＩＤとしても良い。この場合には、センタ景品管理装置７０において、予約ＩＤは生成されず、図１４に示す予約情報ＤＢでは、該予約ＩＤに代えて会員ＩＤ又は景品会員ＩＤが登録されると共に、該会員ＩＤ又は景品会員ＩＤに対応付けて予約情報が登録される。そして予約確定要求には、会員ＩＤ又は景品会員ＩＤが含まれ、センタ景品管理装置７０において、該予約確定要求に含まれる会員ＩＤ又は景品会員ＩＤに対応付けられている予約情報を図１６に示す配送情報ＤＢで配送情報として登録する配送情報登録処理が行われる。
【０４５９】
上記の実施形態では、図３（ａ）に示すように、１つの予約確定ＩＤに対して１枚の配送レシート６が発行される例について説明したが、これに限らず、複数の予約確定ＩＤが記録された配送レシート６が発行されるようにしても良い。
【０４６０】
上記の実施形態では、図３（ａ）に示すように、配送レシート６に、問い合わせ先として、景品センタと、配送対象である景品を提供する景品提供業者（ここでは景品提供業者Ｘ）の電話番号が記録される例について説明したが、これに限らず、景品センタ又は当該景品提供業者のいずれか一方のみの電話番号が記録されるようにしても良い。また問い合わせ先は、電話番号のみならず、住所，ＦＡＸ番号，及び／又は電子メールアドレス等であっても良い。
【０４６１】
上記の実施形態では、図４（ａ）に示すように、在庫数の変更が、配送管理装置８０において行われる例について説明したが、これに限らず、該在庫数の変更は、センタ景品管理装置７０において行われるようにしても良く、この場合には、該センタ景品管理装置７０のディスプレイ７３及び入力装置７４が在庫数変更手段として機能し、該ディスプレイ７３に図４（ａ）に示す画面が表示され、入力装置７４の操作により、在庫数の変更を受け付けるようにすれば良い。
【０４６２】
上記の実施形態において、配送管理装置８０において、図６（ａ）に示す配送情報ＤＢで記憶されている配送状況（配送開始日時及び／又は配送完了日時）が、センタ景品管理装置７０に対して送信されて、該センタ景品管理装置７０において、図１６に示す配送情報ＤＢで記憶されるようにしても良い。
【０４６３】
上記の実施形態では、図７（ａ）に示す景品パッケージ設定画面において、異なる大区分に属する景品を景品パッケージに含める場合には、Ｄ１１ａで大区分及び小区分を設定しないで、Ｄ１１ｂで全ての景品が含まれる景品リストを表示して、景品の選択を受け付ける例について説明したが、景品リストで全ての景品が表示されると希望する景品を見つけづらいので、Ｄ１１ａで区分（大区分のみ，又は大区分と小区分）を設定し、Ｄ１１ｂで該設定された区分に属する景品の景品リストを表示して、景品の選択を受け付けた後、再びＤ１１ａに戻って別の区分を設定し、Ｄ１１ｂで該設定された別の区分に属する景品の景品リストを表示して、景品の選択を受け付ける、というように、区分の設定と景品の選択を繰り返すことにより、景品パッケージに含める景品を選択できるようにしても良い。
【０４６４】
上記の実施形態では、図７（ｂ）に示すように、景品パッケージに含まれる景品の更新が、センタ景品管理装置７０において行われる例について説明したが、これに限らず、該景品パッケージに含まれる景品の更新は、配送管理装置８０において行われるようにしても良く、この場合には、該配送管理装置８０からセンタ景品管理装置７０に対して、更新された景品パッケージの景品パッケージ情報を送信し、センタ景品管理装置７０において、前記景品更新手段として機能する制御部７２により、該受信した景品パッケージ情報が景品パッケージ情報ＤＢで登録されようにすれば良い。
【０４６５】
上記の実施形態では、図７（ｃ）に示すように、予約停止景品の指定が、センタ景品管理装置７０において行われる例について説明したが、これに限らず、該予約停止景品の指定は、配送管理装置８０において行われるようにしても良く、この場合には、該配送管理装置８０からセンタ景品管理装置７０に対して、指定された予約停止景品の景品ＩＤを送信し、センタ景品管理装置７０において、前記予約停止景品受付手段して機能する制御部７２により、該受信した景品ＩＤに対応付けて景品パッケージ情報ＤＢで予約停止フラグ１が登録されようにすれば良い。
【０４６６】
上記の実施形態では、図７（ｃ）に示すように、予約停止景品を指定する景品リスト（Ｄ１３ｂ）を表示する際に、景品提供業者，大区分，及び小区分を設定して（Ｄ１３ａ）、該設定した景品提供業者，大区分，及び小区分に合致する景品の景品リストが表示される例について説明したが、これに限らず、図７（ｂ）に示すように、景品提供業者を選択し（Ｄ１２ａ）、該景品提供業者が提供する景品パッケージを選択して（Ｄ１２ｂ）、該景品パッケージに含まれる景品の景品リストが表示されるようにしても良い。
【０４６７】
上記の実施形態では、図５（ｂ）や図１１の景品パッケージＤＢで示すように、景品パッケージに含まれる景品の数（種類）が、景品提供業者や遊技場が設定した任意の数である例について説明したが、これに限らず、予め定められた一定数であっても良い。
【０４６８】
上記の実施形態では、図１１の景品パッケージＤＢで示すように、複数の景品提供業者の全て（ここではＸ及びＹ）について、各々景品パッケージが設定される例について説明したが、これに限らず、景品パッケージが設定されない景品提供業者Ｚ（例えば景品区分が同一で少ない種類の景品を提供する景品提供業者）があっても良い。即ち前記景品パッケージ設定手段は、複数の景品提供業者のうちの少なくとも一部の景品提供業者について、各景品提供業者毎に景品パッケージを設定するものであれば良い。この場合には、例えば図３４に示すＤ１５３で、当該景品提供業者Ｚのボタンも表示し、該ボタンが操作されると、前記景品表示処理手段は、該景品提供業者Ｚが提供する全ての景品を当該遊技場に設けられるカードユニット２０で表示するための処理を行うようにすれば良い。
【０４６９】
上記の第１実施形態において、図１３（ｂ）に示す予約・確定累計数ＤＢにおいて、予約個数を確定累計数ｂ’に加算するときに（図３８のＳ１２１２）、該予約個数を予約累計数ｂから減算するようにしても良い。この場合における予約累計数ｂは、予約された景品のうち予約確定されていない景品の数である。また、この場合における判定式ｘ（図３６のＳ１１０９）は、在庫数ａ−（予約累計数ｂ＋確定累計数ｂ’＋予約個数ｃ）≧０となる。
【０４７０】
上記の第２実施形態では、図４５に示す在庫数ＤＢにおいて、現在在庫数が管理されている例について説明したが、これに限らず、図１３（ｂ）に示す予約・確定累計数ＤＢと同様に、予約累計数ｂを管理しておき、予約要求を受信した時点で、図１０に示す景品情報ＤＢで登録されている在庫数ａ−当該予約累計数ｂの式で現在在庫数が算出され、該算出された現在在庫数に基づいて、在庫数判定手段（制御部７２）により、図３６のＳ１１０９’に示す判定が行われるようにしても良い。即ち、この場合における在庫数判定手段は、在庫数登録手段に登録（景品情報ＤＢ）された在庫数と、予約個数集計手段により集計された予約個数（予約累計数）とに基づいて、景品の予約が可能であるか否かを判定する、前記第１実施形態に係る在庫数判定手段として機能するものである。
【０４７１】
上記の実施形態において、図２８に示すようにカードユニット２０で表示される景品選択画面で、Ｄ１２５で大区分ボタンが選択され、Ｄ１２６で小区分ボタンが選択された後に、Ｄ１２９ａ又はＤ１２９ａ’に示す交換玉数ボタンを区分メニューとして表示し、いずれかの交換玉数ボタンが選択されると、選択された大区分，小区分，及び交換玉数に属する景品が表示されるようにしても良く、これによれば、選択された大区分及び小区分に属する景品が多い場合であっても、交換玉数の区分でさらに絞り込みをかけることができるので、遊技者が希望する景品をスムーズに選択することができる。
【０４７２】
同様に、上記の実施形態において、図２８に示すようにカードユニット２０で表示される景品選択画面で、Ｄ１２９ａ又はＤ１２９ａ’に示す交換玉数ボタンが選択された後に、Ｄ１２５に示す大区分ボタンを区分メニューとして表示し、いずれかの大区分ボタンが選択されると、Ｄ１２６に示す小区分ボタンを区分メニューとして表示し、いずれかの小区分ボタンが選択されると、選択された交換玉数，大区分，及び小区分に属する景品が表示されるようにしても良く、これによれば、選択された交換玉数の区分に属する景品が多い場合であっても、大区分及び小区分でさらに絞り込みをかけることができるので、遊技者が希望する景品をスムーズに選択することができる。
【０４７３】
上記の実施形態では、図３０に示すように、Ｄ１３１で「配送先指定」ボタンが操作されると、Ｄ１３２で配送先として遊技場又は自宅の指定が受け付けられる例について説明したが、これに限らず、Ｄ１３１で「配送先指定」ボタンが操作されると、Ｄ１３３又はＤ１３５に進み、Ｄ１３４で「予約実行」ボタンが操作された後に、Ｄ１３２に進んで配送先として遊技場又は自宅の指定が受け付けられ、該Ｄ１３２で決定ボタンが操作されると、予約要求が送信されるようにしても良い。
【０４７４】
上記の実施形態では、図３０のＤ１３３に示すように、カードユニット２０にて景品予約処理を行うときに配送先情報の指定も受け付け、該配送先情報が図１４に示す予約情報ＤＢで予約情報として登録される例について説明したが、これに限らず、カードユニット２０にて景品予約処理を行うときには、配送先情報の指定は受け付けずに、未提供予約個数・価格ＤＢで予約個数又は予約価格を管理するために必要な当該会員遊技者の会員ＩＤ，景品会員ＩＤ，又は氏名のみを受け付け、予約確定端末５０にて予約確定処理を行うときに、配送先情報の指定を受け付け、該配送先情報が図１６に示す配送情報ＤＢで配送情報として登録されるようにしても良い。
【０４７５】
上記の実施形態では、図３４のＤ１５３及びＤ１５４に示すように、景品提供業者を選択してから、該景品提供業者が提供する景品パッケージの中から景品パッケージを選択する例について説明したが、これに限らず、景品パッケージが属する区分を選択してから、該選択した区分に属する景品パッケージの中から該景品パッケージを提供する景品提供業者を選択するようにしても良い。また全景品提供業者が提供する全景品パッケージの中から景品パッケージを選択するようにしても良く、この場合には選択操作が１回となる。
【０４７６】
上記の実施形態では、図３４のＤ１５３〜Ｄ１５５に示すように、予約確定端末５０，及び遊技場に設けられセンタ景品管理装置７０と通信可能なパソコンにて景品パッケージの選択を受け付ける例について説明したが、これに限らず、カードユニット２０にて該選択を受け付けるようにしても良い。また遊技場が希望する景品パッケージを所定の用紙に記載して景品センタに提出し、オペレータがセンタ景品管理装置７０の入力装置７４を操作して、当該用紙に記載された景品パッケージが入力されるようにしても良く、この場合には入力装置７４が景品パッケージ選択受付手段となる。
【０４７７】
上記の実施形態では、図３４のＤ１５８に示すように、予約確定端末５０，及び遊技場に設けられセンタ景品管理装置７０と通信可能なパソコンにて取消を希望する提供情報（配送情報）の指定を受け付ける例について説明したが、これに限らず、カードユニット２０にて該指定を受け付けるようにしても良い。また取消を希望する提供情報を所定の用紙に記載して景品センタに提出し、オペレータがセンタ景品管理装置７０の入力装置７４を操作して、当該用紙に記載された提供情報が入力されるようにしても良く、この場合には入力装置７４が取消指定受付手段となる。
【０４７８】
上記の第１実施形態では、図３５のＳ１３に示すように、センタ景品管理装置７０からカードユニット２０に対して、景品パッケージ情報と景品情報とが関連付けて送信され、カードユニット２０において、該景品パッケージ情報と景品情報とが関連付けられた表示景品情報（図１９（ａ））として記憶される例について説明したが、これに限らず、景品パッケージ情報と景品情報とは別個に送信されるようにしても良く、また該景品パッケージ情報と景品情報とは別個に記憶されるようにしても良い。
【０４７９】
上記の実施形態では、図３５のＳ１４や、図４３のＳ１４’に示すように、カードユニット２０において、区分メニューと該区分メニューに対応する分類区分が設定されている景品の景品情報とを関連付けた区分メニューＤＢ（図１９（ｂ））を予め作成して記憶しておき、いずれかの区分メニューが選択されると、該選択された区分メニューに関連付けられている景品が表示される例について説明したが、これに限らず、該区分メニューＤＢを予め作成しておかずに、いずれかの区分メニューが選択されると、該選択された区分メニューに対応する分類区分が設定されている景品を表示景品情報ＤＢ（図１９（ａ））から抽出し、該抽出した景品のうち重複する景品を特定し、該特定した景品のうち１つを除いて削除し、前記抽出した景品から該削除した景品を除いた景品を表示するようにしても良い。
【０４８０】
上記の実施形態では、図３５のＳ１４や、図４３のＳ１４’に示すように、カードユニット２０において、区分メニューＤＢ（図１９（ｂ））を作成する例について説明したが、これに限らず、センタ景品管理装置７０において、各遊技場毎の区分メニューＤＢを予め作成して、該作成した区分メニューＤＢを各遊技場のカードユニット２０に送信し、該カードユニット２０において、受信した区分メニューＤＢを記憶するようにしても良い。またセンタ景品管理装置７０は、前記作成した区分メニューＤＢをカードユニット２０に送信せず、カードユニット２０において、いずれかの区分メニューが選択されると、該選択された区分メニューを示す情報をセンタ景品管理装置７０に送信し、センタ景品管理装置７０において、該送信されてきた区分メニューに関連付けられている景品の景品情報をカードユニット２０に返信し、カードユニット２０において、受信した景品情報の景品を表示するようにしても良い。
【０４８１】
上記の実施形態では、図３５のＳ１４や、図４３のＳ１４’に示すように、カードユニット２０において、区分メニューＤＢ（図１９（ｂ））を作成する例について説明し、上記の変形例では、センタ景品管理装置７０において、区分メニューＤＢを作成する例について説明したが、カードユニット２０及びセンタ景品管理装置７０のいずれにおいても区分メニューＤＢを作成せず、カードユニット２０において、いずれかの区分メニューが選択されると、該選択された区分メニューを示す情報をセンタ景品管理装置７０に送信し、センタ景品管理装置７０において、当該遊技場が選択している景品パッケージに含まれる景品の中から、該送信されてきた区分メニューに対応する分類区分が設定されている景品を抽出し、該抽出した景品のうち重複する景品を特定し、該特定した景品のうち１つを除いて削除し、前記抽出した景品から該削除した景品を除いた景品の景品情報をカードユニット２０に返信し、カードユニット２０において、受信した景品情報の景品を表示するようにしても良い。
【０４８２】
上記の実施形態では、図３５のＳ１４や、図４３のＳ１４’に示すように、カードユニット２０において、表示景品情報ＤＢ（図１９（ａ））を記憶しておき、いずれかのパッケージメニューが選択されると、該選択されたパッケージメニューに対応する景品パッケージに含まれる景品が表示される例について説明したが、これに限らず、カードユニット２０において、景品パッケージ情報は記憶しておくが景品情報は記憶しておかずに、いずれかのパッケージメニューが選択されると、該選択されたパッケージメニューに対応する景品パッケージを示す情報をセンタ景品管理装置７０に送信し、センタ景品管理装置７０において、該送信されてきた情報が示す景品パッケージに含まれる景品の景品情報をカードユニット２０に返信し、カードユニット２０において、受信した景品情報の景品を表示するようにしても良い。
【０４８３】
上記の第２実施形態では、図４３のＳ１４’に示すように、カードユニット２０において、重複する景品を排除する（即ち図１０に示す景品情報ＤＢで表示フラグ１が登録されているものを抽出する）例について説明したが、これに限らず、センタ景品管理装置７０において、重複する景品を排除する処理を行い、該重複を排除した景品の景品情報を各遊技場のカードユニット２０に送信するようにしても良い。この場合において、区分メニューＤＢは、カードユニット２０で作成されるようにしても良く、またセンタ景品管理装置７０で作成されて、カードユニット２０に送信され、該カードユニット２０で記憶されるようにしても良い。さらに区分メニューＤＢは、カードユニット２０及びセンタ景品管理装置７０のいずれにおいても作成されないようにしても良く、この場合において、前記重複する景品を排除した景品情報をカードユニット２０が記憶していれば、いずれかの区分メニューが選択されると、該選択された区分メニューに対応する分類区分が設定されている景品を当該景品情報から抽出して表示すれば良く、また前記重複する景品を排除した景品情報をセンタ景品管理装置７０が記憶していれば、いずれかの区分メニューが選択されると、該選択された区分メニューを示す情報をセンタ景品管理装置７０に送信し、センタ景品管理装置７０において、該受信した情報が示す区分メニューに対応する分類区分が設定されている景品を当該景品情報から抽出してカードユニット２０に返信し、カードユニット２０において、受信した景品情報の景品を表示するようにすれば良い。
【０４８４】
上記の実施形態では、図２１のＳ８４に示すように、配送先記録媒体（会員カード２又は景品交換カード３）から特定される配送先特定情報（会員ＩＤ又は景品会員ＩＤ）から配送先情報を特定可能とするための配送先特定処理として、配送先特定処理手段である通信部（場外通信部２１ｃ）により、配送先登録要求を送信する処理が行われる例について説明したが、これに限らず、該配送先特定処理として、配送先情報を配送先記録媒体に記録する処理が行われるようにしても良く、この場合には、カードユニット２０の制御部２２とカードＲ／Ｗ２３が配送先特定処理手段となり、該配送先情報自体が配送先特定情報となる。
【０４８５】
上記の実施形態では、図３６のＳ１１０７及びＳ１１０８に示すように、センタ景品管理装置７０において予約停止景品が設定された後、予約要求を受信したことに基づいて、予約停止情報がカードユニット２０に対して送信される例について説明したが、これに限らず、センタ景品管理装置７０において予約停止景品が設定されたときに、予約停止情報がカードユニット２０に対して送信されるようにしても良い。
【０４８６】
上記の第１実施形態では、図３６のＳ１１０９に示すように、景品の予約が可能であるか否かが、在庫数ａ−（予約累計数ｂ＋予約個数ｃ）≧０の判定式ｘを満たすか否かで判定される例について説明したが、これに代えて、在庫数ａ≧予約累計数ｂ＋予約個数ｃの判定式ｘ１や、在庫数ａ−予約累計数ｂ≧予約個数ｃの判定式ｘ２や、在庫数ａ−予約個数ｃ≧予約累計数ｂの判定式ｘ３等、判定式ｘを変形した各判定式を満たすか否かで判定されるようにしても良い。また予約個数ｃが常に１であれば、予約内容登録処理の後に在庫数ａ＝予約累計数ｂとなった時点で予約不可フラグを立てておき、次回以降の予約内容登録処理が行われない（即ち該予約不可フラグが立っていると、予約要求を受信する毎に予約ＮＧを送信するか、又は１回目の予約要求を受信すると予約停止情報を送信する）ようにしても良い。
【０４８７】
上記の第２実施形態では、図３６のＳ１１０９’に示すように、景品の予約が可能であるか否かが、現在在庫数−予約個数≧０の判定式ｙを満たすか否かで判定される例について説明したが、これに代えて、現在在庫数≧予約個数の判定式ｙ１を満たすか否かで判定されるようにしても良い。また予約個数が常に１であれば、予約内容登録処理の後に現在在庫数＝０となった時点で、予約不可フラグを立てておき、次回以降の予約内容登録処理が行われない（即ち該予約不可フラグが立っていると、予約要求を受信する毎に予約ＮＧを送信するか、又は１回目の予約要求を受信すると予約停止情報を送信する）ようにしても良い。
【０４８８】
上記の実施形態では、図３６のＳ１１０９やＳ１１０９’に示すように、予約要求を受信したことに基づいて、在庫があるか否かが判定される例について説明したが、これに限らず、景品の在庫が零となった時点で、在庫零通知をカードユニット２０に対して送信し、カードユニット２０において、該在庫零通知を受信した後（図２２のＳ１２３でＹＥＳと判定された後）に、当該景品の選択ができなくなるようにしても良い。
【０４８９】
上記の実施形態では、図３６のＳ１１０９やＳ１１０９’に示すように、予約要求を受信したことに基づいて、在庫数判定手段により、変更された在庫数と予約累計数とに基づいて（又は変更された現在在庫数に基づいて）、景品の予約が可能であるか否かが判定され、景品の予約が可能でなければ、予約停止情報である在庫零通知がカードユニット２０に対して送信される例について説明したが、これに限らず、センタ景品管理装置７０において在庫数が変更されたときに、該在庫数判定手段による判定（即ち第１実施形態においては変更後の在庫数−予約累計数≧０？の判定であり、第２実施形態においては現在在庫数−初期在庫数の変動数≧０？の判定）を行い、景品の予約が可能でないと判定された場合に、予め予約停止情報（在庫零通知）をカードユニット２０に対して送信し、カードユニット２０において、該予約停止情報を受信した後（図２２のＳ１２２でＹＥＳと判定された後）に、当該景品の選択ができなくなるようにしても良い。また景品の予約が可能でないと判定された場合に、予約不可フラグを立てておき、次回以降の予約内容登録処理が行われない（即ち該予約不可フラグが立っていると、予約要求を受信する毎に予約ＮＧを送信するか、又は１回目の予約要求を受信すると予約停止情報を送信する）ようにしても良い。
【０４９０】
また上記の第１実施形態において、図４５に示す在庫数ＤＢを管理しておき、在庫数判定手段による判定として、予約要求の受信時には、図３６のＳ１１０９に示すように、在庫数と予約累計数とに基づく判定を行い、在庫数の変更時（図４１）には、変更後の現在在庫数に基づく判定を行い、在庫数の変更後には、図３６のＳ１１０９に示すように、変更後の在庫数と予約累計数とに基づく判定を行うようにしても良い。また提供可否判定手段による判定として、予約確定要求の受信時には、図３８のＳ１２１０に示すように、在庫数と確定累計数とに基づく判定を行い、在庫数の変更時には、図４１のＳ１５０３’に示すように、変更後の配送登録後在庫数に基づく判定を行い、在庫数の変更後には、図４１のＳ１２１０に示すように、変更後の在庫数と確定累計数とに基づく判定を行うようにしても良い。
【０４９１】
また上記の第２実施形態において、図１３（ｂ）に示す予約・確定累計数ＤＢを管理しておき、在庫数判定手段による判定として、予約要求の受信時には、図３６のＳ１１０９’に示すように、現在在庫数に基づく判定を行い、在庫数の変更時（図４１）には、変更後の在庫数と予約累計数とに基づく判定を行い、在庫数の変更後には、図３６のＳ１１０９’に示すように、変更後の現在在庫数に基づく判定を行うようにしても良い。また提供可否判定手段による判定として、予約確定要求の受信時には、図３８のＳ１２１０’に示すように、配送登録後在庫数に基づく判定を行い、在庫数の変更時には、図４１のＳ１５０３に示すように、変更後の配送登録後在庫数と確定累計数とに基づく判定を行い、在庫数の変更後には、図４１のＳ１２１０’に示すように、変更後の配送登録後在庫数に基づく判定を行うようにしても良い。
【０４９２】
上記の実施形態では、図３６に示すように、予約停止情報と在庫零通知とが別個のものである例について説明したが、これに限らず、本例の如く予約要求を受信する毎に予約停止情報を返信する場合には、該予約停止情報は、予約停止景品の予約を停止する旨の情報である必要はなく、単に予約ができない旨を示す情報（ＮＧ通知）でも良く、この場合には、在庫零通知と同一のＮＧ通知としても良い。
【０４９３】
上記の第１実施形態では、図３８に示すように、Ｓ１２０６，Ｓ１２０８，Ｓ１２１０の判定が、Ｓ１２０１で予約確定要求を受信した後に行われる例について説明したが、これに限らず、これらの判定は、Ｓ１２０１で予約情報要求を受信した後に行われるようにしても良く、この場合には、これらの判定で全てＹＥＳならば、Ｓ１２０４で予約情報を送信して、Ｓ１２０１で予約確定要求の受信を待機し、予約確定要求の受信が有ると、Ｓ１２１２に進む。これによれば、遊技場において、当該Ｓ１２０４の予約情報を受信してから減算処理を行うという運用をすることで、減算処理を行った後に予約確定ができなかったために該減算処理を取り消すといった手間を減少することができる。
【０４９４】
上記の第１実施形態では、図３６のＳ１１０９に示すように、在庫数判定手段が、在庫数変更手段にて変更を受け付けた後の在庫数（即ち景品情報ＤＢで管理している在庫数）と予約個数集計手段にて集計された予約個数（即ち予約・確定累計数ＤＢで管理している予約累計数）とに基づいて、景品の予約が可能であるか否かを判定する例について説明したが、これに限らず、該第１実施形態のセンタ景品管理装置７０でも、図４５に示す在庫数ＤＢを管理して、在庫数判定手段が、Ｓ１１０９’に示す判定を行うようにしても良く、この場合には、在庫数変更手段にて在庫数の変更を受け付けたことを条件として、現在在庫数更新手段として機能する制御部７２により、在庫数の変動数に基づいて、現在在庫数管理手段で管理している現在在庫数（即ち在庫数ＤＢで管理している現在在庫数）を更新し、在庫数判定手段として機能する制御部７２により、該現在在庫数更新手段にて更新された後の現在在庫数（即ち在庫数ＤＢで管理している現在在庫数）に基づいて、景品の予約が可能であるか否かを判定する。
【０４９５】
同様に、上記の第２実施形態では、図３６のＳ１１０９’に示すように、在庫数判定手段が、現在在庫数更新手段にて更新された後の現在在庫数（即ち在庫数ＤＢで管理している現在在庫数）に基づいて、景品の予約が可能であるか否かを判定する例について説明したが、これに限らず、該第２実施形態のセンタ景品管理装置７０でも、図１３（ｂ）に示す予約・確定累計数ＤＢを管理して、Ｓ１１０９に示すように、在庫数変更手段にて在庫数の変更を受け付けた後の在庫数と、予約個数集計手段にて集計された予約個数（即ち予約・確定累計数ＤＢで管理している予約累計数）とに基づいて、景品の予約が可能であるか否かを判定するようにしても良い。
【０４９６】
上記の第１実施形態では、図３８のＳ１２１０に示すように、提供可否判定手段が、在庫数変更手段にて変更を受け付けた後の在庫数（即ち景品情報ＤＢで管理している在庫数）と提供個数集計手段にて集計された提供個数（即ち予約・確定累計数ＤＢで管理している確定累計数）とに基づいて、景品の提供が可能であるか否かを判定する例について説明したが、これに限らず、該第１実施形態のセンタ景品管理装置７０でも、図４５に示す在庫数ＤＢを管理して、提供可否判定手段が、Ｓ１２１０’に示す判定を行うようにしても良く、この場合には、在庫数変更手段にて在庫数の変更を受け付けたことを条件として、提供後在庫数更新手段として機能する制御部７２により、在庫数の変動数に基づいて、提供後在庫数管理手段で管理している提供後在庫数（即ち在庫数ＤＢで管理している配送登録後在庫数）を更新し、提供可否判定手段として機能する制御部７２により、該提供後在庫数更新手段にて更新された後の提供後在庫数（即ち在庫数ＤＢで管理している配送登録後在庫数）に基づいて、景品の提供が可能であるか否かを判定する。
【０４９７】
同様に、上記の第２実施形態では、図３８のＳ１２１０’に示すように、提供可否判定手段が、提供後在庫数更新手段にて更新された後の提供後在庫数（即ち在庫数ＤＢで管理している配送登録後在庫数）に基づいて、景品の提供が可能であるか否かを判定する例について説明したが、これに限らず、該第２実施形態のセンタ景品管理装置７０でも、図１３（ｂ）に示す予約・確定累計数ＤＢを管理して、Ｓ１２１０に示すように、在庫数変更手段にて在庫数の変更を受け付けた後の初期在庫数と、提供個数集計手段にて集計された提供個数（即ち予約・確定累計数ＤＢで管理している確定累計数）とに基づいて、景品の提供が可能であるか否かを判定するようにしても良い。
【０４９８】
上記の実施形態では、図３９に示すように、センタ景品管理装置７０から配送管理装置８０に対して配送情報の送信（配送指示）が行われた後であっても、該センタ景品管理装置７０から配送管理装置８０に対して配送停止要求が送信され（Ｓ１４０５）、景品の配送が未だ行われていなければ、該景品の配送が停止される例について説明したが、これに限らず、配送管理装置８０に対する配送停止要求は行われないものであっても良い。
【０４９９】
上記の実施形態において、図４１のＳ１５０３，Ｓ１５０３ｂ’でＮＯ（即ち景品の提供が可能でない）と判定された場合に、該判定の対象となった景品の提供を停止する旨の提供停止情報を予約確定端末５０に送信するようにしても良く、また提供不可フラグを立てておき、次回以降の配送情報登録処理が行われない（即ち該提供不可フラグが立っていると、予約確定要求を受信する毎に確定ＮＧを送信するか、又は１回目の予約確定要求を受信すると提供停止情報を送信する）ようにしても良い。
【０５００】
上記の第２実施形態において、図４１のＳ１５０３ａ’で現在在庫数から初期在庫数の変動数を減算した結果、該減算後の現在在庫数がマイナスになる場合には、該減算後の現在在庫数を零にしても良い。なお、上記の実施形態では、在庫数が減少する場合について説明したが、在庫数が増加する場合であっても良い。
【０５０１】
上記の実施形態では、図４１に示すＳ１５０４において、配送情報ＤＢから配送先情報を抽出するときに、予約停止景品を予約した全ての遊技者の配送先情報が抽出される例について説明したが、これに限らず、変更後の在庫数を超える分だけ、確定日時が新しい予約に対応する配送先情報が抽出されるようにしても良い。例えば、ある景品について、予約確定数が１０であり、変更後の在庫数が７になった場合には、確定日時が古い７個についてはそのまま配送し、確定日時が新しい３個の予約に対応する配送先情報を抽出する。
【０５０２】
上記の第２実施形態では、図４２に示すように、減算処理端末及び予約確定端末として機能する（換言すれば減算処理端末と予約確定端末とが一体である）ＰＯＳ・予約確定端末５０’が設けられ、減算処理に伴って予約確定要求が送信される例について説明したが、これに限らず、減算処理端末（仮にＰＯＳ端末４０’とする）と予約確定端末（仮に予約確定端末５０’とする）とが別個に設けられるが、減算処理に伴って予約確定要求が送信されるようにしても良い。
【０５０３】
ここで予約確定端末５０’とセンタ景品管理装置７０とが通信可能である場合には、ＰＯＳ端末４０’は、計数レシート５から計数ＩＤと計数値を読み取って、計数値管理装置６２との間で該計数値の照合を行い、予約確定端末５０’は、会員カード２又は景品交換カード３から予約ＩＤを読み取り、センタ景品管理装置７０から該予約ＩＤに対応する交換玉数を取得して、該交換玉数をＰＯＳ端末４０’に送信し、ＰＯＳ端末４０’は、前記計数値≧該交換玉数ならば、減算ＯＫ通知を予約確定端末５０’に返信し、予約確定端末５０’は、前記予約ＩＤを含む予約確定要求をセンタ景品管理装置７０に送信するようにすれば良い。
【０５０４】
一方、ＰＯＳ端末４０’とセンタ景品管理装置７０とが通信可能である場合には、ＰＯＳ端末４０’は、計数レシート５から計数ＩＤと計数値を読み取って、計数値管理装置６２との間で該計数値の照合を行い、予約確定端末５０’は、会員カード２又は景品交換カード３から予約ＩＤを読み取って、該予約ＩＤをＰＯＳ端末４０’に送信し、ＰＯＳ端末４０’は、センタ景品管理装置７０から該予約ＩＤに対応する交換玉数を取得して、前記計数値≧該交換玉数ならば、前記予約ＩＤを含む予約確定要求をセンタ景品管理装置７０に送信し、センタ景品管理装置７０から提供登録完了通知を受信すると、確定ＯＫ通知を予約確定端末５０’に送信し、予約確定端末５０’は、配送レシート６を発行するようにすれば良い。
【０５０５】
上記の実施形態では、図１４に示す予約情報ＤＢにおいて、予約識別情報（予約ＩＤ）と遊技者特定情報である会員ＩＤ又は景品会員ＩＤ及び配送先情報とが対応付けて登録される例について説明したが、該予約情報ＤＢにおいては会員ＩＤ又は景品会員ＩＤを登録しないようにしても、図１３（ａ）に示す配送先ＤＢにおいて会員ＩＤ又は景品会員ＩＤと配送先情報（氏名等）とが対応付けて登録されているので、センタ景品管理装置７０においては、予約識別情報と遊技者特定情報である会員ＩＤ又は景品会員ＩＤとが対応付けて登録されていることになる。つまり、一のＤＢ（予約情報ＤＢ）において、データＡ（予約ＩＤ）とデータＢ（配送先情報）とが対応付けて登録されており、他のＤＢ（配送先ＤＢ）において、データＢ（配送先情報）とデータＣ（会員ＩＤ又は景品会員ＩＤ）とが対応付けて登録されている場合には、両ＤＢに共通のデータＢをキーにして、データＡとデータＣとが対応付けて登録されていることになる。
【０５０６】
同様に、上記の実施形態では、図１４に示す予約情報ＤＢにおいて、予約識別情報（予約ＩＤ）と景品特定情報（景品ＩＤ）と景品名が対応付けて登録される例について説明したが、該予約情報ＤＢにおいては景品ＩＤを登録しないようにしても、図１０に示す景品情報ＤＢにおいて景品ＩＤと景品名とが対応付けて登録されているので、センタ景品管理装置７０においては、予約識別情報と景品特定情報とが対応付けて登録されていることになる。つまり、一のＤＢ（予約情報ＤＢ）において、データＡ（予約ＩＤ）とデータＢ（景品名）とが対応付けて登録されており、他のＤＢ（景品情報ＤＢ）において、データＢ（景品名）とデータＣ（景品ＩＤ）とが対応付けて登録されている場合には、両ＤＢに共通のデータＢをキーにして、データＡとデータＣとが対応付けて登録されていることになる。
【０５０７】
上記の実施形態では、図９のＤ１６に示すように、上限値超え報知基準が設定され、図１５の未提供予約個数・価格ＤＢに示すように、上限値超え回数が集計され、図３７のＳ１１６６に示すように、上限値超え回数が上限値超え報知基準以上であることを条件として、遊技者特定情報抽出手段により抽出された遊技者特定情報（配送先情報）と該上限値超え回数とが表示される例について説明したが、これに限らず、上限値超え報知基準を設定せず、上限値超え回数を集計せず、遊技者特定情報抽出手段により遊技者特定情報が抽出されると、該抽出された遊技者特定情報が表示されるようにしても良い。
【０５０８】
上記の実施形態では、図９に示すＤ１７ａ，Ｄ１７ｂにおいて、全体上限値及び個別上限値を設定している例について説明したが、これに限らず、個別上限値のみを設定して全体上限値は設定しないようにしても良い。この場合には、図１２に示す上限値ＤＢにおける景品ＩＤがＫＸ−０００３０５，ＫＸ−０００５０１の景品や、図４４に示す上限値ＤＢにおける景品ＩＤがＫＸ−０２０４７５の景品については、補正パターンＢの処理は行われずに補正パターンＡの処理が行われて、在庫数演算値と価格演算値の少ない方が、そのまま個別上限値として設定される。これによれば、１種類の景品を多量に予約するいたずらを、最低限防止することができる。
【０５０９】
上記の実施形態では、図９に示すＤ１７ａ，Ｄ１７ｂにおいて、全体上限値及び個別上限値を設定している例について説明したが、これに限らず、全体上限値のみを設定して個別上限値は設定しないようにしても良い。この場合には、図３７に示すＳ１１５３〜Ｓ１１５５の処理は省略される。これによれば、複数種類の景品を多量に予約するいたずらを、最低限防止することができると共に、１種類の景品を多量に予約する場合であっても全体上限値以上の予約はできないので、１種類の景品を多量に予約するいたずらも効果的に防止することができる。
【０５１０】
上記の第１実施形態では、図９に示すＤ１７ａにおいて、在庫数に基づく個別上限値として、各景品の在庫数に応じた個別上限値を演算するための値（ここでは在庫数の４０％）を設定する例について説明したが、Ｄ１７ａ’の★印に示すように、全体上限値（ここでは３０個）よりも低い値であって一定の在庫数（ここでは２０個）を個別上限値として設定するようにしても良い。このＤ１７ａ’に示すように、個別上限値として、在庫数に基づく個別上限値（ここでは在庫数の４０％）と、一定の在庫数の個別上限値の２つを設定すると、図１２に示す上限値ＤＢにおいて、補正パターンＡの処理が行われる場合には、在庫数演算値と該設定した一定の在庫数の少ない方が個別上限値として設定され、また該一定の在庫数は常に全体上限値よりも低い（即ち在庫数演算値と前記設定した一定の在庫数の少ない方が全体上限値を超えることは無い）ので、補正パターンＢの処理が行われることは無い。また図示しないが、個別上限値として、価格に基づく個別上限値（例えば合計額８００００円）と、一定の在庫数の個別上限値の２つを設定すると、図１２に示す上限値ＤＢにおいて、補正パターンＡの処理が行われる場合には、価格演算値と該設定した一定の在庫数の少ない方が個別上限値として設定され、また該一定の在庫数は常に全体上限値よりも低い（即ち価格演算値と前記設定した一定の在庫数の少ない方が全体上限値を超えることは無い）ので、補正パターンＢの処理が行われることは無い。さらに図示しないが、個別上限値として、在庫数に基づく個別上限値と、価格に基づく個別上限値と、一定の在庫数の個別上限値の３つを設定すると、図１２に示す上限値ＤＢにおいて、補正パターンＡの処理が行われる場合には、在庫数演算値と価格演算値と該設定した一定の在庫数のうちの最も少ない値が個別上限値として設定され、また該一定の在庫数は常に全体上限値よりも低い（即ち在庫数演算値と価格演算値と前記設定した一定の在庫数のうちの最も少ないものが全体上限値を超えることは無い）ので、補正パターンＢの処理が行われることは無い。
【０５１１】
同様に、上記の第２実施形態では、図９に示すＤ１７ｂにおいて、価格に基づく個別上限値として、各景品の総価格に応じた個別上限値を演算するための値（ここでは総価格の４０％）を設定する例について説明したが、Ｄ１７ｂ’の★印に示すように、全体上限値（ここでは１２００００円）よりも低い値であって一定の価格（ここでは８００００円）を個別上限値として設定するようにしても良い。このＤ１７ｂ’に示すように、個別上限値として、価格に基づく個別上限値（ここでは総価格の４０％）と、一定の価格の個別上限値の２つを設定すると、図４４に示す上限値ＤＢにおいて、補正パターンＡの処理が行われる場合には、価格演算値と該設定した一定の価格の少ない方が個別上限値として設定され、また該一定の価格は常に全体上限値よりも低い（即ち価格演算値と前記設定した一定の価格の少ない方が全体上限値を超えることは無い）ので、補正パターンＢの処理が行われることは無い。また図示しないが、個別上限値として、在庫数に基づく個別上限値（例えば在庫数２０個分の価格）と、一定の価格の個別上限値の２つを設定すると、図４４に示す上限値ＤＢにおいて、補正パターンＡの処理が行われる場合には、在庫数演算値と該設定した一定の価格の少ない方が個別上限値として設定され、また該一定の在庫数は常に全体上限値よりも低い（即ち在庫数演算値と前記設定した一定の価格の少ない方が全体上限値を超えることは無い）ので、補正パターンＢの処理が行われることは無い。さらに図示しないが、個別上限値として、価格に基づく個別上限値と、在庫数に基づく個別上限値と、一定の価格の個別上限値の３つを設定すると、図４４に示す上限値ＤＢにおいて、補正パターンＡの処理が行われる場合には、価格演算値と在庫数演算値と該設定した一定の価格のうちの最も少ない値が個別上限値として設定され、また該一定の価格は常に全体上限値よりも低い（即ち価格演算値と在庫数演算値と前記設定した一定の価格のうちの最も少ないものが全体上限値を超えることは無い）ので、補正パターンＢの処理が行われることは無い。
【０５１２】
上記の実施形態では、図９に示すＤ１７ａ，Ｄ１７ｂにおいて、在庫数に基づく個別上限値及び価格に基づく個別上限値の両方を設定しているが、これに限らず、在庫数に基づく個別上限値又は価格に基づく個別上限値のいずれか一方のみを単独で設定するようにしても良く、ここで図１２に示す上限値ＤＢにおいて、補正パターンＡの処理が行われる場合には、該設定された方の在庫数演算値又は価格演算値がそのまま個別上限値として設定される。即ち上限値設定手段は、各景品の在庫数及び／又は各景品に対応する価格に基づいて上限値を設定するものであれば良い。またＤ１７ａ’，Ｄ１７ｂ’の★印に示す一定の在庫数又は価格の個別上限値を単独で設定するようにしても良く、ここで図１２に示す上限値ＤＢにおいて、補正パターンＡの処理が行われる場合には、該設定された一定の在庫数又は価格がそのまま個別上限値として設定され、また該一定の在庫数は常に全体上限値よりも低いので、補正パターンＢの処理が行われることは無い。
【０５１３】
上記の実施形態では、図９に示すＤ１７ａ，Ｄ１７ｂにおいて、最少上限値を設定しているが、これに限らず、該最少上限値は設定しないようにしても良く、この場合において、図１２及び図４４に示す補正パターンＣの処理は行われずに、在庫数演算値と価格演算値の少ない方が、そのまま個別上限値として設定される。
【０５１４】
上記の実施形態では、図１２及び図４４に示す上限値ＤＢにおいて、在庫数がＮＵＬＬである景品についても個別上限値が設定される例について説明したが、これに限らず、在庫数がＮＵＬＬである景品については個別上限値が設定されないようにしても良い。在庫数がＮＵＬＬである景品は、在庫数が十分に多いため、当該景品について多量の予約が行われても在庫数に多大な影響を及ぼすことが無く、また全体上限値が設定されていれば、該全体上限値以上の予約はできないので、当該景品を多量に予約するいたずらも必然的に防止することができるからである。なお、在庫数がＮＵＬＬである景品については、全体上限値が設定されていても、該全体上限値に基づく上限値判定で常に予約が可能であると判定されるように設定又は制御する（即ち全体上限値が適用されない）ようにして、無制限に予約ができるようにしても良い。
【０５１５】
上記の実施形態では、図１２及び図４４に示す上限値ＤＢにおいて、補正パターンＢの処理として、全体上限値が個別上限値として設定される例について説明したが、これに限らず、該補正パターンＢの処理として、全体上限値から所定値（例えば５個又は５個分の価格）を減算した値が個別上限値として設定されるようにしても良く、これによれば、常に個別上限値は全体上限値よりも低い値に設定されるので、悪質な遊技者が、複数種類の景品を多量に予約するいたずらや、１種類の景品を多量に予約するいたずらを、効果的に防止することができる。
【０５１６】
上記の第１実施形態では、図１２に示す上限値ＤＢにおいて、在庫数演算値の演算基準となる在庫数が、初期在庫数で不変である例について説明したが、これに限らず、該演算基準となる在庫数は、初期在庫数から予約累計数を減算した現在在庫数であっても良く、この場合には、予約内容登録処理や配送情報登録処理により予約累計数が変動する毎に、在庫数演算値が演算されることになる。具体的には、上限値ＤＢにおいて、図４６に示すように、前記在庫数（初期在庫数）に代えて現在在庫数が登録されるように構成する。ここで、例えば景品ＩＤがＫＸ−０００５０１の景品について、現在在庫数として１００個が登録され、個別上限値として補正パターンＢの処理に基づく３０個が設定されている状態で、該３０個の予約内容登録処理が行われると、現在在庫数として該３０個が減算された７０個が登録され、在庫数演算値として該７０個の４０％である２８個が演算され、個別上限値として補正パターンＡの処理に基づく該２８個が設定される。この状態で、該２８個の予約内容登録処理が行われると、現在在庫数として該２８個が減算された４２個が登録され、在庫数演算値として該４２個の４０％である１６個（整数部分）が演算され、個別上限値として補正パターンＡの処理に基づく該１６個が設定される。以下、説明は省略するが、同様の処理が行われることにより、現在在庫数の減少に応じて、個別上限値が新たに設定される。
【０５１７】
同様に、上記の第２実施形態では、図４４に示す上限値ＤＢにおいて、価格演算値の演算基準となる総価格が、初期在庫数分の総価格で不変である例について説明したが、これに限らず、該演算基準となる総価格は、現在在庫数分の総価格であっても良く、この場合には、予約内容登録処理や配送情報登録処理により現在在庫数が変動する毎に、価格演算値が演算されることになる。具体的には、上限値ＤＢにおいて、図４７に示すように、前記在庫数（初期在庫数）に代えて現在在庫数が登録され、該現在在庫数に基づく総価格が登録されるように構成する。ここで、例えば景品ＩＤがＫＸ−０００５０１の景品について、現在在庫数として１００個，総価格として３００００円が登録され、個別上限値として補正パターンＡの処理に基づく６０００円（在庫数演算値）が設定されている状態で、該６０００円に対応する２０個の予約内容登録処理が行われると、現在在庫数として該２０個が減算された８０個が登録され、総価格として該８０個分の２４０００円が登録され、価格演算値として該２４０００円の４０％である９６００円が演算され、個別上限値として補正パターンＡの処理に基づく６０００円（在庫数演算値）が設定される。この状態で、該６０００円に対応する２０個の予約内容登録処理が行われると、現在在庫数として該２０個が減算された６０個が登録され、総価格として該６０個分の１８０００円が登録され、価格演算値として該１８０００円の４０％である７２００円が演算され、個別上限値として補正パターンＡの処理に基づく６０００円（在庫数演算値）が設定される。以下、説明は省略するが、同様の処理が行われることにより、総価格の減少に応じて、個別上限値が新たに設定される。
【０５１８】
上記の実施形態では、図１５に示すように、未提供予約特定手段である制御部７２及び未提供予約個数・価格ＤＢが、全ての遊技者について、未提供予約個数や未提供予約価格を予め特定しておく例について説明したが、これに限らず、該未提供予約個数・価格ＤＢを設けずに、予約要求を受信した時点で、図１４に示す予約情報ＤＢの記憶内容に基づいて、当該予約を行った遊技者についてのみ、未提供予約個数や未提供予約価格を特定するようにしても良い。この場合において、予約要求に含まれる各景品について、各種類毎の個別未提供予約個数又は個別未提供予約価値（個別未提供予約価格）を全て特定するようにしても良く、また全て特定するのではなく、まず１種類の景品について個別未提供予約個数又は個別未提供予約価値を特定して上限値判定処理を行い、予約が可能であると判定されたならば、次の種類の景品について個別未提供予約個数又は個別未提供予約価値を特定して上限値判定処理を行い、予約が可能でないと判定されたならば、次の種類の景品について個別未提供予約個数又は個別未提供予約価値を特定しないようにしても良い。即ち、全種類の個別未提供予約景品又は個別未提供予約価値を予め特定しておく場合，予約要求を受信した時点で全種類の個別未提供予約景品又は個別未提供予約価値を特定する場合，及び予約要求を受信した時点で各種類の個別未提供予約景品又は個別未提供予約価値を一つずつ特定する場合（最終的に全種類の個別未提供予約景品又は個別未提供予約価値が特定される場合と、一部の種類についてのみ個別未提供予約景品又は個別未提供予約価値が特定されるが全種類の個別未提供予約景品又は個別未提供予約価値は特定されない場合の、両方を含む）のいずれについても、未提供予約特定手段は、未提供予約景品の各種類毎の未提供予約個数又は未提供予約価値を特定していることになる。
【０５１９】
また予約要求に含まれる予約個数が常に１である場合には、予約内容登録処理が終了した時点で、図１４に示す予約情報ＤＢの記憶内容に基づいて、当該予約を行った遊技者についてのみ、未提供予約個数や未提供予約価格を特定し、該未提供予約個数や未提供予約価格が上限値となった時点で上限値到達フラグを立てておき、次回以降の予約内容登録処理が行われない（即ち該上限値到達フラグが立っていると、予約要求を受信する毎に予約ＮＧを送信する）ようにしても良い。
【０５２０】
上記の実施形態では、図３６に示す予約内容登録処理において、まず上限値判定処理（Ｓ１１０６）が行われ、該上限値判定処理で予約が可能であると判定されてから、在庫数判定処理（Ｓ１１０９）が行われる例について説明したが、これに限らず、まず在庫数判定処理が行われ、該在庫数判定処理で予約が可能であると判定されてから、上限値判定処理が行われるようにしても良く、また在庫数判定処理が行われ、該在庫数判定処理で予約が可能でないと判定されても、いたずらの予約を発見するために、上限値判定処理が行われるようにしても良い。
【０５２１】
上記の実施形態では、図３７（ａ）に示す上限値判定処理において、上限値判定基準として景品の個数が設定されている場合には、Ｓ１１５１〜Ｓ１１５５の処理が行われ、上限値判定基準として景品の価格が設定されている場合には、Ｓ１１７１〜Ｓ１１７５の処理が行われる例について説明したが、上限値判定基準を設定せずに、Ｓ１１５１〜Ｓ１１５５の処理とＳ１１７１〜Ｓ１１７５の処理の両方が行われるようにしても良い。
【０５２２】
上記の実施形態では、図３７（ａ）に示す上限値判定処理において、まず全体上限値に基づく上限値判定（Ｓ１１５２，Ｓ１１７２）が行われ、該上限値判定処理で予約が可能であると判定されてから、個別上限値に基づく上限値判定（Ｓ１１５４，Ｓ１１７４）が行われる例について説明したが、これに限らず、まず個別上限値に基づく上限値判定が行われ、該上限値判定処理で予約が可能であると判定されてから、全体上限値に基づく上限値判定が行われるようにしても良い。
【０５２３】
上記の実施形態では、図３７（ａ）に示す上限値判定処理において、Ｓ１１５３，Ｓ１１７３に示すように、１つの景品について個別上限値に基づく上限値判定が終了する毎に、次の景品について個別未提供予約個数又は個別未提供予約価格が抽出される例について説明したが、これに限らず、個別上限値に基づく上限値判定が行われる前に、予約要求に含まれる全ての景品について個別未提供予約個数又は個別未提供予約価格が抽出されるようにしても良く、また全体未提供予約個数又は全体未提供予約価格の抽出（Ｓ１１５１，Ｓ１１７１）と同時に、予約要求に含まれる全ての景品について個別未提供予約個数又は個別未提供予約価格が抽出されるようにしても良い。
【０５２４】
上記の実施形態では、図３７（ａ）のＳ１１５２に示すように、遊技者について予約が可能であるか否かが、全体上限個数−（全体未提供予約個数＋全予約個数）≧０の判定式ｐを満たすか否かで判定される例について説明したが、これに代えて、全体上限個数≧全体未提供予約個数＋全予約個数の判定式ｐ１や、全体上限個数−全体未提供予約個数≧全予約個数の判定式ｐ２や、全体上限個数−全予約個数≧全体未提供予約個数の判定式ｐ３等、判定式ｐを変形した各判定式を満たすか否かで判定されるようにしても良い。また全予約個数が常に１（即ち各予約では予約個数として１個のみを指定でき、かつ予約要求には予約ＩＤとして１つのみを含む）であれば、予約内容登録処理の後に全体上限個数＝全体未提供予約個数となった時点で、上限値到達フラグを立てておき、次回以降の予約内容登録処理が行われない（即ち該上限値到達フラグが立っていると、予約要求を受信する毎に予約ＮＧを送信する）ようにしても良い。
【０５２５】
同様に、上記の実施形態では、図３７（ａ）のＳ１１７２に示すように、遊技者について予約が可能であるか否かが、全体上限価格−（全体未提供予約価格＋全予約価格）≧０の判定式ｐ’を満たすか否かで判定される例について説明したが、これに代えて、全体上限価格≧全体未提供予約価格＋全予約価格の判定式ｐ１’や、全体上限価格−全体未提供予約価格≧全予約価格の判定式ｐ２’や、全体上限価格−全予約価格≧全体未提供予約価格の判定式ｐ３’等、判定式ｐ’を変形した各判定式を満たすか否かで判定されるようにしても良い。
【０５２６】
上記の実施形態では、図３７（ａ）のＳ１１５４に示すように、遊技者について予約が可能であるか否かが、ある景品の個別上限個数−（当該景品の個別未提供予約個数＋当該景品の予約個数）≧０の判定式ｑを満たすか否かで判定される例について説明したが、これに代えて、個別上限個数≧個別未提供予約個数＋予約個数の判定式ｑ１や、個別上限個数−個別未提供予約個数≧予約個数の判定式ｑ２や、個別上限個数−予約個数≧個別未提供予約個数の判定式ｑ３等、判定式ｑを変形した各判定式を満たすか否かで判定されるようにしても良い。また予約個数が常に１（即ち各予約では予約個数として１個のみを指定でき、かつ予約要求には予約ＩＤとして１つのみを含む）であれば、予約内容登録処理の後に個別上限個数＝個別未提供予約個数となった時点で、当該景品について上限値到達フラグを立てておき、次回以降の予約内容登録処理が行われない（即ち該上限値到達フラグが立っていると、当該景品の予約要求を受信する毎に予約ＮＧを送信する）ようにしても良い。
【０５２７】
同様に、上記の実施形態では、図３７（ａ）のＳ１１７４に示すように、遊技者について予約が可能であるか否かが、ある景品の個別上限価格−（当該景品の個別未提供予約価格＋当該景品の予約価格）≧０の判定式ｑ’を満たすか否かで判定される例について説明したが、これに代えて、個別上限価格≧個別未提供予約価格＋予約価格の判定式ｑ１’や、個別上限価格−個別未提供予約価格≧予約価格の判定式ｑ２’や、個別上限価格−予約価格≧個別未提供予約価格の判定式ｑ３’等、判定式ｑ’を変形した各判定式を満たすか否かで判定されるようにしても良い。
【０５２８】
上記の実施形態では、図３７（ａ）のＳ１１６３〜Ｓ１１６６に示すように、上限値ＤＢにおいて当日報知フラグ０が記憶されている場合（即ち上限値判定処理において、当日に未だ予約が可能でないと判定されていない場合）にのみ、抽出された遊技者特定情報が表示される例について説明したが、これに限らず、上限値ＤＢにおいて当日報知フラグを記憶せず、上限値判定処理において予約が可能でないと判定される毎に、抽出された遊技者特定情報が表示されるようにしても良い。
【０５２９】
上記の実施形態では、予約の有効期間が当日限りで、図３５及び図４３のＳ７２に示すように、遊技場の営業終了後に（即ち１日毎）、図１４に示す予約情報ＤＢで記憶しているすべての予約情報を消去（無効化）することにより、該予約情報ＤＢを更新し、図１５に示す未提供予約個数・価格ＤＢで記憶している全体未提供予約個数，全体未提供予約価格，景品ＩＤ，個別未提供予約個数，個別未提供予約価格，及び当日報知フラグを消去することにより、該未提供予約個数・価格ＤＢを更新する例について説明したが、これに限らず、予約の有効期間を数日間（例えば３日間）とし、これら予約情報ＤＢ及び未提供予約個数・価格ＤＢの更新は、当該数日間毎に行われるようにしても良い。即ち、提供処理が行われずに登録されている予約識別情報（予約ＩＤ）及び景品特定情報（景品ＩＤ）を無効化する処理は、所定期間毎に行われれば良い。
【０５３０】
上記の実施形態では、図１０に示すように、配送元管理手段である景品情報ＤＢにおいて、配送元を示す配送元情報として、配送元である倉庫の名称を管理している例について説明したが、これに限らず、該配送元情報として、配送元の住所や、配送元毎に割り当てられた配送元番号等を管理するようにしても良い。即ち配送元情報は、配送元を示す情報であれば良い。
【０５３１】
上記の実施形態では、図１０の景品情報ＤＢに示すように、１つの景品に対して１つの配送元が管理されている例について説明したが、これに限らず、１つの景品に対して複数の配送元情報（例えば秋田倉庫及び埼玉倉庫）が管理されるようにしても良く、この場合には、配送先（例えば東京）に近い方の配送元（この場合には埼玉倉庫）から当該景品が配送されるよう構成し、当該近い方の配送元が、図３８のＳ１２１３で景品毎に分類する際の判定対象となる。
【０５３２】
上記の実施形態では、１つの景品に対して１つの予約ＩＤが割り当てられるので、図１４に示す予約情報ＤＢにおいて、予約個数として常に１個が登録され、図６（ａ）に示す配送情報ＤＢ，図６（ｂ）に示す請求情報ＤＢ，及び図１６に示す配送情報ＤＢにおいて、配送個数として常に１個が登録される例について説明したが、これら予約個数や配送個数を各ＤＢにおいて登録しないようにしても良い。
【０５３３】
上記の実施形態では、図２８のＤ１２４に示すように、１回の予約で、配送先と配送希望日時が同一である複数の景品について予約が可能である例について説明したが、これに限らず、１回の予約で、配送先と配送希望日時が異なる複数の景品について予約が可能であるようにしても良く、この場合には、図３０のＤ１３１に示す各々の景品について、Ｄ１３２に示す配送先の指定，及びＤ１３４に示す配送希望日時の指定を受け付けるようにすれば良い。
【０５３４】
上記の実施形態では、図３０のＤ１３２に示すように、配送先として遊技場又は自宅の何れかを指定可能である例について説明したが、これに限らず、該配送先として自宅のみあるいは遊技場のみを指定可能であるようにしても良く、この場合には、各景品の配送先は常に同一となるので、前記景品分類手段（制御部７２）は、景品分類処理を行う際に、配送先が同一であるか否かは分類の基準としない。
【０５３５】
上記の実施形態では、図３０のＤ１３４に示すように、遊技者から配送希望日と配送希望時間帯の指定が受け付けられる例について説明したが、これに限らず、配送希望日のみの指定が受け付けられるようにしても良い。
【０５３６】
上記の実施形態では、図３０のＤ１３４に示すように、遊技者から配送希望日時の指定が受け付けられる例について説明したが、これに限らず、配送される日時が固定されている景品（例えば予約から１０日後に配送される景品）や、配送される日時が不明な景品（例えば入荷次第配送される景品）については、遊技者から配送希望日時の指定が受け付けられないようにしても良い。また全ての景品について一律に配送される日時が固定されている場合（例えば全ての景品について予約から１０日後に配送される場合）にも、遊技者から配送希望日時の指定が受け付けられないようにしても良く、この場合には、各景品の配送時期は常に同一となるので、前記景品分類手段（制御部７２）は、景品分類処理を行う際に、配送時期が同一であるか否かは分類の基準としない。
【０５３７】
上記の実施形態では、図３８のＳ１２０１において、Ｙ−００００１〜Ｙ−００００５（予約１〜予約５）の５つの予約ＩＤを含む予約確定要求を受信し、各予約ＩＤから特定される５つの景品が分類１〜分類４の４つに分類されて、各分類について分類識別情報（予約確定ＩＤ）が割り当てられる例について説明したが、例えばＹ−００００１とＹ−００００３の２つの予約ＩＤを含む予約確定要求を受信すると、両予約ＩＤから特定される２つの景品が１つに分類されて、当該分類について分類識別情報が割り当てられる。このように、景品分類手段により分類された複数の分類の各々について分類識別情報を割り当てる処理のみならず、景品分類手段により分類された１つの分類について分類識別情報を割り当てる処理も、配送情報登録手段が行う、「景品分類手段により分類された各分類について分類識別情報を割り当てる」処理に該当する。
【０５３８】
上記の実施形態では、図３８のＳ１２０１に示すように、一の予約確定要求を受信すると、Ｓ１２１３の景品分類処理が行われる例について説明したが、これに限らず、例えば一の予約確定要求には１つの予約ＩＤ（景品）のみが含まれるように構成し、カードユニット２０又は予約確定端末５０から複数の予約確定要求を受信した後に要求終了通知を受信すると、Ｓ１２１３の景品分類処理が行われるようにしても良い。
【０５３９】
上記の実施形態では、図３８のＳ１２１５に示すように、各分類毎に割り当てられる分類識別情報（予約確定ＩＤ）が、該割り当ての時に生成される例について説明したが、これに限らず、該分類識別情報を予め生成しておき、該生成されている分類識別情報を各分類毎に割り当てるようにしても良い。
【０５４０】
上記の実施形態では、センタ景品管理装置７０が図１６に示す配送情報ＤＢを記憶しており、図３４のＳ１２１６に示す配送情報登録処理として、該センタ景品管理装置７０が記憶している配送情報ＤＢに予約確定ＩＤ及び配送情報を登録する処理を行う例について説明したが、これに限らず、センタ景品管理装置７０が配送情報ＤＢを記憶しないように構成し、配送情報登録処理として、配送管理装置８０が記憶している配送情報ＤＢ（図６（ａ））に予約確定ＩＤ及び配送情報を登録するために、該予約確定ＩＤ及び配送情報を配送管理装置８０に対して送信する処理を行うようにしても良く、この場合には、配送レシート６における問い合わせ先として、景品センタは記録せず、当該配送管理装置８０を備えている景品提供業者のみを記録すれば良い。即ち配送情報登録処理は、予約確定ＩＤに対応付けて該予約確定ＩＤに対応する景品を遊技者に配送するための配送情報を登録するための処理であれば良い。
【０５４１】
上記の実施形態では、図３８のＳ１２１９に示すように、Ｓ１２１６の配送情報登録処理が行われた後に、配送情報通知（提供登録完了通知）が配送要求端末（予約確定端末５０）に対して送信される例について説明したが、これに限らず、Ｓ１２１６の配送情報登録処理が行われる前に、配送情報通知が配送要求端末に対して送信されるようにしても良い。
【０５４２】
上記の実施形態では、予約要求に含まれる景品ＩＤから特定される景品が複数であることに基づき、当該複数の景品の各々について予約ＩＤが割り当てられて予約内容登録処理が行われる例について説明したが、これに限らず、当該複数の景品について１つの予約ＩＤが割り当てられて予約内容登録処理が行われるようにしても良く、この場合には、図３８において、該予約ＩＤを含む予約確定要求を受信して（Ｓ１２０１）、景品分類処理を行う際に（Ｓ１２１３）、該予約確定要求に含まれる予約ＩＤから特定される前記複数の景品について、配送元情報が同一である景品毎に分類しても良い。
【０５４３】
上記の実施形態では、予約要求に含まれる景品ＩＤから特定される景品が複数であることに基づき、当該複数の景品の各々について予約ＩＤが割り当てられて予約内容登録処理が行われる例について説明したが、これに限らず、当該複数の景品について１つの予約ＩＤが割り当てられて予約内容登録処理が行われるようにしても良く、この場合には、該予約内容登録処理を行う際に、当該複数の景品について、配送元情報が同一である景品毎に分類しても良い。ここで分類された各分類に含まれる景品についてはまとめて配送することができるので、配送料に相当する玉数を割り引いた交換玉数を含む予約登録完了通知をカードユニット２０に対して送信し（図３６のＳ１１１４）、該カードユニット２０において、該割り引いた交換玉数を会員カード２又は景品交換カード３に記録するようにしても良い（図２２のＳ１２５）。この配送料に相当する玉数の割引は、配送の対象となる景品の各々の交換玉数から一定の玉数を割り引くようにしても良く、また配送の対象となる全景品の交換玉数の合算値から一定の玉数を割り引くようにしても良い。
【０５４４】
上記の実施形態では、遊技場が、貸与単価及び交換単価が２種類（４円及び１円）の営業を行う例について説明したが、これに限らず、貸与単価及び交換単価が１種類（例えば４円のみ又は１円のみ）の営業や、貸与単価及び交換単価が３種類（例えば４円，２円，及び１円）以上の営業であっても良い。また上記の実施形態では、遊技場が、貸与単価と交換単価とが同一（いわゆる等価交換）の営業を行う例について説明したが、これに限らず、貸与単価と交換単価とが異なる（例えば貸与単価が４円で交換単価が３．５円の）営業であっても良い。
【０５４５】
上記の実施形態では、カードユニット２０が、４円用と１円用で別個のものである例について説明したが、これに限らず、該カードユニット２０が、４円用と１円用で共通のものであっても良く、この場合には、遊技者から予め交換単価（４円又は１円）の選択を受け付け、該選択を受け付けた交換単価に応じた交換玉数が、図２８及び図２９に示す画面で表示されるようにすれば良い。
【０５４６】
上記の実施形態では、図３５のＳ１３，及び図４３のＳ１３’に示すように、センタ景品管理装置７０の選択不能処理手段（制御部７２，通信部７１）が、選択不能景品を除いた景品情報をカードユニット２０に対して送信することにより、該カードユニット２０で当該選択不能景品を表示せずに選択不能（即ち予約不能）とする例について説明したが、これに限らず、選択不能処理手段は、選択不能景品の予約を不能とするための処理を行うものであれば良い。
【０５４７】
即ち選択不能処理手段は、選択不能景品を予約するための予約要求がカードユニット２０から送信されないための処理として、前述の如く選択不能景品を除いた景品情報をカードユニット２０に対して送信する処理を行うものでも良く、また選択不能景品を識別可能な態様で当該選択不能景品を含む景品情報をカードユニット２０に対して送信する処理を行うものでも良い。この後者の処理が行われる場合のカードユニット２０は、当該選択不能景品について、景品ボタン（図２８のＤ１２７，図２９のＤ１２９ｂ又はＤ１２９ｂ’，Ｄ１３０又はＤ１３０’）の表示はするが選択不能とする（例えば「選択できません」という文字を付して表示する）ことにより予約不能（即ち予約要求が送信されない）としたり、また該景品ボタンが操作されると図２８のＤ１２８で詳細情報の表示はするが図３０のＤ１３１で「景品予約」ボタンを表示しないしないことにより予約不能とすれば良い。
【０５４８】
また選択不能処理手段は、選択不能景品を予約するための予約要求がカードユニット２０から送信されてきても、当該選択不能景品について予約内容登録処理を行わない処理を行わずに、カードユニット２０に対して選択不能情報を返信する処理を行うものでも良い。この場合のカードユニット２０は、当該選択不能景品の選択を無効とすれば良い。
【０５４９】
上記の実施形態では、図８に示すように、センタ景品管理装置７０が選択不能景品受付手段，解除受付手段，及び選択不能処理手段を備え、図３５のＳ１３，及び図４３のＳ１３’に示すように、センタ景品管理装置７０は、選択不能景品受付手段により選択不能景品の指定を受け付けると、当該選択不能景品の景品ＩＤについて表示フラグ０，選択不能フラグ１とする選択不能景品指定処理を行い、また解除受付手段により選択不能景品の指定の解除を受け付けると、当該選択不能景品の景品ＩＤについて表示フラグを１，選択不能フラグを０とする選択不能景品解除処理を行い、選択不能処理手段が、選択不能フラグ１の選択不能景品を除いた景品情報をカードユニット２０に対して送信することにより選択不能処理を行い、カードユニット２０が、受信した景品情報に基づいて景品を表示することにより、当該選択不能景品を選択不能とする例（タイプ１）について説明したが、該タイプ１に代えて、下記のタイプ２，タイプ３，又はタイプ４のいずれかとしても良い。
【０５５０】
まずタイプ２では、センタ景品管理装置７０が選択不能景品受付手段及び解除受付手段を備えると共に、カードユニット２０が選択不能処理手段を備えるように構成する。この場合において、センタ景品管理装置７０は、選択不能景品受付手段により選択不能景品の指定を受け付けると、前記選択不能景品指定処理を行う。またセンタ景品管理装置７０は、解除受付手段により選択不能景品の指定の解除を受け付けると、前記選択不能景品解除処理を行う。そしてセンタ景品管理装置７０は、選択不能フラグ１の選択不能景品を識別可能な態様で当該選択不能景品を含む景品情報をカードユニット２０に対して送信し、カードユニット２０は、選択不能処理手段が、受信した景品情報に基づいて当該選択不能景品を除いた景品を表示することにより選択不能処理を行って、当該選択不能景品を選択不能とする。
【０５５１】
またタイプ３では、センタ景品管理装置７０が選択不能処理手段を備えると共に、カードユニット２０が選択不能景品受付手段及び解除受付手段を備えるように構成する。この場合において、カードユニット２０は、選択不能景品受付手段により選択不能景品の指定を受け付けると、指定された選択不能景品の景品ＩＤをセンタ景品管理装置７０に対して送信し、センタ景品管理装置７０は、前記選択不能景品指定処理を行う。またカードユニット２０は、解除受付手段により選択不能景品の指定の解除を受け付けると、解除された選択不能景品の景品ＩＤをセンタ景品管理装置７０に対して送信し、センタ景品管理装置７０は、前記選択不能景品解除処理を行う。そしてセンタ景品管理装置７０は、選択不能処理手段が、選択不能フラグ１の選択不能景品を除いた景品情報をカードユニット２０に対して送信する選択不能処理を行い、カードユニット２０は、受信した景品情報に基づいて景品を表示することにより、当該選択不能景品を選択不能とする。
【０５５２】
さらにタイプ４では、カードユニット２０が選択不能景品受付手段，解除受付手段，及び選択不能処理手段を備えるように構成する。この場合において、カードユニット２０は、選択不能景品受付手段により選択不能景品の指定を受け付けると、指定された選択不能景品の景品ＩＤをセンタ景品管理装置７０に対して送信し、センタ景品管理装置７０は、前記選択不能景品指定処理を行う。またカードユニット２０は、解除受付手段により選択不能景品の指定の解除を受け付けると、解除された選択不能景品の景品ＩＤをセンタ景品管理装置７０に対して送信し、センタ景品管理装置７０は、前記選択不能景品解除処理を行う。そしてセンタ景品管理装置７０は、選択不能フラグ１の選択不能景品を識別可能な態様で当該選択不能景品を含む景品情報をカードユニット２０に対して送信し、カードユニット２０は、選択不能処理手段が、受信した景品情報に基づいて当該選択不能景品を除いた景品を表示することにより選択不能処理を行って、当該選択不能景品を選択不能とする。
【０５５３】
ここで上記のタイプ１〜４では、選択不能景品受付手段及び解除受付手段が同じ装置にある例について説明したが、これらは別の装置にあっても良く、具体的には、下記のタイプ５，タイプ６，タイプ７，又はタイプ８のいずれかとしても良い。
【０５５４】
まずタイプ５では、センタ景品管理装置７０が選択不能景品受付手段及び選択不能処理手段を備えると共に、カードユニット２０が解除受付手段を備えるように構成する。この場合において、センタ景品管理装置７０は、選択不能景品受付手段により選択不能景品の指定を受け付けると、前記選択不能景品指定処理を行う。またカードユニット２０は、解除受付手段により選択不能景品の指定の解除を受け付けると、該解除された選択不能景品の景品ＩＤをセンタ景品管理装置７０に対して送信し、センタ景品管理装置７０は、前記選択不能景品解除処理を行う。そしてセンタ景品管理装置７０は、選択不能処理手段が、選択不能フラグ１の選択不能景品を除いた景品情報をカードユニット２０に対して送信する選択不能処理を行い、カードユニット２０は、受信した景品情報に基づいて景品を表示することにより、当該選択不能景品を選択不能とする。
【０５５５】
またタイプ６では、センタ景品管理装置７０が解除受付手段及び選択不能処理手段を備えると共に、カードユニット２０が選択不能景品受付手段を備えるように構成する。この場合において、カードユニット２０は、選択不能景品受付手段により選択不能景品の指定を受け付けると、指定された選択不能景品の景品ＩＤをセンタ景品管理装置７０に対して送信し、センタ景品管理装置７０は、前記選択不能景品指定処理を行う。またセンタ景品管理装置７０は、解除受付手段により選択不能景品の指定の解除を受け付けると、前記選択不能景品解除処理を行う。そしてセンタ景品管理装置７０は、選択不能処理手段が、選択不能フラグ１の選択不能景品を除いた景品情報をカードユニット２０に対して送信する選択不能処理を行い、カードユニット２０は、受信した景品情報に基づいて景品を表示することにより、当該選択不能景品を選択不能とする。
【０５５６】
またタイプ７では、センタ景品管理装置７０が選択不能景品受付手段を備えると共に、カードユニット２０が解除受付手段及び選択不能処理手段を備えるように構成する。この場合において、センタ景品管理装置７０は、選択不能景品受付手段により選択不能景品の指定を受け付けると、前記選択不能景品指定処理を行う。またカードユニット２０は、解除受付手段により選択不能景品の指定の解除を受け付けると、解除された選択不能景品の景品ＩＤをセンタ景品管理装置７０に対して送信し、センタ景品管理装置７０は、前記選択不能景品解除処理を行う。そしてセンタ景品管理装置７０は、選択不能フラグ１の選択不能景品を識別可能な態様で当該選択不能景品を含む景品情報をカードユニット２０に対して送信し、カードユニット２０は、選択不能処理手段が、受信した景品情報に基づいて当該選択不能景品を除いた景品を表示することにより選択不能処理を行って、当該選択不能景品を選択不能とする。
【０５５７】
さらにタイプ８では、センタ景品管理装置７０が解除受付手段を備えると共に、カードユニット２０が選択不能景品受付手段及び選択不能処理手段を備えるように構成する。この場合において、カードユニット２０は、選択不能景品受付手段により選択不能景品の指定を受け付けると、指定された選択不能景品の景品ＩＤをセンタ景品管理装置７０に対して送信し、センタ景品管理装置７０は、前記選択不能景品指定処理を行う。またセンタ景品管理装置７０は、解除受付手段により選択不能景品の指定の解除を受け付けると、前記選択不能景品解除処理を行う。そしてセンタ景品管理装置７０は、選択不能フラグ１の選択不能景品を識別可能な態様で当該選択不能景品を含む景品情報をカードユニット２０に対して送信し、カードユニット２０は、選択不能処理手段が、受信した景品情報に基づいて当該選択不能景品を除いた景品を表示することにより選択不能処理を行って、当該選択不能景品を選択不能とする。
【０５５８】
ここで上記のタイプ１〜タイプ８では、センタ景品管理装置７０が選択不能景品指定処理及び選択不能景品解除処理を行うことにより、選択不能景品であるか否か（即ち選択不能フラグ）を管理する例について説明したが、カードユニット２０が選択不能処理手段を備えるタイプ２，タイプ４，タイプ７，及びタイプ８では、該カードユニット２０が選択不能景品であるか否かを管理するようにしても良く、具体的には、下記のタイプ２’，タイプ４’，タイプ７’，又はタイプ８’のいずれかとしても良い。
【０５５９】
まずタイプ２と同様に、センタ景品管理装置７０が選択不能景品受付手段及び解除受付手段を備えると共に、カードユニット２０が選択不能処理手段を備えるタイプ２’では、センタ景品管理装置７０は、選択不能景品受付手段により選択不能景品の指定を受け付けると、指定された選択不能景品の景品ＩＤをカードユニット２０に対して送信し、カードユニット２０は、当該景品ＩＤを選択不能景品として管理する。またセンタ景品管理装置７０は、解除受付手段により選択不能景品の指定の解除を受け付けると、解除された選択不能景品の景品ＩＤをセンタ景品管理装置７０に対して送信し、カードユニット２０は、当該景品ＩＤについて選択不能景品としての管理を解除する。そしてセンタ景品管理装置７０は、予約停止景品以外の全ての景品を含む景品情報をカードユニット２０に対して送信し、カードユニット２０は、選択不能処理手段が、受信した景品情報から前記管理している選択不能景品を除いた景品を表示することにより選択不能処理を行って、当該選択不能景品を選択不能とする。
【０５６０】
またタイプ４と同様に、カードユニット２０が選択不能処理手段，選択不能景品受付手段，及び解除受付手段を備えるタイプ４’では、カードユニット２０は、選択不能景品受付手段により選択不能景品の指定を受け付けると、指定された景品の景品ＩＤを選択不能景品として管理する。またカードユニット２０は、解除受付手段により選択不能景品の指定の解除を受け付けると、解除された景品の景品ＩＤについて選択不能景品としての管理を解除する。そしてセンタ景品管理装置７０は、予約停止景品以外の全ての景品を含む景品情報をカードユニット２０に対して送信し、カードユニット２０は、選択不能処理手段が、受信した景品情報から前記管理している選択不能景品を除いた景品を表示することにより選択不能処理を行って、当該選択不能景品を選択不能とする。
【０５６１】
またタイプ７と同様に、センタ景品管理装置７０が選択不能景品受付手段を備えると共に、カードユニット２０が解除受付手段及び選択不能処理手段を備えるタイプ７’では、センタ景品管理装置７０は、選択不能景品受付手段により選択不能景品の指定を受け付けると、指定された選択不能景品の景品ＩＤをカードユニット２０に対して送信し、カードユニット２０は、当該景品ＩＤを選択不能景品として管理する。またカードユニット２０は、解除受付手段により選択不能景品の指定の解除を受け付けると、解除された景品の景品ＩＤについて選択不能景品としての管理を解除する。そしてセンタ景品管理装置７０は、予約停止景品以外の全ての景品を含む景品情報をカードユニット２０に対して送信し、カードユニット２０は、選択不能処理手段が、受信した景品情報から前記管理している選択不能景品を除いた景品を表示することにより選択不能処理を行って、当該選択不能景品を選択不能とする。
【０５６２】
さらにタイプ８と同様に、センタ景品管理装置７０が解除受付手段を備えると共に、カードユニット２０が選択不能景品受付手段及び選択不能処理手段を備えるタイプ８’では、カードユニット２０は、選択不能景品受付手段により選択不能景品の指定を受け付けると、指定された景品の景品ＩＤを選択不能景品として管理する。またカードユニット２０は、解除受付手段により選択不能景品の指定の解除を受け付けると、解除された景品の景品ＩＤについて選択不能景品としての管理を解除する。そしてセンタ景品管理装置７０は、予約停止景品以外の全ての景品を含む景品情報をカードユニット２０に対して送信し、カードユニット２０は、選択不能処理手段が、受信した景品情報から前記管理している選択不能景品を除いた景品を表示することにより選択不能処理を行って、当該選択不能景品を選択不能とする。
【０５６３】
なお上記の各タイプにおいて、カードユニット２０が備える選択不能景品受付手段及び解除受付手段の操作には、遊技場の店員による特定操作（例えば暗証番号の入力等）を必要とするように構成するのが好ましい。また選択不能景品受付手段及び解除受付手段を、カードユニット２０以外の他の装置（例えば予約確定端末５０若しくはＰＯＳ・予約確定端末５０’，又は景品パッケージの選択を受け付けることが可能であると共に取消を希望する提供情報の指定を受け付けることが可能な前記パソコン）が備えるように構成しても良く、この場合において、タイプ１〜タイプ８については、指定された選択不能景品の景品ＩＤや解除された選択不能景品の景品ＩＤを当該他の装置からセンタ景品管理装置７０に対して送信すれば良く、またタイプ２’，タイプ４’，タイプ７’，又はタイプ８’については、指定された選択不能景品の景品ＩＤや解除された選択不能景品の景品ＩＤを当該他の装置からカードユニット２０に対して送信すれば良い。
【０５６４】
上記の実施形態では、図３５及び図４３に示すように、選択不能景品指定処理及び選択不能景品解除処理が、遊技場の営業開始前に行われる例について説明したが、これに限らず、これら選択不能景品指定処理及び選択不能景品解除処理が、遊技場の営業中に行われるようにしても良い。この場合には、図１０に示す景品情報ＤＢにおいて、選択不能景品に対応付けて選択不能フラグ１が登録されるが、カードユニット２０においては、選択不能景品であっても選択可能に表示され続けるので、該選択不能景品が選択された予約要求を受信したセンタ景品管理装置７０は、当該予約要求の受信が有る毎に、当該選択不能景品について予約内容登録処理を行わずに、カードユニット２０に対して選択不能情報を返信することにより、該選択不能情報を受信したカードユニット２０は、当該選択不能景品の選択を無効とし、またセンタ景品管理装置７０は、翌日の営業開始前には、当該選択不能景品を除いた景品情報を送信することにより（図３５のＳ１３）、その日（つまり選択不能景品が指定された翌日）の営業からは、カードユニット２０において、選択不能景品が表示されないように構成すれば良い。なお選択不能情報を受信したカードユニット２０は、それ以降、当該選択不能景品を表示しない（即ち選択不能とする）ように構成しても良い。
【０５６５】
［４．実施形態に記載した発明］
最後に、上記の実施形態に記載した発明に対応する「従来技術」，「発明が解決しようとする課題」，及び「発明の効果」を説明する。
【０５６６】
［４−１．第１の発明］
まず従来技術１として、特開平１０−１４６４３４号公報（段落００２１，００２２，００４４，００４５）を示す。この従来技術１には、ユーザの一例である遊技者が所有する前記有価価値の一例である獲得玉との交換を希望する景品の予約を受け付けるカタログ景品情報装置において、景品の在庫数に関係なく予約を受け付けて、該予約に係る景品の景品コード等が記録されたチケットを遊技者に対して発行し、景品交換を行うときに、景品交換装置において、該チケットから景品コード等を読み取り、遊技者の獲得玉数から該景品コードの景品に相当する玉数を減算すると共に、該景品の在庫数から１を減算する景品交換システムが記載されている。
【０５６７】
しかしながら、従来技術１に示す景品交換システムでは、景品の在庫数に関係なく予約ができ、景品交換を行うときに在庫数の減算が行われるため、遊技者が予約をした景品を交換するときには該景品の在庫数が零になっていて、交換することができないという事態が生ずるおそれがある。
【０５６８】
そこで、上記の実施形態に記載した第１の発明では、ユーザが予約をした景品を交換することができないという事態が生ずるおそれがないような、景品交換システムを提供することを目的として、以下の発明を構成した。
【０５６９】
即ち第１の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する予約端末（カードユニット２０）と、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）を有する景品管理装置（センタ景品管理装置７０）と、店舗に設けられ、前記予約識別情報を含む景品提供要求（予約確定要求）を前記景品管理装置に送信する景品提供要求送信手段を有する予約確定端末（カードユニット２０，予約確定端末５０）と、を備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，景品情報ＤＢ）と、各景品について、前記予約内容登録処理に供された予約個数（予約累計数）を集計する予約個数集計手段（制御部７２，予約・確定累計数ＤＢ）と、前記在庫数登録手段に登録された在庫数と、該予約個数集計手段により集計された予約個数とに基づいて、前記景品の予約が可能であるか否かを判定する在庫数判定手段（制御部７２）と、をさらに有し、該在庫数判定手段により予約が可能でないと判定されたことを条件として、該判定の対象となった景品について前記予約内容登録処理を不能化するための処理（在庫零通知の返信）を行うことを特徴とする景品交換システムを構成した。これによれば、景品管理装置において、予め登録された在庫数と、予約内容登録処理に供された予約個数の集計値とに基づいて、景品の予約が可能であるか否かが判定され、予約が可能でないと判定されると、予約内容登録処理が不能化されるので、ユーザが予約をした景品を交換することができないという事態が生ずるおそれがない。
【０５７０】
また別の第１の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する予約端末（カードユニット２０）と、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）を有する景品管理装置（センタ景品管理装置７０）と、店舗に設けられ、前記予約識別情報を含む景品提供要求（予約確定要求）を前記景品管理装置に送信する景品提供要求送信手段を有する予約確定端末（カードユニット２０，予約確定端末５０）と、を備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，在庫数ＤＢ）と、前記予約内容登録処理に伴って、前記在庫数登録手段に登録された在庫数を減算更新する在庫数更新手段（制御部７２）と、該在庫数更新手段により更新された在庫数に基づいて、前記景品の予約が可能であるか否かを判定する在庫数判定手段（制御部７２）と、をさらに有し、該在庫数判定手段により予約が可能でないと判定されたことを条件として、該判定の対象となった景品について前記予約内容登録処理を不能化するための処理（在庫零通知の返信）を行うことを特徴とする景品交換システムを構成した。これによれば、景品管理装置において、予め登録された在庫数から予約内容登録処理に伴って減算更新された後の在庫数に基づいて、景品の予約が可能であるか否かが判定され、予約が可能でないと判定されると、予約内容登録処理が不能化されるので、ユーザが予約をした景品を交換することができないという事態が生ずるおそれがない。
【０５７１】
また前記第１の発明において、前記景品管理装置（センタ景品管理装置７０）は、所定期間毎（１日毎）に前記提供処理（配送情報登録処理）が行われずに登録されている予約識別情報（予約ＩＤ）及び景品特定情報（景品ＩＤ）を無効化する処理を行うことを特徴とする景品交換システムとしても良い。これによれば、景品管理装置において、予約内容登録処理が行われても提供処理が行われていない景品に対応する予約識別情報及び景品特定情報については、所定期間毎に無効化されるので、該無効化された景品の分だけ新たに予約内容登録処理を行うことができ、無駄に多くの在庫を用意するという不都合が生じない。
【０５７２】
また前記第１の発明において、前記景品管理装置（センタ景品管理装置７０）は、各景品の在庫数を示す在庫数情報を受け付ける在庫数情報受付手段（通信部７１）をさらに有し、該在庫数情報受付手段により受け付けた在庫数情報が示す各景品の在庫数を前記在庫数登録手段（制御部７２，景品情報ＤＢ，在庫数ＤＢ）により登録することを特徴とする景品交換システムとしても良い。これによれば、景品管理装置において、受け付けた在庫数情報に基づいて在庫数の登録が行われるので、該登録作業の負担が軽減される。
【０５７３】
また前記第１の発明において、前記予約端末（カードユニット２０）は、景品の配送先を示す配送先情報の入力を受け付ける配送先情報受付手段（ディスプレイ２４）と、該配送先情報受付手段により入力を受け付けた配送先情報を、当該予約端末が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ）と、をさらに有し、前記景品管理装置（センタ景品管理装置７０）は、該配送先特定情報送信手段から送信されてきた配送先特定情報から特定される配送先に前記景品を配送するための配送処理（配送情報登録処理）を前記提供処理として前記提供処理手段（制御部７２，配送情報ＤＢ）により行うことを特徴とする景品交換システムとしても良い。これによれば、予約端末において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０５７４】
［４−２．第２の発明］
次に従来技術２として、特開平１０−１４６４３４号公報（段落００２１，００２２，００５４，００５５）を示す。この従来技術２には、店舗の一例である遊技場に設けられ、ユーザの一例である遊技者が所有する前記有価価値の一例である獲得玉との交換を希望する景品の予約を受け付けるカタログ景品情報装置と、該予約した景品を交換するための処理を行う景品交換装置と、からなり、該景品交換装置において、遊技者の獲得玉数から交換する景品に相当する玉数を減算する減算処理を行うと共に、管理装置において、該景品の予約ＩＤを消去して予約を確定させる予約確定処理を行って、遊技者に対して景品の提供が行われる景品交換システムが記載されている。
【０５７５】
しかしながら、従来技術２に示す景品交換システムにおいて、前記減算処理と、景品を遊技者に提供するための処理である前記予約確定処理とが、相互に連動しないものとした場合（例えば既に前記減算処理を行うＰＯＳ端末が導入されている遊技場に、前記予約確定処理を行う予約確定端末を新たに導入する場合）には、減算処理を行わずに予約確定処理を行ってしまう（つまりは、遊技者に対して景品の提供が行われてしまう）事態が生ずるおそれがあり、遊技場が損をしてしまうおそれがあった。
【０５７６】
そこで、上記の実施形態に記載した第２の発明では、ユーザが所有する有価価値から、交換する景品に相当する有価価値を減算することなく、該景品をユーザに提供するための処理を行ってしまっても、店舗が損をしてしまうおそれがないような、景品交換システムを提供することを目的として、以下の発明を構成した。
【０５７７】
即ち第２の発明として、店舗（遊技場）に設けられ、ユーザ（遊技者）が所有する有価価値（獲得玉の計数値，貯玉数）と交換可能な複数の景品の中から、前記ユーザが所有する有価価値との交換を希望する景品の選択を受け付ける選択受付手段（ディスプレイ２４）と、該選択受付手段にて選択された景品を当該ユーザに提供するための景品提供要求（予約確定要求）を送信する景品提供要求送信手段（通信部５１）と、を有する景品選択装置（カードユニット２０と、予約確定端末５０）と、該景品提供要求送信手段から送信されてきた景品提供要求の対象である景品を前記ユーザに提供するための提供情報（配送情報）を登録する提供情報登録処理（配送情報登録処理）を行う提供情報登録手段（制御部７２，配送情報ＤＢ）を有する景品管理装置（センタ景品管理装置７０）と、を備え、前記景品選択装置は、前記選択受付手段にて選択された景品に相当する有価価値（交換玉数）を前記ユーザが所有する有価価値から減算するための減算処理を行う減算処理端末（ＰＯＳ端末４０）と別個に設けられ、該減算処理が行われたか否かに拘わらず、前記景品提供要求を送信する景品交換システム（１）であって、前記景品管理装置は、前記提供情報登録手段にて登録された提供情報のうち、取消を希望する提供情報の指定を前記店舗から受け付ける取消指定受付手段（通信部７１）と、該取消指定受付手段にて指定を受け付けた提供情報に対応する景品の前記ユーザへの提供を停止するための処理を行う提供停止手段（制御部７２）と、をさらに有することを特徴とする景品交換システムを構成した。これによれば、ユーザが所有する有価価値から、交換する景品に相当する有価価値を減算していないにも拘わらず、景品管理装置において、景品をユーザに提供するための提供情報を登録する提供情報登録処理が行われてしまっても、取消を希望する提供情報の指定を店舗から受け付けると、該指定を受け付けた提供情報に対応する景品の提供を停止するための処理が行われて、景品の提供が行われないので、店舗が損をしてしまうおそれがない。
【０５７８】
また前記第２の発明において、前記景品選択装置（カードユニット２０と、予約確定端末５０）は、景品の配送先を示す配送先情報の入力を受け付ける配送先情報受付手段（ディスプレイ２４）と、該配送先情報受付手段により入力を受け付けた配送先情報を、当該景品選択装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ）と、をさらに有し、前記景品管理装置（センタ景品管理装置７０）は、該配送先特定情報送信手段から送信されてきた配送先特定情報から特定される配送先に前記景品を配送するための配送情報を前記提供情報として登録する処理（配送情報登録処理）を前記提供情報登録処理として前記提供情報登録手段（制御部７２，配送情報ＤＢ）により行うことを特徴とする景品交換システムを構成した。これによれば、景品選択装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０５７９】
また前記第２の発明において、前記景品選択装置は、前記選択受付手段（ディスプレイ２４）を有する予約端末（カードユニット２０）と、前記景品提供要求送信手段（通信部５１）を有する予約確定端末（５０）と、からなり、前記予約端末は、前記選択受付手段にて選択された景品を特定可能な景品特定情報（景品ＩＤ）を含む予約要求を前記景品管理装置（センタ景品管理装置７０）に送信する予約要求送信手段（場外通信部２１ｃ）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記予約確定端末は、前記予約識別情報を受け付ける予約識別情報受付手段（カードＲ／Ｗ５７）をさらに有し、該予約識別情報受付手段にて受け付けた予約識別情報を含む前記景品提供要求（予約確定要求）を前記景品提供要求送信手段により前記景品管理装置に送信し、前記景品管理装置は、前記景品提供要求送信手段から送信されてきた景品提供要求に含まれる予約識別情報に対応付けて登録された景品特定情報から特定される景品を対象とした前記提供情報登録処理（配送情報登録処理）を前記提供情報登録手段（制御部７２，配送情報ＤＢ）により行うことを特徴とする景品交換システムを構成した。これによれば、ユーザが景品を選択して予約する予約端末と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０５８０】
さらに前記第２の発明において、前記景品管理装置（センタ景品管理装置７０）は、前記景品提供要求送信手段（通信部５１）から送信されてきた景品提供要求（予約確定要求）を受信したことに基づいて、当該景品提供要求に含まれる予約識別情報（予約ＩＤ）に対応付けて登録された景品特定情報（景品ＩＤ）から特定される景品について前記提供情報登録処理（配送情報登録処理）が行われているか否かを判定する提供情報登録済判定手段（制御部７２）をさらに有し、該提供情報登録済判定手段により提供情報登録処理が行われていると判定されたことを条件として、該判定の対象となった景品について新たに前記提供情報登録処理を行わないことを特徴とする景品交換システムを構成した。これによれば、景品提供要求に含まれる予約識別情報に対応付けて登録された景品特定情報から特定される景品について、既に提供情報登録処理が行われていると、新たな提供情報登録処理は行われないので、１つの予約に対して複数回の提供情報登録処理が行われることがなく、ユーザに対して同じ景品が複数回提供されて店舗が損をしてしまうおそれがない。
【０５８１】
［４−３．第３の発明］
次に従来技術３として、特開２００１−３３４０５３号公報（段落００１５）を示す。この従来技術３には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０５８２】
しかしながら、従来技術３に示した景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０５８３】
そこで、上記の実施形態に記載した第３の発明では、店舗が希望する景品を提供でき、ユーザに対して景品交換を促進できるような、景品交換システムを提供することを目的として、以下の発明を構成した。
【０５８４】
即ち第３の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、前記ユーザが所有する有価価値との交換を希望する景品の選択を受け付ける選択受付手段（ディスプレイ２４）と、を有する景品表示装置（カードユニット２０）と、該景品表示装置に表示される景品に関する情報を（景品情報ＤＢで）管理する景品管理装置（センタ景品管理装置７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理（景品情報の送信）を行う景品表示処理手段（制御部７２，通信部７１）と、を有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。
【０５８５】
また前記第３の発明において、景品交換システム（１）は、前記景品パッケージ選択受付手段にて選択された景品パッケージに含まれる景品のうち前記景品表示装置で選択不能とする選択不能景品の指定を受け付ける選択不能景品受付手段（センタ景品管理装置７０のディスプレイ７３及び入力装置７４）と、該選択不能景品受付手段にて指定を受け付けた選択不能景品を前記景品表示装置で選択不能とするための処理（選択不能景品を除いた景品情報の送信）を行う選択不能処理手段（センタ景品管理装置７０の制御部７２，通信部７１）と、をさらに備えることを特徴とする景品交換システムとしても良い。これによれば、前記選択された景品パッケージに含まれる景品のうち指定を受け付けた選択不能景品を景品表示装置で選択不能とするための処理が行われるので、店舗が希望しない景品は提供しないようにすることができ、店舗側の利便性を向上することができる。
【０５８６】
また前記第３の発明において、景品交換システム（１）は、前記選択不能景品の指定の解除を受け付ける解除受付手段（センタ景品管理装置７０のディスプレイ７３及び入力装置７４）をさらに備えることを特徴とする景品交換システムとしても良い。これによれば、選択不能景品の指定を解除することにより、該選択不能景品を景品表示装置で選択可能とすることができるので、店舗側の利便性をさらに向上することができる。
【０５８７】
また前記第３の発明において、前記景品管理装置（センタ景品管理装置７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０）で表示するための処理（景品情報の送信）を前記景品表示処理手段（制御部７２，通信部７１）により行うことを特徴とする景品交換システムを構成した。これによれば、景品管理装置において、景品の交換状況等に応じて、景品パッケージに含まれる景品を更新することができるので、景品交換をより促進することができる。
【０５８８】
また前記第３の発明において、前記景品管理装置（センタ景品管理装置７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０５８９】
また前記第３の発明において、前記景品表示装置（カードユニット２０）は、景品の配送先を示す配送先情報の入力を受け付ける配送先情報受付手段（ディスプレイ２４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ）と、をさらに有し、前記景品管理装置（センタ景品管理装置７０）は、該配送先特定情報送信手段から送信されてきた配送先特定情報から特定される配送先に前記景品を配送するための配送処理（配送情報登録処理）を行う配送処理手段（制御部７２，配送情報ＤＢ）をさらに有することを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０５９０】
さらに前記第３の発明において、前記景品表示装置（カードユニット２０）は、前記選択受付手段（ディスプレイ２４）にて選択された景品を特定可能な景品特定情報（景品ＩＤ）を含む予約要求を前記景品管理装置（センタ景品管理装置７０）に送信する予約要求送信手段（場外通信部２１ｃ）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記景品交換システムは、店舗（遊技場）に設けられ、前記予約識別情報を受け付ける予約識別情報受付手段（カードＲ／Ｗ５７）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０５９１】
［４−４．第４の発明］
次に従来技術４として特開２００１−３３４０５３号公報（段落００１５）を示す。この従来技術４には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０５９２】
しかしながら、従来技術４に示した景品交換システムでは、端末機器で表示する景品の中に不良品が発覚した場合であっても、該不良品の選択を受け付けてしまうので、当該不良品を選択した遊技者に対する有価価値の返却や代替品の提供等の、事後的な対処が必要となる件数が多くなってしまい、遊技場の手間や遊技者の迷惑が多くなるという問題があった。
【０５９３】
そこで、上記の実施形態に記載した第４の発明では、予約を受け付ける景品の中に不良品が発覚した場合であっても、事後的な対処が必要となる予約の件数を低減でき、景品を提供する側の手間やユーザの迷惑を低減できるような、景品交換システムを提供することを目的として、以下の発明を構成した。
【０５９４】
即ち第４の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、該景品表示装置に表示される景品に関する情報を（景品情報ＤＢで）管理すると共に、前記予約要求送信手段から送信されてきた予約要求に含まれる景品特定情報から特定される景品を前記ユーザに提供するための提供処理（配送情報登録処理）を行う提供処理手段（制御部７２，配送情報ＤＢ）を有する景品管理装置（センタ景品管理装置７０）と、を備える景品交換システム（１）であって、前記景品管理装置は、前記複数の景品のうち、予約を停止する景品の指定を受け付ける予約停止景品受付手段（ディスプレイ７３及び入力装置７４）と、該予約停止景品受付手段にて指定を受け付けた景品の予約を停止するための予約停止情報を前記景品表示装置に送信する予約停止情報送信手段（通信部７１）と、をさらに有することを特徴とする景品交換システムを構成した。これによれば、不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０５９５】
また前記第４の発明において、前記景品管理装置（センタ景品管理装置７０）は、前記予約要求を受信したことに基づいて、該予約要求に含まれる景品特定情報（景品ＩＤ）から特定される景品が前記予約停止景品受付手段（ディスプレイ７３及び入力装置７４）にて指定を受け付けた景品であるか否かを判定する予約停止景品判定手段（制御部７２）をさらに有し、該予約停止景品判定手段により前記指定を受け付けた景品であると判定されたことを条件として、前記予約停止情報を前記予約停止情報送信手段（通信部７１）により送信することを特徴とする景品交換システムを構成した。これによれば、景品管理装置は、予約要求を受信したことに基づいて、該予約要求に含まれる景品特定情報から特定される景品が予約を停止する景品であれば、受動的に予約停止情報を返信するので、能動的に予約停止情報を送信する場合に比べて、処理の負荷が軽減される。
【０５９６】
また前記第４の発明において、前記景品表示装置（カードユニット２０）は、前記予約停止情報を受信したことに基づいて、前記予約停止景品受付手段（ディスプレイ７３及び入力装置７４）にて指定を受け付けた景品を、前記表示手段（ディスプレイ２４）に表示しないか、又は、選択不能に該表示手段に表示する処理を行うことを特徴とする景品交換システムを構成した。これによれば、景品表示装置において、予約停止情報を受信した後は、予約を停止する景品を選択できなくなるので、ユーザによる無駄な操作が無くなり、ユーザの利便性を向上できる。
【０５９７】
また前記第４の発明において、前記景品管理装置（センタ景品管理装置７０）は、前記景品表示装置（カードユニット２０）に景品を表示するための景品情報を所定期間毎（１日毎）に該景品表示装置に送信する景品情報送信手段（通信部７１）をさらに有し、該景品情報送信手段は、前記予約停止景品受付手段（ディスプレイ７３及び入力装置７４）にて指定を受け付けた景品の景品情報を除いた前記景品情報を送信することを特徴とする景品交換システムを構成した。これによれば、景品管理装置から景品表示装置に送信される景品情報から、予約を停止する景品の景品情報が除かれ、景品表示装置において、該景品情報を受信した後は、予約を停止する景品を選択できなくなるので、ユーザによる無駄な操作が無くなり、ユーザの利便性を向上できる。
【０５９８】
また前記第４の発明において、前記景品表示装置（カードユニット２０）は、景品の配送先を示す配送先情報の入力を受け付ける配送先情報受付手段（ディスプレイ２４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置（センタ景品管理装置７０）に送信する配送先特定情報送信手段（場外通信部２１ｃ）と、をさらに有し、前記景品管理装置は、該配送先特定情報送信手段から送信されてきた配送先特定情報から特定される配送先に前記景品を配送するための配送処理（配送情報登録処理）を前記提供処理として前記提供処理手段（制御部７２，配送情報ＤＢ）により行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０５９９】
また前記第４の発明において、前記景品管理装置（センタ景品管理装置７０）は、前記予約要求送信手段（場外通信部２１ｃ）から送信されてきた予約要求に対応する予約を識別可能な予約識別情報（予約ＩＤ）に対応付けて該予約要求に含まれる景品特定情報（景品ＩＤ）を登録する予約内容登録処理を行う予約内容登録手段（制御部７２，予約情報ＤＢ）をさらに有し、前記景品交換システムは、店舗（遊技場）に設けられ、前記予約識別情報を受け付ける予約識別情報受付手段（カードＲ／Ｗ５７）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための前記提供処理（配送情報登録処理）を前記提供処理手段（制御部７２，配送情報ＤＢ）により行うことを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０６００】
また前記第４の発明において、前記景品管理装置（センタ景品管理装置７０）は、前記景品提供要求送信手段（通信部５１）から送信されてきた景品提供要求（予約確定要求）に含まれる予約識別情報（予約ＩＤ）に対応付けて登録された景品特定情報（景品ＩＤ）から特定される景品が前記予約停止景品受付手段（ディスプレイ７３及び入力装置７４）にて指定を受け付けた予約を停止する景品であるか否かを判定する提供判定手段（制御部７２）をさらに有し、該提供判定手段により予約を停止する景品であると判定されたことを条件として、該景品を前記ユーザに提供するための前記提供処理（配送情報登録処理）を行わないことを特徴とする景品交換システムを構成した。これによれば、交換する景品の予約内容登録処理が行われた後に、該景品について予約が停止された場合であっても、該景品をユーザに提供するための提供処理が行われないので、事後的な対処が必要となる件数をさらに低減できる。
【０６０１】
さらに前記第４の発明において、前記景品管理装置（センタ景品管理装置７０）は、前記予約要求送信手段（場外通信部２１ｃ）から送信されてきた予約要求に含まれる景品特定情報（景品ＩＤ）と当該予約を行ったユーザを特定可能なユーザ特定情報（配送先情報）とを対応付けて登録するユーザ特定情報登録手段（制御部７２，配送情報ＤＢ）をさらに有し、前記予約停止景品受付手段（ディスプレイ７３及び入力装置７４）にて予約を停止する景品の指定を受け付けたことに基づいて、前記ユーザ特定情報登録手段にて該景品の景品特定情報と対応付けられているユーザ特定情報を抽出するユーザ特定情報抽出手段（制御部７２）をさらに有することを特徴とする景品交換システムを構成した。これによれば、予約を停止する景品の指定を受け付ける前に該景品の予約を行ったユーザを特定できるので、該ユーザに対して適切な対処をすることができる。
【０６０２】
［４−５．第５の発明］
次に従来技術５として、特開２００１−３３４０５３号公報（段落００１５）を示す。この従来技術５には、店舗の一例である遊技場に設けられ、複数の景品を表示し、該景品の中からユーザが交換を希望する景品の予約を受け付ける景品表示装置の一例である端末機器と、遊技場の外部に設けられ、該端末機器に表示される各景品の在庫数を管理する景品管理装置の一例であるサーバ機器と、を備え、サーバ機器から端末機器に対して、前記表示される景品に関する情報を含む景品データを送信する景品交換システムが記載されている。
【０６０３】
しかしながら、上記の従来技術５に示した景品交換システムでは、サーバ機器において、各景品の在庫数が登録された後に、景品の在庫を管理する側（例えば倉庫）において、ある景品の在庫数に不測の変動（例えば当該景品の破損や入荷停止による在庫数の減少）が生じたときに、当初に登録された在庫数に基づいて当該景品の予約を受け付けてしまうと、該景品を提供できない予約、つまりは該景品を選択したユーザに対する有価価値の返却や代替品の提供等の事後的な対処が必要となる予約の件数が多くなってしまい、景品を提供する側の手間や遊技者の迷惑が多くなるという問題があった。
【０６０４】
そこで、上記の実施形態に記載した第５の発明では、予約を受け付ける景品の在庫数に不測の変動が生じた場合であっても、事後的な対処が必要となる予約の件数を低減でき、景品を提供する側の手間やユーザの迷惑を低減できるような、景品交換システムを提供することを目的として、以下の発明を構成した。
【０６０５】
即ち第５の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する在庫数判定手段（制御部７２）と、該在庫数判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（センタ景品管理装置７０）と、を備える景品交換システム（１）であって、前記景品管理装置は、前記在庫数管理手段で管理している在庫数の変更を受け付ける在庫数変更手段（通信部７１）をさらに有し、前記在庫数判定手段は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６０６】
また別の第５の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の初期在庫数を管理する初期在庫数管理手段（制御部７２，景品情報ＤＢ）と、該初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する在庫数判定手段（制御部７２）と、該在庫数判定手段により予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（センタ景品管理装置７０）と、を備える景品交換システム（１）であって、前記景品管理装置は、前記初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段で管理している現在在庫数を更新する現在在庫数更新手段（制御部７２）と、をさらに有し、前記在庫数判定手段は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６０７】
また第５の発明において、前記景品管理装置（センタ景品管理装置７０）は、前記在庫数判定手段（制御部７２）により景品の予約が可能であると判定されたことを条件として、前記予約要求送信手段（場外通信部２１ｃ）から送信されてきた予約要求に対応する予約を識別可能な予約識別情報（予約ＩＤ）に対応付けて該予約要求に含まれる景品特定情報（景品ＩＤ）を登録する予約内容登録処理を前記予約処理として前記予約処理手段（制御部７２，予約情報ＤＢ）により行い、前記景品交換システムは、店舗（遊技場）に設けられ、前記予約識別情報を受け付ける予約識別情報受付手段（カードＲ／Ｗ５７）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できると共に、景品の予約が可能であると判定されたことを条件として、予約内容登録処理が行われるので、ユーザが予約をした景品を交換することができないという事態が生ずるおそれがない。
【０６０８】
また第５の発明において、前記景品管理装置（センタ景品管理装置７０）は、各景品について、前記提供処理（配送情報登録処理）に供された提供個数（確定累計数）を集計する提供個数集計手段（制御部７２，予約・確定累計数ＤＢ）と、前記在庫数変更手段（ディスプレイ７３及び入力装置７４）にて変更を受け付けた後の在庫数又は初期在庫数と、前記提供個数集計手段にて集計された提供個数とに基づいて、該景品の提供が可能であるか否かを判定する提供可否判定手段（制御部７２）と、をさらに有し、該提供可否判定手段により景品の提供が可能でないと判定されたことを条件として、該判定の対象となった景品を前記ユーザに提供するための前記提供処理を行わないことを特徴とする景品交換システムを構成した。これによれば、交換する景品の予約内容登録処理が行われた後に、当該景品の在庫数又は初期在庫数の変更を受け付けた場合であっても、該変更を受け付けた後の在庫数又は初期在庫数と提供個数とに基づいて該景品の提供が可能でないと判定されると、該景品をユーザに提供するための提供処理が行われないので、事後的な対処が必要となる件数をさらに低減できる。
【０６０９】
また第５の発明において、前記景品管理装置（センタ景品管理装置７０）は、前記在庫数又は前記初期在庫数から前記提供処理（配送情報登録処理）に供された提供個数を減算した提供後在庫数（配送登録後在庫数）を管理する提供後在庫数管理手段（制御部７２，在庫数ＤＢ）と、前記在庫数変更手段（ディスプレイ７３及び入力装置７４）にて在庫数又は初期在庫数の変更を受け付けたことを条件として、在庫数又は初期在庫数の変動数に基づいて、前記提供後在庫数管理手段で管理している提供後在庫数を更新する提供後在庫数更新手段（制御部７２）と、該提供後在庫数更新手段にて更新された後の提供後在庫数に基づいて、前記景品の提供が可能であるか否かを判定する提供可否判定手段（制御部７２）と、をさらに有し、該提供可否判定手段により景品の提供が可能でないと判定されたことを条件として、該判定の対象となった景品を前記ユーザに提供するための前記提供処理を行わないことを特徴とする景品交換システムを構成した。これによれば、交換する景品の予約内容登録処理が行われた後に、当該景品の在庫数又は初期在庫数の変更を受け付けた場合であっても、該在庫数又は初期在庫数の変動数に基づいて更新される提供後在庫数に基づいて該景品の提供が可能でないと判定されると、該景品をユーザに提供するための提供処理が行われないので、事後的な対処が必要となる件数をさらに低減できる。
【０６１０】
また第５の発明において、前記景品管理装置（センタ景品管理装置７０）は、前記予約要求を受信したことに応じて、前記予約停止情報送信手段（通信部７１）により前記予約停止情報（在庫零通知）を前記景品表示装置（カードユニット２０）に送信することを特徴とする景品交換システムを構成した。これによれば、景品管理装置は、予約要求の受信に応じて、受動的に予約停止情報を返信するので、能動的に予約停止情報を送信する場合に比べて、処理の負荷が軽減される。
【０６１１】
また第５の発明において、前記景品表示装置（カードユニット２０）は、前記予約停止情報（在庫零通知）を受信したことに基づき、前記在庫数判定手段（制御部７２）により予約が可能でないと判定された景品を、前記表示手段（ディスプレイ２４）に表示しないか、又は、選択不能に該表示手段に表示する処理を行うことを特徴とする景品交換システムを構成した。これによれば、景品表示装置において、予約停止情報を受信した後は、予約が可能でないと判定された景品を選択できなくなるので、ユーザによる無駄な操作が無くなり、ユーザの利便性を向上できる。
【０６１２】
さらに第５の発明において、前記景品管理装置（センタ景品管理装置７０）は、前記ユーザ（遊技者）を特定可能なユーザ特定情報（配送先情報）と前記予約処理（予約内容登録処理）及び／又は前記提供処理（配送情報登録処理）に供された景品の景品特定情報（景品ＩＤ）とを対応付けて登録するユーザ特定情報登録手段（制御部７２，予約情報ＤＢ，配送情報ＤＢ）と、前記在庫数変更手段（ディスプレイ７３及び入力装置７４）により在庫数又は初期在庫数の変更を受け付けたことに基づいて、前記在庫数判定手段（制御部７２）により予約が可能でないと判定された景品及び／又は前記提供可否判定手段（制御部７２）により提供が可能でないと判定された景品の景品特定情報と対応付けられているユーザ特定情報を抽出するユーザ特定情報抽出手段（制御部７２）と、をさらに有することを特徴とする景品交換システムを構成した。これによれば、在庫数又は初期在庫数の変更を受け付ける前に行われた予約処理及び／又は提供処理に供された景品を選択したユーザを特定できるので、該ユーザに対して適切な対処をすることができる。
【０６１３】
［４−６．第６の発明］
次に従来技術６として、特開２００１−３３４０５３号公報（段落００１５）を示す。この従来技術６には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６１４】
しかしながら、上記の従来技術６に示した景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０６１５】
そこで、上記の実施形態に記載した第６の発明では、店舗が希望する景品を提供でき、ユーザに対して景品交換を促進できるような、景品交換システムを提供することを目的として、以下の発明を構成した。
【０６１６】
即ち第６の発明として、店舗（遊技場）に設けられ、ユーザ（遊技者）が所有する有価価値（獲得玉の計数値），貯玉数）と交換可能な複数の景品を表示する表示手段（ディスプレイ２４）と、該表示手段に表示される景品の中から、前記ユーザが所有する有価価値との交換を希望する景品の選択を受け付ける選択受付手段（ディスプレイ２４）と、を有する景品表示装置（カードユニット２０）と、該景品表示装置に表示される前記複数の景品に関する情報を（景品情報ＤＢで）管理する景品管理装置（センタ景品管理装置７０）と、を備える景品交換システム（１）であって、前記景品管理装置は、前記複数の景品の各々について、各景品を分類するための分類区分（大区分，小区分，交換玉数）を設定する分類区分設定手段（制御部７２，景品情報ＤＢ）と、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１，ディスプレイ７３及び入力装置７４）と、を有し、前記景品表示装置は、前記景品の分類区分の各々に対応する区分メニューを表示する区分メニュー表示処理と、該区分メニューのいずれかが選択されたことに基づいて、前記景品パッケージ選択受付手段にて選択された景品パッケージに含まれる景品のうち、前記選択された区分メニューに対応する分類区分が設定されている景品を表示する区分景品表示処理とを行い、前記景品表示装置又は前記景品管理装置は、前記景品パッケージ選択受付手段にて複数の景品パッケージが選択されたことに基づき、該選択された複数の景品パッケージに重複して含まれる景品を前記区分景品表示処理において１つのみ表示させるための処理を行う重複表示排除手段をさらに有することを特徴とする景品交換システムを構成した。これによれば、景品管理装置において、予め設定された複数の景品パッケージのうち、店舗が希望する景品パッケージの選択を受け付け、当該店舗に設けられる景品表示装置において、各景品の分類区分に対応する区分メニューが選択されると、前記選択された景品パッケージに含まれる景品のうち、該選択された区分メニューに対応する分類区分が設定されている景品が表示されるので、店舗の客層や土地柄や季節に応じて、該店舗が希望する景品を提供でき、ユーザに対して景品交換を促進することができると共に、店舗が希望する複数の景品パッケージに同一の景品が重複して含まれている場合であっても、該景品が１つのみ表示されるので、該景品が重複して表示されることがない。
【０６１７】
また第６の発明において、前記景品表示装置（カードユニット２０）は、前記景品パッケージ選択受付手段（通信部７１）にて選択された景品パッケージの各々に対応するパッケージメニューを表示するパッケージメニュー表示処理と、該パッケージメニューのいずれかが選択されたことに基づいて、該選択されたパッケージメニューに対応する景品パッケージに含まれる景品を表示するパッケージ景品表示処理とを行うことを特徴とする景品交換システムを構成した。これによれば、景品表示装置において、店舗が希望する景品パッケージに対応するパッケージメニューが選択されると、該選択されたパッケージメニューに対応する景品パッケージに含まれる景品が表示されるので、景品を選択する方法が増えて、ユーザの利便性が向上する。
【０６１８】
また第６の発明において、前記景品管理装置（センタ景品管理装置７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０）で表示するための処理（景品情報の送信）を行うことを特徴とする景品交換システムを構成した。これによれば、景品管理装置において、景品の交換状況等に応じて、景品パッケージに含まれる景品を更新することができるので、景品交換をより促進することができる。
【０６１９】
また第６の発明において、前記景品管理装置（センタ景品管理装置７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０６２０】
また第６の発明において、前記景品表示装置（カードユニット２０）は、景品の配送先を示す配送先情報の入力を受け付ける配送先情報受付手段（ディスプレイ２４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ）と、をさらに有し、前記景品管理装置（センタ景品管理装置７０）は、該配送先特定情報送信手段から送信されてきた配送先特定情報から特定される配送先に前記景品を配送するための配送処理（配送情報登録処理）を行う配送処理手段（制御部７２，配送情報ＤＢ）をさらに有することを特徴とする景品交換システムを構成した。景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６２１】
さらに第６の発明において、前記景品表示装置（カードユニット２０）は、前記選択受付手段（ディスプレイ２４）にて選択された景品を特定可能な景品特定情報（景品ＩＤ）を含む予約要求を前記景品管理装置（センタ景品管理装置７０）に送信する予約要求送信手段（場外通信部２１ｃ）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記景品交換システムは、店舗（遊技場）に設けられ、前記予約識別情報を受け付ける予約識別情報受付手段（カードＲ／Ｗ５７）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０６２２】
［４−７．第７の発明］
次に従来技術７として、特開平１０−１４６４３４号公報（段落００２１，００２２，００４４，００４５）を示す。この従来技術７には、ユーザの一例である遊技者が所有する前記有価価値の一例である獲得玉との交換を希望する景品の予約を受け付けるカタログ景品情報装置において、景品の在庫数に関係なく予約を受け付けて、該予約に係る景品の景品コード等が記録されたチケットを遊技者に対して発行し、景品交換を行うときに、景品交換装置において、該チケットから景品コード等を読み取り、遊技者の獲得玉数から該景品コードの景品に相当する玉数を減算すると共に、該景品の在庫数から１を減算する景品交換システムが記載されている。
【０６２３】
しかしながら、従来技術７に示す景品交換システムでは、景品の在庫数に関係なく予約ができ、景品交換を行うときに在庫数の減算が行われるため、遊技者が予約をした景品を交換するときには該景品の在庫数が零になっていて、交換することができないという事態が生ずるおそれがある。
【０６２４】
そこで、上記の実施形態に記載した第７の発明では、ユーザが予約をした景品を交換することができないという事態が生ずるおそれがないような、景品交換システムを提供することを目的として、以下の発明を構成した。
【０６２５】
即ち第７の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な景品特定情報（景品ＩＤ）及び該ユーザを特定可能なユーザ特定情報（会員ＩＤ，景品会員ＩＤ，配送先情報）を含む予約要求を送信する予約要求送信手段（場外通信部２１ｃ）と、を有する予約端末（カードユニット２０）と、前記予約要求送信手段から送信されてきた予約要求に対応する予約を識別可能な予約識別情報（予約ＩＤ）に対応付けて該予約要求に含まれる景品特定情報及びユーザ特定情報を登録する予約内容登録処理を行う予約内容登録手段（制御部７２，予約情報ＤＢ）を有する景品管理装置（センタ景品管理装置７０）と、店舗に設けられ、前記予約識別情報を含む景品提供要求（予約確定要求）を前記景品管理装置に送信する景品提供要求送信手段を有する予約確定端末（カードユニット２０，予約確定端末５０）と、を備え、前記景品管理装置は、前記景品提供要求送信手段から送信されてきた景品提供要求に含まれる予約識別情報に対応付けて登録された景品特定情報から特定される景品を前記ユーザ特定情報から特定されるユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，景品情報ＤＢ）と、各景品について、前記予約内容登録処理に供された予約個数（予約累計数）を集計する予約個数集計手段（制御部７２，予約・確定累計数ＤＢ）と、前記在庫数登録手段に登録された在庫数と、該予約個数集計手段により集計された予約個数とに基づいて、前記景品の予約が可能であるか否かを判定する在庫数判定手段（制御部７２）と、前記ユーザ１人あたりが予約可能な景品の個数又は前記ユーザ１人あたりが予約に供することが可能な有価価値（価格）に対する上限値を設定する上限値設定手段（制御部７２，上限値ＤＢ）と、前記予約を行うユーザについて、前記予約内容登録処理に供されたが前記提供処理に未だ供されていない景品である未提供予約景品の個数である未提供予約個数又は当該未提供予約景品に対応する有価価値である未提供予約価値を特定する未提供予約特定手段（制御部７２，未提供予約個数・価格ＤＢ）と、該未提供予約特定手段により特定された未提供予約個数又は未提供予約価値と、前記上限値設定手段により設定された上限値とに基づいて、前記ユーザについて予約が可能であるか否かを判定する上限値判定手段（制御部７２）と、をさらに有し、前記在庫数判定手段により予約が可能でないと判定されたことを条件として、該判定の対象となった景品について前記予約内容登録処理を不能化するための処理（在庫零通知の返信）を行うと共に、前記上限値判定手段により予約が可能でないと判定されたことを条件として、該判定の対象となったユーザについて前記予約内容登録処理を不能化するための処理（上限値超え通知の返信）を行うことを特徴とする景品交換システムを構成した。これによれば、景品管理装置において、予め登録された在庫数と、予約内容登録処理に供された予約個数の集計値とに基づいて、景品の予約が可能であるか否かが判定され、予約が可能でないと判定されると、予約内容登録処理が不能化されるので、ユーザが予約をした景品を交換することができないという事態が生ずるおそれがない。また景品管理装置において、予約を行うユーザについて特定される未提供予約景品の個数又は未提供予約景品に対応する有価価値と、ユーザ１人あたりについて設定された上限値とに基づいて、該ユーザについて予約が可能であるか否かが判定され、予約が可能でないと判定されると、予約内容登録処理が不能化されるので、悪質なユーザが交換するつもりのない多量の景品を前記上限値を超えていたずらに予約することを防止でき、当該いたずらの予約により在庫数が減少して正規のユーザが予約できないといった事態を防止できる。
【０６２６】
また別の第７の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な景品特定情報（景品ＩＤ）及び該ユーザを特定可能なユーザ特定情報（会員ＩＤ，景品会員ＩＤ，配送先情報）を含む予約要求を送信する予約要求送信手段（場外通信部２１ｃ）と、を有する予約端末（カードユニット２０）と、前記予約要求送信手段から送信されてきた予約要求に対応する予約を識別可能な予約識別情報（予約ＩＤ）に対応付けて該予約要求に含まれる景品特定情報及びユーザ特定情報を登録する予約内容登録処理を行う予約内容登録手段（制御部７２，予約情報ＤＢ）を有する景品管理装置（センタ景品管理装置７０）と、店舗に設けられ、前記予約識別情報を含む景品提供要求（予約確定要求）を前記景品管理装置に送信する景品提供要求送信手段を有する予約確定端末（カードユニット２０，予約確定端末５０）と、を備え、前記景品管理装置は、前記景品提供要求送信手段から送信されてきた景品提供要求に含まれる予約識別情報に対応付けて登録された景品特定情報から特定される景品を前記ユーザ特定情報から特定されるユーザに提供するための提供処理（配送情報登録処理）を行う提供処理手段（制御部７２，配送情報ＤＢ）を有する景品交換システム（１）であって、前記景品管理装置は、各景品の在庫数を登録する在庫数登録手段（制御部７２，在庫数ＤＢ）と、前記予約内容登録処理に伴って、前記在庫数登録手段に登録された在庫数を減算更新する在庫数更新手段（制御部７２）と、該在庫数更新手段により更新された在庫数に基づいて、前記景品の予約が可能であるか否かを判定する在庫数判定手段（制御部７２）と、前記ユーザ１人あたりが予約可能な景品の個数又は前記ユーザ１人あたりが予約に供することが可能な有価価値（価格）に対する上限値を設定する上限値設定手段（制御部７２，上限値ＤＢ）と、前記予約を行うユーザについて、前記予約内容登録処理に供されたが前記提供処理に未だ供されていない景品である未提供予約景品の個数である未提供予約個数又は当該未提供予約景品に対応する有価価値である未提供予約価値を特定する未提供予約特定手段（制御部７２，未提供予約個数・価格ＤＢ）と、該未提供予約特定手段により特定された未提供予約個数又は未提供予約価値と、前記上限値設定手段により設定された上限値とに基づいて、前記ユーザについて予約が可能であるか否かを判定する上限値判定手段（制御部７２）と、をさらに有し、前記在庫数判定手段により予約が可能でないと判定されたことを条件として、該判定の対象となった景品について前記予約内容登録処理を不能化するための処理（在庫零通知の返信）を行うと共に、前記上限値判定手段により予約が可能でないと判定されたことを条件として、該判定の対象となったユーザについて前記予約内容登録処理を不能化するための処理（上限値超え通知の返信）を行うことを特徴とする景品交換システムを構成した。これによれば、景品管理装置において、予め登録された在庫数から予約内容登録処理に伴って減算更新された後の在庫数に基づいて、景品の予約が可能であるか否かが判定され、予約が可能でないと判定されると、予約内容登録処理が不能化されるので、ユーザが予約をした景品を交換することができないという事態が生ずるおそれがない。また景品管理装置において、予約を行うユーザについて特定される未提供予約景品の個数又は未提供予約景品に対応する有価価値と、ユーザ１人あたりについて設定された上限値とに基づいて、該ユーザについて予約が可能であるか否かが判定され、予約が可能でないと判定されると、予約内容登録処理が不能化されるので、悪質なユーザが交換するつもりのない多量の景品を前記上限値を超えていたずらに予約することを防止でき、当該いたずらの予約により在庫数が減少して正規のユーザが予約できないといった事態を防止できる。
【０６２７】
また第７の発明において、前記上限値設定手段（制御部７２，上限値ＤＢ）は、前記上限値として、前記ユーザが予約する景品の全個数又は前記ユーザが予約する全景品に対応する有価価値（価格）に対する全体上限値と、該全体上限値よりも低い値であって前記ユーザが予約する１種類の景品の個数又は前記ユーザが予約する１種類の景品に対応する有価価値に対する個別上限値とを設定し、前記未提供予約特定手段（制御部７２，未提供予約個数・価格ＤＢ）は、前記未提供予約景品の全個数である全体未提供予約個数又は全未提供予約景品に対応する有価価値である全体未提供予約価値（全体未提供予約価格）と、未提供予約景品の各種類毎の個数である個別未提供予約個数又は各種類毎の未提供予約景品に対応する有価価値である個別未提供予約価値（個別未提供予約価格）とを特定し、前記上限値判定手段（制御部７２）は、前記未提供予約特定手段により特定された全体未提供予約個数又は全体未提供予約価値と、前記上限値設定手段により設定された全体上限値とに基づいて、前記判定を行うと共に、前記未提供予約特定手段により特定された個別未提供予約個数又は個別未提供予約価値と、前記上限値設定手段により設定された個別上限値とに基づいて、前記判定を行うことを特徴とする景品交換システムを構成した。これによれば、未提供予約景品の各種類毎の個数又は各種類毎の未提供予約景品に対応する有価価値と、個別上限値とに基づいて判定が行われると共に、全未提供予約景品の個数又は全未提供予約景品に対応する有価価値と、全体上限値とに基づいて判定が行われ、しかも個別上限値は全体上限値よりも低い値に設定されるので、悪質なユーザが、複数種類の景品を多量に予約するいたずらや、１種類の景品を多量に予約するいたずらを、効果的に防止できる。
【０６２８】
また第７の発明において、前記上限値設定手段（制御部７２，上限値ＤＢ）は、各景品の種類毎に、前記上限値を設定し、前記未提供予約特定手段（制御部７２，未提供予約個数・価格ＤＢ）は、前記未提供予約景品の各種類毎の個数である個別未提供予約個数又は各種類毎の未提供予約景品に対応する有価価値である個別未提供予約価値（個別未提供予約価格）を特定し、前記上限値判定手段（制御部７２）は、前記未提供予約特定手段により特定された個別未提供予約個数又は個別未提供予約価値と、前記上限値設定手段により設定された上限値とに基づいて、前記判定を行うことを特徴とする景品交換システムを構成した。これによれば、各景品の種類毎に上限値を設定することができるので、各景品の種類に応じた上限値を設定することで、いたずらの予約により在庫数が減少して正規のユーザが予約できないといった事態をより効果的に防止できる。
【０６２９】
また第７の発明において、前記上限値設定手段（制御部７２，上限値ＤＢ）は、前記在庫数登録手段（制御部７２，在庫数ＤＢ）に登録された各景品の在庫数及び／又は各景品に対応する有価価値に基づいて、前記上限値を設定することを特徴とする景品交換システムを構成した。これによれば、各景品の在庫数及び／又は各景品に対応する有価価値に基づいて上限値が設定されるので、該上限値を設定する手間が省ける。
【０６３０】
また第７の発明において、前記景品管理装置（センタ景品管理装置７０）は、前記上限値判定手段（制御部７２）により予約が可能でないと判定されたユーザのユーザ特定情報（会員ＩＤ，景品会員ＩＤ，配送先情報）を抽出するユーザ特定情報抽出手段（制御部７２）をさらに有することを特徴とする景品交換システムを構成した。これによれば、いたずらの予約をした可能性があるユーザのユーザ特定情報を抽出することができるので、該ユーザに対して適切な対処をすることができる。
【０６３１】
また第７の発明において、前記景品管理装置（センタ景品管理装置７０）は、所定期間毎（１日毎）に前記提供処理（配送情報登録処理）が行われずに登録されている予約識別情報（予約ＩＤ）及び景品特定情報（景品ＩＤ）を無効化する処理を行うことを特徴とする景品交換システムを構成した。これによれば、景品管理装置において、予約内容登録処理が行われても提供処理が行われていない景品に対応する予約識別情報及び景品特定情報については、所定期間毎に無効化されるので、該無効化された景品の分だけ新たに予約内容登録処理を行うことができ、無駄に多くの在庫を用意するという不都合が生じない。
【０６３２】
また第７の発明において、前記景品管理装置（センタ景品管理装置７０）は、各景品の在庫数を示す在庫数情報を受け付ける在庫数情報受付手段（通信部７１）をさらに有し、該在庫数情報受付手段により受け付けた在庫数情報が示す各景品の在庫数を前記在庫数登録手段（制御部７２，景品情報ＤＢ，在庫数ＤＢ）により登録することを特徴とする景品交換システムを構成した。これによれば、景品管理装置において、受け付けた在庫数情報に基づいて在庫数の登録が行われるので、該登録作業の負担が軽減される。
【０６３３】
さらに第７の発明において、前記予約端末（カードユニット２０）は、景品の配送先を示す配送先情報の入力を受け付ける配送先情報受付手段（ディスプレイ２４）と、該配送先情報受付手段により入力を受け付けた配送先情報を、当該予約端末が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置に送信する配送先特定情報送信手段（場外通信部２１ｃ）と、をさらに有し、前記景品管理装置（センタ景品管理装置７０）は、該配送先特定情報送信手段から送信されてきた配送先特定情報から特定される配送先に前記景品を配送するための配送処理（配送情報登録処理）を前記提供処理として前記提供処理手段（制御部７２，配送情報ＤＢ）により行うことを特徴とする景品交換システムを構成した。これによれば、予約端末において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６３４】
［４−８．第８の発明］
次に従来技術８として、特開２００６−１８４号公報（段落０１１８，０１２３，０１３８）を示す。この従来技術８には、遊技機に対応して設けられたカードユニットにおいて、ユーザが所有する有価価値の一例であるカードの残額を使用して購入を希望する商品が選択されると、該選択された全ての商品に対して１つの受注番号が表示され、該選択された商品がユーザに対して配送される遊技用システムが記載されている。
【０６３５】
しかしながら、上記の従来技術８に示す遊技用システムでは、配送元が異なる複数の商品が選択されると、該配送元毎に異なるタイミングで前記選択された商品がユーザに対して配送されることになるが、ユーザが商品の配送状況を確認する場合には、全ての商品に対して１つの受注番号が付与されていて配送毎（つまり商品がユーザに同時に到着する配送単位毎）に確認することができないため、全ての商品について到着したか否かを確認した上で、到着していない商品の各々について配送状況の問い合わせをしなければならず、ユーザの手間がかかるという問題があった。
【０６３６】
そこで、上記の実施形態に記載した第８の発明では、ユーザが所有する有価価値と交換可能な複数の景品の中から選択された、該ユーザが交換を希望する景品の配送状況を確認する場合に、該ユーザの手間が軽減されるような、景品交換システムを提供することを目的として、以下の発明を構成した。
【０６３７】
即ち第８の発明として、店舗（遊技場）に設けられ、ユーザ（遊技者）が所有する有価価値（獲得玉の計数値，貯玉数）と交換可能な複数の景品の中から、前記ユーザが所有する有価価値との交換を希望する景品の選択を受け付ける選択受付手段（ディスプレイ２４）と、該選択受付手段にて選択された景品を特定可能な景品配送要求（予約要求，及び予約確定要求）を送信する景品配送要求送信手段（場外通信部２１ｃ又は通信部３１，及び通信部５１）と、を有する配送要求端末（カードユニット２０，及び予約確定端末５０）と、前記景品配送要求送信手段から送信されてきた景品配送要求から特定される景品を前記ユーザに配送するための配送処理（配送情報登録処理）を行う景品管理装置（センタ景品管理装置７０）と、を備える景品交換システム（１）であって、前記景品管理装置は、前記複数の景品の各々について配送元を示す配送元情報を管理する配送元管理手段（景品情報ＤＢ）と、該配送元管理手段で管理している各景品の配送元情報に基づいて、前記景品配送要求送信手段から送信されてきた景品配送要求から特定される複数の景品を、配送元情報が同一である景品毎に分類する景品分類手段（制御部７２）と、該景品分類手段により分類された各分類について、当該分類を識別可能な分類識別情報（予約確定ＩＤ）を割り当て、該割り当てた分類識別情報に対応付けて該分類識別情報に対応する景品を前記ユーザに配送するための配送情報を登録するための配送情報登録処理を前記配送処理として行う配送情報登録手段（制御部７２，配送情報ＤＢ）と、前記各分類識別情報と各分類識別情報に対応する景品を特定可能な情報とを含む配送情報通知（提供登録完了通知）を前記配送要求端末に対して送信する配送情報通知送信手段（通信部７１）と、を有し、前記配送要求端末は、前記配送情報通知送信手段から送信されてきた配送情報通知に含まれる各分類識別情報に対応付けて各分類識別情報に対応する景品の景品情報が視認可能に記録された記録媒体（配送レシート６）を発行する記録媒体発行手段（配送レシートプリンタ５６）を有することを特徴とする景品交換システムを構成した。これによれば、ユーザにより選択された各景品が配送元情報が同一である景品毎に分類され、該分類された各分類毎に割り当てられた各分類識別情報に対応付けて各分類識別情報に対応する景品の景品情報が視認可能に記録された記録媒体が発行されることにより、ユーザが交換を希望する景品の配送状況を確認する場合には、各分類識別情報に対応する少なくとも１つの景品が到着したか否かを確認し、到着していない景品に対応する分類識別情報により配送状況の問い合わせを行えば、当該分類識別情報に対応する全ての景品の配送状況を確認することができる（つまり分類識別情報単位で確認を行うだけで良い）ので、ユーザの手間が軽減される。
【０６３８】
また第８の発明において、前記配送要求端末（カードユニット２０）は、前記選択受付手段（ディスプレイ２４）にて選択された景品の配送先の指定を受け付ける配送先受付手段（ディスプレイ２４）をさらに有し、該配送先受付手段は、前記選択受付手段にて選択された複数の景品について異なる配送先の指定を受付可能であり、前記景品配送要求送信手段（場外通信部２１ｃ）は、該配送先受付手段にて指定を受け付けた配送先を特定可能な前記景品配送要求（予約要求）を前記景品管理装置（センタ景品管理装置７０）に対して送信し、前記景品分類手段（制御部７２）は、該景品配送要求送信手段から送信されてきた景品配送要求から特定される複数の景品を、配送元情報が同一であり、かつ該景品配送要求から特定される配送先が同一である景品毎に分類することを特徴とする景品交換システムを構成した。これによれば、景品配送要求から特定される複数の景品について異なる配送先が指定された場合であっても、配送元情報及び該配送先が同一である景品毎に分類され、該分類された各分類毎に前記分類識別情報が割り当てられて前記記録媒体が発行されるので、ユーザに同時に到着する景品の単位で容易に配送状況を確認することができる。
【０６３９】
また第８の発明において、前記配送要求端末（カードユニット２０）は、前記選択受付手段（ディスプレイ２４）にて選択された景品の配送時期の指定を受け付ける配送時期受付手段（ディスプレイ２４）をさらに有し、該配送時期受付手段は、前記選択受付手段にて選択された複数の景品について異なる配送時期の指定を受付可能であり、前記景品配送要求送信手段（場外通信部２１ｃ）は、該配送時期受付手段にて指定を受け付けた配送時期を特定可能な前記景品配送要求（予約要求）を前記景品管理装置（センタ景品管理装置７０）に対して送信し、前記景品分類手段（制御部７２）は、該景品配送要求送信手段から送信されてきた景品配送要求から特定される複数の景品を、配送元情報が同一であり、かつ該景品配送要求から特定される配送時期が同一である景品毎に分類することを特徴とする景品交換システムを構成した。これによれば、景品配送要求から特定される複数の景品について異なる配送時期が指定された場合であっても、配送元情報及び該配送時期が同一である景品毎に分類され、該分類された各分類毎に前記分類識別情報が割り当てられて前記記録媒体が発行されるので、ユーザに同時に到着する景品の単位で容易に配送状況を確認することができる。
【０６４０】
また第８の発明において、前記配送要求端末は、前記選択受付手段（ディスプレイ２４）を有する予約端末（カードユニット２０）と、前記景品配送要求送信手段（通信部５１）及び前記記録媒体発行手段（配送レシートプリンタ５６）を有する予約確定端末（５０）と、からなり、前記予約端末は、前記選択受付手段にて選択された景品を特定可能な景品特定情報（景品ＩＤ）を含む予約要求を前記景品管理装置（センタ景品管理装置７０）に対して送信する予約要求送信手段（場外通信部２１ｃ）をさらに有し、前記景品管理装置は、前記予約要求送信手段から送信されてきた予約要求に対応する予約を識別可能な予約識別情報（予約ＩＤ）に対応付けて該予約要求に含まれる景品特定情報を登録する予約内容登録処理を行う予約内容登録手段（制御部７２，予約情報ＤＢ）をさらに有し、前記予約確定端末は、前記予約識別情報を受け付ける予約識別情報受付手段（カードＲ／Ｗ５７）をさらに有し、該予約識別情報受付手段にて受け付けた予約識別情報を含む前記景品配送要求（予約確定要求）を前記景品配送要求送信手段により前記景品管理装置に対して送信し、前記景品管理装置は、前記景品配送要求送信手段から送信されてきた景品配送要求に含まれる予約識別情報に対応付けて登録された景品特定情報から特定される景品を対象とした前記配送情報登録処理を前記配送情報登録手段（制御部７２，配送情報ＤＢ）により行うことを特徴とする景品交換システムを構成した。これによれば、ユーザが景品を選択して予約する予約端末と、景品管理装置において該予約を確定して景品をユーザに配送するための景品配送要求を送信する予約確定端末とが別個に設けられていることにより、ユーザが有価価値の獲得に拘わらず気軽に景品を予約しておくことができるので、景品交換を促進できる。
【０６４１】
さらに第８の発明において、前記景品配送要求送信手段（通信部５１）は、前記ユーザを特定可能な前記景品配送要求（予約確定要求）を前記景品管理装置（センタ景品管理装置７０）に対して送信し、前記配送情報登録手段（制御部７２，配送情報ＤＢ）は、該景品配送要求送信手段から送信されてきた景品配送要求から特定されるユーザを特定可能なユーザ特定情報（会員ＩＤ若しくは景品会員ＩＤ，配送先情報）を前記配送情報として登録し、前記景品管理装置は、前記景品配送要求送信手段から送信されてきた景品配送要求から特定されるユーザのユーザ特定情報に対応付けて、該景品配送要求から特定される景品と配送元情報が同一である配送情報が既に登録されているか否かを判定する同一配送元判定手段（制御部７２）をさらに有し、前記配送情報登録手段は、該同一配送元判定手段により既に登録されていると判定されたことを条件として、当該既に登録されている配送情報に対応する分類識別情報（予約確定ＩＤ）に対応付けて、前記配送元情報が同一である景品の配送情報を登録する前記配送情報登録処理を行うことを特徴とする景品交換システムを構成した。これによれば、景品配送要求を複数回に分けて送信しても、景品配送要求から特定される景品と配送元情報が同一である配送情報が既に登録されている場合には、該既に登録されている配送情報に対応する分類識別情報に対応付けて当該配送元情報が同一である景品の配送情報が登録されることにより、１つの分類識別情報でより多くの景品の配送状況を確認することができるので、ユーザの手間がさらに軽減される。
【０６４２】
［４−９．第９の発明］
次に従来技術９として、特開２００１−３３４０５３号公報（段落００１５）を示す。この従来技術９には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６４３】
しかしながら、上記の従来技術９に示した景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０６４４】
そこで、上記の実施形態に記載した第９の発明では、店舗が希望する景品を提供でき、ユーザに対して景品交換を促進できるような、景品交換システムを提供することを目的として、以下の発明を構成した。
【０６４５】
即ち第９の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（センタ景品管理装置７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理を行う景品表示処理手段（制御部７２，通信部７１）と、をさらに有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。
【０６４６】
また第９の発明において、前記景品管理装置（センタ景品管理装置７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６４７】
また別の第９の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（センタ景品管理装置７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理を行う景品表示処理手段（制御部７２，通信部７１）と、をさらに有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。
【０６４８】
また第９の発明において、前記景品管理装置（センタ景品管理装置７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６４９】
また第９の発明において、前記景品管理装置（センタ景品管理装置７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０）で表示するための処理を前記景品表示処理手段（制御部７２，通信部７１）により行うことを特徴とする景品交換システムを構成した。これによれば、景品管理装置において、景品の交換状況等に応じて、景品パッケージに含まれる景品を更新することができるので、景品交換をより促進することができる。
【０６５０】
また第９の発明において、前記景品管理装置（センタ景品管理装置７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０６５１】
また第９の発明において、前記景品表示装置（カードユニット２０）は、景品の配送先を示す配送先情報の入力を受け付ける配送先情報受付手段（ディスプレイ２４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置（センタ景品管理装置７０）に送信する配送先特定情報送信手段（場外通信部２１ｃ）と、をさらに有し、前記景品管理装置は、該配送先特定情報送信手段から送信されてきた配送先特定情報から特定される配送先に前記景品を配送するための配送処理（配送情報登録処理）を（制御部７２，配送情報ＤＢにより）行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６５２】
さらに第９の発明において、前記景品管理装置（センタ景品管理装置７０）は、前記予約要求送信手段場外通信部２１ｃ）から送信されてきた予約要求に対応する予約を識別可能な予約識別情報（予約ＩＤ）に対応付けて該予約要求に含まれる景品特定情報（景品ＩＤ）を登録する予約内容登録処理を前記予約処理として前記予約処理手段（制御部７２，予約情報ＤＢ）により行い、前記景品管理システムは、店舗（遊技場）に設けられ、前記予約識別情報を受け付ける予約識別情報受付手段（カードＲ／Ｗ５７）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できると共に、景品の予約が可能であると判定されたことを条件として、予約内容登録処理が行われるので、ユーザが予約をした景品を交換することができないという事態が生ずるおそれがない。
【０６５３】
［４−１０．第１０の発明］
次に従来技術１０として、特開２００１−３３４０５３号公報（段落００１５）を示す。この従来技術１０には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６５４】
しかしながら、上記の従来技術１０に示す景品交換システムでは、端末機器で表示する景品の中に不良品が発覚した場合であっても、該不良品の選択を受け付けてしまうので、当該不良品を選択した遊技者に対する有価価値の返却や代替品の提供等の、事後的な対処が必要となる件数が多くなってしまい、遊技場の手間や遊技者の迷惑が多くなるという問題があった。
【０６５５】
そこで、上記の実施形態に記載した第１０の発明では、予約を受け付ける景品の中に不良品が発覚した場合であっても、事後的な対処が必要となる予約の件数を低減でき、景品を提供する側の手間やユーザの迷惑を低減できるような、景品交換システムを提供することを目的として、以下の発明を構成した。
【０６５６】
即ち第１０の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（センタ景品管理装置７０）と、を備える景品交換システム（１）であって、前記景品管理装置は、前記複数の景品のうち、予約を停止する景品の指定を受け付ける予約停止景品受付手段（ディスプレイ７３及び入力装置７４）をさらに有し、該予約停止景品受付手段にて指定を受け付けた景品の予約を停止するための予約停止情報を前記予約停止情報送信手段により前記景品表示装置に送信することを特徴とする景品交換システムを構成した。これによれば、不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０６５７】
また第１０の発明において、前記景品管理装置（センタ景品管理装置７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６５８】
また別の第１０の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、前記予約要求送信手段から送信されてきた予約要求に含まれる景品特定情報から特定される景品を前記ユーザに提供するための予約処理（予約内容登録処理）を行う予約処理手段（制御部７２，予約情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品表示装置に送信する予約停止情報送信手段（通信部７１）と、を有する景品管理装置（センタ景品管理装置７０）と、を備える景品交換システム（１）であって、前記景品管理装置は、前記複数の景品のうち、予約を停止する景品の指定を受け付ける予約停止景品受付手段（ディスプレイ７３及び入力装置７４）をさらに有し、該予約停止景品受付手段にて指定を受け付けた景品の予約を停止するための予約停止情報を前記予約停止情報送信手段により前記景品表示装置に送信することを特徴とする景品交換システムを構成した。これによれば、不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０６５９】
また第１０の発明において、前記景品管理装置（センタ景品管理装置７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６６０】
また第１０の発明において、前記景品管理装置（センタ景品管理装置７０）は、前記予約要求を受信したことに基づいて、該予約要求に含まれる景品特定情報（景品ＩＤ）から特定される景品が前記予約停止景品受付手段（ディスプレイ７３及び入力装置７４）にて指定を受け付けた景品であるか否かを判定する予約停止景品判定手段（制御部７２）をさらに有し、該予約停止景品判定手段により前記指定を受け付けた景品であると判定されたことを条件として、前記予約停止情報を前記予約停止情報送信手段（通信部７１）により送信することを特徴とする景品交換システムを構成した。これによれば、景品管理装置は、予約要求を受信したことに基づいて、該予約要求に含まれる景品特定情報から特定される景品が予約を停止する景品であれば、受動的に予約停止情報を返信するので、能動的に予約停止情報を送信する場合に比べて、処理の負荷が軽減される。
【０６６１】
また第１０の発明において、前記景品表示装置（カードユニット２０）は、前記予約停止情報を受信したことに基づいて、前記予約停止景品受付手段（ディスプレイ７３及び入力装置７４）にて指定を受け付けた景品を、前記表示手段（ディスプレイ２４）に表示しないか、又は、選択不能に該表示手段に表示する処理を行うことを特徴とする景品交換システムを構成した。これによれば、景品表示装置において、予約停止情報を受信した後は、予約を停止する景品を選択できなくなるので、ユーザによる無駄な操作が無くなり、ユーザの利便性を向上できる。
【０６６２】
また第１０の発明において、前記景品管理装置（センタ景品管理装置７０）は、前記景品表示装置（カードユニット２０）に景品を表示するための景品情報を所定期間毎（１日毎）に該景品表示装置に送信する景品情報送信手段（通信部７１）をさらに有し、該景品情報送信手段は、前記予約停止景品受付手段（ディスプレイ７３及び入力装置７４）にて指定を受け付けた景品の景品情報を除いた前記景品情報を送信することを特徴とする景品交換システムを構成した。これによれば、景品管理装置から景品表示装置に送信される景品情報から、予約を停止する景品の景品情報が除かれ、景品表示装置において、該景品情報を受信した後は、予約を停止する景品を選択できなくなるので、ユーザによる無駄な操作が無くなり、ユーザの利便性を向上できる。
【０６６３】
また第１０の発明において、前記景品表示装置（カードユニット２０）は、景品の配送先を示す配送先情報の入力を受け付ける配送先情報受付手段（ディスプレイ２４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置（センタ景品管理装置７０）に送信する配送先特定情報送信手段（場外通信部２１ｃ）と、をさらに有し、前記景品管理装置は、該配送先特定情報送信手段から送信されてきた配送先特定情報から特定される配送先に前記景品を配送するための配送処理（配送情報登録処理）を（制御部７２，配送情報ＤＢにより）行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６６４】
さらに第１０の発明において、前記景品管理装置（センタ景品管理装置７０）は、前記予約要求送信手段場外通信部２１ｃ）から送信されてきた予約要求に対応する予約を識別可能な予約識別情報（予約ＩＤ）に対応付けて該予約要求に含まれる景品特定情報（景品ＩＤ）を登録する予約内容登録処理を前記予約処理として前記予約処理手段（制御部７２，予約情報ＤＢ）により行い、前記景品管理システムは、店舗（遊技場）に設けられ、前記予約識別情報を受け付ける予約識別情報受付手段（カードＲ／Ｗ５７）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための提供処理（配送情報登録処理）を行う提供処理手段（制御部７２，配送情報ＤＢ）をさらに有することを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できると共に、景品の予約が可能であると判定されたことを条件として、予約内容登録処理が行われるので、ユーザが予約をした景品を交換することができないという事態が生ずるおそれがない。
【０６６５】
［４−１１．第１１の発明］
次に従来技術１１として、特開２００６−１８４号公報（段落０１１８，０１２３，０１３８）を示す。この従来技術１１には、遊技機に対応して設けられたカードユニットにおいて、ユーザが所有する有価価値の一例であるカードの残額を使用して購入を希望する商品が選択されると、該選択された全ての商品に対して１つの受注番号が表示され、該選択された商品がユーザに対して配送される遊技用システムが記載されている。
【０６６６】
しかしながら、上記の従来技術１１に示す遊技用システムでは、配送元が異なる複数の商品が選択されると、該配送元毎に異なるタイミングで前記選択された商品がユーザに対して配送されることになるが、ユーザが商品の配送状況を確認する場合には、全ての商品に対して１つの受注番号が付与されていて配送毎（つまり商品がユーザに同時に到着する配送単位毎）に確認することができないため、全ての商品について到着したか否かを確認した上で、到着していない商品の各々について配送状況の問い合わせをしなければならず、ユーザの手間がかかるという問題があった。
【０６６７】
そこで、上記の実施形態に記載した第１１の発明では、ユーザが所有する有価価値と交換可能な複数の景品の中から選択された、該ユーザが交換を希望する景品の配送状況を確認する場合に、該ユーザの手間が軽減されるような、景品交換システムを提供することを目的として、以下の発明を構成した。
【０６６８】
即ち第１１の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な予約要求を送信する予約要求送信手段（場外通信部２１ｃ，通信部５１）と、を有する景品選択装置（カードユニット２０，及び予約確定端末５０）と、前記予約要求送信手段から送信されてきた予約要求から特定される景品を前記ユーザに配送するための配送情報を登録するための配送情報登録処理を少なくとも含む予約処理（予約内容登録処理）を行う予約処理手段（制御部７２，予約情報ＤＢ，配送情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（センタ景品管理装置７０）と、を備える景品交換システム（１）であって、前記景品管理装置は、前記複数の景品の各々について配送元を示す配送元情報を管理する配送元管理手段（景品情報ＤＢ）と、該配送元管理手段で管理している各景品の配送元情報に基づいて、前記予約要求送信手段から送信されてきた予約要求から特定される複数の景品を、配送元情報が同一である景品毎に分類する景品分類手段（制御部７２）と、を有し、該景品分類手段により分類された各分類について、当該分類を識別可能な分類識別情報（予約確定ＩＤ）を割り当て、該割り当てた分類識別情報に対応付けて該分類識別情報に対応する景品を前記ユーザに配送するための配送情報を登録するための配送情報登録処理を前記予約処理手段（制御部７２，配送情報ＤＢ）により行い、前記各分類識別情報と各分類識別情報に対応する景品を特定可能な情報とを含む配送情報通知（提供登録完了通知）を前記景品選択装置に対して送信する配送情報通知送信手段（通信部７１）をさらに有し、前記景品選択装置は、前記配送情報通知送信手段から送信されてきた配送情報通知に含まれる各分類識別情報に対応付けて各分類識別情報に対応する景品の景品情報が視認可能に記録された記録媒体（配送レシート６）を発行する記録媒体発行手段（配送レシートプリンタ５６）を有することを特徴とする景品交換システムを構成した。これによれば、ユーザにより選択された各景品が配送元情報が同一である景品毎に分類され、該分類された各分類毎に割り当てられた各分類識別情報に対応付けて各分類識別情報に対応する景品の景品情報が視認可能に記録された記録媒体が発行されることにより、ユーザが交換を希望する景品の配送状況を確認する場合には、各分類識別情報に対応する少なくとも１つの景品が到着したか否かを確認し、到着していない景品に対応する分類識別情報により配送状況の問い合わせを行えば、当該分類識別情報に対応する全ての景品の配送状況を確認することができる（つまり分類識別情報単位で確認を行うだけで良い）ので、ユーザの手間が軽減される。
【０６６９】
また第１１の発明において、前記景品管理装置（センタ景品管理装置７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６７０】
また別の第１１の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な予約要求を送信する予約要求送信手段（場外通信部２１ｃ，通信部５１）と、を有する景品選択装置（カードユニット２０，及び予約確定端末５０）と、前記予約要求送信手段から送信されてきた予約要求から特定される景品を前記ユーザに配送するための配送情報を登録するための配送情報登録処理を少なくとも含む予約処理（予約内容登録処理）を行う予約処理手段（制御部７２，予約情報ＤＢ，配送情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（センタ景品管理装置７０）と、を備える景品交換システム（１）であって、前記景品管理装置は、前記複数の景品の各々について配送元を示す配送元情報を管理する配送元管理手段（景品情報ＤＢ）と、該配送元管理手段で管理している各景品の配送元情報に基づいて、前記予約要求送信手段から送信されてきた予約要求から特定される複数の景品を、配送元情報が同一である景品毎に分類する景品分類手段（制御部７２）と、を有し、該景品分類手段により分類された各分類について、当該分類を識別可能な分類識別情報（予約確定ＩＤ）を割り当て、該割り当てた分類識別情報に対応付けて該分類識別情報に対応する景品を前記ユーザに配送するための配送情報を登録するための配送情報登録処理を前記予約処理手段（制御部７２，配送情報ＤＢ）により行い、前記各分類識別情報と各分類識別情報に対応する景品を特定可能な情報とを含む配送情報通知（提供登録完了通知）を前記景品選択装置に対して送信する配送情報通知送信手段（通信部７１）をさらに有し、前記景品選択装置は、前記配送情報通知送信手段から送信されてきた配送情報通知に含まれる各分類識別情報に対応付けて各分類識別情報に対応する景品の景品情報が視認可能に記録された記録媒体（配送レシート６）を発行する記録媒体発行手段（配送レシートプリンタ５６）を有することを特徴とする景品交換システムを構成した。これによれば、ユーザにより選択された各景品が配送元情報が同一である景品毎に分類され、該分類された各分類毎に割り当てられた各分類識別情報に対応付けて各分類識別情報に対応する景品の景品情報が視認可能に記録された記録媒体が発行されることにより、ユーザが交換を希望する景品の配送状況を確認する場合には、各分類識別情報に対応する少なくとも１つの景品が到着したか否かを確認し、到着していない景品に対応する分類識別情報により配送状況の問い合わせを行えば、当該分類識別情報に対応する全ての景品の配送状況を確認することができる（つまり分類識別情報単位で確認を行うだけで良い）ので、ユーザの手間が軽減される。
【０６７１】
また第１１の発明において、前記景品管理装置（センタ景品管理装置７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６７２】
また第１１の発明において、前記景品選択装置（カードユニット２０）は、前記予約受付手段（ディスプレイ２４）にて選択された景品の配送先の指定を受け付ける配送先受付手段（ディスプレイ２４）をさらに有し、該配送先受付手段は、前記予約受付手段にて選択された複数の景品について異なる配送先の指定を受付可能であり、前記予約要求送信手段（場外通信部２１ｃ）は、該配送先受付手段にて指定を受け付けた配送先を特定可能な前記予約要求を前記景品管理装置（センタ景品管理装置７０）に対して送信し、前記景品分類手段（制御部７２）は、該予約要求送信手段から送信されてきた予約要求から特定される複数の景品を、配送元情報が同一であり、かつ該景品配送要求から特定される配送先が同一である景品毎に分類することを特徴とする景品交換システムを構成した。これによれば、景品配送要求から特定される複数の景品について異なる配送先が指定された場合であっても、配送元情報及び該配送先が同一である景品毎に分類され、該分類された各分類毎に前記分類識別情報が割り当てられて前記記録媒体が発行されるので、ユーザに同時に到着する景品の単位で容易に配送状況を確認することができる。
【０６７３】
また第１１の発明において、前記景品選択装置（カードユニット２０）は、前記予約受付手段（ディスプレイ２４）にて選択された景品の配送時期の指定を受け付ける配送時期受付手段（ディスプレイ２４）をさらに有し、該配送時期受付手段は、前記予約受付手段にて選択された複数の景品について異なる配送時期の指定を受付可能であり、前記予約要求送信手段（場外通信部２１ｃ）は、該配送時期受付手段にて指定を受け付けた配送時期を特定可能な前記予約要求を前記景品管理装置（センタ景品管理装置７０）に対して送信し、前記景品分類手段（制御部７２）は、該予約要求送信手段から送信されてきた予約要求から特定される複数の景品を、配送元情報が同一であり、かつ該予約要求から特定される配送時期が同一である景品毎に分類することを特徴とする景品交換システムを構成した。これによれば、景品配送要求から特定される複数の景品について異なる配送時期が指定された場合であっても、配送元情報及び該配送時期が同一である景品毎に分類され、該分類された各分類毎に前記分類識別情報が割り当てられて前記記録媒体が発行されるので、ユーザに同時に到着する景品の単位で容易に配送状況を確認することができる。
【０６７４】
また第１１の発明において、前記景品選択装置（カードユニット２０）は、景品の配送先を示す配送先情報の入力を受け付ける配送先情報受付手段（ディスプレイ２４）と、該配送先情報受付手段により入力を受け付けた配送先情報を、当該景品選択装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置（センタ景品管理装置７０）に送信する配送先特定情報送信手段（場外通信部２１ｃ）と、をさらに有し、前記景品管理装置は、該配送先特定情報送信手段から送信されてきた配送先特定情報から特定される配送先に前記景品を配送するための前記配送情報登録処理を前記予約処理手段（制御部７２，配送情報ＤＢ）により行うことを特徴とする景品交換システムを構成した。これによれば、景品選択装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６７５】
また第１１の発明において、前記予約要求送信手段は、前記予約受付手段（ディスプレイ２４）にて選択された景品を特定可能な景品特定情報（景品ＩＤ）を含む予約登録要求を前記予約要求として送信する予約登録要求送信手段（場外通信部２１ｃ）と、前記景品の配送を要求する景品配送要求（予約確定要求）を前記予約要求として送信する景品配送要求送信手段（通信部５１）と、を有し、前記景品選択装置は、前記予約受付手段及び前記予約登録要求送信手段を有する予約端末（カードユニット２０）と、前記景品配送要求送信手段及び前記記録媒体発行手段（配送レシートプリンタ５６）を有する予約確定端末（５０）と、からなり、前記景品管理装置は、前記予約登録要求送信手段から送信されてきた予約登録要求に対応する予約を識別可能な予約識別情報（予約ＩＤ）に対応付けて該予約登録要求に含まれる景品特定情報を登録する予約内容登録処理を前記予約処理として前記予約処理手段（制御部７２，予約情報ＤＢ）により行い、前記予約確定端末は、前記予約識別情報を受け付ける予約識別情報受付手段（カードＲ／Ｗ５７）を有し、該予約識別情報受付手段にて受け付けた予約識別情報を含む景品配送要求を前記景品配送要求送信手段により送信し、前記景品管理装置は、前記景品配送要求送信手段から送信されてきた景品配送要求に含まれる予約識別情報に対応付けて登録された景品特定情報から特定される複数の景品を対象とした前記景品分類処理を前記景品分類手段（制御部７２）により行うことを特徴とする景品交換システムを構成した。これによれば、ユーザが景品を選択して予約する予約端末と、景品管理装置において該予約を確定して景品をユーザに配送するための景品配送要求を送信する予約確定端末とが別個に設けられていることにより、ユーザが有価価値の獲得に拘わらず気軽に景品を予約しておくことができるので、景品交換を促進できる。
【０６７６】
さらに第１１の発明において、前記予約個数は、前記予約内容登録処理に供された個数であることを特徴とする景品交換システムを構成した。これによれば、在庫数と予約内容登録処理に供された予約個数，又は初期在庫数から予約内容登録処理に供された予約個数を減算した現在在庫数に基づいて景品の予約が可能であると判定されたことを条件として、予約内容登録処理が行われるので、ユーザが予約をした景品を交換することができないという事態が生ずるおそれがない。
【０６７７】
［４−１２．第１２の発明］
次に従来技術１２として、特開平１０−１４６４３４号公報（段落００２１，００２２，００５４，００５５）を示す。この従来技術１２には、店舗の一例である遊技場に設けられ、ユーザの一例である遊技者が所有する前記有価価値の一例である獲得玉との交換を希望する景品の予約を受け付けるカタログ景品情報装置と、該予約した景品を交換するための処理を行う景品選択装置と、からなり、該景品選択装置において、遊技者の獲得玉数から交換する景品に相当する玉数を減算する減算処理を行うと共に、管理装置において、該景品の予約ＩＤを消去して予約を確定させる予約確定処理を行って、遊技者に対して景品の提供が行われる景品交換システムが記載されている。
【０６７８】
しかしながら、上記の従来技術１２に示す景品交換システムにおいて、前記減算処理と、景品を遊技者に提供するための処理である前記予約確定処理とが、相互に連動しないものとした場合（例えば既に前記減算処理を行うＰＯＳ端末が導入されている遊技場に、前記予約確定処理を行う予約確定端末を新たに導入する場合）には、減算処理を行わずに予約確定処理を行ってしまう（つまりは、遊技者に対して景品の提供が行われてしまう）事態が生ずるおそれがあり、遊技場が損をしてしまうおそれがあった。
【０６７９】
そこで、上記の実施形態に記載した第１２の発明では、ユーザが所有する有価価値から、交換する景品に相当する有価価値を減算することなく、該景品をユーザに提供するための処理を行ってしまっても、店舗が損をしてしまうおそれがないような、景品交換システムを提供することを目的として、以下の発明を構成した。
【０６８０】
即ち第１２の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な予約要求を送信する予約要求送信手段（場外通信部２１ｃ，通信部５１）と、を有する景品選択装置（カードユニット２０，及び予約確定端末５０）と、前記予約要求送信手段から送信されてきた予約要求から特定される景品を前記ユーザに提供するための提供情報（配送情報）を登録するための提供情報登録処理（配送情報登録処理）を少なくとも含む予約処理（予約内容登録処理）を行う予約処理手段（制御部７２，予約情報ＤＢ，配送情報ＤＢ）と、各景品の在庫数を管理する在庫数管理手段（制御部７２，景品情報ＤＢ）と、各景品について、前記予約処理に供された予約個数（予約累計数）を集計する予約個数集計手段（制御部７２，予約・確定累計数ＤＢ）と、前記在庫数管理手段で管理している在庫数と、該予約個数集計手段にて集計された予約個数とに基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（センタ景品管理装置７０）と、を備え、前記景品選択装置は、前記予約受付手段にて選択された景品に相当する有価価値（交換玉数）を前記ユーザが所有する有価価値から減算するための減算処理を行う減算処理端末（ＰＯＳ端末４０）と別個に設けられ、該減算処理が行われたか否かに拘わらず、前記予約要求を送信する景品交換システム（１）であって、前記景品管理装置は、前記提供情報登録処理にて登録された提供情報のうち、取消を希望する提供情報の指定を前記店舗から受け付ける取消指定受付手段（通信部７１）と、該取消指定受付手段にて指定を受け付けた提供情報に対応する景品の前記ユーザへの提供を停止するための処理を行う提供停止手段（制御部７２）と、をさらに有することを特徴とする景品交換システムを構成した。これによれば、ユーザが所有する有価価値から、交換する景品に相当する有価価値を減算していないにも拘わらず、景品管理装置において、景品をユーザに提供するための提供情報を登録する提供情報登録処理が行われてしまっても、取消を希望する提供情報の指定を店舗から受け付けると、該指定を受け付けた提供情報に対応する景品の提供を停止するための処理が行われて、景品の提供が行われないので、店舗が損をしてしまうおそれがない。
【０６８１】
また第１２の発明において、前記景品管理装置（センタ景品管理装置７０）は、前記在庫数管理手段（制御部７２，景品情報ＤＢ）で管理している在庫数の変更を受け付ける在庫数変更手段（通信部７１）をさらに有し、前記予約可否判定手段（制御部７２）は、該在庫数変更手段にて在庫数の変更を受け付けたことを条件として、該変更を受け付けた後の在庫数と、前記予約個数集計手段にて集計された予約個数とに基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の在庫数の変更を受け付けて、該変更を受け付けた後の在庫数と予約個数とに基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６８２】
また別の第１２の発明として、店舗（遊技場）に設けられ、ユーザ（遊技者）が所有する有価価値（獲得玉の計数値，貯玉数）と交換可能な複数の景品の中から、交換を予約する景品の選択を前記ユーザから受け付ける予約受付手段（ディスプレイ２４）と、該予約受付手段にて選択された景品を特定可能な予約要求を送信する予約要求送信手段（場外通信部２１ｃ，通信部５１）と、を有する景品選択装置（カードユニット２０，及び予約確定端末５０）と、前記予約要求送信手段から送信されてきた予約要求から特定される景品を前記ユーザに提供するための提供情報（配送情報）を登録するための提供情報登録処理（配送情報登録処理）を少なくとも含む予約処理（予約内容登録処理）を行う予約処理手段（制御部７２，予約情報ＤＢ，配送情報ＤＢ）と、各景品の初期在庫数から前記予約処理に供された予約個数を減算した現在在庫数を管理する現在在庫数管理手段（制御部７２，在庫数ＤＢ）と、該現在在庫数に基づいて、前記景品の予約が可能であるか否かを判定する予約可否判定手段（制御部７２）と、該予約可否判定手段により景品の予約が可能でないと判定されたことを条件として、該判定の対象となった景品の予約を停止するための予約停止情報（在庫零通知）を前記景品選択装置に送信する予約停止情報送信手段（通信部７１）と、を有する景品管理装置（センタ景品管理装置７０）と、を備え、前記景品選択装置は、前記予約受付手段にて選択された景品に相当する有価価値（交換玉数）を前記ユーザが所有する有価価値から減算するための減算処理を行う減算処理端末（ＰＯＳ端末４０）と別個に設けられ、該減算処理が行われたか否かに拘わらず、前記予約要求を送信する景品交換システム（１）であって、前記景品管理装置は、前記提供情報登録処理にて登録された提供情報のうち、取消を希望する提供情報の指定を前記店舗から受け付ける取消指定受付手段（通信部７１）と、該取消指定受付手段にて指定を受け付けた提供情報に対応する景品の前記ユーザへの提供を停止するための処理を行う提供停止手段（制御部７２）と、をさらに有することを特徴とする景品交換システムを構成した。これによれば、ユーザが所有する有価価値から、交換する景品に相当する有価価値を減算していないにも拘わらず、景品管理装置において、景品をユーザに提供するための提供情報を登録する提供情報登録処理が行われてしまっても、取消を希望する提供情報の指定を店舗から受け付けると、該指定を受け付けた提供情報に対応する景品の提供を停止するための処理が行われて、景品の提供が行われないので、店舗が損をしてしまうおそれがない。
【０６８３】
また第１２の発明において、前記景品管理装置（センタ景品管理装置７０）は、各景品の初期在庫数を管理する初期在庫数管理手段（制御部７２，景品情報ＤＢ）と、該初期在庫数管理手段で管理している初期在庫数の変更を受け付ける在庫数変更手段（通信部７１）と、該在庫数変更手段にて初期在庫数の変更を受け付けたことを条件として、初期在庫数の変動数に基づいて、前記現在在庫数管理手段（制御部７２，在庫数ＤＢ）で管理している現在在庫数を更新する現在在庫数更新手段（制御部７２）と、をさらに有し、前記予約可否判定手段（制御部７２）は、該現在在庫数更新手段にて現在在庫数が更新されたことを条件として、該更新された後の現在在庫数に基づいて、前記景品の予約が可能であるか否かを判定することを特徴とする景品交換システムを構成した。これによれば、景品の在庫を管理する側において景品の在庫数に不測の変動が生じた場合であっても、景品管理装置において、当該景品の初期在庫数の変更を受け付けて、該初期在庫数の変動数に基づいて更新される現在在庫数に基づいて該景品の予約が可能でないと判定されると、該景品の予約を迅速に停止することができるので、事後的な対処が必要となる予約の件数を低減でき、景品を提供する側の手間やユーザの迷惑を低減できる。
【０６８４】
また第１２の発明において、前記景品選択装置（カードユニット２０）は、景品の配送先を示す配送先情報の入力を受け付ける配送先情報受付手段（ディスプレイ２４）と、該配送先情報受付手段により入力を受け付けた配送先情報を、当該景品選択装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置（センタ景品管理装置７０）に送信する配送先特定情報送信手段（場外通信部２１ｃ）と、をさらに有し、前記景品管理装置は、該配送先特定情報送信手段から送信されてきた配送先特定情報から特定される配送先に前記景品を配送するための配送情報を前記提供情報として登録する処理を前記提供情報登録処理（配送情報登録処理）として前記予約処理手段（制御部７２，配送情報ＤＢ）により行うことを特徴とする景品交換システムを構成した。これによれば、景品選択装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６８５】
また第１２の発明において、前記予約要求送信手段は、前記予約受付手段（ディスプレイ２４）にて選択された景品を特定可能な景品特定情報（景品ＩＤ）を含む予約登録要求を前記予約要求として送信する予約登録要求送信手段（場外通信部２１ｃ）と、前記景品の提供を要求する景品提供要求を前記予約要求として送信する景品提供要求送信手段（通信部５１）と、を有し、前記景品選択装置は、前記予約受付手段及び前記予約登録要求送信手段を有する予約端末（カードユニット２０）と、前記景品提供要求送信手段を有する予約確定端末（５０）と、からなり、前記景品管理装置は、前記予約登録要求送信手段から送信されてきた予約登録要求に対応する予約を識別可能な予約識別情報（予約ＩＤ）に対応付けて該予約登録要求に含まれる景品特定情報を登録する予約内容登録処理を前記予約処理として前記予約処理手段（制御部７２，予約情報ＤＢ）により行い、前記予約確定端末は、前記予約識別情報を受け付ける予約識別情報受付手段（カードＲ／Ｗ５７）を有し、該予約識別情報受付手段にて受け付けた予約識別情報を含む景品提供要求を前記景品提供要求送信手段により送信し、前記景品管理装置は、前記景品提供要求送信手段から送信されてきた景品提供要求に含まれる予約識別情報に対応付けて登録された景品特定情報から特定される景品を対象とした前記提供情報登録処理（配送情報登録処理）を前記予約処理手段（制御部７２，配送情報ＤＢ）により行うことを特徴とする景品交換システムを構成した。これによれば、ユーザが景品を選択して予約する景品選択装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【０６８６】
また第１２の発明において、前記予約個数は、前記予約内容登録処理に供された個数であることを特徴とする景品交換システムを構成した。これによれば、在庫数と予約内容登録処理に供された予約個数，又は初期在庫数から予約内容登録処理に供された予約個数を減算した現在在庫数に基づいて景品の予約が可能であると判定されたことを条件として、予約内容登録処理が行われるので、ユーザが予約をした景品を交換することができないという事態が生ずるおそれがない。
【０６８７】
さらに第１２の発明において、前記景品管理装置（センタ景品管理装置７０）は、前記景品提供要求送信手段（通信部５１）から送信されてきた景品提供要求（予約確定要求）を受信したことに基づいて、当該景品提供要求に含まれる予約識別情報（予約ＩＤ）に対応付けて登録された景品特定情報（景品ＩＤ）から特定される景品について前記提供情報登録処理（配送情報登録処理）が行われているか否かを判定する提供情報登録済判定手段（制御部７２）をさらに有し、該提供情報登録済判定手段により提供情報登録処理が行われていると判定されたことを条件として、該判定の対象となった景品について新たに前記提供情報登録処理を行わないことを特徴とする景品交換システムを構成した。これによれば、景品提供要求に含まれる予約識別情報に対応付けて登録された景品特定情報から特定される景品について、既に提供情報登録処理が行われていると、新たな提供情報登録処理は行われないので、１つの予約に対して複数回の提供情報登録処理が行われることがなく、ユーザに対して同じ景品が複数回提供されて店舗が損をしてしまうおそれがない。
【０６８８】
［４−１３．第１３の発明］
次に従来技術１３として、特開２００１−３３４０５３号公報（段落００１５）を示す。この従来技術１３には、店舗の一例である遊技場に設けられ、複数の景品を表示し、該景品の中からユーザが交換を希望する景品の選択を受け付ける景品表示装置の一例である端末機器と、遊技場の外部に設けられ、該端末機器に表示される景品に関する情報を管理する景品管理装置の一例であるサーバ機器と、を備え、サーバ機器から端末機器に対して、前記表示される景品に関する情報を含む景品データを送信する景品交換システムが記載されている。
【０６８９】
しかしながら、上記の従来技術１３に示す景品交換システムでは、サーバ機器から端末機器に対して送信される景品データは、遊技場によらず一律であるため、各遊技場の客層や土地柄や季節に応じた景品を提供できず、遊技者に対して景品交換を促進できないという問題があった。
【０６９０】
そこで、上記の実施形態に記載した第１３の発明では、店舗が希望する景品を提供でき、ユーザに対して景品交換を促進できるような、景品交換システムを提供することを目的として、以下の発明を構成した。
【０６９１】
即ち第１３の発明として、店舗（遊技場）に設けられ、ユーザ（遊技者）が所有する有価価値（獲得玉の計数値，貯玉数）と交換可能な複数の景品を表示する表示手段（ディスプレイ２４）と、該表示手段に表示される景品の中から、交換を予約する景品の選択を前記ユーザから受け付ける予約受付手段（ディスプレイ２４）と、該予約受付手段にて選択された景品を特定可能な景品特定情報（景品ＩＤ）を含む予約要求を送信する予約要求送信手段（場外通信部２１ｃ）と、を有する景品表示装置（カードユニット２０）と、該景品表示装置に表示される景品に関する情報を（景品情報ＤＢで）管理すると共に、前記予約要求送信手段から送信されてきた予約要求に含まれる景品特定情報から特定される景品を前記ユーザに提供するための提供処理（配送情報登録処理）を（制御部７２，配送情報ＤＢにより）行う景品管理装置（センタ景品管理装置７０）と、を備える景品交換システム（１）であって、前記景品管理装置は、所定数の景品が含まれる景品パッケージを複数設定する景品パッケージ設定手段（制御部７２，ディスプレイ７３及び入力装置７４）と、該景品パッケージ設定手段により設定された前記複数の景品パッケージのうち、前記店舗が希望する景品パッケージの選択を受け付ける景品パッケージ選択受付手段（通信部７１）と、該景品パッケージ選択受付手段にて選択された景品パッケージに含まれる景品を当該店舗に設けられる前記景品表示装置で表示するための処理を行う景品表示処理手段（制御部７２，通信部７１）と、前記複数の景品のうち、予約を停止する景品の指定を受け付ける予約停止景品受付手段（ディスプレイ７３及び入力装置７４）と、該予約停止景品受付手段にて指定を受け付けた景品の予約を停止するための予約停止情報を前記景品表示装置に送信する予約停止情報送信手段（通信部７１）と、をさらに有することを特徴とする景品交換システムを構成した。これによれば、景品管理装置において、予め設定された複数の景品パッケージのうち、店舗が希望する景品パッケージの選択を受け付け、該選択された景品パッケージに含まれる景品が当該店舗に設けられる景品表示装置で表示するための処理が行われるので、店舗の客層や土地柄や季節に応じて、該店舗が希望する景品を提供でき、ユーザに対して景品交換を促進することができる。また不良品の発覚に応じて、景品管理装置において、予約を停止する景品の指定を受け付けて、該景品の予約を迅速に停止することができるので、事後的な対処が必要となる予約の件数を低減でき、景品を提供する側の手間やユーザの迷惑を低減できる。
【０６９２】
また第１３の発明において、前記景品管理装置（センタ景品管理装置７０）は、前記景品パッケージ設定手段（制御部７２，ディスプレイ７３及び入力装置７４）により設定された前記景品パッケージに含まれる景品を更新する景品更新手段（ディスプレイ７３及び入力装置７４）をさらに有し、該景品更新手段により更新された景品を前記景品表示装置（カードユニット２０）で表示するための処理を前記景品表示処理手段（制御部７２，通信部７１）により行うことを特徴とする景品交換システムを構成した。これによれば、景品管理装置において、景品の交換状況等に応じて、景品パッケージに含まれる景品を更新することができるので、景品交換をより促進することができる。
【０６９３】
また第１３の発明において、前記景品管理装置（センタ景品管理装置７０）は、複数の景品提供業者から提供される景品に関する情報を（景品情報ＤＢで）管理し、前記景品パッケージ設定手段（制御部７２，ディスプレイ７３及び入力装置７４）は、前記複数の景品提供業者のうちの少なくとも一部の景品提供業者について、各景品提供業者毎に前記景品パッケージを設定し、前記景品パッケージ選択受付手段（通信部７１）は、前記店舗（遊技場）が希望する景品提供業者及び景品パッケージの選択を受け付けることを特徴とする景品交換システムを構成した。これによれば、景品管理装置において、店舗が希望する景品提供業者の景品パッケージの選択を受け付けることができるので、景品交換をより促進することができる。
【０６９４】
また第１３の発明において、前記景品管理装置（センタ景品管理装置７０）は、前記予約要求を受信したことに基づいて、該予約要求に含まれる景品特定情報（景品ＩＤ）から特定される景品が前記予約停止景品受付手段（ディスプレイ７３及び入力装置７４）にて指定を受け付けた景品であるか否かを判定する予約停止景品判定手段（制御部７２）をさらに有し、該予約停止景品判定手段により前記指定を受け付けた景品であると判定されたことを条件として、前記予約停止情報を前記予約停止情報送信手段（通信部７１）により送信することを特徴とする景品交換システムを構成した。これによれば、景品管理装置は、予約要求を受信したことに基づいて、該予約要求に含まれる景品特定情報から特定される景品が予約を停止する景品であれば、受動的に予約停止情報を返信するので、能動的に予約停止情報を送信する場合に比べて、処理の負荷が軽減される。
【０６９５】
また第１３の発明において、前記景品表示装置（カードユニット２０）は、前記予約停止情報を受信したことに基づいて、前記予約停止景品受付手段（ディスプレイ７３及び入力装置７４）にて指定を受け付けた景品を、前記表示手段（ディスプレイ２４）に表示しないか、又は、選択不能に該表示手段に表示する処理を行うことを特徴とする景品交換システムを構成した。これによれば、景品表示装置において、予約停止情報を受信した後は、予約を停止する景品を選択できなくなるので、ユーザによる無駄な操作が無くなり、ユーザの利便性を向上できる。
【０６９６】
また第１３の発明において、前記景品管理装置（センタ景品管理装置７０）は、前記景品表示装置（カードユニット２０）に景品を表示するための景品情報を所定期間毎（１日毎）に該景品表示装置に送信する景品情報送信手段（通信部７１）をさらに有し、該景品情報送信手段は、前記予約停止景品受付手段（ディスプレイ７３及び入力装置７４）にて指定を受け付けた景品の景品情報を除いた前記景品情報を送信することを特徴とする景品交換システムを構成した。これによれば、景品管理装置から景品表示装置に送信される景品情報から、予約を停止する景品の景品情報が除かれ、景品表示装置において、該景品情報を受信した後は、予約を停止する景品を選択できなくなるので、ユーザによる無駄な操作が無くなり、ユーザの利便性を向上できる。
【０６９７】
また第１３の発明において、前記景品表示装置（カードユニット２０）は、景品の配送先を示す配送先情報の入力を受け付ける配送先情報受付手段（ディスプレイ２４）と、該配送先情報受付手段により入力を受け付けた配送先情報を、当該景品表示装置が設けられている店舗（遊技場）において前記ユーザ（遊技者）に対して発行される配送先記録媒体（会員カード２，景品交換カード３）に記録される配送先特定情報（会員ＩＤ，景品会員ＩＤ）から特定可能とするための処理（配送先登録要求の送信）を行う配送先特定処理手段（場外通信部２１ｃ）と、前記配送先記録媒体を受け付けたことに基づいて、当該受け付けた配送先記録媒体に記録された前記配送先特定情報を前記景品管理装置（センタ景品管理装置７０）に送信する配送先特定情報送信手段（場外通信部２１ｃ）と、をさらに有し、前記景品管理装置は、該配送先特定情報送信手段から送信されてきた配送先特定情報から特定される配送先に前記景品を配送するための配送処理（配送情報登録処理）を（制御部７２，配送情報ＤＢにより）前記提供処理として行うことを特徴とする景品交換システムを構成した。これによれば、景品表示装置において、配送先情報を入力して、該配送先情報を配送先記録媒体から特定可能としておけば、該配送先記録媒体から特定される配送先情報の配送先に景品が配送されるので、何度も配送先情報を入力する必要がなくなり、ユーザの利便性が向上する。
【０６９８】
さらに第１３の発明において、前記景品管理装置（センタ景品管理装置７０）は、前記予約要求送信手段場外通信部２１ｃ）から送信されてきた予約要求に対応する予約を識別可能な予約識別情報（予約ＩＤ）に対応付けて該予約要求に含まれる景品特定情報（景品ＩＤ）を登録する予約内容登録処理を行う予約内容登録手段（制御部７２，予約情報ＤＢ）をさらに有し、前記景品管理システムは、店舗（遊技場）に設けられ、前記予約識別情報を受け付ける予約識別情報受付手段（カードＲ／Ｗ５７）と、該予約識別情報受付手段にて受け付けた予約識別情報を含む景品提供要求（予約確定要求）を前記景品管理装置に送信する景品提供要求送信手段（通信部５１）と、を有する予約確定端末（５０）をさらに備え、前記景品管理装置は、前記景品提供要求送信手段から送信されてきた景品提供要求に含まれる予約識別情報に対応付けて登録された景品特定情報から特定される景品を前記ユーザに提供するための前記提供処理（配送情報登録処理）を（制御部７２，配送情報ＤＢにより）行うことを特徴とする景品交換システムを構成した。これによれば、ユーザが景品を選択して予約する景品表示装置と、景品管理装置において該予約を確定して景品をユーザに提供するための景品提供要求を送信する予約確定端末とが別個に設けられていることにより、ユーザが有価価値の獲得に拘わらず気軽に景品を予約しておくことができるので、景品交換を促進できる。
【図面の簡単な説明】
【０６９９】
【図１】図１は第１実施形態に係る景品交換装置であるカードユニット及び各台計数機を含む景品交換システムの一例を表す機能ブロック図である。
【図２】図２は景品交換システムで発行される計数レシートの一例を表す図である。
【図３】図３（ａ）は景品交換システムで発行される配送レシートの一例を表す図であり、図３（ｂ）は同提供レシートの一例を表す図である。
【図４】図４は配送管理装置のディスプレイに表示される画面の一例を表す図であり、（ａ）は在庫数変更画面，（ｂ）は景品パッケージ設定画面である。
【図５】図５は配送管理装置が記憶しているＤＢの記憶内容の一例を表す図であり、（ａ）は景品情報ＤＢ，（ｂ）は景品パッケージＤＢである。
【図６】図６は配送管理装置が記憶しているＤＢの記憶内容の一例を表す図であり、（ａ）は配送情報ＤＢ，（ｂ）は請求情報ＤＢである。
【図７】図７はセンタ景品管理装置のディスプレイに表示される画面の一例を表す図であり、（ａ）は景品パッケージ設定画面，（ｂ）は景品パッケージ更新画面，（ｃ）は予約停止景品指定画面である。
【図８】図８はセンタ景品管理装置のディスプレイに表示される画面の一例を表す図であり、（ａ）は選択不能景品指定画面，（ｂ）は選択不能解除受付画面である。
【図９】図９はセンタ景品管理装置のディスプレイに表示される上限値指定画面の一例を表す図である。
【図１０】図１０はセンタ景品管理装置が記憶している景品情報ＤＢの記憶内容の一例を表す図である。
【図１１】図１１はセンタ景品管理装置が記憶している景品パッケージＤＢの記憶内容の一例を表す図である。
【図１２】図１２はセンタ景品管理装置が記憶している上限値ＤＢの記憶内容の一例を表す図である。
【図１３】図１３はセンタ景品管理装置が記憶しているＤＢの記憶内容の一例を表す図であり、（ａ）は配送先ＤＢ，（ｂ）は予約・確定累計数ＤＢである。
【図１４】図１４はセンタ景品管理装置が記憶している予約情報ＤＢの記憶内容の一例を表す図である。
【図１５】図１５はセンタ景品管理装置が記憶している未提供予約個数・価格ＤＢの記憶内容の一例を表す図である。
【図１６】図１６はセンタ景品管理装置が記憶している配送情報ＤＢの記憶内容の一例を表す図である。
【図１７】図１７は場内景品管理装置が記憶しているＤＢの記憶内容の一例を表す図であり、（ａ）は景品情報ＤＢ，（ｂ）は予約・確定累計数ＤＢ，（ｃ）は予約・確定情報ＤＢである。
【図１８】図１８（ａ）はパチンコ機，各台計数機，及びカードユニットの一例を表す正面図であり、図１８（ｂ）は同カードユニットの断面右側面図である。
【図１９】図１９はカードユニットが記憶しているＤＢの記憶内容の一例を表す図であり、（ａ）は表示景品情報ＤＢ，（ｂ）は区分メニューＤＢである。
【図２０】図２０はカードユニットが行うメイン処理の一例を表すフローチャートである。
【図２１】図２１はカードユニットが行うサブルーチンである配送先登録処理の一例を表すフローチャートである。
【図２２】図２２はカードユニットが行うサブルーチンである景品予約処理の一例を表すフローチャートである。
【図２３】図２３はカードユニットが行うサブルーチンである予約確定処理の一例を表すフローチャートである。
【図２４】図２４はカードユニットが行うサブルーチンである確定取消処理の一例を表すフローチャートである。
【図２５】図２５（ａ）はカードユニットが行うサブルーチンである確定可能報知処理の一例を表すフローチャートである。
【図２６】図２６はカードユニットが行うサブルーチンである優先表示景品表示処理の一例を表すフローチャートである。
【図２７】図２７はカードユニットのディスプレイに表示される画面の一例を表す図である。
【図２８】図２８は図２７に続き景品予約画面の一例を表す図である。
【図２９】図２９は図２８に続き景品予約画面の一例を表す図である。
【図３０】図３０は図２８に続き景品予約画面の一例を表す図である。
【図３１】図３１は図２７に続き予約確定画面及び確定取消画面の一例を表す図である。
【図３２】図３２はＰＯＳ端末の一例を表す図である。
【図３３】図３３は予約確定端末の一例を表す図である。
【図３４】図３４は予約確定端末のディスプレイに表示される画面の一例を表す図である。
【図３５】図３５は第１実施形態に係る景品交換システムの作用の一例を表すフローチャートである。
【図３６】図３６はセンタ景品管理装置が行う予約内容登録処理の一例を表すフローチャートである。
【図３７】図３７（ａ）はセンタ景品管理装置が行う上限値判定処理の一例を表すフローチャートであり、図３７（ｂ）はセンタ景品管理装置が行う未提供予約個数・価格登録処理の一例を表すフローチャートである。
【図３８】図３８はセンタ景品管理装置が行う配送情報登録処理の一例を表すフローチャートである。
【図３９】図３９はセンタ景品管理装置が行う配送停止処理の一例を表すフローチャートである。
【図４０】図４０はセンタ景品管理装置が行う予約停止景品指定処理の一例を表すフローチャートである。
【図４１】図４１はセンタ景品管理装置が行う在庫数変更処理の一例を表すフローチャートである。
【図４２】図４２は第２実施形態に係る景品交換システムの一例を表す機能ブロック図である。
【図４３】図４３は第２実施形態に係る景品交換システムの作用の一例を表すフローチャートである。
【図４４】図４４は第２実施形態に係るセンタ景品管理装置が記憶している上限値ＤＢの記憶内容の一例を表す図である。
【図４５】図４５は第２実施形態に係るセンタ景品管理装置が記憶している在庫数ＤＢの記憶内容の一例を表す図である。
【図４６】図４６は第１実施形態に係るセンタ景品管理装置が記憶している上限値ＤＢの記憶内容の変形例を表す図である。
【図４７】図４７は第２実施形態に係るセンタ景品管理装置が記憶している上限値ＤＢの記憶内容の変形例を表す図である。
【符号の説明】
【０７００】
１…景品交換システム
２…会員カード
３…景品交換カード
４…ビジタカード
５…計数レシート
６…配送レシート
７…提供レシート
１０…パチンコ機
１９…各台計数機（景品交換装置）
２０…カードユニット（景品交換装置）
２１ｂ…場内通信部
２１ｃ…場外通信部
２１ｄ…計数機通信部
２２…制御部
２３…カードＲ／Ｗ
２４…（タッチパネル式）ディスプレイ
２５…レシートプリンタ（計数レシート，配送レシート，提供レシート）
４０…ＰＯＳ端末
５０…予約確定端末
６０…残額管理装置
６１…会員管理装置
６２…計数値管理装置
６３…場内景品管理装置
７０…センタ景品管理装置
８０…配送管理装置
【図１】
0005394001.tif 000002
【図２】
0005394001.tif 000003
【図３】
0005394001.tif 000004
【図４】
0005394001.tif 000005
【図５】
0005394001.tif 000006
【図６】
0005394001.tif 000007
【図７】
0005394001.tif 000008
【図８】
0005394001.tif 000009
【図９】
0005394001.tif 000010
【図１０】
0005394001.tif 000011
【図１１】
0005394001.tif 000012
【図１２】
0005394001.tif 000013
【図１３】
0005394001.tif 000014
【図１４】
0005394001.tif 000015
【図１５】
0005394001.tif 000016
【図１６】
0005394001.tif 000017
【図１７】
0005394001.tif 000018
【図１８】
0005394001.tif 000019
【図１９】
0005394001.tif 000020
【図２０】
0005394001.tif 000021
【図２１】
0005394001.tif 000022
【図２２】
0005394001.tif 000023
【図２３】
0005394001.tif 000024
【図２４】
0005394001.tif 000025
【図２５】
0005394001.tif 000026
【図２６】
0005394001.tif 000027
【図２７】
0005394001.tif 000028
【図２８】
0005394001.tif 000029
【図２９】
0005394001.tif 000030
【図３０】
0005394001.tif 000031
【図３１】
0005394001.tif 000032
【図３２】
0005394001.tif 000033
【図３３】
0005394001.tif 000034
【図３４】
0005394001.tif 000035
【図３５】
0005394001.tif 000036
【図３６】
0005394001.tif 000037
【図３７】
0005394001.tif 000038
【図３８】
0005394001.tif 000039
【図３９】
0005394001.tif 000040
【図４０】
0005394001.tif 000041
【図４１】
0005394001.tif 000042
【図４２】
0005394001.tif 000043
【図４３】
0005394001.tif 000044
【図４４】
0005394001.tif 000045
【図４５】
0005394001.tif 000046
【図４６】
0005394001.tif 000047
【図４７】
0005394001.tif 000048